(57)【要約】網膜の厚さを測定するための改良された光干渉断層撮影システムおよび方法が、提示される。本システムは、小型で、手持ち式であり、家庭内監視を提供し、患者が自分を測定することを可能にし、依然として、網膜を確実に測定しながら、落下しても十分に頑丈であり得る。本明細書に開示される小型ＯＣＴシステムは、網膜の厚さの測定等の多くの以前の臨床検査と併用するために非常に適している。ある場合には、ＯＣＴシステムは、患者によって、または医療提供者によって使用される。多くの事例において、患者は、自分をシステムと整合させることができるが、別のユーザは、患者をシステムと整合させ、測定を行うことができる。
2021527552.tif 000002
【特許請求の範囲】
【請求項１】
眼の網膜の厚さを測定するための小型光干渉断層撮影（ＯＣＴ）システムであって、前記小型ＯＣＴシステムは、
検出器と、
複数の光ビームを発生させるように構成される複数の光源を備える光源であって、前記複数の光ビームはそれぞれ、前記光源のスペクトル範囲を延在させるために、前記複数のうちの他の光ビームと異なる波長の範囲を備える、光源と、
前記複数の光ビームを前記網膜の中に指向し、前記検出器において複数の干渉信号を発生させるように前記光源に結合される複数の光学要素と、
前記複数の干渉信号に応答して、前記厚さを決定するように前記検出器および前記複数の光源に結合される回路と
を備える、小型ＯＣＴシステム。
【請求項２】
前記複数の光ビームのそれぞれの波長の範囲は、前記複数のうちの他の光ビームのうちの少なくとも１つと部分的に重複する、請求項１に記載の小型ＯＣＴシステム。
【請求項３】
前記複数の光源は、複数のＶＣＳＥＬを備え、前記回路は、前記スペクトル範囲を延在させるために、前記複数のＶＣＳＥＬのそれぞれを連続的にアクティブ化するように構成される、請求項１に記載の小型ＯＣＴシステム。
【請求項４】
前記光源は、第１のＶＣＳＥＬと、第２のＶＣＳＥＬとを備え、前記光ビームは、前記第１のＶＳＣＥＬおよび前記第２のＶＳＣＥＬからの光を備える、請求項１に記載の小型ＯＣＴシステム。
【請求項５】
前記回路は、類似率で前記第１のＶＳＣＥＬからの光の第１の波長および前記第２のＶＳＣＥＬからの光の第２の波長を掃引するために、類似掃引周波数を用いて順に前記第１のＶＣＳＥＬおよび前記第２のＶＣＳＥＬを駆動するように構成され、随意に、前記第１のＶＳＣＥＬおよび前記第２のＶＳＣＥＬの類似掃引周波数および類似率は、相互の５％以内、随意に、相互の１％以内である、請求項４に記載の小型ＯＣＴシステム。
【請求項６】
前記回路は、前記第２のＶＳＣＥＬがオフであるときに前記第１のＶＳＣＥＬをオンにし、前記第１のＶＳＣＥＬがオフであるときに前記第２のＶＳＣＥＬをオンにするように、かつ前記第１のＶＳＣＥＬおよび前記第２のＶＣＥＬからの光の時間的重複を阻止するように構成され、前記第２のＶＳＣＥＬは、前記第１のＶＳＣＥＬがオフにされたときに、オンになり、前記第１のＶＳＣＥＬからの光の約０．１ｎｍ以内の波長を有する光を放射するように構成される、請求項４に記載の小型ＯＣＴシステム。
【請求項７】
前記第１のＶＳＣＥＬからの光を結合するためのビームスプリッタもしくは光ファイバのうちの１つ以上のものをさらに備える、請求項４に記載の小型ＯＣＴシステム。
【請求項８】
前記光源に光学的に結合され、前記複数の光ビームの位相を特性評価するように前記回路に電気的に結合される、複数の位相補償モジュールをさらに備え、前記回路は、前記複数の干渉信号を組み合わせ、前記複数の光ビームの位相に応答して、前記網膜の厚さを決定するように構成される、請求項１に記載の小型ＯＣＴシステム。
【請求項９】
前記複数の位相補償モジュールはそれぞれ、波長に応答して、強度の変化を伴って前記複数の光ビームを検出器に透過させるように構成される、干渉計を備え、随意に、前記干渉計は、ファブリ・ペロー干渉計またはマイケルソン干渉計を備え、随意に、前記干渉計は、前記複数の位相補償モジュールの他の干渉計と異なる参照光路長を備える、請求項８に記載の小型ＯＣＴシステム。
【請求項１０】
前記干渉計は、ファブリ・ペローエタロンを備え、前記参照光路は、前記ファブリ・ペローエタロンの対向する反射表面の間の距離および間に配置される材料の屈折率に対応する、請求項９に記載の小型ＯＣＴシステム。
【請求項１１】
前記干渉計は、前記マイケルソン干渉計を備え、前記参照光路は、前記マイケルソン干渉計の区間に沿った光路を備える、請求項９に記載の小型ＯＣＴシステム。
【請求項１２】
前記複数の位相補償モジュールは、第１のモジュールと、第２のモジュールとを備え、前記第１のモジュールは、前記光源の波長の変化に応答して、第１の周波数を備える第１の補償信号を発生させるように構成され、前記第２のモジュールは、前記光源の波長の変化に応答して、第２の周波数を備える第２の補償信号を発生させるように構成され、前記第１の周波数は、前記第２の周波数未満であり、随意に、前記第１および第２の補償信号は、同時に発生される、請求項８に記載の小型ＯＣＴシステム。
【請求項１３】
前記回路は、前記網膜の厚さを決定するために、前記第１の補償信号および前記第２の補償信号に応答して、前記網膜からの前記複数の信号のうちの第１の信号および前記複数の信号のうちの第２の信号を組み合わせるための命令を伴って構成される、請求項１２に記載の小型ＯＣＴシステム。
【請求項１４】
前記第１の補償信号および前記第２の補償信号は、前記網膜からの前記複数の信号のうちの第１の信号に応答して発生される信号を備え、第３の補償信号および第４の補償信号は、前記複数の信号のうちの第２の信号が前記網膜から発生されるときに、それぞれ、前記第１および第２の補償モジュールから発生され、前記網膜からの前記複数の信号のうちの前記第１および第２の信号は、前記第１の補償信号、前記第２の補償信号、前記第３の補償信号、および前記第４の補償信号に応答して組み合わせられる、請求項１３に記載の小型ＯＣＴシステム。
【請求項１５】
前記複数の位相補償信号および前記網膜からの前記複数の信号はそれぞれ、共通クロック信号を伴って発生され、前記複数の補償信号に応答して、前記サンプル構造からの前記複数の信号を組み合わせるために、前記クロック信号に応答してインデックス化される、請求項８に記載の小型ＯＣＴシステム。
【請求項１６】
測定されている対象の眼を決定するための配向センサをさらに備え、
前記ＯＣＴ測定システムは、第１の配向で前記対象の第１の眼を測定するように、かつ反転され、第２の配向で前記対象の第２の眼を測定するように構成される、
請求項１に記載の小型ＯＣＴシステム。
【請求項１７】
前記小型ＯＣＴシステムは、前記小型ＯＣＴシステムの軸方向分解能未満の精度（または反復性）において網膜の厚さの変化を測定し、前記網膜の厚さの変化は、第１の時間における第１の厚さと、第２の時間における第２の厚さとを備える、請求項１に記載の小型ＯＣＴシステム。
【請求項１８】
前記小型ＯＣＴシステムを用いて測定される網膜の厚さの変化は、前記小型ＯＣＴシステムの軸方向分解能未満である、請求項１に記載の小型ＯＣＴシステム。
【請求項１９】
前記光ビームは、可変波長を備え、前記回路は、前記回路からの駆動電流を用いて前記波長を変動させるように構成される、請求項１に記載の小型ＯＣＴシステム。
【請求項２０】
前記厚さは、眼に関する前記小型ＯＣＴシステムの移動の特性周波数よりも速く測定され、前記移動は、その手に前記ＯＣＴシステムを保持する患者に関連する移動、眼球運動、および振戦から成る群から選択される、請求項１に記載の小型ＯＣＴシステム。
【請求項２１】
前記光源、前記複数の光学要素、前記検出器、および前記回路は、前記眼から約２００ｍｍ以下に前記検出器を伴って前記眼の前で保持されるように構成される、請求項１に記載の小型ＯＣＴシステム。
【請求項２２】
前記患者が前記光ビームを眼窩と整合させるための視認標的をさらに備え、前記視認標的は、前記光ビームもしくは発光ダイオードからの光のうちの１つ以上のものを備える、請求項１に記載の小型ＯＣＴシステム。
【請求項２３】
前記光源は、約５〜１０ｎｍの範囲にわたる前記光ビームの発光波長を変動させるように構成される垂直キャビティ面発光レーザ（ＶＣＳＥＬ）を備える、請求項１に記載の小型ＯＣＴシステム。
【請求項２４】
前記ＶＣＳＥＬは、波長変動の規定最大定格範囲を有する、請求項２３に記載の小型ＯＣＴシステム。
【請求項２５】
前記回路は、少なくとも約１ｎｍだけ前記波長変動の規定最大範囲を超えて、随意に、前記波長変動の規定最大範囲を超えて約１ｎｍ〜５ｎｍの範囲内で、前記ＶＣＳＥＬを駆動するように構成される、請求項２４に記載の小型ＯＣＴシステム。
【請求項２６】
前記回路は、複数の測定毎に定格波長範囲の最大値を上回って前記ＶＳＣＥＬを駆動するように、かつ前記ＶＳＣＥＬの過熱を阻止するために約１ミリ秒（「ｍｓ」）〜約１００ミリ秒の範囲内、随意に、約５ミリ秒〜約２０ミリ秒の範囲内の量だけ第２の測定から第１の測定を遅延させるように構成される、請求項２４に記載の小型ＯＣＴシステム。
【請求項２７】
前記回路は、波形を有する駆動電流を用いて、前記定格波長範囲の最大値を上回って前記ＶＳＣＥＬを駆動するように構成され、前記波形は、前記ＶＳＣＥＬの最大定格電流を上回る第１の部分と、前記ＶＳＣＥＬの最大定格電流を下回る第２の部分とを有し、前記第１の部分は、前記ＶＳＣＥＬの過熱を阻止するために前記波形の持続時間の約５０パーセント以下を備える、請求項２６に記載の小型ＯＣＴシステム。
【請求項２８】
前記回路は、掃引周波数を伴う波長の範囲にわたって放射波長を掃引させるように構成され、前記回路は、前記干渉信号の周波数に応答して、前記厚さを決定するように構成される、請求項１に記載の小型ＯＣＴシステム。
【請求項２９】
前記掃引周波数は、約５０Ｈｚ〜約１０ＫＨｚの範囲内、随意に、約１００Ｈｚ〜約５ｋＨｚの範囲内、または約１ｋＨｚ〜約５ＫＨｚの範囲内である、請求項２８に記載の小型ＯＣＴシステム。
【請求項３０】
前記掃引周波数は、ユーザの眼の振戦または前記ユーザの手の振戦よりも速く、随意に、前記掃引周波数は、前記ユーザの眼の振戦の周波数または前記ユーザの手の振戦の周波数よりも速い、請求項２８に記載の小型ＯＣＴシステム。
【請求項３１】
前記回路は、前記光源を加熱して前記波長を変化させるように構成される、請求項１に記載の小型ＯＣＴシステム。
【請求項３２】
前記複数の光学要素は、参照光路および測定光路を提供するように配列され、前記干渉信号は、前記参照光路および前記測定光路に沿った光の干渉に起因する、請求項１に記載の小型ＯＣＴシステム。
【請求項３３】
前記複数の光学要素は、参照光路および測定光路を提供するように配列され、前記干渉信号は、前記参照光路からの光および前記測定光路からの光の干渉に起因する、請求項１に記載の小型ＯＣＴシステム。
【請求項３４】
前記複数の光学要素は、測定光路を提供するように配列され、前記干渉信号は、随意に、参照光路を伴わずに、前記測定光路に沿った前記網膜の層からの光の干渉に起因する、請求項１に記載の小型ＯＣＴシステム。
【請求項３５】
前記回路は、前記干渉信号を、前記眼の中へ指向される前記ビームの光路に沿って反射される光の強度プロファイルに変換するように、かつ前記強度プロファイルに応答して前記網膜の厚さを決定するように構成される、プロセッサを備える、請求項１に記載の小型ＯＣＴシステム。
【請求項３６】
前記強度プロファイルは、複数の反射ピークを備え、前記プロセッサは、前記複数の反射ピークに応答して、前記厚さを決定するための命令を伴って構成される、請求項３５に記載の小型ＯＣＴシステム。
【請求項３７】
前記プロセッサは、前記干渉信号の周波数に応答して、前記強度プロファイルを決定するための命令を伴って構成され、随意に、前記強度プロファイルは、前記検出器を用いて測定される前記干渉信号の高速フーリエ変換を用いて決定される、請求項３５に記載の小型ＯＣＴシステム。
【請求項３８】
前記干渉信号の周波数は、前記網膜の層の分離距離および前記光源の波長の変化率に対応する、請求項３５に記載の小型ＯＣＴシステム。
【請求項３９】
前記干渉信号の周波数は、前記網膜の層の分離距離および前記光源から放射される前記ビームの波長の変化率に対応する、請求項３５に記載の小型ＯＣＴシステム。
【請求項４０】
前記断層撮影システムを眼窩と整合させるための視認標的をさらに備え、前記視認標的は、前記光ビーム、発光ダイオードを用いて画定される標的、もしくはＶＣＳＥＬのうちの１つ以上のものを備える、請求項１に記載の小型ＯＣＴシステム。
【請求項４１】
前記光源、前記光学要素、前記検出器、および前記回路を支持するための筐体をさらに備え、前記筐体は、前記光ビームを前記眼の中に指向するために、前記眼の前でユーザの手の中に保持されるように構成される、請求項１に記載の小型ＯＣＴシステム。
【請求項４２】
前記筐体は、握持を容易にするために曲面上に複数のくぼみを伴う円筒形を有する、請求項４１に記載の小型ＯＣＴシステム。
【請求項４３】
前記筐体の配向に応答して測定される眼を測定するためのセンサをさらに備える、請求項４１に記載の小型ＯＣＴシステム。
【請求項４４】
他方の眼が測定されている間に一方の眼を閉塞するための閉塞構造をさらに備え、前記閉塞構造は、測定される眼を決定するように前記筐体および前記センサに結合される、請求項４１に記載の小型ＯＣＴシステム。
【請求項４５】
前記筐体は、本体と、前記本体に回転可能に取り付けられる蓋とを備え、開放位置にあるとき、前記蓋は、前記本体の周囲で回転するように構成される、請求項４１に記載の小型ＯＣＴシステム。
【請求項４６】
バッテリをさらに備え、前記バッテリは、前記光源よりも前記検出器から遠く離れて位置する、請求項４１に記載の小型ＯＣＴシステム。
【請求項４７】
前記筐体を受容し、前記筐体内に含有される前記バッテリを充電して前記光源および前記回路に給電するためのドッキングステーションをさらに備え、前記ドッキングステーションは、前記厚さを遠隔サーバに伝送するための無線通信回路を備え、随意に、前記無線通信回路は、グローバルシステムフォーモバイルコミュニケーションズ（ＧＳＭ（登録商標））、第３世代（３Ｇ）、または第４世代（４Ｇ）モジュールを備える、請求項４６に記載の小型ＯＣＴシステム。
【請求項４８】
前記回路は、通信ネットワークを通してデータを受信または伝送するように構成される、請求項１に記載の小型ＯＣＴシステム。
【請求項４９】
前記通信ネットワークは、インターネット、セルラーネットワーク、または短距離通信ネットワークを含む、請求項１に記載の小型ＯＣＴシステム。
【請求項５０】
前記小型ＯＣＴシステムは、約５０グラム〜約５００グラムの範囲内、随意に、約１００グラム〜約４００グラムの範囲内の質量を有する、前記請求項のいずれか１項に記載の小型ＯＣＴシステム。
【請求項５１】
前記小型ＯＣＴシステムは、約１０ｍｍ〜約１００ｍｍの範囲内、随意に、約２５ｍｍ〜約７０ｍｍの範囲内で横断する最大距離を有する、前記請求項のいずれか１項に記載の小型ＯＣＴシステム。
【請求項５２】
筐体であって、前記光源、前記検出器、前記回路、および前記光学要素は、前記筐体内に含有される、筐体と、
前記光源および前記検出器に結合される光ファイバであって、前記光ファイバは、前記小型ＯＣＴシステムから延在する、光ファイバと、
前記光ビームを前記眼と整合させ、前記光ビームを前記眼に指向するように前記光ファイバの遠位端に結合される整合構造と
をさらに備える、前記請求項のいずれか１項に記載の小型ＯＣＴシステム。
【請求項５３】
ユーザの左眼および右眼を測定するための両眼ＯＣＴシステムであって、前記システムは、
ＯＣＴ測定システムおよび第１の固定標的に光学的に結合される第１の調節可能レンズであって、前記第１の調節可能レンズは、前記左眼または前記右眼の屈折誤差を補償するように構成される、第１の調節可能レンズと、
第２の固定標的に光学的に結合される第２のレンズであって、前記第２のレンズは、前記左眼または前記右眼の屈折誤差を補償するように構成される、第２のレンズと
を備え、前記ＯＣＴ測定システムは、反転され、前記左眼または前記右眼を測定するように構成される、システム。
【請求項５４】
ユーザの左眼または右眼が前記ＯＣＴ測定システムを用いて測定されているかどうかを決定するための配向センサと、
前記第１のレンズ、前記第２のレンズ、および前記配向センサに動作可能に結合されるプロセッサであって、前記プロセッサは、前記ＯＣＴシステムが前記右眼を測定するための配向を備えるときに、前記第１のレンズを前記右眼の屈折誤差に対して、前記第２のレンズを前記左眼の屈折誤差に対して調節するための命令、および、前記ＯＣＴシステムが前記左眼を測定するための配向を備えるときに、前記第１のレンズを前記左眼の屈折誤差に対して、前記第２のレンズを前記右眼の屈折誤差に対して調節するための命令を伴って構成される、プロセッサと
をさらに備える、請求項５３に記載の両眼ＯＣＴシステム。
【請求項５５】
前記ＯＣＴ測定システムは、前記ユーザの第１の眼を測定するための第１の配向と、前記ユーザの第２の眼を測定するための第２の配向とを備え、前記第２の配向は、前記第１の配向に対して反転される、請求項５３に記載の両眼ＯＣＴシステム。
【請求項５６】
前記第１のレンズは、前記固定標的および前記ＯＣＴ測定システムに対して可動であり、前記左眼または前記右眼の屈折誤差を補償し、前記第２のレンズは、可動であり、前記左眼または前記右眼の屈折誤差を補償する、請求項５３に記載の両眼ＯＣＴシステム。
【請求項５７】
前記プロセッサは、前記右眼の屈折誤差および前記左眼の屈折誤差を記憶するための命令、および、前記右眼の記憶された屈折誤差および前記左眼の記憶された屈折誤差および前記配向センサに応答して、前記第１のレンズおよび前記第２のレンズを調節するための命令を伴って構成される、非一過性のコンピュータ可読媒体を備える、請求項５３に記載の両眼ＯＣＴシステム。
【請求項５８】
前記第１のレンズ、前記ＯＣＴシステム、および前記第１の固定標的は、第１の光路を共有し、前記第２のレンズおよび前記第２の固定標的は、第２の光路を共有し、前記第１の光路と前記第２の光路との間の分離距離は、前記ユーザの右眼と左眼との間の瞳孔間距離に調節可能であり、随意に、手動で調節可能である、請求項５３に記載の両眼ＯＣＴシステム。
【請求項５９】
前記第１のレンズおよび前記第２のレンズは、それぞれ、前記第１の光路および前記第２の光路上で平行移動するように構成され、前記プロセッサは、前記右眼の屈折誤差を補正するための右眼球位置まで、および前記第２の眼の屈折誤差を補正するための左眼球位置まで、前記第１のレンズを平行移動させるための命令、および、前記右眼の屈折誤差を補正するための右眼球位置まで、および前記左眼の屈折誤差を補正するための左眼球位置まで、前記第２のレンズを平行移動させるための命令を伴って構成される、請求項５８に記載の両眼ＯＣＴシステム。
【請求項６０】
前記ＯＣＴシステムは、参照アームと、測定アームとを備え、前記測定アームは、前記測定アームの光路に沿ってレンズに向かって配向される端部を備える光ファイバを備え、前記端部および前記レンズは、前記光路に沿って平行移動し、前記参照アームの間の光路差を減少させるように構成される、請求項５３に記載の両眼ＯＣＴシステム。
【請求項６１】
前記端部および前記レンズは、前記光路差に応答して、前記端部および前記レンズを移動させるように、前記プロセッサに動作可能に結合され、随意に、前記光路差は、前記第１の眼および前記第２の眼の測定の間に実質的に固定されたままである、請求項６０に記載の両眼ＯＣＴシステム。
【請求項６２】
前記端部および前記レンズは、光路差補償軸に沿って平行移動するように構成され、前記第１のレンズは、第１の軸に沿って平行移動するように構成され、前記第２のレンズは、第２の軸に沿って平行移動するように構成され、前記光路差補償軸、前記第１の軸、および前記第２の軸は、約５度以内まで相互と略平行である、請求項６０に記載の両眼ＯＣＴシステム。
【請求項６３】
前記光路差補償軸は、前記第１の軸と前記第２の軸との間に位置する、請求項６２に記載の両眼ＯＣＴシステム。
【請求項６４】
前記眼の前部分を撮像し、前記第１の調節可能レンズと前記第１の固定標的との間に延在する軸に関して前記眼の位置を決定するためのカメラをさらに備え、前記プロセッサは、前記配向センサからの信号および前記画像に応答して、前記眼の位置を決定するように、前記カメラに動作可能に結合され、随意に、前記画像は、前記眼の瞳孔の画像もしくは前記眼の角膜から反射される光のプルキニェ画像のうちの１つ以上のものを備える、請求項５３に記載の両眼ＯＣＴシステム。
【請求項６５】
前記プロセッサは、前記配向センサからの前記信号に応答して、前記眼の網膜上の測定領域を調節するための命令を伴って構成される、請求項６４に記載の両眼ＯＣＴシステム。
【請求項６６】
前記プロセッサは、前記配向センサに応答して、網膜の厚さの出力マップを調節するように構成される、請求項６４に記載の両眼ＯＣＴシステム。
【請求項６７】
前記配向センサは、加速度計またはジャイロスコープを備える、請求項６４に記載の両眼ＯＣＴシステム。
【請求項６８】
前記ＯＣＴ測定システムは、時間ドメインＯＣＴ測定システム、掃引源ＯＣＴ測定システム、スペクトルドメインＯＣＴ測定システム、もしくは多重反射率ＯＣＴ測定システムのうちの１つ以上のものを備える、請求項５３に記載の両眼ＯＣＴシステム。
【請求項６９】
両眼ＯＣＴシステムであって、
プロセッサと、前記プロセッサに結合される複数の電気コンポーネントとを備えるプリント回路基板と、
支持体上に搭載される複数の光学系モジュールを備える支持体であって、前記複数の光学系モジュールは、スキャナと、第１の固定標的と、第２の固定標的と、前記スキャナ、前記第１の固定標的、および前記第２の固定標的に結合される複数のレンズとを備える、支持体と、
複数の光ファイバと、複数の光ファイバ結合器と、光ファイバ参照アームと、測定アームの光ファイバ部分とを備える干渉計モジュールと、
前記プリント回路基板、前記支持体、および前記干渉計モジュールを封入する外部筐体であって、前記プリント回路基板、前記支持体、および前記干渉計モジュールは、前記外部筐体内にスタックされた構成で配列される、外部筐体と
を備える、両眼ＯＣＴシステム。
【請求項７０】
前記スタックされた構成は、第１の眼が測定されるときの第１の配向と、第２の眼が測定されるときの第２の配向とを備え、前記第２の配向は、前記第１の配向に対して反転される、請求項６９に記載の両眼ＯＣＴシステム。
【請求項７１】
前記支持体は、前記プリント回路基板と前記干渉計モジュールとの間に位置する、請求項６９に記載の両眼ＯＣＴシステム。
【請求項７２】
前記支持体は、その上に搭載された前記複数の光学系モジュールを伴うプレートを備える、請求項６９に記載の両眼ＯＣＴシステム。
【請求項７３】
前記干渉計モジュールは、前記複数の光ファイバおよび前記複数の光ファイバ結合器、前記参照アームおよび測定アームの一部を封入する筐体を備える、請求項６９に記載の両眼ＯＣＴシステム。
【請求項７４】
前記複数の光ファイバは、掃引源レーザに結合される源光ファイバを備え、随意に、前記掃引源レーザは、前記筐体の内側に位置する、請求項７３に記載の両眼ＯＣＴシステム。
【請求項７５】
前記複数の光ファイバは、前記筐体内に位置する第１および第２のアーム結合器から、前記筐体の外側に位置する一対の平衡検出器まで延在する、一対の光ファイバを備え、前記第１および第２のアーム結合器は、前記参照アームを前記測定アームの光ファイバ部分に結合し、随意に、前記一対の平衡検出器は、前記プリント回路基板上の前記プロセッサに動作可能に結合される、請求項７３に記載の両眼ＯＣＴシステム。
【請求項７６】
前記測定アームの光ファイバ部分は、前記筐体内の前記光ファイバ参照アームに結合される光学結合器から前記筐体の外側の端部まで延在し、前記端部は、前記ユーザの眼に向かって測定光ビームを指向するようにレンズに結合される、請求項７３に記載の両眼ＯＣＴシステム。
【請求項７７】
前記複数の光ファイバは、掃引源レーザに結合される位相監視光ファイバを備え、前記位相監視光ファイバは、前記筐体内に位置する結合器から前記筐体の外側に位置する端部まで延在し、前記端部は、前記掃引源レーザから放射される光の位相を測定するように、エタロンおよび位相検出器に光学的に結合され、随意に、前記位相検出器は、前記プリント回路基板上の前記プロセッサに動作可能に結合される、請求項７３に記載の両眼ＯＣＴシステム。
【請求項７８】
前記複数の光ファイバは、一対の光強度監視ファイバを備え、前記一対の光学監視ファイバは、前記筐体内に位置する結合器から一対の光学監視検出器まで延在し、前記一対の光学監視検出器は、前記掃引源レーザのパワーを独立して測定するように構成され、随意に、前記一対の光学監視検出器は、前記プリント回路基板上の前記プロセッサに動作可能に結合される、請求項７３に記載の両眼ＯＣＴシステム。
【請求項７９】
ユーザの眼を測定するためのＯＣＴシステムであって、前記ＯＣＴシステムは、
前記眼に可視である固定標的と、
前記眼の網膜の厚さを測定するように構成されるＯＣＴ干渉計と、
前記眼の角膜から反射し、前記角膜からの前記複数の光源の反射を備えるプルキニェ画像を発生させるように配列される複数の光源と、
前記角膜から反射される前記プルキニェ画像の位置を測定するためのセンサと、
前記プルキニェ画像に応答して、前記眼の位置を決定するように、前記センサに動作可能に結合されるプロセッサと
を備える、ＯＣＴシステム。
【請求項８０】
前記プロセッサは、聴覚または視覚合図を前記ユーザに提供し、前記ＯＣＴ干渉計と整合するように前記眼を移動させるための命令を伴って構成される、請求項７９に記載のＯＣＴシステム。
【請求項８１】
前記ＯＣＴシステムの筐体に結合される配向センサをさらに備え、前記ユーザは、前記配向センサに応答して、第１の方向または前記第１の方向と反対の第２の方向に前記眼を移動させるように命令される、請求項８０に記載のＯＣＴシステム。
【請求項８２】
前記聴覚合図は、左、右、上、または下のうちの１つ以上のものに前記眼を移動させるための前記ユーザへの命令を備える、請求項８０に記載のＯＣＴシステム。
【請求項８３】
前記視覚合図は、点滅固定標的、点滅固定標的の周波数の変化、または固定標的の色の変化のうちの１つ以上のものを備える、請求項８０に記載のＯＣＴシステム。
【請求項８４】
センサは、前記プルキニェ画像を捕捉するためのセンサアレイを備えるカメラを備え、前記プロセッサは、前記複数の光源の反射に応答して、前記眼の位置を決定するための命令を伴って構成され、随意に、前記カメラは、ＣＭＯＳセンサアレイを備える、請求項７９に記載のＯＣＴシステム。
【請求項８５】
センサは、前記複数の光源の反射に応答して、前記眼の位置を決定するための象限検出器または位置感受性検出器のうちの１つ以上のものを備える、請求項７９に記載のＯＣＴシステム。
【請求項８６】
前記眼の網膜の面積にわたって前記ＯＣＴ干渉計の測定ビームを走査し、前記プルキニェ画像に応答して、網膜の厚さのマップを発生させ、前記眼の位置を記録するように、前記プロセッサに結合されるスキャナをさらに備える、請求項７９に記載のＯＣＴシステム。
【請求項８７】
前記プロセッサは、前記網膜の厚さのマップおよび前記眼の位置を出力するように構成される、請求項８６に記載のＯＣＴシステム。
【請求項８８】
前記プロセッサは、前記眼の位置に応答して、前記網膜の厚さのマップの位置を調節するように構成される、請求項８６に記載のＯＣＴシステム。
【請求項８９】
配向センサをさらに備え、前記プロセッサは、前記配向センサに応答して、前記網膜の厚さのマップの位置を調節するように構成される、請求項８８に記載のＯＣＴシステム。
【請求項９０】
前記プロセッサは、第１の配向における前記配向センサに応答して、第１の方向に前記網膜に沿って前記マップの位置を調節するように、かつ前記第１の方向と反対の第２の配向における前記配向センサに応答して、前記第１の方向と反対の第２の方向に前記マップを調節するように構成される、請求項８９に記載のＯＣＴシステム。
【請求項９１】
前記プロセッサは、前記眼の位置に応答して、前記網膜上の走査パターンの位置を調節するように構成される、請求項８６に記載のＯＣＴシステム。
【請求項９２】
配向センサをさらに備え、前記プロセッサは、前記配向センサに応答して、前記網膜上の前記走査パターンの位置を調節するように構成される、請求項９１に記載のＯＣＴシステム。
【請求項９３】
前記プロセッサは、第１の配向における前記配向センサに応答して、第１の方向に前記網膜上の前記走査パターンの位置を調節するように、かつ前記第１の方向と反対の第２の配向における前記配向センサに応答して、前記第１の方向と反対の第２の方向に前記走査パターンを調節するように構成される、請求項９２に記載のＯＣＴシステム。
【請求項９４】
複数のプロセッサ命令をトリガするように前記プロセッサに動作可能に結合されるユーザ入力をさらに備え、前記複数の命令は、前記固定標的を照明し、前記複数の光源を照明し、前記センサに応答して前記眼の位置を入手し、前記眼を前記ＯＣＴ干渉計と整合させるための命令を前記ユーザに提供し、前記ＯＣＴ測定ビームを用いて前記網膜を走査し、前記ＯＣＴ干渉計からのレーザの安全一時停止を実装するための命令を備える、請求項７９に記載のＯＣＴシステム。
【請求項９５】
前記プロセッサは、前記プルキニェ画像内の前記反射の場所に応答して、前記ＯＣＴ測定ビームに関して前記眼のＸＹ位置を決定するための命令を伴って構成され、前記眼のＸＹ位置は、前記ＯＣＴ測定ビームを横断する場所に対応し、随意に、前記ＸＹ位置はそれぞれ、前記プルキニェ画像の複数の光源の反射の間の中心場所に対応し、随意に、前記中心場所は、第１の対の反射の間の中間点および前記プルキニェ画像の第２の対の反射の間の中間点に対応する、請求項９４に記載のＯＣＴシステム。
【請求項９６】
前記プロセッサは、前記プルキニェ画像内の前記反射の間の距離に応答して、前記ＯＣＴ測定ビームに沿った距離に対応する前記眼のＺ位置を決定するための命令を伴って構成される、請求項９５に記載のＯＣＴシステム。
【請求項９７】
前記プロセッサは、誤差の量を伴う前記眼の位置に応答して、前記網膜を自動的に走査するための命令を伴って構成され、前記誤差の量は、０．２ｍｍ〜約０．７５ｍｍの範囲内である、請求項９４に記載のＯＣＴシステム。
【請求項９８】
前記固定標的の照明は、重複し、前記複数の光源の照明は、前記ＯＣＴ測定ビームを用いた前記網膜の走査と重複する、請求項９４に記載のＯＣＴシステム。
【請求項９９】
前記網膜の走査領域は、約１ｍｍ〜約３ｍｍの範囲内で横断する寸法を備え、Ａ走査の数は、約０．５秒〜約３秒の範囲内の時間にわたって約５，０００回のＡ走査〜約４０，０００回のＡ走査を備え、前記安全一時停止は、約２〜約１０秒の範囲内である、請求項９４に記載のＯＣＴシステム。
【請求項１００】
前記ユーザ入力は、ボタン、近接性センサ、スイッチ、容量センサ、タッチスクリーン、または音声コマンドのうちの１つ以上のものを備える、請求項９４に記載のＯＣＴシステム。
【請求項１０１】
光路は、前記固定標的と前記眼との間に延在し、前記ＯＣＴ干渉計測定ビームは、前記光路と重複し、前記複数の光源は、前記光路の周囲に分散される、請求項８６に記載のＯＣＴシステム。
【請求項１０２】
走査ミラーから前記測定ビームを反射し、前記プルキニェ画像および前記固定標的から光を透過させるように構成される第１のビームスプリッタと、前記プルキニェ画像から前記センサに光を反射し、前記固定標的から光を透過させるように構成される第２のビームスプリッタとをさらに備える、請求項９４に記載のＯＣＴシステム。
【請求項１０３】
前記プルキニェ画像を発生させるための前記複数の光源は、約７００〜８００ｎｍの範囲内の波長を備え、前記固定標的は、約５００〜７００ｎｍの範囲内の波長を備え、前記ＯＣＴ測定ビームは、約８００〜９００ｎｍの範囲内の複数の波長を備える、請求項１０２に記載のＯＣＴシステム。
【請求項１０４】
前記プルキニェ画像を発生させるための前記複数の光源は、３〜８個の光源を備え、随意に、前記複数の光源は、３〜８個の発光ダイオードを備える、請求項１０２に記載のＯＣＴシステム。
【請求項１０５】
眼の網膜の厚さを測定するための小型光干渉断層撮影（ＯＣＴ）システムであって、前記ＯＣＴシステムは、
検出器と、
波長の範囲にわたって１つ以上の光ビームを掃引するための１つ以上のＶＣＳＥＬを備える光源と、
前記光ビームを前記網膜の中に指向し、前記検出器において複数の干渉信号を発生させるように前記光源に結合される複数の光学要素と、
前記複数の干渉信号に応答して、前記厚さを決定するように前記検出器および前記複数の光源に結合される回路と
を備える、小型ＯＣＴシステム。
【請求項１０６】
前記１つ以上のＶＣＳＥＬに光学的に結合され、前記１つ以上の光ビームの位相を特性評価するように前記回路に電気的に結合される複数の位相補償モジュールをさらに備え、前記回路は、前記複数の干渉信号を組み合わせ、前記光ビームのうちの１つ以上のものの位相に応答して、前記網膜の厚さを決定するように構成される、請求項１０５に記載の小型ＯＣＴシステム。
【請求項１０７】
前記複数の位相補償モジュールはそれぞれ、波長に応答して、強度の変化を伴って前記光ビームのうちの１つ以上のものを検出器に透過させるように構成される干渉計を備え、随意に、前記干渉計は、ファブリ・ペロー干渉計またはマイケルソン干渉計を備え、随意に、前記干渉計は、前記複数の位相補償モジュールの他の干渉計と異なる参照光路長を備える、請求項１０６に記載の小型ＯＣＴシステム。
【請求項１０８】
前記干渉計は、ファブリ・ペローエタロンを備え、前記参照光路は、前記ファブリ・ペローエタロンの対向する反射表面の間の距離および間に配置される材料の屈折率に対応する、請求項１０７に記載の小型ＯＣＴシステム。
【請求項１０９】
前記干渉計は、前記マイケルソン干渉計を備え、前記参照光路は、前記マイケルソン干渉計の区間に沿った光路を備える、請求項１０７に記載の小型ＯＣＴシステム。
【請求項１１０】
前記複数の位相補償モジュールは、第１のモジュールと、第２のモジュールとを備え、前記第１のモジュールは、前記１つ以上の光源の波長の変化に応答して、第１の周波数を備える第１の補償信号を発生させるように構成され、前記第２のモジュールは、前記１つ以上の光源の波長の変化に応答して、第２の周波数を備える第２の補償信号を発生させるように構成され、前記第１の周波数は、前記第２の周波数未満であり、随意に、前記第１および第２の補償信号は、同時に発生される、請求項１０６に記載の小型ＯＣＴシステム。
【請求項１１１】
前記回路は、前記網膜の厚さを決定するために、前記第１の補償信号および前記第２の補償信号に応答して、前記網膜からの前記信号のうちの１つ以上のもののうちの第１の信号および前記１つ以上の信号のうちの第２の信号を組み合わせるための命令を伴って構成される、請求項１１０に記載の小型ＯＣＴシステム。
【請求項１１２】
前記１つ以上のＶＣＳＥＬは、単一のＶＣＳＥＬを備える、請求項１０５−１１１のいずれか１項に記載の小型ＯＣＴシステム。
【請求項１１３】
スキャナは、軌道を用いて前記網膜に沿って測定ビームを走査するように構成され、随意に、前記軌道は、停止および進行軌道、連続軌道、星形軌道、またはリサジュー軌道のうちの１つ以上のものを備える、前記請求項のいずれか１項に記載の小型ＯＣＴシステム。
【発明の詳細な説明】
【技術分野】
【０００１】
（関連技術の相互参照）
本国際出願は、その開示全体が参照することによって本明細書に組み込まれる、「Ｍｉｎｉａｔｕｒｉｚｅｄ  Ｍｏｂｉｌｅ，  Ｌｏｗ  Ｃｏｓｔ  Ｏｐｔｉｃａｌ  Ｃｏｈｅｒｅｎｃｅ  Ｔｏｍｏｇｒａｐｈｙ  Ｓｙｓｔｅｍ  ｆｏｒ  Ｈｏｍｅ  Ｂａｓｅｄ  Ｏｐｈｔｈａｌｍｉｃ  Ａｐｐｌｉｃａｔｉｏｎｓ」と題された、２０１８年６月２０日に出願された、米国出願第６２／６８７，６８６号の優先権を主張する。
【背景技術】
【０００２】
眼は、視覚のために重要であり、人々は、見る必要がある。眼は、光を屈折させ、網膜上に画像を形成する、角膜および水晶体を有する。網膜は、その上に形成された画像に応答して、電気信号を発生させ、これらの電気信号は、視神経を介して脳に伝送される。網膜の窩および黄斑は、網膜の他の面積に関して錐体の増加した密度を有し、鮮明ではっきりした視覚を提供する。残念ながら、網膜の疾患は、たとえ角膜および水晶体等の眼の他の部分が健康でも視覚に悪影響を及ぼし得る。
【０００３】
網膜の厚さは、網膜の健康を診断および監視するために使用されることができる。網膜血管疾患および他の疾患または症状を診断された多くの患者は、網膜の厚さの上昇を有し、薬剤を服用する、または薬剤で治療される。黄斑浮腫は、多くの場合、糖尿病等の他の疾患に関連する、網膜の厚さの上昇の例である。黄斑浮腫は、例えば、加齢黄斑変性症、ブドウ膜炎、網膜血管系の閉塞、および緑内障等の他の疾患に関連し得る。それに応じて治療が修正され、視覚が温存され得るように、薬剤が効いていない、または再投与を要求するかどうかを迅速に把握することが役立つであろう。網膜の厚さを測定するために使用される１つのアプローチは、光干渉断層撮影（ＯＣＴ）である。
【０００４】
残念ながら、多くの以前のＯＣＴシステムは、過度に複雑かつ高価であり、毎週または毎日等の定期的に網膜の厚さを監視することに適していない。眼の処置の以前の規格は、網膜の厚さを測定する医療提供者への受診を伴うが、そのような受診は、スケジューリングおよび予約を要求し、特に毎週または毎日行われる場合、高価になり得る。以前のＯＣＴシステムの多くは、家庭内監視または移動式保健医療に適していない。そのような以前のシステムは、典型的には、個人が容易に持ち歩きできるものよりも重量があり、患者とともに移動するために適していない。加えて、以前のＯＣＴシステムは、理想的であろうものよりも複雑であり、毎日の使用および落下等の危険のために適していない。ＯＣＴシステムの以前のコストは、典型的患者が支払うことができるものを超え得る。さらに、以前のＯＣＴシステムの使用は、訓練を受けたオペレータを要求し得る。上記の理由により、網膜の厚さの家庭内監視は、以前の処置の規格および網膜疾患がある患者の以前の処置が、多くの事例において理想的に満たなくあり得るため、採用されていない。
【０００５】
上記を踏まえて、網膜の厚さを測定するための改良されたＯＣＴシステムおよび方法を有することが役立つであろう。理想的には、そのようなシステムは、小型で、手持ち式であり、家庭内監視を提供し、患者が自分を測定することを可能にし、依然として、網膜を確実に測定しながら、落下しても十分に頑丈であろう。
【発明の概要】
【課題を解決するための手段】
【０００６】
本明細書に開示される小型光干渉断層撮影（ＯＣＴ）システムおよび方法は、網膜の厚さの家庭内および移動監視を可能にする。網膜の厚さを測定することが具体的に参照されるが、本明細書に開示される小型ＯＣＴシステムおよび方法は、顕微鏡検査、計測学、航空宇宙、天文学、電気通信、医学、医薬品、皮膚科学、歯科医学、および心臓病学等の多くの分野で用途を見出すであろう。
【０００７】
いくつかの実施形態では、小型ＯＣＴシステムは、スペクトル範囲を延在させ、ＯＣＴシステムの分解能を増加させるために、複数のＶＣＳＥＬ等の複数の光源を備える。複数の光源は、異なるスペクトル範囲をそれぞれ備える、複数の光ビームを用いて、眼の網膜層等のサンプル構造を測定するように連続的にアクティブ化されることができる。複数の光ビームのそれぞれからの測定信号は、組み合わせられることができる。ＯＣＴシステムは、波長変化に応答して周期的信号を発生させる、複数の位相補償モジュールを備えてもよく、これらの周期的信号は、複数の光源のそれぞれからの測定をより正確に組み合わせるために、プロセッサ回路および命令によって使用されることができる。複数の光源のそれぞれによって発生される複数の光ビームはそれぞれ、光路に沿って進行し、光学系は、光ビームの光路に少なくとも部分的に重複するように構成されることができる。複数の光源は、多くの方法で配列されることができるが、いくつかの実施形態では、複数の光源は、光学系に向かって複数の光ビームを指向するように支持体上に配列される。複数の光ビームの光路は、完全には重複しない場合があるが、回路は、スキャナに結合され、走査を伴わない照明領域の重複と比較して、照明された領域の重複を増加させるように、光ビームをアクティブ化するように構成されることができる。
【０００８】
小型ＯＣＴシステムは、光路および重量の減少を提供するように配列される複数のコンポーネントを備える。多くの実施形態では、小型ＯＣＴシステムは、ＯＣＴシステムの分解能値未満である網膜の厚さの変化を測定するように構成され、これは、サイズ、コスト、および複雑性が有意に減少されることを可能にする。本システムは、システム軸方向分解能値よりも小さい網膜の厚さの変化を正確に検出するために十分な反復性および再現性を備える。小型ＯＣＴシステムは、眼に関してシステムの移動と関連付けられる誤差を減少させるために、十分な速度で波長範囲を走査し、ＯＣＴデータを入手することが可能である。多くの実施形態では、小型ＯＣＴシステムは、小型ＯＣＴシステムよりも高い分解能を有する臨床参照システムを用いて具体的患者に合わせて較正され、小型ＯＣＴシステムは、臨床参照システムを用いて測定される網膜の厚さに基づいて、具体的患者に合わせて較正される。ある場合には、小型ＯＣＴシステムは、反復性および再現性が許容公差内に留まることを確実にするようにシステムが試験されることを可能にする、較正キットまたは装置を備える。
【０００９】
ある事例では、小型ＯＣＴシステムは、患者が自分を測定するためにユーザの手の中で保持されるように構成される。代替として、小型ＯＣＴシステムは、テーブルスタンドに、またはユーザの頭部に搭載されるように構成されてもよい。いくつかの実施形態では、小型ＯＣＴシステムは、患者が自分の手でシステムの測定コンポーネントを保持している間に、患者が自分を小型分光計と整合させるための可視標的を備える。小型ＯＣＴシステムは、測定コンポーネントを含有するための筐体を備え、筐体は、ある事例では、ユーザが筐体を容易に握持し、筐体内の測定コンポーネントを持ち上げ、ＯＣＴシステムを自分の眼と整合させ得るように、定寸される。ＯＣＴシステムの小型性および減少した質量は、システムが患者の手の中で容易に保持され、患者とともに輸送されることを可能にする。多くの実施形態では、断層撮影システムは、約８０ｍｍ〜約１６０ｍｍの範囲内で横断する最大寸法と、約１００グラム〜約５００グラムの範囲内の質量とを備える。多くの実施形態では、ＯＣＴシステムは、システムの信頼性を増加させるために、内部可動部品を伴わずに構成される。小型ＯＣＴシステムは、随意に、約１フィートの距離から落下され、例えば、約２５μｍ以下の網膜の厚さの測定反復性および正確度の変化を提供するように構成される。
【００１０】
いくつかの実施形態では、小型ＯＣＴシステムは、複数の波長を放射するように構成される光源と、検出器と、検出器上で光学干渉信号を発生させるように配列される光学要素と、検出器および光源に結合される回路とを備える。いくつかの実施形態では、光源は、波長の範囲にわたって波長を掃引するために、変動する波長の光ビームを放射するように構成される光源を備える。ある事例では、波長は、網膜の厚さを測定するために、約３ｎｍ〜１０ｎｍの範囲にわたって掃引される。本範囲は、２５μｍまたはそれ未満の網膜の厚さの変化を決定するために十分な軸方向分解能、反復性、および再現性を伴って、システム複雑性およびコストの減少を提供することができるが、より長い波長掃引が、使用されることができる。いくつかの実施形態では、３ｎｍ〜１０ｎｍの範囲内のＯＣＴシステムの掃引範囲は、例えば、小型ＯＣＴシステムを用いて、約１５０μｍよりも大きい網膜の厚さおよび２５μｍと同程度に小さい網膜の厚さの変化の検出を可能にするが、より長い波長掃引が、使用されることができる。回路は、いくつかの実施形態では、鋸歯状波形等の特性周期および掃引周波数を有する波形を用いて光源を駆動するように構成される。ある事例では、回路は、眼から返される光からの干渉信号の周波数を測定し、眼の網膜の厚さを決定するように検出器に結合されるが、他の物体の厚さも測定されることができる。いくつかの実施形態では、回路は、波形の一部の最大定格電流閾値を上回り、波形の別の部分の最大定格電流閾値を下回って、光源を駆動するように構成され、光源は、波形の両方の部分の間に光を放射する。波形の一部内の光源の本過駆動は、ＯＣＴシステムの複雑性、サイズ、および重量の減少とともに、光源の波長範囲の拡張および測定範囲の増加を可能にする。
（参照による組み込み）
【００１１】
本明細書に述べられる全ての出版物、特許、および特許出願は、各個々の出版物、特許、または特許出願が、参照することによって組み込まれるように具体的かつ個別に示された場合と同一の程度に、参照することによって本明細書に組み込まれる。
【図面の簡単な説明】
【００１２】
本発明の新規の特徴は、添付の請求項で詳細に記載される。本発明の特徴および利点のさらなる理解は、本発明の原理が利用される、例証的実施形態を記載する以下の発明を実施するための形態、および付随する図面を参照することによって、得られるであろう。
【００１３】
【図１】図１は、ヒトの眼の簡略化された図を示す。
【００１４】
【図２】図２は、いくつかの実施形態による、患者が複数の時点で網膜の厚さ（ＲＴ）を測定し、結果を通信することを可能にする、システムの概略図を示す。
【００１５】
【図３Ａ】図３Ａは、いくつかの実施形態による、Ｂｌｕｅｔｏｏｔｈ（登録商標）通信を利用する手持ち式光干渉断層撮影（ＯＣＴ）デバイスを示す。
【００１６】
【図３Ｂ】図３Ｂは、いくつかの実施形態による、グローバルシステムフォーモバイルコミュニケーションズ（ＧＳＭ（登録商標））を利用する手持ち式ＯＣＴデバイスを示す。
【００１７】
【図４】図４は、いくつかの実施形態による、手持ち式ＯＣＴシステム内の情報のフローの概略図を示す。
【００１８】
【図５】図５は、いくつかの実施形態による、掃引源光干渉断層撮影（ＳＳ−ＯＣＴ）デバイスの概略図を示す。
【００１９】
【図６Ａ】図６Ａは、いくつかの実施形態による、参照ミラーが欠けているＳＳ−ＯＣＴデバイスの概略図を示す。
【００２０】
【図６Ｂ】図６Ｂは、いくつかの実施形態による、垂直キャビティ面発光レーザ（ＶＣＳＥＬ）が、参照ミラーが欠けているＳＳ−ＯＣＴデバイス内で動作する、波長範囲を示す。
【００２１】
【図７Ａ】図７Ａは、いくつかの実施形態による、外部キャビティを利用するＳＳ−ＯＣＴデバイスの概略図を示す。
【００２２】
【図７Ｂ】図７Ｂは、いくつかの実施形態による、ＶＣＳＥＬが、参照ミラーが欠けているＳＳ−ＯＣＴデバイス内で動作する、波長範囲を示す。
【００２３】
【図７Ｃ】図７Ｃは、外部キャビティミラーの使用が、外部キャビティミラーが存在しない場合のＯＣＴピークの周波数と比較して、ＯＣＴピークをより高い光周波数に偏移させ得る方法を示す。
【００２４】
【図８Ａ】図８Ａは、いくつかの実施形態による、第１の特定の時点における、２つのＶＣＳＥＬを利用し、参照ミラーが欠けているＳＳ−ＯＣＴデバイスの概略図を示す。
【００２５】
【図８Ｂ】図８Ｂは、いくつかの実施形態による、第２の特定の時点における、２つのＶＣＳＥＬを利用し、参照ミラーが欠けているＳＳ−ＯＣＴデバイスの概略図を示す。
【００２６】
【図８Ｃ】図８Ｃは、いくつかの実施形態による、ＶＣＳＥＬが、２つのＶＣＳＥＬを利用し、参照ミラーが欠けているＳＳ−ＯＣＴデバイス内で動作する、波長範囲を示す。
【００２７】
【図９】図９は、いくつかの実施形態による、その最大電流定格を超えたＶＣＳＥＬの動作を示す。
【００２８】
【図１０Ａ】図１０Ａは、軸方向分解能のグラフ表現を示す。
【００２９】
【図１０Ｂ】図１０Ｂは、反復性および再現性のグラフ表現を示す。
【００３０】
【図１０Ｃ】図１０Ｃは、ＲＴの変化を呈していない網膜のＲＴの測定と関連付けられる反復性および再現性のグラフ表現を示す。
【００３１】
【図１０Ｄ】図１０Ｄは、ＲＴの変化を呈した網膜のＲＴの測定と関連付けられる反復性および再現性のグラフ表現を示す。
【００３２】
【図１１】図１１は、経時的に患者のＲＴの反復測定を行い、有害転帰に対応し得る変化に留意するための方法のフローチャートである。
【００３３】
【図１２】図１２は、手持ち式ＯＣＴデバイスを使用する測定からＲＴを決定するための方法のフローチャートを示す。
【００３４】
【図１３】図１３は、ＲＴまたはＲＬＴを決定するようにプログラムまたは別様に構成される、例示的デジタル処理デバイスを示す。
【００３５】
【図１４】図１４は、単一のＶＣＳＥＬを利用し、参照アームを利用しない、ＳＳ−ＯＣＴシステムの検出の限界を決定するための光学設定を示す。
【００３６】
【図１５】図１５は、その定格動作範囲外に駆動されたＶＣＳＥＬの２つの異なる時点におけるオシロスコープ信号を示す。
【００３７】
【図１６】図１６は、光学設定の２つの異なる構成のためのオシロスコープ信号を示す。
【００３８】
【図１７】図１７は、単一のＶＣＳＥＬを利用し、参照アームを利用しない、ＳＳ−ＯＣＴシステムを使用して発生される干渉信号の発振の周波数を抽出するための信号処理の方法を示す。
【００３９】
【図１８】図１８は、単一のＶＣＳＥＬを利用し、参照アームを利用しない、ＳＳ−ＯＣＴシステムを使用して発生される干渉信号の発振の周波数を抽出することの再現性を決定するための研究の結果を示す。
【００４０】
【図１９】図１９は、単一のＶＣＳＥＬを利用し、参照アームを利用しない、ＳＳ−ＯＣＴシステムを使用して発生される干渉信号の発振の周波数を抽出することの再現性を決定するための研究の間に取得された周波数の平均および９５％信頼区画を示す。
【００４１】
【図２０Ａ】図２０Ａは、眼アダプタを伴う手持ち式ＯＣＴシステムの略図を示す。
【００４２】
【図２０Ｂ】図２０Ｂは、右眼または左眼を測定するように適合される手持ち式ＯＣＴシステムを示す。
【００４３】
【図２０Ｃ】図２０Ｃは、インジケータライトおよび通信アダプタを伴う手持ち式ＯＣＴシステムを示す。
【００４４】
【図２０Ｄ】図２０Ｄは、ＯＣＴ測定を提供するように眼に近接して設置された手持ち式ＯＣＴを示す。
【００４５】
【図２１】図２１は、手持ち式ＯＣＴデバイス用の較正キットを示す。
【００４６】
【図２２】図２２は、いくつかの実施形態による、走査機構を利用するＳＳ−ＯＣＴデバイスの概略図を示す。
【００４７】
【図２３Ａ】図２３Ａは、いくつかの実施形態による、走査機構の概略図を示す。
【００４８】
【図２３Ｂ】図２３Ｂは、いくつかの実施形態による、網膜層の厚さ測定部位のアレイを示す。
【００４９】
【図２４】図２４は、いくつかの実施形態による、走査機構および１つまたはそれを上回るカメラを利用するＳＳ−ＯＣＴデバイスの概略図を示す。
【００５０】
【図２５】図２５は、いくつかの実施形態による、ＯＣＴ測定から網膜の厚さ（ＲＴ）または網膜層の厚さ（ＲＬＴ）の測定を抽出するための方法を示す。
【００５１】
【図２６】図２６は、いくつかの実施形態による、視覚機能測定装置を組み込むＳＳ−ＯＣＴデバイスの概略図を示す。
【００５２】
【図２７】図２７Ａおよび図２７Ｂは、いくつかの実施形態による、背景上の視覚合図を示す。
【００５３】
【図２８】図２８Ａおよび図２８Ｂは、いくつかの実施形態による、手持ち式単眼ＯＣＴシステムの構成を示す。
【００５４】
【図２９】図２９Ａ、２９Ｂ、および２９Ｃは、いくつかの実施形態による、例示的手持ち式両眼ＯＣＴシステムの構成を示す。
【００５５】
【図３０】図３０は、いくつかの実施形態による、例示的手持ち式両眼ＯＣＴシステムの構成を示す。
【００５６】
【図３１Ａ】図３１Ａは、いくつかの実施形態による、対象の左眼を測定するように配向された手持ち式両眼ＯＣＴシステムを示す。
【００５７】
【図３１Ｂ】図３１Ｂは、いくつかの実施形態による、対象の右眼を測定するように配向された手持ち式両眼ＯＣＴシステム用の筐体を示す。
【００５８】
【図３２Ａ】図３２Ａは、いくつかの実施形態による、掃引される波長の範囲を増加させるように冷却器に結合されたＶＣＳＥＬを示す。
【００５９】
【図３２Ｂ】図３２Ｂは、いくつかの実施形態による、熱電冷却器に結合されたＶＣＳＥＬの概略図を示す。
【００６０】
【図３３Ａ】図３３Ａは、いくつかの実施形態による、支持体上に設置された小型ＳＳ−ＯＣＴシステムを示す。
【００６１】
【図３３Ｂ】図３３Ｂは、いくつかの実施形態による、支持体上に搭載された小型ＳＳ−ＯＣＴデバイスを使用するユーザを示す。
【００６２】
【図３４】図３４は、いくつかの実施形態による、固視標的装置および眼底撮像装置を組み込むＳＳ−ＯＣＴデバイスの光学系の概略図を示す。
【００６３】
【図３５】図３５は、いくつかの実施形態による、本明細書に説明される小型ＳＳ−ＯＣＴシステムの光学系を制御するための電子回路基板の概略図を示す。
【００６４】
【図３６】図３６は、相安定性を増進するための干渉計を組み込むＳＳ−ＯＣＴデバイスの光学系の概略図を示す。
【００６５】
【図３７Ａ】図３７Ａ、３７Ｂ、および３７Ｃは、本明細書に説明されるシステムおよび方法を使用して取得された例示的眼底画像を示す。
【図３７Ｂ】図３７Ａ、３７Ｂ、および３７Ｃは、本明細書に説明されるシステムおよび方法を使用して取得された例示的眼底画像を示す。
【図３７Ｃ】図３７Ａ、３７Ｂ、および３７Ｃは、本明細書に説明されるシステムおよび方法を使用して取得された例示的眼底画像を示す。
【００６６】
【図３８】図３８Ａおよび図３８Ｂは、時間ドメイン内のＳＳ−ＯＣＴ信号のチャープ補正のための再サンプリングの効果を示す。
【００６７】
【図３９】図３９Ａ、３９Ｂ、および３９Ｃは、周波数ドメイン内の未補正およびチャープ補正されたＳＳ−ＯＣＴ信号の周波数ドリフトを示す。
【００６８】
【図４０Ａ】図４０Ａ、４０Ｂ、および４０Ｃは、種々の雑音源と関連付けられる未補正ＳＳ−ＯＣＴ信号の例示的位相ドリフトを示す。
【図４０Ｂ】図４０Ａ、４０Ｂ、および４０Ｃは、種々の雑音源と関連付けられる未補正ＳＳ−ＯＣＴ信号の例示的位相ドリフトを示す。
【図４０Ｃ】図４０Ａ、４０Ｂ、および４０Ｃは、種々の雑音源と関連付けられる未補正ＳＳ−ＯＣＴ信号の例示的位相ドリフトを示す。
【００６９】
【図４１】図４１Ａ、４１Ｂ、４１Ｃ、および４１Ｄは、患者移動と関連付けられる位相偏移のシミュレーションを示す。
【００７０】
【図４２】図４２Ａ、４２Ｂ、４２Ｃ、および４２Ｄは、患者移動と関連付けられる位相偏移から生じる誤差へのＡ走査時間の影響のシミュレーションを示す。
【００７１】
【図４３Ａ】図４３Ａおよび図４３Ｂは、典型的患者移動の振幅を示す。
【図４３Ｂ】図４３Ａおよび図４３Ｂは、典型的患者移動の振幅を示す。
【００７２】
【図４４Ａ】図４４Ａは、いくつかの実施形態による、光学位相測定のためのファブリ・ペロー干渉計を組み込むＳＳ−ＯＣＴの光学系の概略図を示す。
【００７３】
【図４４Ｂ】図４４Ｂは、いくつかの実施形態による、光学位相測定のためのファブリ・ペロー干渉計を備える、手持ち式両眼ＯＣＴシステムを示す。
【００７４】
【図４４Ｃ】図４４Ｃは、いくつかの実施形態による、傾転角を伴わずにファブリ・ペロー干渉計によって通過される、例示的なシミュレートされた透過スペクトルを示す。
【００７５】
【図４４Ｄ】図４４Ｄは、いくつかの実施形態による、傾転角を伴わずにファブリ・ペロー干渉計によって通過される、例示的最大透過率を示す。
【００７６】
【図４４Ｅ】図４４Ｅは、いくつかの実施形態による、傾転角を伴わずにファブリ・ペロー干渉計によって通過される、例示的最小透過率を示す。
【００７７】
【図４４Ｆ】図４４Ｆは、いくつかの実施形態による、２０秒角の傾転角を伴ってファブリ・ペロー干渉計によって通過される、例示的なシミュレートされた透過スペクトルを示す。
【００７８】
【図４４Ｇ】図４４Ｇは、いくつかの実施形態による、２０秒角の傾転角を伴ってファブリ・ペロー干渉計によって通過される、例示的最大透過率を示す。
【００７９】
【図４４Ｈ】図４４Ｈは、いくつかの実施形態による、２０秒角の傾転角を伴ってファブリ・ペロー干渉計によって通過される、例示的最小透過率を示す。
【００８０】
【図４４Ｉ】図４４Ｉは、いくつかの実施形態による、２０秒角の傾転角および各プレート上に５０％透過率を伴うコーティングを伴ってファブリ・ペロー干渉計によって通過される、例示的なシミュレートされた透過スペクトルを示す。
【００８１】
【図４４Ｊ】図４４Ｊは、いくつかの実施形態による、２０秒角の傾転角および各プレート上に１０％透過率を伴うコーティングを伴ってファブリ・ペロー干渉計によって通過される、例示的なシミュレートされた透過スペクトルを示す。
【００８２】
【図４５Ａ】図４５Ａは、いくつかの実施形態による、複数のＯＣＴ光源によって放射される光の波長を特性評価するように構成される光学系の概略図を示す。
【００８３】
【図４５Ｂ】図４５Ｂは、いくつかの実施形態による、複数のＯＣＴ光源によって放射される光の波長を特性評価するように構成される光学系を備える、光学ブレッドボードを示す。
【００８４】
【図４６Ａ】図４６Ａは、いくつかの実施形態による、第１の波長特性評価モジュールによって測定されるような第１の光源からのクロック信号を示す。
【００８５】
【図４６Ｂ】図４６Ｂは、いくつかの実施形態による、第２の波長特性評価モジュールによって測定されるような第１の光源からのクロック信号を示す。
【００８６】
【図４６Ｃ】図４６Ｃは、いくつかの実施形態による、第１の波長特性評価モジュールによって測定されるような第２の光源からのクロック信号を示す。
【００８７】
【図４６Ｄ】図４６Ｄは、いくつかの実施形態による、第２の波長特性評価モジュールによって測定されるような第２の光源からのクロック信号を示す。
【００８８】
【図４６Ｅ】図４６Ｅは、いくつかの実施形態による、第１の波長特性評価モジュールによって測定されるような第１の光源からのクロック信号および第１の波長特性評価モジュールによって測定されるような第２の光源からのクロック信号の合体スティッチングを示す。
【００８９】
【図４６Ｆ】図４６Ｆは、いくつかの実施形態による、第２の波長特性評価モジュールによって測定されるような第１の光源からのクロック信号および第２の波長特性評価モジュールによって測定されるような第２の光源からのクロック信号の合体スティッチングを示す。
【００９０】
【図４６Ｇ】図４６Ｇは、いくつかの実施形態による、複数の光源からのクロック信号の合体スティッチングの概略図を示す。
【００９１】
【図４７Ａ】図４７Ａは、いくつかの実施形態による、複数のＯＣＴ光源の物理的場所の変動と関連付けられる光学ビームを示す。
【００９２】
【図４７Ｂ】図４７Ｂは、いくつかの実施形態による、複数のＯＣＴ光源の物理的場所の変動と関連付けられる光学ビームを補正するように構成される光学系の第１の概略図を示す。
【００９３】
【図４７Ｃ】図４７Ｃは、いくつかの実施形態による、複数のＯＣＴ光源の物理的場所の変動と関連付けられる光学ビームを補正するように構成される光学系の第２の概略図を示す。
【００９４】
【図４７Ｄ】図４７Ｄは、いくつかの実施形態による、複数のＯＣＴ光源の物理的場所の変動と関連付けられる光学ビームを補正するように構成される光学系の第３の概略図を示す。
【００９５】
【図４７Ｅ】図４７Ｅは、いくつかの実施形態による、複数のＯＣＴ光源の物理的場所の変動と関連付けられる光学ビームを補正するための第１の網膜走査パターンを示す。
【００９６】
【図４７Ｆ】図４７Ｆは、いくつかの実施形態による、複数のＯＣＴ光源の物理的場所の変動と関連付けられる光学ビームを補正するための第２の網膜走査パターンを示す。
【００９７】
【図４７Ｇ】図４７Ｇは、いくつかの実施形態による、走査の間の第１の時間において網膜上で複数のＯＣＴ光源によって発生される光の場所を示す。
【００９８】
【図４７Ｈ】図４７Ｈは、いくつかの実施形態による、走査の間の第２の時間において網膜上で複数のＯＣＴ光源によって発生される光の場所を示す。
【００９９】
【図４７Ｉ】図４７Ｉは、いくつかの実施形態による、走査の間の第３の時間において網膜上で複数のＯＣＴ光源によって発生される光の場所を示す。
【０１００】
【図４７Ｊ】図４７Ｊは、いくつかの実施形態による、走査の間の第４の時間において網膜上で複数のＯＣＴ光源によって発生される光の場所を示す。
【０１０１】
【図４８】図４８は、いくつかの実施形態による、走査レーザ検眼鏡（ＳＬＯ）を組み込むＳＳ−ＯＣＴデバイスの光学系の概略図を示す。
【０１０２】
【図４９】図４９は、いくつかの実施形態による、ユーザの眼を測定するための両眼ＯＣＴデバイスの斜視図を示す。
【０１０３】
【図５０】図５０は、いくつかの実施形態による、手持ち式ユニット本体内の種々のコンポーネントを図示する、両眼ＯＣＴデバイスのブロック図を示す。
【０１０４】
【図５１】図５１は、いくつかの実施形態による、両眼のＯＣＴを伴って実装され得る、光学構成の概略図を示す。
【０１０５】
【図５２】図５２は、いくつかの実施形態による、光学レイアウト基板上に構成される光学構成のブロック図を示す。
【０１０６】
【図５３】図５３は、いくつかの実施形態による、モジュール式両眼ＯＣＴの斜視図を示す。
【０１０７】
【図５４】図５４は、いくつかの実施形態による、両眼ＯＣＴデバイスの斜視／切断図を示す。
【０１０８】
【図５５】図５５は、いくつかの実施形態による、両眼ＯＣＴデバイスの別の斜視／切断図を示す。
【０１０９】
【図５６】図５６は、いくつかの実施形態による、眼球位置センサを備える、両眼ＯＣＴデバイスの俯瞰／切断図を示す。
【０１１０】
【図５７】図５７は、いくつかの実施形態による、眼のプルキニェ画像を発生させるために使用される光源および位置センサの斜視／切断図を示す。
【０１１１】
【図５８】図５８は、いくつかの実施形態による、位置センサを備える、自由空間光学系の俯瞰図を示す。
【０１１２】
【図５９Ａ】図５９Ａ、図５９Ｂ、図５９Ｃ、および図５９Ｄは、いくつかの実施形態による、光軸に関して眼の位置を決定するように眼球位置センサを用いて捕捉され得る、画像を示す。
【図５９Ｂ】図５９Ａ、図５９Ｂ、図５９Ｃ、および図５９Ｄは、いくつかの実施形態による、光軸に関して眼の位置を決定するように眼球位置センサを用いて捕捉され得る、画像を示す。
【図５９Ｃ】図５９Ａ、図５９Ｂ、図５９Ｃ、および図５９Ｄは、いくつかの実施形態による、光軸に関して眼の位置を決定するように眼球位置センサを用いて捕捉され得る、画像を示す。
【図５９Ｄ】図５９Ａ、図５９Ｂ、図５９Ｃ、および図５９Ｄは、いくつかの実施形態による、光軸に関して眼の位置を決定するように眼球位置センサを用いて捕捉され得る、画像を示す。
【０１１３】
【図６０】図６０Ａ、図６０Ｂ、および図６０Ｃは、いくつかの実施形態による、眼に最も近いレンズとユーザの眼との間の種々のアイレリーフ距離において眼球位置センサを用いて捕捉される複数の光源の位置を示す。
【０１１４】
【図６１Ａ】図６１Ａ、図６１Ｂ、図６１Ｃ、および図６１Ｄは、いくつかの実施形態による、スキャナモジュールによって実装され得る、種々の走査パターンを示す。
【図６１Ｂ】図６１Ａ、図６１Ｂ、図６１Ｃ、および図６１Ｄは、いくつかの実施形態による、スキャナモジュールによって実装され得る、種々の走査パターンを示す。
【図６１Ｃ】図６１Ａ、図６１Ｂ、図６１Ｃ、および図６１Ｄは、いくつかの実施形態による、スキャナモジュールによって実装され得る、種々の走査パターンを示す。
【図６１Ｄ】図６１Ａ、図６１Ｂ、図６１Ｃ、および図６１Ｄは、いくつかの実施形態による、スキャナモジュールによって実装され得る、種々の走査パターンを示す。
【０１１５】
【図６２】図６２は、いくつかの実施形態による、両眼ＯＣＴ等の本明細書に説明されるようなＯＣＴシステムによって実装され得る、前処理等の処理のフロー図を示す。
【０１１６】
【図６３】図６３は、いくつかの実施形態による、図６２のフロー図の前処理によって取得される種々のプロットを示す。
【０１１７】
【図６４】図６４は、いくつかの実施形態による、１つまたはそれを上回るＶＣＥＬが複数のＶＣＳＥＬを備える、ＯＣＴデバイスを示す。
【０１１８】
【図６５】図６５は、いくつかの実施形態による、調節可能な光路差を伴う干渉計を備える、クロックボックスを示す。
【０１１９】
【図６６】図６６は、いくつかの実施形態による、両眼ＯＣＴデバイス等のＯＣＴシステムを伴って実装され得る、光ファイバ測定干渉計を示す。
【０１２０】
【図６７】図６７は、いくつかの実施形態による、それぞれが波長の範囲にわたって掃引されている、４つのＶＣＳＥＬからのレーザ光強度および波長のプロットを示す。
【０１２１】
【図６８】図６８は、いくつかの実施形態による、ＶＣＳＥＬ４９５２によって提供される掃引範囲と対比した軸方向分解能６８０１のプロット６８００を示す。
【０１２２】
【図６９】図６９は、いくつかの実施形態による、位相がずれており、単一の信号にともにスティッチされるために好適である、２つのＶＣＳＥＬの波形を示す。
【０１２３】
【図７０】図７０Ａ、図７０Ｂ、図７０Ｃ、および図７０Ｄは、いくつかの実施形態による、非線形クロック信号および波長掃引の位相抽出を図示するように、図６９に図示される第１および第２のＶＣＳＥＬから取得される未加工クロック信号のプロットを示す。
【０１２４】
【図７１】図７１Ａ、図７１Ｂ、図７１Ｃ、および図７１Ｄは、いくつかの実施形態による、図７０Ａ−７０Ｄの未加工クロック信号の位相ラッピングのプロットを示す。
【０１２５】
【図７２】図７２Ａおよび図７２Ｂは、いくつかの実施形態による、２つのクロック信号走査のラップされた位相が、概して、合致され（図７２Ａ）、次いで、単一の位相ラップ信号に組み合わせられ得る（図７２Ｂ）、プロットを示す。
【０１２６】
【図７３】図７３Ａおよび図７３Ｂは、いくつかの実施形態による、振幅復調を伴わずにマージされている第１および第２のＶＣＳＥＬによって発生されるクロックボックス波形信号のプロットを示す。
【０１２７】
【図７４】図７４Ａおよび図７４Ｂは、いくつかの実施形態による、振幅復調を伴ってマージされている第１および第２のＶＣＳＥＬによって発生される波形のプロットを示す。
【０１２８】
【図７５】図７５は、いくつかの実施形態による、複数の掃引ＶＣＳＥＬからの信号をともにスティッチするためのプロセスを図示する、フロー図を示す。
【０１２９】
【図７６】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−１】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−２】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−３】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−４】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−５】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−６】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−７】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−８】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【図７６−９】図７６は、いくつかの実施形態による、ワークフロープロセスと組み合わせられ得る、干渉信号を組み合わせ、複数のＶＣＳＥＬからのＡ走査反射信号を発生させるためのプロセスのワークフロー図を示す。
【０１３０】
【図７７】図７７は、いくつかの実施形態による、網膜の厚さの複数の出力マップを示す。
【０１３１】
【図７８−１】図７８は、いくつかの実施形態による、ＯＣＴデバイスを用いて眼を測定するためのプロセスを示す。
【図７８−２】図７８は、いくつかの実施形態による、ＯＣＴデバイスを用いて眼を測定するためのプロセスを示す。
【発明を実施するための形態】
【０１３２】
本発明の種々の実施形態が、本明細書に示され、説明されているが、そのような実施形態は一例のみとして提供されることが、当業者に明白であろう。多数の変形例、変更、および代用が、本発明から逸脱することなく当業者に想起され得る。本明細書に説明される本発明の実施形態の種々の代替物が採用され得ることを理解されたい。例えば、網膜等のサンプルの厚さを測定することが参照されるが、本明細書に開示される方法および装置は、身体の他の組織および非組織物質等の多くのタイプのサンプルを測定するために使用されることができる。網膜の厚さのマップを生成することが参照されるが、本明細書に開示される方法および装置は、断面または断層画像等の網膜サンプルの画像を発生させるために使用されることができる。
【０１３３】
本明細書に開示される小型ＯＣＴシステムは、網膜の厚さの測定等の多くの以前の臨床検査と併用するために非常に適している。ある場合には、ＯＣＴシステムは、患者によって、または医療提供者によって使用される。多くの事例において、患者は、自分をシステムと整合させることができるが、別のユーザは、患者をシステムと整合させ、測定を行うことができる。いくつかの実施形態では、ＯＣＴシステムは、付加的情報を医療提供者に提供するように以前のソフトウェアおよびシステムと統合され、網膜の厚さの変化に応答して、アラートを提供することができる。アラートは、随意に、薬剤の変更、用量、または薬剤を服用するリマインダ等の是正措置がとられるべきであるときに、患者、介護者、および医療提供者に送信される。
【０１３４】
本明細書で使用されるように、用語「網膜の厚さ（ＲＴ）」は、患者の網膜の厚さを評価するために使用される層の間の網膜の厚さを指す。ＲＴは、例えば、網膜の前面と外境界膜との間の網膜の厚さに対応し得る。
【０１３５】
本明細書で使用されるように、用語「網膜層の厚さ（ＲＬＴ）」は、網膜の１つまたはそれを上回る光学的に検出可能な層の厚さを指す。網膜の光学的に検出可能な層は、例えば、外境界膜と網膜色素上皮との間に延在する網膜の厚さを備え得る。
【０１３６】
本明細書で使用されるように、用語「高分解能」は、より低い分解能の測定システムによって分解され得る構造よりも少なくとも１つの線形寸法が小さい構造を光学的に分解することが可能な測定システムを指す。
【０１３７】
図１は、ヒトの眼の簡略化された図を示す。光は、角膜１０を通して眼に進入する。虹彩２０は、光が水晶体３０に進むことを可能にする瞳孔２５のサイズを変動させることによって、通過することを可能にされる光の量を制御する。前房４０は、眼圧（ＩＯＰ）を決定する房水４５を含有する。水晶体３０は、結像のために光を集束させる。水晶体の焦点性質は、水晶体を再成形する筋肉によって制御される。集束光は、硝子体液５５で充填される硝子体腔５０を通過する。硝子体液は、眼の全体的形状および構造を維持する。光は、次いで、感光性領域を有する網膜６０に向かって行く。特に、黄斑６５は、視覚面の中心で光を受光することに関与する網膜の面積である。黄斑内で、窩７０は、光に最も敏感な網膜の面積である。網膜に向かって行く光は、視神経８０に、次いで、処理のために脳にパスされる、電気信号を発生させる。
【０１３８】
いくつかの障害が、眼の光学性能の低減を生じさせる。ある場合には、眼圧（ＩＯＰ）は、高すぎるか、または低すぎるかのいずれかである。これは、例えば、前房内の房水の高すぎるまたは低すぎる産生率によって引き起こされる。他の場合では、網膜は、薄すぎる、または厚すぎる。これは、例えば、網膜内の流体の蓄積に起因して生じる。異常な網膜の厚さ（ＲＴ）に関連する疾患は、例えば、緑内障および黄斑浮腫を含む。ある場合には、ＲＴの健康な範囲は、厚さ１７５μｍ〜厚さ２２５μｍである。一般に、ＩＯＰまたはＲＴのいずれかの異常は、多くの眼科疾患の存在を示す。加えて、ＩＯＰまたはＲＴは、眼科治療または他の手技に応答して変動する。したがって、眼科疾患の診断のためにＩＯＰおよび／またはＲＴを測定し、所与の患者のための治療の有効性を査定するための手段を有することが望ましい。ある場合には、１つまたはそれを上回る網膜層の厚さ、例えば、複数の層の厚さを測定することが望ましい。
【０１３９】
本明細書に開示されるシステムおよび方法は、複数の時点でＲＴまたはＲＬＴを測定するための光干渉断層撮影（ＯＣＴ）の使用に関する。例えば、患者は、複数の時点で自分のＲＴまたはＲＬＴを測定し、経時的に緑内障または黄斑浮腫等の眼科疾患の進行を追跡する。別の実施例として、患者は、複数の時点で自分のＲＴまたはＲＬＴを測定し、薬品または他の治療への自分の応答を追跡する。ある場合には、本システムは、ＲＴもしくはＲＬＴの１つまたはそれを上回る最近の測定が前の測定から有意に逸脱するときに、アラートを生成する。ある場合には、本システムは、患者または患者の医師に変化を警告する。ある事例では、本情報は、患者と医師との間の経過観察予約を予定に入れ、例えば、眼科疾患の治療を試行する、処方された治療を中断する、または付加的検査を行うために使用される。
【０１４０】
図２は、いくつかの実施形態による、患者が複数の時点でＲＴまたはＲＬＴを測定し、結果を通信することを可能にする、システムの概略図を示す。患者は、手持ち式ＯＣＴデバイス１００を覗き込み、ＲＴまたはＲＬＴの測定を取得する。いくつかの実施形態では、手持ち式ＯＣＴデバイスは、光学系１０２と、光学系を制御し、それと通信するための電子機器１０４と、バッテリ１０６と、伝送機１０８とを備える。ある事例では、伝送機は、有線伝送機である。ある場合には、伝送機は、無線伝送機である。ある場合には、手持ち式ＯＣＴデバイスは、無線通信チャネル１１０を介して、患者のスマートフォンまたは他のポータブル電子デバイス上のモバイル患者デバイス１２０に結果を通信する。ある場合には、無線通信は、Ｂｌｕｅｔｏｏｔｈ（登録商標）通信を介する。いくつかの実施形態では、無線通信は、Ｗｉ−Ｆｉ通信を介する。他の実施形態では、無線通信は、当業者に公知である任意の他の無線通信を介する。
【０１４１】
ある場合には、結果は、ＲＴの完全に処理された測定である。ある場合には、ＯＣＴデータの全ての処理は、手持ち式ＯＣＴデバイス上で実施される。例えば、いくつかの実施形態では、手持ち式ＯＣＴデバイスは、ＯＣＴ光波形が電子表現に変換されることを可能にする、ハードウェアまたはソフトウェア要素を含む。ある場合には、手持ち式ＯＣＴデバイスはさらに、電子表現の処理を可能にし、例えば、ＲＴの測定を抽出する、ハードウェアまたはソフトウェア要素を含む。
【０１４２】
ある場合には、結果は、ＯＣＴ測定から取得される未加工光波形の電子表現である。例えば、いくつかの実施形態では、手持ち式ＯＣＴデバイスは、ＯＣＴ光波形が電子表現に変換されることを可能にする、ハードウェアまたはソフトウェア要素を含む。ある場合には、これらの電子表現は、次いで、例えば、ＲＴの測定を抽出するように、さらなる処理のためにモバイル患者デバイスにパスされる。
【０１４３】
ある場合には、患者は、患者モバイルアプリ上でＲＴまたはＲＬＴ測定の結果および分析を受信する。いくつかの実施形態では、結果は、測定の結果が正常または健康範囲外であることを患者に警告する、アラート１２２を含む。ある場合には、結果はまた、測定値１２４の表示も含む。例えば、ある場合には、ＲＴまたはＲＬＴの測定は、２５７μｍの結果を生成する。ある事例では、本結果は、正常または健康範囲外である。これは、本システムにアラートを生成させ、患者モバイルアプリ上に２５７μｍの測定値を表示させる。いくつかの実施形態では、結果はまた、複数の時点にわたる患者のＲＴまたはＲＬＴの履歴を示すチャート１２６も含む。
【０１４４】
ある事例では、患者モバイルデバイスは、通信手段１３０を介して、測定の結果をクラウドベースまたは他のネットワークベースの記憶および通信システム１４０に通信する。いくつかの実施形態では、通信手段は、有線通信手段である。いくつかの実施形態では、通信手段は、無線通信手段である。ある場合には、無線通信は、Ｗｉ−Ｆｉ通信を介する。他の場合では、無線通信は、セルラーネットワークを介する。なおも他の場合では、無線通信は、当業者に公知である任意の他の無線通信を介する。具体的実施形態では、無線通信手段は、クラウドベースまたは他のネットワークベースの記憶および通信システムへの伝送、もしくはそこからの受信を可能にするように構成される。
【０１４５】
いったんクラウドの中に記憶されると、具体的実施形態では、結果は、次いで、他のデバイスに伝送される。ある場合には、結果は、第１の通信チャネル１３２を介して、患者のコンピュータ、タブレット、または他の電子デバイス上の患者デバイス１５０に伝送される。いくつかの実施形態では、結果は、第２の通信チャネル１３４を介して、患者の医師のコンピュータ、タブレット、または他の電子デバイス上の医師デバイス１６０に伝送される。ある事例では、結果は、第３の通信チャネル１３６を介して、別のユーザのコンピュータ、タブレット、または他の電子デバイス上の分析デバイス１７０に伝送される。いくつかの実施形態では、結果は、第４の通信チャネル１３８を介して、患者管理システムまたは病院管理システム１８０に伝送される。ある場合には、デバイスはそれぞれ、本明細書に説明されるような関連機能を果たすための適切なソフトウェア命令を有する。
【０１４６】
具体的実施形態では、第１の通信チャネルは、有線通信チャネルまたは無線通信チャネルである。ある場合には、通信は、イーサネット（登録商標）を介する。他の場合では、通信は、ローカルエリアネットワーク（ＬＡＮ）または広域ネットワーク（ＷＡＮ）を介する。なおも他の場合では、通信は、Ｗｉ−Ｆｉを介する。さらに他の場合では、通信は、当業者に公知である任意の他の有線または無線通信を介する。いくつかの実施形態では、第１の通信チャネルは、クラウドベースまたは他のネットワークベースの記憶および通信システムへの伝送、もしくはそこからの受信を可能にするように構成される。ある場合には、第１の通信チャネルは、クラウドベースまたは他のネットワークベースの記憶および通信システムからの受信のみを可能にするように構成される。
【０１４７】
ある場合には、第２の通信チャネルは、有線通信チャネルまたは無線通信チャネルである。ある場合には、通信は、イーサネット（登録商標）を介する。具体的実施形態では、通信は、ローカルエリアネットワーク（ＬＡＮ）または広域ネットワーク（ＷＡＮ）を介する。他の実施形態では、通信は、Ｗｉ−Ｆｉを介する。なおも他の実施形態では、通信は、当業者に公知である任意の他の有線または無線通信を介する。ある場合には、第２の通信チャネルは、クラウドベースまたは他のネットワークベースの記憶および通信システムへの伝送、もしくはそこからの受信を可能にするように構成される。いくつかの実施形態では、第２の通信チャネルは、クラウドベースまたは他のネットワークベースの記憶および通信システムからの受信のみを可能にするように構成される。
【０１４８】
具体的な場合では、第３の通信チャネルは、有線通信チャネルまたは無線通信チャネルである。ある事例では、通信は、イーサネット（登録商標）を介する。他の事例では、通信は、ローカルエリアネットワーク（ＬＡＮ）または広域ネットワーク（ＷＡＮ）を介する。なおも他の事例では、通信は、Ｗｉ−Ｆｉを介する。さらに他の事例では、通信は、当業者に公知である任意の他の有線または無線通信を介する。いくつかの実施形態では、第３の通信チャネルは、クラウドベースまたは他のネットワークベースの記憶および通信システムへの伝送、もしくはそこからの受信を可能にするように構成される。ある場合には、第３の通信チャネルは、クラウドベースまたは他のネットワークベースの記憶および通信システムからの受信のみを可能にするように構成される。
【０１４９】
いくつかの実施形態では、第４の通信チャネルは、有線通信チャネルまたは無線通信チャネルである。ある場合には、通信は、イーサネット（登録商標）を介する。他の場合では、通信は、ローカルエリアネットワーク（ＬＡＮ）または広域ネットワーク（ＷＡＮ）を介する。なおも他の場合では、通信は、Ｗｉ−Ｆｉを介する。さらに他の場合では、通信は、当業者に公知である任意の他の有線または無線通信を介する。ある事例では、第４の通信チャネルは、クラウドベースまたは他のネットワークベースの記憶および通信システムへの伝送、もしくはそこからの受信を可能にするように構成される。他の場合では、第４の通信チャネルは、クラウドベースまたは他のネットワークベースの記憶および通信システムからの受信のみを可能にするように構成される。
【０１５０】
ＲＴまたはＲＬＴの決定は、多くの場所で実施されることができる。例えば、ＲＴまたはＲＬＴの決定は、手持ち式ＯＣＴデバイス上で実施される。ある場合には、ＲＴまたはＲＬＴの決定は、スマートフォンまたは他のポータブル電子デバイスによって等、手持ち式ＯＣＴデバイスの近傍の場所で実施される。いくつかの実施形態では、ＲＴまたはＲＬＴの決定は、クラウドベースの記憶および通信システム上で実施される。ある事例では、手持ち式ＯＣＴデバイスは、測定データを圧縮し、圧縮された測定データをクラウドベースの記憶および通信システムに伝送するように構成される。
【０１５１】
いくつかの実施形態では、患者は、患者デバイス１５０上でＲＴまたはＲＬＴ測定の結果および分析を受信する。ある事例では、結果は、測定の結果が正常または健康範囲外であることを患者に警告する、アラート１５２を含む。ある場合には、結果はまた、測定値１５４の表示も含む。例えば、ある場合には、ＲＴまたはＲＬＴの測定は、２５７μｍの結果を生成する。本結果は、正常または健康範囲外である。ある場合には、これは、本システムにアラートを生成させ、患者アプリ上に２５７μｍの測定値を表示させる。具体的な場合では、結果はまた、複数の時点にわたる患者のＲＴまたはＲＬＴの履歴を示すチャート１５６も含む。ある場合には、患者デバイスはまた、患者が従うための指示１５８も表示する。ある事例では、指示は、患者にその医師を受診するように指示する。いくつかの実施形態では、指示は、患者の氏名、直近のＲＴまたはＲＬＴ測定の日付、およびその医師への次の予定された受診を含む。他の場合では、指示は、より多くの情報を含む。なおも他の場合では、指示は、より少ない情報を含む。
【０１５２】
いくつかの実施形態では、患者の医師は、医師デバイス１６０上でＲＴまたはＲＬＴ測定の結果および分析を受信する。ある事例では、結果は、測定の結果が正常または健康範囲外であることを医師に警告する、アラート１６２を含む。ある場合には、結果はまた、患者の測定が正常または健康範囲外であることを医師に知らせる、アラート１６４も含む。いくつかの実施形態では、アラートは、医師が患者に電話し、予約を予定に入れる、または医療支援を提供するという提案を含む。いくつかの実施形態では、結果はまた、医師の患者毎に直近の測定および履歴測定を示す表示１６６も含む。例えば、ある事例では、ＲＴまたはＲＬＴの測定は、２５７μｍの結果を生成する。本結果は、正常または健康範囲外である。ある場合には、これは、本システムにアラートを生成させ、医師アプリ上に２５７μｍの測定値を表示させる。具体的な場合では、医師デバイスはまた、医師の患者毎に連絡先および履歴情報１６８も表示する。
【０１５３】
いくつかの実施形態では、他方のユーザは、分析デバイス１７０上でＲＴまたはＲＬＴ測定の結果および分析を受信する。ある事例では、他方のユーザは、新しい形態の治療の有効性を調査する研究者である。他の場合では、他方のユーザは、特定の医師または介護施設の転帰を監視する監査員である。患者のプライバシーを保護するために、ある場合には、分析デバイスは、所与の患者の情報のサブセットのみを受信するように制限される。例えば、サブセットは、所与の患者についてのいかなる個人識別情報も含まないように制限される。ある場合には、結果は、多数の異常または不健康な測定が具体的時間周期内で取得されていることを警告する、アラート１７２を含む。ある場合には、結果は、患者の集団を横断して測定の１つまたはそれを上回るグラフ表現１７４を含む。
【０１５４】
ある場合には、分析デバイス上の結果および分析は、医師が確認した診断等の疾患情報を備える。ある場合には、結果および分析は、年齢、性別、遺伝情報、患者の環境についての情報、喫煙歴、患者が罹患した他の疾患等の匿名患者データを備える。ある場合には、結果および分析は、処方された薬剤のリスト、治療歴等の患者のための匿名治療計画を備える。ある場合には、結果および分析は、ＲＴまたはＲＬＴ測定の結果等の測定結果、視覚機能検査、または治療過程への患者のコンプライアンスを備える。ある場合には、結果および分析は、電子診療記録からのデータを備える。ある場合には、結果および分析は、患者の医療提供者によって入手されるＯＣＴ走査の結果等の患者の医療提供者への受診からの診断情報を備える。
【０１５５】
いくつかの実施形態では、患者の臨床、病院、または他の医療提供者は、患者管理システムまたは病院管理システム１８０上でＲＴまたはＲＬＴ測定の結果および分析を受信する。ある場合には、本システムは、患者の電子診療記録を含有する。ある場合には、結果および分析は、患者の医療提供者に、提供者が患者のための治療計画を更新することを可能にするデータを提供する。ある事例では、結果および分析は、提供者が早期外来診療を患者に呼び掛けることを決定することを可能にする。ある事例では、結果および分析は、提供者が外来診療を延期することを決定することを可能にする。
【０１５６】
いくつかの実施形態では、患者デバイス、医師デバイス、および分析デバイスのうちの１つまたはそれを上回るものは、本明細書に説明されるように、それぞれ、患者デバイス、医師デバイス、または分析デバイスの機能を果たすための命令を備える、ソフトウェアアプリを含む。
【０１５７】
図３Ａは、いくつかの実施形態による、短距離無線通信を利用する手持ち式ＯＣＴデバイスを示す。いくつかの実施形態では、手持ち式ＯＣＴデバイス１００は、光学系１０２と、光学系を制御し、それと通信するための電子機器１０４と、バッテリ１０６と、無線伝送機１０８とを備える。ある場合には、無線伝送機は、Ｂｌｕｅｔｏｏｔｈ（登録商標）伝送機である。ある事例では、１つまたはそれを上回るＲＴもしくはＲＬＴ測定からの結果は、患者または患者によって指定される別の個人等の認定ユーザが、スマートフォンまたは他のポータブル電子デバイス上の患者モバイルデバイスを開くまで、手持ち式ＯＣＴデバイス上に記憶される。いったん開かれると、患者モバイルデバイスは、手持ち式ＯＣＴデバイスとの無線通信を確立する。ある場合には、通信は、Ｂｌｕｅｔｏｏｔｈ（登録商標）無線通信チャネル１１０を介する。ある事例では、手持ち式ＯＣＴデバイスは、Ｂｌｕｅｔｏｏｔｈ（登録商標）チャネルを介して、結果を患者のスマートフォンまたは他のポータブル電子デバイス上のモバイル患者デバイス１２０に通信する。
【０１５８】
ある事例では、結果は、測定の結果が正常または健康範囲外であることを患者に警告する、アラート１２２を含む。具体的実施形態では、結果はまた、測定値１２４の表示も含む。例えば、ＲＴまたはＲＬＴの測定は、ある場合には、２５７μｍの結果を生成する。本結果は、正常または健康範囲外である。ある場合には、これは、本システムにアラートを生成させ、患者モバイルアプリ上に２５７μｍの測定値を表示させる。具体的実施形態では、結果はまた、複数の時点にわたる患者のＲＴまたはＲＬＴの履歴を示すチャート１２６も含む。
【０１５９】
ある場合には、患者モバイルデバイスは、無線通信手段１３０を介して、測定の結果をクラウドベースまたは他のネットワークベースの記憶および通信システム１４０に通信する。ある事例では、無線通信は、Ｗｉ−Ｆｉ通信である。他の場合では、Ｗｉ−Ｆｉ通信は、セキュアＷｉ−Ｆｉチャネルを介する。なおも他の場合では、無線通信は、セルラーネットワークを介する。具体的実施形態では、セルラーネットワークは、セキュアセルラーネットワークである。他の実施形態では、伝送された情報は、暗号化される。ある場合には、通信チャネルは、クラウドベースまたは他のネットワークベースの記憶および通信システムへの伝送、もしくはそこからの受信を可能にするように構成される。ある場合には、データは、スマートフォンまたは他のポータブル電子デバイスがＷｉ−Ｆｉまたはセルラーネットワークに接続するまで、スマートフォンまたは他のポータブル電子デバイス上に記憶される。
【０１６０】
ある場合には、患者モバイルデバイスは、患者モバイルデバイスが最後に開かれてから過剰に多くの時間が経過したときに、患者または患者によって指定される別の個人に通知する特徴を有する。例えば、ある場合には、本通知は、その医師または他の医療提供者によって設定される測定スケジュールによって要求された通りの直近において、患者がＲＴまたはＲＬＴの測定を入手していないため起こる。他の場合では、通知は、手持ち式ＯＣＴデバイスが過剰に多くの測定の結果を記憶しており、データを患者のスマートフォンに伝送する必要があるため起こる。具体的実施形態では、患者モバイルデバイスは、クラウドベースまたは他のネットワークベースの記憶および通信システムと通信し、患者データの完全なセットを表示する。
【０１６１】
図３Ｂは、いくつかの実施形態による、スマートフォン等のユーザデバイスに依拠することなく、クラウドベースの記憶および通信システムと直接通信することが可能な手持ち式ＯＣＴデバイスを示す。いくつかの実施形態では、手持ち式ＯＣＴデバイス１００は、光学系１０２と、光学系を制御し、それと通信するための電子機器１０４と、バッテリ１０６と、無線伝送機１０８とを備える。ある場合には、無線伝送機は、ＧＳＭ（登録商標）伝送機である。ある事例では、１つまたはそれを上回るＲＴもしくはＲＬＴ測定からの結果は、手持ち式ＯＣＴデバイス上に記憶される。ある場合には、ＧＳＭ（登録商標）伝送機は、無線通信チャネル１１４を介してクラウドベースまたは他のネットワークベースの記憶および通信システム１４０との無線通信を確立する。具体的な場合では、無線通信は、ＧＳＭ（登録商標）無線通信チャネルを介する。他の実施形態では、本システムは、第３世代（３Ｇ）または第４世代（４Ｇ）モバイル通信規格を利用する。そのような場合では、無線通信は、３Ｇまたは４Ｇ通信チャネルを介する。
【０１６２】
具体的実施形態では、患者モバイルデバイス１２０は、クラウドベースまたは他のネットワークベースの記憶および通信システム１４０から無線通信手段１３０を介して測定の結果を受信する。ある場合には、無線通信は、Ｗｉ−Ｆｉ通信を介する。ある場合には、Ｗｉ−Ｆｉ通信は、セキュアＷｉ−Ｆｉチャネルを介する。他の場合では、無線通信は、セルラーネットワークを介する。ある場合には、セルラーネットワークは、セキュアセルラーネットワークである。具体的事例では、伝送された情報は、暗号化される。いくつかの実施形態では、通信チャネルは、クラウドベースまたは他のネットワークベースの記憶および通信システムへの伝送、もしくはそこからの受信を可能にするように構成される。
【０１６３】
いったんクラウドベースまたは他のネットワークベースの記憶および通信システムから取得されると、ＲＴまたはＲＬＴ測定の結果は、ある事例では、患者モバイルアプリで視認される。ある場合には、結果は、測定の結果が正常または健康範囲外であることを患者に警告する、アラート１２２を含む。ある事例では、結果はまた、測定値１２４の表示も含む。例えば、ある場合には、ＲＴまたはＲＬＴの測定は、２５７μｍの結果を生成する。本結果は、正常または健康範囲外である。具体的実施形態では、これは、本システムにアラートを生成させ、患者モバイルアプリ上に２５７μｍの測定値を表示させる。いくつかの実施形態では、結果はまた、複数の時点にわたる患者のＲＴまたはＲＬＴの履歴を示すチャート１２６も含む。
【０１６４】
ある場合には、患者モバイルデバイスは、患者モバイルデバイスが最後に開かれてから過剰に多くの時間が経過したときに、患者または患者によって指定される別の個人に通知する特徴を有する。例えば、ある場合には、本通知は、その医師または他の医療提供者によって設定される測定スケジュールによって要求された通りの直近において、患者がＲＴまたはＲＬＴの測定を入手していないため起こる。他の場合では、通知は、手持ち式ＯＣＴデバイスが過剰に多くの測定の結果を記憶しており、データを患者のスマートフォンに伝送する必要があるため起こる。具体的実施形態では、患者モバイルデバイスは、クラウドベースまたは他のネットワークベースの記憶および通信システムと通信し、患者データの完全なセットを表示する。
【０１６５】
ある場合には、手持ち式ＯＣＴデバイスは、短距離伝送機と、ＧＳＭ（登録商標）、３Ｇ、または４Ｇ伝送機とを備える。ある事例では、短距離伝送機は、Ｂｌｕｅｔｏｏｔｈ（登録商標）伝送機である。ある場合には、手持ち式ＯＣＴデバイスは、Ｂｌｕｅｔｏｏｔｈ（登録商標）無線通信チャネルを通して、スマートフォンまたは他のポータブル電子デバイス上の患者モバイルデバイスと直接通信する。いくつかの実施形態では、手持ち式ＯＣＴはまた、ＧＳＭ（登録商標）、３Ｇ、または４Ｇ無線通信チャネルを通して、クラウドベースまたは他のネットワークベースの記憶および通信システムと通信する。具体的な場合では、クラウドベースのシステムは、次いで、Ｗｉ−Ｆｉ、セルラー、または他の無線通信チャネルを通して、患者モバイルデバイスと通信する。代替として、Ｂｌｕｅｔｏｏｔｈ（登録商標）伝送機は、ドッキングステーションに内蔵される。ある事例では、これは、スマートフォンを欠いている患者のためのより古いデバイスの使用を可能にする。ある場合には、ドッキングステーションはまた、手持ち式ＯＣＴデバイスのバッテリを充電するための手段も含む。
【０１６６】
ある場合には、図３Ａおよび３Ｂの手持ち式ＯＣＴデバイスは、眼に近接近して保持されるように構成される。例えば、具体的実施形態では、本デバイスは、眼から２００ｍｍ以下の距離に検出器を伴って眼の前で保持されるように構成される。他の実施形態では、本デバイスは、眼から１５０ｍｍ以下、１００ｍｍ以下、または５０ｍｍ以下の距離に検出器を伴って眼の前で保持されるように構成される。具体的事例では、手持ち式ＯＣＴデバイスはさらに、光源、光学要素、検出器、および回路を支持するための筐体を備える。ある場合には、筐体は、ユーザの手の中で保持されるように構成される。ある場合には、ユーザは、眼の前でデバイスを保持し、光ビームを眼の中へ指向する。ある事例では、本デバイスは、測定されている眼を測定するためのセンサを含む。例えば、具体的実施形態では、本デバイスは、筐体の配向に応答して測定される眼を決定するための加速度計またはジャイロスコープを含む。本デバイスは、随意に、筐体に結合される閉塞構造と、測定される眼を決定するセンサとを含む。閉塞構造は、他方の眼が測定されている間に一方の眼を閉塞する。ある場合には、本デバイスは、光ビームを網膜の一部と整合させるための視認標的を含む。例えば、具体的実施形態では、本デバイスは、光ビームを眼窩と整合させるための視認標的を含む。ある場合には、視認標的は、光ビームである。ある場合には、視認標的は、発光ダイオードである。他の場合では、視認標的は、垂直キャビティ面発光レーザ（ＶＣＳＥＬ）である。なおもさらなる場合では、視認標的は、当業者に公知である任意の視認標的である。
【０１６７】
本明細書に説明される光学コンポーネントは、当業者によって理解されるであろうように、本明細書に説明されるように縮小された物理的サイズおよび質量を手持ち式ＯＣＴデバイスに提供するように、小型化されることが可能である。
【０１６８】
多くの実施形態では、図３Ａおよび３Ｂの手持ち式ＯＣＴデバイスは、ユーザの片手で容易に操作されるために十分に小さく、十分に軽量である。例えば、多くの実施形態では、本デバイスは、約１００グラム〜約５００グラムの範囲内の質量を有する。多くの実施形態では、本デバイスは、約２００グラム〜約４００グラムの範囲内の質量を有する。多くの実施形態では、本デバイスは、約２５０グラム〜約３５０グラムの範囲内の質量を有する。具体的実施形態では、本デバイスは、約８０ｍｍ〜約１６０ｍｍの範囲内で横断する最大距離を有する。具体的実施形態では、本デバイスは、約１００ｍｍ〜約１４０ｍｍの範囲内で横断する最大距離を有する。具体的実施形態では、本デバイスは、約１１０ｍｍ〜約１３０ｍｍの範囲内の幅を有する。いくつかの実施形態では、横断する最大距離は、長さを備える。いくつかの実施形態では、本デバイスは、その長さ未満の幅を有する。具体的実施形態では、本デバイスは、約４０ｍｍ〜約８０ｍｍの範囲内の幅を有する。具体的実施形態では、本デバイスは、約５０ｍｍ〜約７０ｍｍの範囲内の幅を有する。具体的実施形態では、本デバイスは、約５５ｍｍ〜約６５ｍｍの範囲内の幅を有する。
【０１６９】
図４は、いくつかの実施形態による、手持ち式ＯＣＴシステム内の情報のフローの概略図を示す。ある場合には、手持ち式ＯＣＴデバイス４００はさらに、ＲＴまたはＲＬＴを測定するためのサブシステム４０２と、デバイス記憶システム４０４とを備える。いくつかの実施形態では、デバイス記憶システムは、限定されないが、フラッシュメモリまたはランダムアクセスメモリ（ＲＡＭ）を含む、任意の形態の揮発性または不揮発性メモリを備える。ある事例では、ＲＴまたはＲＬＴを測定するためのサブシステムは、デバイス記憶システムに通信可能に結合される。ある場合には、手持ち式ＯＣＴデバイスは、測定データをスマートフォンまたは任意の他のコンピューティングデバイス４１０に伝送する。例えば、ある場合には、スマートフォンまたは別の手持ち式デバイスはさらに、スマートフォン記憶システム４１４を備え、スマートフォンアプリ４１２を起動する。
【０１７０】
ある場合には、コンピューティングデバイスは、患者データおよび測定データを患者デバイス４２０に送信する。いくつかの実施形態では、スマートフォンデバイスは、クラウドベースまたは他のネットワークベースの記憶および通信システム４３０に通信可能に結合される。ある事例では、クラウドベースまたは他のネットワークベースの記憶システムはさらに、モバイルアプリケーションプログラミングインターフェース（ＡＰＩ）４３２、患者デバイス４３４、医師デバイス４３６、分析デバイス４３８、測定および治療記憶システム４４０、患者データ記憶システム４４２、ならびに患者管理システムまたは病院管理システムとインターフェースをとるＡＰＩ４４４のうちのいずれかを備える。
【０１７１】
ある場合には、モバイルＡＰＩは、スマートフォンアプリに通信可能に結合される。いくつかの実施形態では、モバイルＡＰＩは、測定情報（例えば、ＲＴの測定）をスマートフォンアプリに送信し、かつそこから受信するように構成される。ある事例では、モバイルＡＰＩは、患者データ（例えば、識別情報または人口統計情報）をスマートフォンデバイスに送信するが、スマートフォンアプリから本情報を受信しないように構成される。ある場合には、本構成は、患者データを侵害する可能性を低減させるように設計される。いくつかの実施形態では、モバイルＡＰＩは、測定データおよび患者データを患者デバイスに送信するように、かつ患者アプリから測定データおよび患者データを受信するように構成される。ある事例では、患者デバイスはさらに、測定データおよび患者データを患者に送信するように、かつ患者から測定データおよび患者データを受信するように構成される。
【０１７２】
ある場合には、モバイルＡＰＩは、測定データおよび患者データを医師デバイスに送信するように、かつ医師アプリから測定データおよび患者データを受信するように構成される。他の場合では、モバイルＡＰＩは、測定データを医師デバイスに送信するように、かつ医師デバイスから測定データを受信するが、最初に患者データ記憶システムを通過するように患者データに要求するように構成される。そのような場合では、患者データ記憶システムは、患者データを医師デバイスに送信し、医師アプリから患者データを受信するように構成される。いくつかの実施形態では、患者データ記憶システムは、患者データを患者管理システムまたは病院管理システムとインターフェースをとるＡＰＩに送信するように、かつ患者管理システムまたは病院管理システムとインターフェースをとるＡＰＩから患者データを受信するように構成される。ある事例では、患者管理システムまたは病院管理システムとインターフェースをとるＡＰＩは、患者データを患者管理システムまたは病院管理システム４８０に送信するように、かつ患者管理システムまたは病院管理システムから患者データを受信するように構成される。ある場合には、医師デバイスはさらに、測定データおよび患者データを医師４５０に送信するように、かつ医師から測定データおよび患者データを受信するように構成される。
【０１７３】
ある場合には、モバイルＡＰＩは、測定データを分析アプリに送信するように、かつ分析アプリから測定データを受信するように構成される。いくつかの実施形態では、分析デバイスは、測定データを手持ち式ＯＣＴシステム４６０の製造業者または開発者に送信するように構成される。ある事例では、分析デバイスは、匿名患者データを手持ち式ＯＣＴシステムの製造業者または開発者に送信するように構成される。ある場合には、分析デバイスは、測定データのサブセットを他の関係者４７０に送信するように構成される。いくつかの実施形態では、分析デバイスは、匿名患者データを他の関係者４７０に送信するように構成される。
【０１７４】
いくつかの実施形態では、クラウドベースまたは他のネットワークベースの記憶および通信システムはさらに、測定および治療記憶システムを備える。ある事例では、測定および治療記憶システムは、測定データを、モバイルＡＰＩ、患者アプリ、医師アプリ、および分析アプリのうちのいずれかに送信するように構成される。ある場合には、測定および治療記憶システムは、モバイルＡＰＩ、患者アプリ、医師アプリ、および分析アプリのうちのいずれかから測定データを受信するように構成される。
【０１７５】
患者管理システムまたは病院情報システムに加えて、ある場合には、クラウドベースまたは他のネットワークベースの記憶および通信システムは、ローカル患者管理システム４８２に通信可能に結合される。いくつかの実施形態では、ローカル患者管理システムは、患者データを医師アプリに送信するように構成される。
【０１７６】
手持ち式ＯＣＴデバイスは、光干渉断層撮影のための任意の方法を利用してもよい。ある場合には、手持ち式ＯＣＴデバイスは、時間ドメインＯＣＴを利用する。いくつかの実施形態では、手持ち式ＯＣＴデバイスは、周波数ドメインＯＣＴを利用する。ある事例では、手持ち式ＯＣＴデバイスは、空間的に符号化された周波数ドメインＯＣＴを利用する。ある場合には、手持ち式ＯＣＴデバイスは、掃引源ＯＣＴ（ＳＳ−ＯＣＴ）としても公知である、時間符号化周波数ドメインＯＣＴを利用する。
【０１７７】
図５は、いくつかの実施形態による、掃引源光干渉断層撮影（ＳＳ−ＯＣＴ）デバイスの光学系の概略図を示す。ある場合には、光学系１０２は、光源５００と、ビームスプリッタ５１０と、フロントエンド光学系５２０と、参照ミラー５３０と、処理ユニット５４０とを備える。いくつかの実施形態では、処理ユニットはさらに、光検出器５４２と、信号処理モジュール５４４とを備える。光源からの光は、ビームスプリッタに衝突する。光の一部は、参照アームに沿って参照ミラーに指向され、光の一部は、フロントエンド光学系に、次いで、サンプル５５０に指向される。ある事例では、サンプルは、眼から成る。ある場合には、サンプルは、網膜から成る。いくつかの実施形態では、網膜は、組織のいくつかの層から成る。ある事例では、組織の層は、感光性桿体および錐体細胞の層５５２、網膜色素上皮（ＲＰＥ）５５４、ならびに脈絡膜５５６から成る。他の事例では、組織の層は、神経線維層、神経節細胞層、内網状層、内顆粒層、外網状層、外顆粒層、内境界膜、外境界膜、および／またはブルッフ膜等の網膜の他の層から成る。光は、層のそれぞれの各境界においてデバイスに後方反射される。各境界から反射される光は、参照ミラーから反射される光および任意の他の境界から反射される光に干渉する。干渉信号は、光検出器において検出される。ある事例では、光は、桿体および錐体細胞の層の後面、桿体および錐体細胞の層の前面、内境界膜の後面、内境界膜の前面、脈絡膜の後面、および／または脈絡膜の前面から反射される。光は、神経線維層、神経節細胞層、内網状層、内顆粒層、外網状層、外顆粒層、外境界膜、および／または網膜色素上皮等の任意の他の層の任意の表面から反射されてもよい。ある場合には、ＲＬＴは、これらの網膜層のうちのいずれかの厚さ、またはいずれか２つのそのような層の間の厚さに対応する。
【０１７８】
本プロセスは、光源によって放射される波長の範囲にわたって繰り返される。干渉信号の振幅は、波長とともに変動し、境界から反射される光および参照ミラーから反射される光が同相であるとき、または境界から反射される光が別の境界から反射される光と同相であるときに、最大値を入手する。本状態は、境界毎に１つまたはそれを上回る特定の光の波長において入手され、干渉信号の１つまたはそれを上回る最大値によって特徴付けられる。他の波長において、干渉信号は、部分建設的干渉または破壊的干渉を示す。全ての波長における干渉信号は、インターフェログラム５６０を形成するようにコンパイルされる。インターフェログラムは、信号分析手順を受ける。ある場合には、インターフェログラムは、スペクトル５７０を形成するように、高速フーリエ変換（ＦＦＴ）等の周波数分析手順を受ける。スペクトルは、種々の網膜層の厚さと関連付けられる干渉信号に対応するピークを備える。いくつかの実施形態では、ＳＳ−ＯＣＴは、比較的に長いコヒーレンス長（典型的には、数ミリメートルを上回る）を伴う光源を利用する。ある事例では、干渉信号の振幅は、２つの網膜層の間の距離が増加すると減少する。ある場合には、ピークの位置は、組織の各層の厚さを示す。
【０１７９】
ある場合には、光源は、レーザ源を備える。いくつかの実施形態では、レーザ源は、同調され得る波長を有する、レーザ光を生成する。ある事例では、レーザ源は、ＯＣＴ信号を取得するために波長の範囲にわたって走査される。ある場合には、レーザ源は、ＯＣＴ信号の急速入手を可能にするように急速に走査されることが可能である。ある場合には、レーザ源は、垂直キャビティ面発光レーザ（ＶＣＳＥＬ）を備える。いくつかの実施形態では、ＶＣＳＥＬは、ＶＣＳＥＬに提供される電流を変動させることによって同調される。ある事例では、ＶＣＳＥＬは、電流を連続的に変動させることによって、波長の範囲を横断して連続的に走査される。ある場合には、ＶＣＳＥＬは、電流を周期的に変動させることによって、波長の範囲を横断して周期的に走査される。いくつかの実施形態では、ＶＣＳＥＬは、正弦波的に変動する波長を生成するように、正弦波的に変動する電流を提供される。
【０１８０】
いくつかの実施形態では、ＶＣＳＥＬは、市販のＶＣＳＥＬである。ある事例では、ＶＣＳＥＬは、本明細書に説明される教示に基づいて市販のＶＣＳＥＬから修正されるＶＣＳＥＬである。ある場合には、ＶＣＳＥＬは、Ｐｈｉｌｌｉｐｓ  Ｐｈｏｔｏｎｉｃｓ、Ｆｒａｎｋｆｕｒｔ  Ｌａｓｅｒ  Ｃｏｍｐａｎｙ、Ｈａｍａｍａｔｓｕ  Ｃｏｒｐｏｒａｔｉｏｎ、Ｎｅｗ  Ｆｏｃｕｓ、Ｐｏｗｅｒ  Ｔｅｃｈｎｏｌｏｇｙ、Ａｖａｇｏ  Ｔｅｃｈｎｏｌｏｇｉｅｓ、Ｍａｓｉｍｏ  Ｓｅｍｉｃｏｎｄｕｃｔｏｒ、Ｆｉｎｉｓａｒ、Ｏｃｌａｒｏ、または当業者に公知である任意の他の製造業者等の製造業者から入手されるＶＣＳＥＬである。
【０１８１】
ある事例では、ＶＣＳＥＬは、連続使用のため、またはパルス使用のための最大推奨電流を有する。ある場合には、最大連続電流定格は、ＶＣＳＥＬが掃引され得る波長の範囲を限定する。例えば、ＶＣＳＥＬは、１ｍＡ、２ｍＡ、３ｍＡ、４ｍＡ、５ｍＡ、６ｍＡ、７ｍＡ、８ｍＡ、９ｍＡ、または１０ｍＡ以下の連続動作電流に限定されてもよい。いくつかの実施形態では、ＶＣＳＥＬによって放射される波長は、０．３ｎｍ／ｍＡの比例定数を伴う動作電流とともに直線的に変動する。ある場合には、これは、ＶＣＳＥＬが掃引され得る波長の範囲を、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、または３．０ｎｍに限定する。いくつかの実施形態では、これは、ＶＣＳＥＬベースのＳＳ−ＯＣＴデバイスの入手可能な軸方向分解能を限定する。光源からのガウススペクトルを仮定すると、入手可能な軸方向分解能は、以下に従って決定される。
【化１】
2021527552.tif 000003
式中、δｚは、入手可能な軸方向分解能であり、λ０は、ＶＣＳＥＬの中心発光波長であり、Δλは、ＶＣＳＥＬが動作する波長の範囲である。
【０１８２】
したがって、ある場合には、ＶＣＳＥＬの限定された動作範囲は、入手可能な軸方向分解能を限定する。いくつかの実施形態では、８５０ｎｍの中心動作波長を伴うＶＣＳＥＬに関して、入手可能な軸方向分解能は、それぞれ、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、および３．０ｎｍの動作範囲のために、１，０６２μｍ、５３１μｍ、３５４μｍ、２６６μｍ、２１３μｍ、１７７μｍ、１５２μｍ、１３３μｍ、１１８μｍ、または１０６μｍと同程度に良好である。ある事例では、ＶＣＳＥＬは、０．０１ｍＷ、０．０２５ｍＷ、０．０５ｍＷ、０．１ｍＷ、０．２５ｍＷ、０．５ｍＷ、１ｍＷ、２．５ｍＷ、５ｍＷ、１０ｍＷ、２５ｍＷ、５０ｍＷ、１００ｍＷ、２５０ｍＷ、５００ｍＷ、１Ｗ、２．５Ｗ、５Ｗ、１０Ｗ、２５Ｗ、５０Ｗ、または１００Ｗ以下の光強度を放射する。
【０１８３】
表１は、８５０ｎｍの中心動作波長のための掃引源の対応する波長範囲のための軸方向分解能を示す。
【表１】
2021527552.tif 000004
【０１８４】
表１は、８５０ｎｍの中心波長を参照するが、当業者は、本明細書で提供される開示に従って、類似掃引範囲および類似分解能を伴って異なる中心波長において動作する小型ＯＣＴシステムを構築することができる。また、当業者は、概して、約１．３〜１．４である、網膜の屈折率に従って、上記の値を容易に補正することができる。
【０１８５】
ある場合には、付加的ＶＳＣＥＬが、本明細書に説明されるような掃引波長範囲を拡張するために使用される。
【０１８６】
ある場合には、ＶＣＳＥＬの限定された動作範囲はまた、限定された光路差（ＯＰＤ）によって付与される限定された位相偏移に起因して、ＯＣＴ信号から情報を抽出する能力も限定する。第１のインターフェースから反射される光と第２のインターフェースから反射される光との間の位相偏移は、以下によって求められる。
【化２】
2021527552.tif 000005
式中、ΔΦは、位相偏移であり、λ０は、ＶＣＳＥＬの中心発光波長であり、ｎは、第１の反射インターフェースと第２の反射インターフェースとの間の媒体の屈折率であり、Δｚは、第１の反射インターフェースと第２の反射インターフェースとの間の距離であり、ｎΔｚは、ＯＰＤであり、Δλは、ＶＣＳＥＬが動作する波長の範囲である。
【０１８７】
ある場合には、第１のインターフェースから反射される光および第２のインターフェースから反射される光の相互作用から生じる干渉信号から周波数情報を抽出することが有用である。本情報を抽出するために、インターフェログラムの２つの信号周期を入手することが役立ち得る。これは、４πの位相偏移に対応する。したがって、ＶＣＳＥＬは、以下によって求められる波長の最小範囲Δλｍｉｎにわたって動作するはずである。
【化３】
2021527552.tif 000006
【０１８８】
したがって、ある場合には、ＶＣＳＥＬの限定された動作範囲は、例えば、ある場合には、干渉信号から周波数情報を抽出するために十分な位相偏移を入手する能力を限定する。いくつかの実施形態では、網膜に類似する１．３の屈折率を伴う媒体内で１５０μｍによって分離される反射インターフェースの間に干渉パターンを形成する、８５０ｎｍの中心動作波長を伴うＶＣＳＥＬに関して、波長の最小範囲は、３．７ｎｍである。ある事例では、本波長の範囲は、典型的には、連続使用のためのその最大推奨電流内で動作されるＶＣＳＥＬによって放射される、波長の範囲を上回る。したがって、ある場合には、十分な位相偏移を生成するために、ＶＣＳＥＬによって放射される波長の範囲を拡張することが役立つ。
【０１８９】
光源は、ＶＣＳＥＬである必要はない。ある場合には、光源は、増幅自然放射（ＡＳＥ）を利用するドープファイバ増幅器である。ある場合には、光源は、スーパールミネセントダイオード（ＳＬＤ）である。加えて、いくつかの実施形態では、光源は、複数の光源を備える。
【０１９０】
ある場合には、フロントエンド光学系は、レンズ等の光学要素を備える。いくつかの実施形態では、フロントエンド光学系は、任意の反射、屈折、または回折要素を備える。ある事例では、フロントエンド光学系は、１つを上回る反射、屈折、または回折要素を備える。ある場合には、フロントエンド光学系は、電気光学、磁気光学、音響光学、または機械光学デバイスを備える。いくつかの実施形態では、フロントエンド光学系は、当業者に公知である任意の光学要素を備える。
【０１９１】
いくつかの実施形態では、フロントエンド光学系は、光源が網膜上の異なる場所に移動されることを可能にするための走査光学要素を備える。ある事例では、これは、網膜上の異なる場所におけるＲＴまたはＲＬＴを決定するように、複数の測定が行われることを可能にする。ある場合には、網膜上の異なる場所におけるＲＴまたはＲＬＴを決定することはさらに、窩の場所が確認されることを可能にする。いくつかの実施形態では、走査光学要素は、ミラー、複数のミラー、ジンバル、レンズ、検流計、音響光学変調器、電気光学変調器、平行移動光学要素、光ビームを横断して平行移動する光学要素、変形可能ミラー、およびｘｙ平行移動ステージから成る群から選択される。ある事例では、走査光学要素は、当業者に公知であるような任意の走査光学要素を備える。
【０１９２】
ある事例では、本デバイスはさらに、本明細書に説明されるような走査光学要素を備える。
【０１９３】
図６Ａは、いくつかの実施形態による、参照ミラーが欠けている掃引源光干渉断層撮影（ＳＳ−ＯＣＴ）デバイスの光学系の概略図を示す。ある場合には、光学系１０２は、ＶＣＳＥＬまたは他の光源６００と、ビームスプリッタ６１０と、フロントエンド光学系６２０と、処理ユニット６４０とを備える。いくつかの実施形態では、処理ユニットはさらに、光検出器６４２と、信号処理モジュール６４４とを備える。広帯域源からの光は、ビームスプリッタに衝突する。光は、フロントエンド光学系に、次いで、サンプル６５０に指向される。光は、各層の各境界においてデバイスに後方反射される。１つの層の境界から反射される光は、別の層の境界から反射される光に干渉する。干渉信号は、光検出器において検出される。
【０１９４】
本プロセスは、光源によって放射される波長の範囲にわたって繰り返される。干渉信号の振幅は、波長とともに変動し、境界から反射される光が別の境界から反射される光と同相であるときに、最大値を入手する。本状態は、境界毎に１つまたはそれを上回る特定の光の波長において入手され、干渉信号の１つまたはそれを上回る最大値によって特徴付けられる。他の波長において、干渉信号は、部分建設的干渉または破壊的干渉を示す。全ての波長における干渉信号は、インターフェログラムを形成するようにコンパイルされる。インターフェログラムは、信号分析手順を受ける。ある場合には、インターフェログラムは、スペクトルを形成するように、高速フーリエ変換（ＦＦＴ）等の周波数分析手順を受ける。スペクトルは、境界毎の干渉最大値と関連付けられる波長に対応するピークを備える。いくつかの実施形態では、ＳＳ−ＯＣＴは、比較的に長いコヒーレンス長（典型的には、数ミリメートルを上回る）を伴う光源を利用する。ある事例では、干渉信号の振幅は、２つの網膜層の間の距離が増加すると減少する。ある場合には、ピークの位置は、組織の各層の厚さを示す。
【０１９５】
ある場合には、光源は、レーザ源を備える。いくつかの実施形態では、レーザ源は、同調され得る波長を有する、レーザ光を生成する。ある事例では、レーザ源は、ＯＣＴ信号を取得するために波長の範囲にわたって走査される。ある場合には、レーザ源は、ＯＣＴ信号の急速入手を可能にするように急速に走査されることが可能である。いくつかの実施形態では、レーザ源は、垂直キャビティ面発光レーザ（ＶＣＳＥＬ）を備える。ある事例では、ＶＣＳＥＬは、ＶＣＳＥＬに提供される電流を変動させることによって、同調される。ある場合には、ＶＣＳＥＬは、電流を連続的に変動させることによって、波長の範囲を横断して連続的に走査される。いくつかの実施形態では、ＶＣＳＥＬは、電流を周期的に変動させることによって、波長の範囲を横断して周期的に走査される。例えば、ＶＣＳＥＬは、正弦波的に変動する波長を生成するように、正弦波的に変動する電流を提供されてもよい。
【０１９６】
いくつかの実施形態では、フロントエンド光学系は、レンズ等の光学要素を備える。ある事例では、フロントエンド光学系は、任意の反射、屈折、または回折要素を備える。ある場合には、フロントエンド光学系は、１つを上回る反射、屈折、または回折要素を備える。いくつかの実施形態では、フロントエンド光学系は、電気光学、磁気光学、音響光学、または機械光学デバイスを備える。フロントエンド光学系は、当業者に公知である任意の光学要素を備えてもよい。
【０１９７】
図６Ｂは、いくつかの実施形態による、ＶＣＳＥＬが、参照ミラーが欠けている掃引源光干渉断層撮影（ＳＳ−ＯＣＴ）デバイス内で動作する、波長範囲を示す。ある場合には、ＶＣＳＥＬは、連続使用のための最大推奨電流を有する。いくつかの実施形態では、最大連続電流定格は、ＶＣＳＥＬが掃引され得る波長の範囲を限定する。ある事例では、ＶＣＳＥＬは、１ｍＡ、２ｍＡ、３ｍＡ、４ｍＡ、５ｍＡ、６ｍＡ、７ｍＡ、８ｍＡ、９ｍＡ、または１０ｍＡ以下の連続動作電流に限定される。ある場合には、ＶＣＳＥＬによって放射される波長は、０．３ｎｍ／ｍＡの比例定数を伴う動作電流とともに直線的に変動する。いくつかの実施形態では、これは、ＶＣＳＥＬが掃引され得る波長の範囲を、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、または３．０ｎｍに限定する。ある事例では、これは、ＶＣＳＥＬベースのＳＳ−ＯＣＴデバイスの入手可能な軸方向分解能を限定する。
【０１９８】
したがって、ある場合には、ＶＣＳＥＬの限定された動作範囲は、入手可能な軸方向分解能を限定する。例えば、８５０ｎｍの中心動作波長を伴うＶＣＳＥＬに関して、入手可能な軸方向分解能は、それぞれ、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、および３．０ｎｍの動作範囲のために、１，０６２μｍ、５３１μｍ、３５４μｍ、２６６μｍ、２１３μｍ、１７７μｍ、１５２μｍ、１３３μｍ、１１８μｍ、または１０６μｍと同程度に良好である。いくつかの実施形態では、ＶＣＳＥＬは、０．０１ｍＷ、０．０２５ｍＷ、０．０５ｍＷ、０．１ｍＷ、０．２５ｍＷ、０．５ｍＷ、１ｍＷ、２．５ｍＷ、５ｍＷ、１０ｍＷ、２５ｍＷ、５０ｍＷ、１００ｍＷ、２５０ｍＷ、５００ｍＷ、１Ｗ、２．５Ｗ、５Ｗ、１０Ｗ、２５Ｗ、５０Ｗ、または１００Ｗ以下の光強度を放射する。
【０１９９】
光源は、ＶＣＳＥＬである必要はない。ある場合には、光源は、増幅自然放射（ＡＳＥ）を利用するドープファイバ増幅器である。ある場合には、光源は、スーパールミネセントダイオード（ＳＬＤ）である。加えて、いくつかの実施形態では、光源は、複数の光源を備える。
【０２００】
ＳＳ−ＯＣＴデバイスが参照ミラーを利用するかどうかにかかわらず、ＶＣＳＥＬの限定された周波数範囲は、ＳＳ−ＯＣＴデバイスに約１００μｍ未満の入手可能な軸方向分解能値を持たせる。
【０２０１】
図７Ａは、いくつかの実施形態による、参照ミラーを利用する掃引源光干渉断層撮影（ＳＳ−ＯＣＴ）デバイスの光学系の概略図を示す。ある場合には、光学系１０２は、ＶＣＳＥＬまたは他の光源７００と、ビームスプリッタ７１０と、フロントエンド光学系７２０と、参照ミラー７３０と、処理ユニット７４０とを備える。いくつかの実施形態では、処理ユニットはさらに、光検出器７４２と、信号処理モジュール７４４とを備える。光源からの光は、ビームスプリッタに衝突する。光の一部は、参照アームに沿って参照ミラーに指向され、光の一部は、フロントエンド光学系に、次いで、サンプル７５０に指向される。光は、各層の各境界においてデバイスに後方反射される。各境界から反射される光は、参照ミラーから反射される光および任意の他の境界から反射される光に干渉する。干渉信号は、光検出器において検出される。
【０２０２】
本プロセスは、光源によって放射される波長の範囲にわたって繰り返される。干渉信号の振幅は、波長とともに変動し、境界から反射される光および参照ミラーから反射される光が同相であるとき、または境界から反射される光が別の境界から反射される光と同相であるときに、最大値を入手する。本状態は、境界毎に１つまたはそれを上回る特定の光の波長において入手され、干渉信号の１つまたはそれを上回る最大値によって特徴付けられる。他の波長において、干渉信号は、部分建設的干渉または破壊的干渉を示す。全ての波長における干渉信号は、インターフェログラムを形成するようにコンパイルされる。インターフェログラムは、信号分析手順を受ける。ある場合には、インターフェログラムは、スペクトルを形成するように、高速フーリエ変換（ＦＦＴ）等の周波数分析手順を受ける。スペクトルは、境界毎に干渉最大値と関連付けられる波長に対応するピークを備える。ある場合には、ＳＳ−ＯＣＴは、比較的に長いコヒーレンス長（典型的には、数ミリメートルを上回る）を伴う光源を利用する。いくつかの実施形態では、干渉信号の振幅は、２つの網膜層の間の距離が増加すると減少する。ある事例では、ピークの位置は、組織の各層の厚さを示す。参照ミラーは、サンプルまで進行する光のためのより長い光路長を可能にする。ある場合には、これは、最大干渉信号がより高い周波数において入手される、周波数を偏移させる効果を有する。いくつかの実施形態では、より高い周波数への本偏移は、雑音に対してよりロバストである様式でＯＣＴ信号の検出を可能にする。
【０２０３】
ある場合には、光源は、レーザ源を備える。いくつかの実施形態では、レーザ源は、同調され得る波長を有する、レーザ光を生成する。ある事例では、レーザ源は、ＯＣＴ信号を取得するために波長の範囲にわたって走査される。ある場合には、レーザ源は、ＯＣＴ信号の急速入手を可能にするように急速に走査されることが可能である。いくつかの実施形態では、レーザ源は、垂直キャビティ面発光レーザ（ＶＣＳＥＬ）を備える。ある事例では、ＶＣＳＥＬは、ＶＣＳＥＬに提供される電流を変動させることによって同調される。ある場合には、ＶＣＳＥＬは、電流を連続的に変動させることによって、波長の範囲を横断して連続的に走査される。いくつかの実施形態では、ＶＣＳＥＬは、電流を周期的に変動させることによって、波長の範囲を横断して周期的に走査される。例えば、ＶＣＳＥＬは、正弦波的に変動する波長を生成するように、正弦波的に変動する電流を提供されてもよい。
【０２０４】
いくつかの実施形態では、フロントエンド光学系は、レンズ等の光学要素を備える。ある事例では、フロントエンド光学系は、任意の反射、屈折、または回折要素を備える。ある場合には、フロントエンド光学系は、１つを上回る反射、屈折、または回折要素を備える。いくつかの実施形態では、フロントエンド光学系は、電気光学、磁気光学、音響光学、または機械光学デバイスを備える。フロントエンド光学系は、当業者に公知である任意の光学要素を備えてもよい。
【０２０５】
ある場合には、フロントエンド光学系は、本明細書に説明されるような走査光学要素を備える。
【０２０６】
図７Ｂは、いくつかの実施形態による、ＶＣＳＥＬが、参照ミラーが欠けている掃引源光干渉断層撮影（ＳＳ−ＯＣＴ）デバイス内で動作する、波長範囲を示す。光源は、中心波長λを伴う光を放射する。中心波長は、波長の範囲Δλにわたって変動される。
【０２０７】
図７Ｃは、参照ミラーが、参照ミラーが存在しない場合のＯＣＴピークの周波数と比較して、ＯＣＴピークをより高い光周波数に偏移させ得る方法を示す。参照ミラーがない場合、所与のサンプルのＯＣＴピークは、ｔ（符号化された）によって示される、比較的に低い周波数において取得される。本周波数は、サンプルにおける光路差に対応する。参照ミラーの存在は、サンプルの各境界が参照ミラーに干渉するという効果を有する。２つの境界を伴うサンプルに関して、本効果は、図７Ｃのｄ（符号化された）およびｄ＋ｔ（符号化された）として表される、ＯＣＴ信号の中の２つの比較的に高い周波数成分を生じさせる。これら２つの周波数の間の差は、サンプルの境界の間の距離に対応する。網膜または網膜層に関して、差は、したがって、それぞれ、ＲＴまたはＲＬＴに対応する。
【０２０８】
ある場合には、ＶＣＳＥＬは、連続使用のための最大推奨電流を有する。いくつかの実施形態では、最大連続電流定格は、ＶＣＳＥＬが掃引され得る波長の範囲を限定する。ある事例では、ＶＣＳＥＬは、１ｍＡ、２ｍＡ、３ｍＡ、４ｍＡ、５ｍＡ、６ｍＡ、７ｍＡ、８ｍＡ、９ｍＡ、または１０ｍＡ以下の連続動作電流に限定される。ある場合には、ＶＣＳＥＬによって放射される波長は、０．３ｎｍ／ｍＡの比例定数を伴う動作電流とともに直線的に変動する。いくつかの実施形態では、本電流限界は、ＶＣＳＥＬが掃引され得る波長の範囲を限定する。ある事例では、ＶＣＳＥＬは、以下の数のうちのいずれか２つ、すなわち、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、または３．０ｎｍによって定義される範囲にわたって掃引される。ある場合には、本掃引範囲限界は、ＶＣＳＥＬベースのＳＳ−ＯＣＴデバイスの入手可能な軸方向分解能を限定する。いくつかの実施形態では、掃引範囲は、本明細書に説明されるように、最大電流定格を超える電流を駆動することによって増加される。
【０２０９】
したがって、ある場合には、ＶＣＳＥＬの限定された動作範囲は、入手可能な軸方向分解能を限定する。いくつかの実施形態では、８５０ｎｍの中心動作波長を伴うＶＣＳＥＬに関して、入手可能な軸方向分解能は、それぞれ、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、および３．０ｎｍの動作範囲のために、１，０６２μｍ、５３１μｍ、３５４μｍ、２６６μｍ、２１３μｍ、１７７μｍ、１５２μｍ、１３３μｍ、１１８μｍ、または１０６μｍと同程度に良好である。ある事例では、ＶＣＳＥＬは、０．０１ｍＷ、０．０２５ｍＷ、０．０５ｍＷ、０．１ｍＷ、０．２５ｍＷ、０．５ｍＷ、１ｍＷ、２．５ｍＷ、５ｍＷ、１０ｍＷ、２５ｍＷ、５０ｍＷ、１００ｍＷ、２５０ｍＷ、５００ｍＷ、１Ｗ、２．５Ｗ、５Ｗ、１０Ｗ、２５Ｗ、５０Ｗ、または１００Ｗ以下の光強度を放射する。
【０２１０】
光源は、ＶＣＳＥＬである必要はない。ある場合には、光源は、増幅自然放射（ＡＳＥ）を利用するドープファイバ増幅器である。ある場合には、光源は、スーパールミネセントダイオード（ＳＬＤ）である。加えて、いくつかの実施形態では、光源は、複数の光源を備える。
【０２１１】
ある場合には、限定された入手可能な軸方向分解能は、ＳＳ−ＯＣＴシステム内の２つまたはそれを上回るＶＣＳＥＬもしくは他の光源を利用することによって改良される。いくつかの実施形態では、２つまたはそれを上回るＶＣＳＥＬもしくは他の光源はそれぞれ、他のＶＣＳＥＬまたは他の光源のそれぞれの発光スペクトルと明確に異なる発光スペクトルを有する。ある場合には、２つまたはそれを上回るＶＣＳＥＬの発光スペクトルは、部分的に重複する。ある場合には、２つまたはそれを上回るＶＣＳＥＬの発光スペクトルは、重複しない。このようにして、いくつかの実施形態では、２つまたはそれを上回るＶＣＳＥＬもしくは他の光源は、合体し、ＳＳ−ＯＣＴ測定のためのより広い範囲の発光波長を生成する。ある事例では、これは、ＳＳ−ＯＣＴ測定の入手可能な軸方向分解能を増進する。
【０２１２】
図８Ａは、いくつかの実施形態による、第１の特定の時点における、２つのＶＣＳＥＬを利用し、参照ミラーが欠けている掃引源光干渉断層撮影（ＳＳ−ＯＣＴ）デバイスの光学系を示す。ある場合には、光学系１０２は、第１のＶＣＳＥＬまたは他の光源８００と、第２のＶＣＳＥＬまたは他の光源８０５と、第１のビームスプリッタ８１０と、第２のビームスプリッタ８１５と、本明細書に説明されるようなフロントエンド光学系８２０と、処理ユニット８４０とを備える。いくつかの実施形態では、処理ユニットはさらに、光検出器８４２と、信号処理モジュール８４４とを備える。第１の光源からの光は、ビームスプリッタに衝突する。光は、次いで、フロントエンド光学系に、次いで、サンプル８５０に指向される。ある事例では、第１の特定の時点で、第１のＶＣＳＥＬまたは他の光源が、オンである（レーザ光をサンプルに送信している）一方で、第２のＶＣＳＥＬまたは他の光源は、オフである（レーザ光をサンプルに送信していない）。光は、各層の各境界においてデバイスに後方反射される。第１の層の境界から反射される光は、第２の層の後方境界から反射される光に干渉する。干渉信号は、光検出器において検出される。
【０２１３】
図８Ｂは、いくつかの実施形態による、第２の特定の時点における、２つのＶＣＳＥＬを利用し、参照ミラーが欠けている掃引源光干渉断層撮影（ＳＳ−ＯＣＴ）デバイスの概略図を示す。ある事例では、第２の特定の時点で、第１のＶＣＳＥＬまたは他の光源が、オフである（レーザ光をサンプルに送信していない）一方で、第２のＶＣＳＥＬまたは他の光源は、オンである（レーザ光をサンプルに送信している）。光は、各層の各境界においてデバイスに後方反射される。第１の層の境界から反射される光は、第２の層の境界から反射される光に干渉する。干渉信号は、光検出器において検出される。
【０２１４】
本プロセスは、第１および第２の光源によって放射される波長の範囲全体にわたって繰り返される。干渉信号の振幅は、波長とともに変動し、境界から反射される光および参照ミラーから反射される光が同相であるとき、または境界から反射される光が別の境界から反射される光と同相であるときに、最大値を入手する。本状態は、境界毎に１つまたはそれを上回る特定の光の波長において入手され、干渉信号の１つまたはそれを上回る最大値によって特徴付けられる。他の波長において、干渉信号は、部分建設的干渉または破壊的干渉を示す。全ての波長における干渉信号は、インターフェログラムを形成するようにコンパイルされる。インターフェログラムは、信号分析手順を受ける。ある場合には、インターフェログラムは、スペクトルを形成するように、高速フーリエ変換（ＦＦＴ）等の周波数分析手順を受ける。スペクトルは、境界毎に干渉最大値と関連付けられる波長に対応するピークを備える。ある場合には、ＳＳ−ＯＣＴは、短いコヒーレンス長（典型的には、数ミリメートル未満）を伴う光源を利用する。そのような場合では、干渉信号の振幅は、波長が干渉最大値と関連付けられる波長から離されると急速に減少する。いくつかの実施形態では、これは、周波数スペクトル内で狭いピークを生じる。ある事例では、ピークの間の距離は、組織の各層の厚さを示す。
【０２１５】
ある場合には、光源は、レーザ源を備える。いくつかの実施形態では、レーザ源は、同調され得る波長を有する、レーザ光を生成する。ある事例では、レーザ源は、ＯＣＴ信号を取得するために波長の範囲にわたって走査される。ある場合には、レーザ源は、ＯＣＴ信号の急速入手を可能にするように急速に走査されることが可能である。いくつかの実施形態では、レーザ源は、垂直キャビティ面発光レーザ（ＶＣＳＥＬ）を備える。ある事例では、ＶＣＳＥＬは、ＶＣＳＥＬに提供される電流を変動させることによって同調される。ある場合には、ＶＣＳＥＬは、電流を連続的に変動させることによって、波長の範囲を横断して連続的に走査される。いくつかの実施形態では、ＶＣＳＥＬは、電流を周期的に変動させることによって、波長の範囲を横断して周期的に走査される。例えば、ＶＣＳＥＬは、正弦波的に変動する波長を生成するように、正弦波的に変動する電流を提供されてもよい。
【０２１６】
いくつかの実施形態では、フロントエンド光学系は、レンズ等の光学要素を備える。ある事例では、フロントエンド光学系は、任意の反射、屈折、または回折要素を備える。ある場合には、フロントエンド光学系は、１つを上回る反射、屈折、または回折要素を備える。いくつかの実施形態では、フロントエンド光学系は、電気光学、磁気光学、音響光学、または機械光学デバイスを備える。ある事例では、フロントエンド光学系は、当業者に公知である任意の光学要素を備える。
【０２１７】
ある事例では、フロントエンド光学系は、光源が網膜上の異なる場所に移動されることを可能にするための走査光学要素を備える。ある事例では、これは、網膜上の異なる場所におけるＲＴまたはＲＬＴを決定するように、複数の測定が行われることを可能にする。いくつかの実施形態では、走査光学要素は、検流計を備える。ある事例では、走査光学要素は、音響光学変調器を備える。ある場合には、走査光学要素は、電気光学変調器を備える。いくつかの実施形態では、走査光学要素は、ｘｙステージを備える。走査光学要素は、当業者に公知であるような任意の走査光学要素を備えてもよい。
【０２１８】
図８Ｃは、いくつかの実施形態による、ＶＣＳＥＬが、２つのＶＣＳＥＬを利用し、参照ミラーが欠けている掃引源光干渉断層撮影（ＳＳ−ＯＣＴ）デバイス内で動作する、波長範囲を示す。
【０２１９】
波長掃引は、種々の様式で２つまたはそれを上回るＶＣＳＥＬもしくは他の光源の間で調整されてもよい。一実施形態では、第１のＶＣＳＥＬまたは他の光源が、その波長範囲全体にわたって掃引される一方で、第２のＶＣＳＥＬまたは他の光源は、オフである。第２のＶＣＳＥＬまたは他の光源が、次いで、その波長範囲全体にわたって掃引される一方で、第１のＶＣＳＥＬまたは他の光源は、オフである。波長掃引は、ＳＳ−ＯＣＴ信号全体が取得されるまで、２つのＶＣＳＥＬまたは他の光源の間で交互に起こる。ある場合には、第２のＶＣＳＥＬは、第１のＶＣＳＥＬがオフにされるときに、第１のＶＣＳＥＬの約０．１ｎｍ以内で波長を有する光を放射するように構成される。いくつかの実施形態では、ＶＣＳＥＬは、約５０Ｈｚ〜約１０ｋＨｚの間の率で掃引される。ある事例では、ＶＣＳＥＬは、約１ｋＨｚ〜約５ｋＨｚの間の率で掃引される。
【０２２０】
別の実施形態では、２つまたはそれを上回るＶＣＳＥＬは、同時に、同一の率で、それらの波長掃引を受ける。そのような設定では、第１のＶＣＳＥＬまたは他の光源から生じるＯＣＴ信号と第２のＶＣＳＥＬまたは他の光源から生じるＯＣＴ信号との間の時間的相関を除去することが役立ち得る。これは、例えば、当業者によって容易に理解されるであろうように、図８Ａの光学設定を修正し、光検出器の代わりに分光計を含むことによって、遂行され得る。ある場合には、２つのＶＣＳＥＬの掃引周波数は、実質的に同一である。いくつかの実施形態では、２つのＶＣＳＥＬの掃引率は、相互の５％以内である。ある事例では、２つのＶＣＳＥＬの掃引率は、相互の１％以内である。ある場合には、ＶＣＳＥＬは、約５０Ｈｚ〜約１０ｋＨｚの率で掃引される。いくつかの実施形態では、ＶＣＳＥＬは、約１ｋＨｚ〜約５ｋＨｚの率で掃引される。
【０２２１】
別の実施形態では、２つまたはそれを上回るＶＣＳＥＬは、同時であるが、異なる率で、それらの波長掃引を受ける。例えば、第１のＶＣＳＥＬまたは他の光源は、第１の時間量でその波長掃引を完了するように、第１の率でその発光波長の範囲にわたって掃引されてもよい。第２のＶＣＳＥＬまたは他の光源は、第１の時間量と異なる第２の時間量でその波長掃引を完了するように、第１の率と異なる第２の率でその発光波長の範囲にわたって掃引される。このようにして、第１のＶＣＳＥＬまたは他の光源から生じるＳＳ−ＯＣＴ信号は、第２のＶＣＳＥＬまたは他の光源から生じるＳＳ−ＯＣＴ信号の時間的符号化と異なる様式で、時間的に符号化される。第１のＶＣＳＥＬまたは他の光源から生じるＳＳ−ＯＣＴ信号は、次いで、信号処理手段を通して、第２のＶＣＳＥＬまたは他の光源から生じるＳＳ−ＯＣＴ信号と区別される。ある場合には、ＶＣＳＥＬは、約５０Ｈｚ〜約１０ｋＨｚの率で掃引される。いくつかの実施形態では、ＶＣＳＥＬは、約１ｋＨｚ〜約５ｋＨｚの率で掃引される。
【０２２２】
いくつかの実施形態では、本システムは、２、３、４、５、６、７、８、９、１０個、またはそれを上回るＶＣＳＥＬもしくは他の光源を備える。ある事例では、各ＶＣＳＥＬは、連続使用のための最大推奨電流を有する。ある場合には、最大連続動作電流定格は、各ＶＣＳＥＬが掃引され得る波長の範囲を限定する。例えば、各ＶＣＳＥＬは、１ｍＡ、２ｍＡ、３ｍＡ、４ｍＡ、５ｍＡ、６ｍＡ、７ｍＡ、８ｍＡ、９ｍＡ、または１０ｍＡ以下の連続動作電流に限定されてもよい。ある場合には、各ＶＣＳＥＬによって放射される波長は、０．３ｎｍ／ｍＡの比例定数を伴う動作電流とともに直線的に変動する。いくつかの実施形態では、これは、各ＶＣＳＥＬが掃引され得る波長の範囲を、０．３ｎｍ、０．６ｎｍ、０．９ｎｍ、１．２ｎｍ、１．５ｎｍ、１．８ｎｍ、２．１ｎｍ、２．４ｎｍ、２．７ｎｍ、または３．０ｎｍに限定する。ある事例では、２、３、４、５、６、７、８、９、１０個、またはそれを上回るＶＣＳＥＬもしくは他の光源の組み合わせは、最大３０ｎｍまたはそれを上回る波長の全範囲を生成する。ある場合には、複数のＶＣＳＥＬの使用は、例えば、５ｎｍ〜１０ｎｍの範囲内の掃引波長範囲を可能にする。
【０２２３】
したがって、ある場合には、２、３、４、５、６、７、８、９、１０個、またはそれを上回るＶＣＳＥＬのより広い全動作範囲は、入手可能な軸方向分解能を増進する。いくつかの実施形態では、約８５０ｎｍの中心動作波長をそれぞれ伴う２つのＶＣＳＥＬのセットに関して、入手可能な軸方向分解能は、各ＶＣＳＥＬが３．０ｎｍの動作範囲を有する場合に５３μｍである。３つのＶＣＳＥＬがあると、入手可能な軸方向分解能は、各ＶＣＳＥＬが３．０ｎｍの動作範囲を有する場合に３５μｍである。４つのＶＣＳＥＬがあると、入手可能な軸方向分解能は、各ＶＣＳＥＬが３．０ｎｍの動作範囲を有する場合に２７μｍである。ある場合には、ＶＣＳＥＬの数がますます増えると、入手可能な軸方向分解能は、さらに増進される。いくつかの実施形態では、各ＶＣＳＥＬは、０．０１ｍＷ、０．０２５ｍＷ、０．０５ｍＷ、０．１ｍＷ、０．２５ｍＷ、０．５ｍＷ、１ｍＷ、２．５ｍＷ、５ｍＷ、１０ｍＷ、２５ｍＷ、５０ｍＷ、１００ｍＷ、２５０ｍＷ、５００ｍＷ、１Ｗ、２．５Ｗ、５Ｗ、１０Ｗ、２５Ｗ、５０Ｗ、または１００Ｗ以下の光強度を放射する。
【０２２４】
複数のＯＣＴ光源を使用して、向上した分解能を用いて全体的ＯＣＴ信号を取得することは、個々のＯＣＴ光源と関連付けられる振幅、位相、または他の光学パラメータの変動を考慮するために、個々のＯＣＴ光源のそれぞれから取得されるＯＣＴ信号を補正する所望を導入し得る。そのような変動は、本明細書に説明されるシステムおよび方法を使用して補正され得る。例えば、変形例は、例えば、図４５Ａ−Ｂおよび図４６Ａ−Ｇに関して本明細書に説明される光学システムおよび方法を使用して補正され得る。
【０２２５】
図４５Ａは、いくつかの実施形態による、複数のＯＣＴ光源によって放射される光の波長を特性評価するように構成される光学系の概略図を示す。図４５Ａに示されるように、光学系は、それぞれ、第１、第２、第３、および第４の光源７００ａ、７００ｂ、７００ｃ、ならびに７００ｄを備えてもよい。第１、第２、第３、および第４の光源はそれぞれ、本明細書に説明される光源７００等の本明細書に説明される任意の光源に類似し得る。第１、第２、第３、および第４の光源は、それぞれ、第１、第２、第３、および第４の放射光を放射してもよい。第１、第２、第３、および第４の光源のうちのいずれか２つ、３つ、または４つは、異なる時点で光を放射してもよい。代替として、または組み合わせて、第１、第２、第３、および第４の光源のうちのいずれか２つ、３つ、または４つは、同時に光を放射してもよい。第１、第２、第３、および第４の光源によって放射される光は、コリメートレンズ２２１０に指向されてもよい。
【０２２６】
光学系はさらに、強度測定モジュール４５００を備えてもよい。第１、第２、第３、または第４の光源によって放射される光は、コリメートされ、強度測定モジュールに指向されてもよい。強度測定モジュールは、本明細書に説明されるように、第１、第２、第３、または第４の光源によって放射される光の一部をレンズ２２７０に指向するように構成される、ビームスプリッタ２２５０と、光検出器２２６０とを備えてもよい。強度測定モジュールは、第１、第２、第３、または第４の光源によって放射される光強度を測定するように構成されてもよい。
【０２２７】
光学系はさらに、サンプル測定モジュール４５１０を備えてもよい。ビームスプリッタ４５５０は、第１、第２、第３、または第４の光源によって放射される光の一部をサンプル測定モジュールに指向するように構成されてもよい。サンプル測定モジュールは、眼７５０等のサンプルからのＯＣＴ信号を測定するように構成されてもよい。サンプル測定モジュールは、ビームスプリッタ７１０ａと、集束レンズ３６６０ａと、参照ミラー７３０ａと、集束レンズ２３３０ａと、検出器７４０ａと、レンズ２３３０ａとを備えてもよい。ビームスプリッタ７１０ａ、集束レンズ３６６０ａ、参照ミラー７３０ａ、集束レンズ２３３０ａ、検出器７４０ａ、およびレンズ２３３０ａは、それぞれ、本明細書に説明される、ビームスプリッタ７１０、集束レンズ３６６０、参照ミラー７３０、集束レンズ２３３０、検出器７４０、およびレンズ２３３０に類似し得る。サンプル測定モジュールの要素は、本明細書に説明されるようなＯＣＴ信号を測定するように構成されてもよい。いくつかの実施形態では、サンプル測定モジュールは、例えば、本明細書に説明されるような走査ミラー等のスキャナに結合される。
【０２２８】
光学系はさらに、第１の波長特性評価モジュール４５２０を備えてもよい。ビームスプリッタ４５６０は、第１、第２、第３、または第４の光源によって放射される光の一部を第１の波長特性評価モジュールに指向するように構成されてもよい。第１の波長特性評価モジュールは、第１、第２、第３、または第４の光源によって放射される光の波長を特性評価するように構成されてもよい。第１の波長特性評価モジュールは、ビームスプリッタ７１０ｂと、集束レンズ３６６０ｂと、参照ミラー７３０ｂと、集束レンズ２３３０ｂと、検出器７４０ｂと、レンズ２３３０ｂとを備えてもよい。ビームスプリッタ７１０ｂ、集束レンズ３６６０ｂ、参照ミラー７３０ｂ、集束レンズ２３３０ｂ、検出器７４０ｂ、およびレンズ２３３０ｂは、それぞれ、本明細書に説明される、ビームスプリッタ７１０、集束レンズ３６６０、参照ミラー７３０、集束レンズ２３３０、検出器７４０、およびレンズ２３３０に類似し得る。第１の波長特性評価モジュールはさらに、ミラー４５０５ｂを備えてもよい。ミラーは、（例えば、図４５Ａに描写されるように左から右の様式で）移動し、参照ミラー７３０ｂおよび走査ミラー４５０５ｂから反射される光の間の光路差を改変するように構成される、走査ミラーであってもよい。代替として、ミラー４５０５ｂは、場所を固定されてもよい。
【０２２９】
光学系はさらに、第２の波長特性評価モジュール４５３０を備えてもよい。ビームスプリッタ４５６０は、第１、第２、第３、または第４の光源によって放射される光の一部を第２の波長特性評価モジュールに指向するように構成されてもよい。第２の波長特性評価モジュールは、第１、第２、第３、または第４の光源によって放射される光の波長を特性評価するように構成されてもよい。第２の波長特性評価モジュールは、ビームスプリッタ７１０ｃと、集束レンズ３６６０ｃと、参照ミラー７３０ｃと、集束レンズ２３３０ｃと、検出器７４０ｃと、レンズ２３３０ｃとを備えてもよい。ビームスプリッタ７１０ｃ、集束レンズ３６６０ｃ、参照ミラー７３０ｃ、集束レンズ２３３０ｃ、検出器７４０ｃ、およびレンズ２３３０ｃは、それぞれ、本明細書に説明される、ビームスプリッタ７１０、集束レンズ３６６０、参照ミラー７３０、集束レンズ２３３０、検出器７４０、およびレンズ２３３０に類似し得る。第２の波長特性評価モジュールはさらに、ミラー４５０５ｃを備えてもよい。ミラーは、（例えば、図４５Ａに描写されるように左から右の様式で）移動し、参照ミラー７３０ｃおよび走査ミラー４５０５ｃから反射される光の間の光路差を改変するように構成される、走査ミラーであってもよい。代替として、ミラー４５０５ｃは、場所を固定されてもよい。
【０２３０】
図４５Ａでは４つの光源を備えるものとして描写されるが、本システムは、少なくとも２個、少なくとも３個、少なくとも４個、少なくとも５個、少なくとも６個、少なくとも７個、少なくとも８個、少なくとも９個、少なくとも１０個、少なくとも２０個、少なくとも３０個、少なくとも４０個、少なくとも５０個、少なくとも６０個、少なくとも７０個、少なくとも８０個、少なくとも９０個、または少なくとも１００個の光源等の任意の数の光源、もしくは前述の値のうちのいずれか２つによって定義される範囲内である光源の数を備えてもよい。図４５Ａでは２つの波長特性評価モジュールを備えるものとして描写されるが、本システムは、少なくとも１個、少なくとも２個、少なくとも３個、少なくとも４個、少なくとも５個、少なくとも６個、少なくとも７個、少なくとも８個、少なくとも９個、少なくとも１０個、少なくとも２０個、少なくとも３０，少なくとも４０個、少なくとも５０個、少なくとも６０個、少なくとも７０個、少なくとも８０個、少なくとも９０個、または少なくとも１００個の波長特性評価モジュール（およびその要素）等の任意の数の波長特性評価モジュール（およびその要素）、もしくは前述の値のうちのいずれか２つによって定義される範囲内である波長特性評価モジュール（およびその要素）の数を備えてもよい。
【０２３１】
図４５Ｂは、いくつかの実施形態による、複数のＯＣＴ光源によって放射される光の波長を特性評価するように構成される光学系を備える、光学ブレッドボードを示す。図４５Ｂに示されるように、光学系は、それぞれ、第１、第２、第３、および第４の光源７００ａ、７００ｂ、７００ｃ、ならびに７００ｄと、強度測定モジュール４５００と、サンプル測定モジュール４５１０と、それぞれ、第１および第２の波長特性評価モジュール４５２０ならびに４５３０とを備える。
【０２３２】
波長特性評価光学系（本明細書に説明される第１および第２の波長特性評価モジュール等）によって取得される、またはサンプル測定モジュールからの信号は、複数の光源からのクロック信号の合体スティッチングを可能にし得る。
【０２３３】
図４６Ａは、いくつかの実施形態による、本明細書に説明される第１の波長特性評価モジュールによって測定されるような第１の光源からのクロック信号４６１０を示す。クロック信号４６１０は、比較的に低い周波数のクロック信号であってもよい。クロック信号は、波長特性評価モジュールの検出器を用いて測定される干渉光の測定された強度信号を備えてもよい。いくつかの実施形態では、クロック信号の周波数は、干渉計のミラーの間の光路距離に応答して決定される。ミラーの間のより短い距離は、概して、より低い周波数に対応し得、ミラーの間のより長い距離は、より高い周波数に対応し得る。モジュールからの周波数は、０．１、０．２５、０．５、１、２、５、１０、２０、５０、１００倍、および前述の値のうちのいずれか２つによって定義される範囲の倍数だけ異なり得る。より低い周波数の信号は、第１のＶＣＳＥＬからの第１の測定信号を第２のＶＣＳＥＬからの第２の測定信号とスティッチするときに、曖昧度を低減させ得る。より高い周波数成分は、スティッチングの精度および正確度を増加させ得る。
【０２３４】
図４６Ｂは、いくつかの実施形態による、本明細書に説明される第２の波長特性評価モジュールによって測定されるような第１の光源からのクロック信号４６２０を示す。クロック信号４６２０は、比較的に高い周波数のクロック信号を備えてもよい。
【０２３５】
図４６Ｃは、いくつかの実施形態による、本明細書に説明される第１の波長特性評価モジュールによって測定されるような第２の光源からのクロック信号４６３０を示す。クロック信号４６３０は、比較的に低い周波数のクロック信号を備えてもよい。図４６Ｃに示されるように、第２の光源からのクロック信号４６３０は、第１の光源からのクロック信号４６１０と位相がずれ得る。
【０２３６】
図４６Ｄは、いくつかの実施形態による、本明細書に説明される第２の波長特性評価モジュールによって測定されるような第２の光源からのクロック信号４６４０を示す。クロック信号４６４０は、比較的に高い周波数のクロック信号であってもよい。図４６Ｄに示されるように、第２の光源からのクロック信号４６４０は、第１の光源からのクロック信号４６２０と位相がずれ得る。
【０２３７】
図４６Ｅは、いくつかの実施形態による、第１の波長特性評価モジュールによって測定されるような第１の光源からのクロック信号および第１の波長特性評価モジュールによって測定されるような第２の光源からのクロック信号の合体スティッチングを示す。それぞれ、第１および第２の光源からの低周波数クロック信号４６１０および４６３０は、クロック信号４６１０の一部（クロック信号４６１０の終了の近傍で生じる一部等）およびクロック信号４６３０の一部（クロック信号４６３０の開始の近傍で生じる一部等）に部分的に重複することによって、時系列においてともにスティッチされてもよい。部分的重複は、クロック信号４６１０を偏移させることによって達成され得る。このように、クロック信号４６１０および４６３０は、時間において連続信号にスティッチされてもよい。
【０２３８】
図４６Ｆは、いくつかの実施形態による、第２の波長特性評価モジュールによって測定されるような第１の光源からのクロック信号および第２の波長特性評価モジュールによって測定されるような第２の光源からのクロック信号の合体スティッチングを示す。それぞれ、第１および第２の光源からの高周波数クロック信号４６２０および４６４０は、クロック信号４６２０の一部（クロック信号４６２０の終了の近傍で生じる一部等）およびクロック信号４６４０の一部（クロック信号４６４０の開始の近傍で生じる一部等）に部分的に重複することによって、時系列においてともにスティッチされてもよい。部分的重複は、クロック信号４６２０を偏移させることによって達成され得る。このように、クロック信号４６２０および４６４０は、時間において連続信号にスティッチされてもよい。
【０２３９】
図４６Ａ−Ｆは、２つの光源からのクロック信号の合体スティッチングを描写するが、信号は、任意の数の光源からスティッチされてもよい。例えば、信号は、少なくとも２個、少なくとも３個、少なくとも４個、少なくとも５個、少なくとも６個、少なくとも７個、少なくとも８個、少なくとも９個、または少なくとも１０個の光源、もしくは前述の値のうちのいずれか２つによって定義される範囲内である光源の数から、ともにスティッチされてもよい。
【０２４０】
図４６Ｇは、いくつかの実施形態による、複数の光源からのクロック信号または干渉計信号の合体スティッチングの概略図を示す。図４６Ｇに示されるように、第１、第２、第３、および第４の光源からのクロック信号は、位相評価および振幅復調手順を受け得る。位相評価および振幅復調手順は、本明細書に説明されるシステムおよび方法を使用して実装されてもよい。例えば、位相評価手順は、本明細書に説明される波長特性評価モジュールを使用して実装されてもよい。位相評価および振幅復調手順は、第１の光源と関連付けられる第１の位相偏移Δｋ１、第２の光源と関連付けられる第２の位相偏移Δｋ２、第３の光源と関連付けられる第３の位相偏移Δｋ３、および第４の光源と関連付けられる第４の位相偏移Δｋ４を決定するように実装されてもよい。第１、第２、第３、および第４の位相偏移は、大域的位相偏移Δｋを定義するように組み合わせられてもよい。第１、第２、第３、および第４の光源と関連付けられるクロック信号は、グローバル位相偏移に対して再サンプリングされてもよい。クロック信号は、次いで、本明細書に説明されるように、ともにスティッチされてもよい。本手順は、各波長特性評価モジュールから取得されるクロック信号に関して繰り返されてもよい。例えば、本手順は、本明細書に説明される第１および第２の各波長特性評価モジュールに関して繰り返されてもよい。本手順は、少なくとも２個、少なくとも３個、少なくとも４個、少なくとも５個、少なくとも６個、少なくとも７個、少なくとも８個、少なくとも９個、または少なくとも１０個の波長特性評価モジュールに関して、もしくは前述の値のうちのいずれか２つによって定義される範囲内である波長特性評価モジュールの数に関して繰り返されてもよい。
【０２４１】
スティッチされたクロック信号は、第１、第２、第３、および第４の光源によって取得されるＯＣＴ干渉計信号をともにスティッチするために使用されてもよい。振幅復調手順から取得される情報は、第１、第２、第３、および第４の光源によって取得されるＯＣＴ信号の振幅復調を実施するために利用されてもよい。第１、第２、第３、および第４の光源と関連付けられるＯＣＴ干渉法信号は、グローバル位相偏移Δｋに対して再サンプリングされてもよい。再サンプリングされたＯＣＴ干渉法信号は、次いで、スティッチされたクロック信号からのスティッチング情報を使用して、ともにスティッチされてもよい。
【０２４２】
複数のＯＣＴ光源を使用して、向上した分解能を用いて全体的ＯＣＴ信号を取得することはまた、個々のＯＣＴ光源の物理的場所の変動、およびそれらの物理的場所が、個々のＯＣＴ光源によって放射される光がＯＣＴシステムの他の光学要素と相互作用する様式に影響を及ぼす様子を考慮するために、個々のＯＣＴ光源のそれぞれから取得されるＯＣＴ信号を補正する必要性を導入し得る。そのような変動は、本明細書に説明されるシステムおよび方法を使用して補正され得る。例えば、変形例は、図４７Ａ−Ｊに関して本明細書に説明される光学システムおよび方法を使用して補正され得る。
【０２４３】
図４７Ａは、いくつかの実施形態による、複数のＯＣＴ光源の物理的場所の変動と関連付けられる光学ビームを示す。第１および第２のＯＣＴ光源７００ａならびに７００ｂは、それぞれ、それぞれ、第１および第２の光ビーム４７００ａならびに４７００ｂを放射してもよい。第１および第２の光源は、本明細書に説明される光源７００に類似し得る。第１および第２の光源がそれぞれ、有限量の物理的空間を占有するため、第１および第２の光源の一方または両方は、コリメートレンズ２２１０の中心軸から外れた位置に位置してもよい。例えば、図４７Ａに示されるように、第１の光源が、コリメートレンズの光軸の上方に位置してもよい一方で、第２の光源は、コリメートレンズの光軸の下方に位置してもよい。そのような場合では、コリメートレンズは、第１または第２の光の非理想的コリメーションを生成してもよい。例えば、コリメートレンズは、図４７Ａに示されるように、相互と平行ではないコリメートされた第１および第２の光を生成してもよい。結果として、第１および第２の光源が、同一の検出器上で干渉パターンを生成するように、ＯＣＴ光学システム上の要素を整合させることは非理想的であり得る。これは、図４７Ｂ−Ｊに関して本明細書に説明されるシステムおよび方法を使用して補正され得る。
【０２４４】
図４７Ｂは、いくつかの実施形態による、複数のＯＣＴ光源の物理的場所の変動と関連付けられる光学ビームを補正するように構成される光学系の第１の概略図を示す。図４７Ａに示されるように、コリメートレンズ２２１０は、それぞれ、（図４７Ａに描写される平行ではない第１および第２の光等の）第１および第２の光源７００ａならびに７００ｂによって放射される、それぞれ、第１および第２の光４７００ａならびに４７００ｂの非理想的コリメーションを生成してもよい。光学系は、それぞれ、（図４７Ａに描写される平行ではない第１および第２の光等の）第１および第２の光の非理想的コリメーションを補正するための、それぞれ、第１および第２のプリズム４７１０ａならびに４７１０ｂを備えてもよい。例えば、第１および第２のプリズムは、図４７Ｂに描写されるように、第１および第２の光の非平行経路を補正してもよい。第１および第２の光は、次いで、集束レンズ４７２０によって同一の場所（眼、眼の網膜、または検出器等）に集束されてもよい。図４７Ｂでは、２つの光源と、２つのプリズムとを備えるものとして描写されるが、光学系は、任意の数の光源と、任意の数のプリズムとを備えてもよい。例えば、光学系は、少なくとも２個、少なくとも３個、少なくとも４個、少なくとも５個、少なくとも６個、少なくとも７個、少なくとも８個、少なくとも９個、または少なくとも１０個の光源、もしくは前述の値のうちのいずれか２つによって定義される範囲内である光源の数を備えてもよい。光学系は、少なくとも２個、少なくとも３個、少なくとも４個、少なくとも５個、少なくとも６個、少なくとも７個、少なくとも８個、少なくとも９個、または少なくとも１０個のプリズム、もしくは前述の値のうちのいずれか２つによって定義される範囲内であるプリズムの数を備えてもよい。
【０２４５】
図４７Ｃは、いくつかの実施形態による、複数のＯＣＴ光源の物理的場所の変動と関連付けられる光学ビームを補正するように構成される光学系の第２の概略図を示す。図４７Ｃに示されるように、それぞれ、第１および第２の光源７００ａならびに７００ｂによって放射される、それぞれ、第１および第２の光４７００ａならびに４７００ｂの両方に作用するコリメートレンズは、なくてもよい。コリメートレンズの代わりに、光学系は、それぞれ、第１および第２の光を個別にコリメートするための、それぞれ、第１および第２のマイクロレンズ４７１５ａならびに４７１５ｂを備えてもよい。第１および第２の光は、次いで、集束レンズ４７２０によって同一の場所（眼、眼の網膜、または検出器等）に集束されてもよい。図４７Ｃでは、２つの光源と、２つのマイクロレンズとを備えるものとして描写されるが、光学系は、任意の数の光源と、任意の数のマイクロレンズとを備えてもよい。例えば、光学系は、少なくとも２個、少なくとも３個、少なくとも４個、少なくとも５個、少なくとも６個、少なくとも７個、少なくとも８個、少なくとも９個、または少なくとも１０個の光源、もしくは前述の値のうちのいずれか２つによって定義される範囲内である光源の数を備えてもよい。光学系は、少なくとも２個、少なくとも３個、少なくとも４個、少なくとも５個、少なくとも６個、少なくとも７個、少なくとも８個、少なくとも９個、または少なくとも１０個のプリズム、もしくは前述の値のうちのいずれか２つによって定義される範囲内であるプリズムの数を備えてもよい。
【０２４６】
図４７Ｄは、いくつかの実施形態による、複数のＯＣＴ光源の物理的場所の変動と関連付けられる光学ビームを補正するように構成される光学系の第３の概略図を示す。図４７Ｄに示されるように、第１の光源７００ａ（本明細書に説明される光源７００に類似し得る）によって放射される第１の光は、第１の結合レンズ４７３０ａを通して第１の入力光ファイバ４７３５ａの中に結合されてもよい。第２の光源７００ｂ（本明細書に説明される光源７００に類似し得る）によって放射される第２の光は、第２の結合レンズ４７３０ｂを通して第２の入力光ファイバ４７３５ｂの中に結合されてもよい。第１および第２の入力光ファイバは、第１のマルチプレクサ４７４０に結合されてもよい。第１のマルチプレクサからの多重化された光が、第１の多重化光ファイバ４７４５に出力されてもよい。第３の光源７００ｃ（本明細書に説明される光源７００に類似し得る）によって放射される第３の光は、第３の結合レンズ４７３０ｃを通して第３の入力光ファイバ４７３５ｃの中に結合されてもよい。第３の入力光ファイバおよび第１の多重化光ファイバは、第２のマルチプレクサ４７５０に結合されてもよい。第２のマルチプレクサからの多重化された光が、第２の多重化光ファイバ４７５５に出力されてもよい。第３の光源７００ｄ（本明細書に説明される光源７００に類似し得る）によって放射される第４の光は、第４の結合レンズ４７３０ｄを通して第４の入力光ファイバ４７３５ｄの中に結合されてもよい。第４の入力光ファイバおよび第２の多重化光ファイバは、第３のマルチプレクサ４７６０に結合されてもよい。第３のマルチプレクサからの多重化された光が、第３の多重化光ファイバ４７６５に出力されてもよい。第３の多重化光ファイバは、第１、第２、第３、および第４の光源からコリメートされた光を生成するように、出力ファイバ結合レンズ４７７０に結合されてもよい。
【０２４７】
図４７Ｄでは、４つの光源と、４つの結合レンズと、４つの入力光ファイバと、３つのマルチプレクサと、３つの多重化光ファイバとを備えるものとして描写されるが、光学系は、任意の数の光源と、任意の数の結合レンズと、任意の数の入力光ファイバと、任意の数のマルチプレクサと、任意の数の多重化光ファイバとを備えてもよい。例えば、光学系は、少なくとも２個、少なくとも３個、少なくとも４個、少なくとも５個、少なくとも６個、少なくとも７個、少なくとも８個、少なくとも９個、または少なくとも１０個の光源、もしくは前述の値のうちのいずれか２つによって定義される範囲内である光源の数を備えてもよい。光学系は、少なくとも２枚、少なくとも３枚、少なくとも４枚、少なくとも５枚、少なくとも６枚、少なくとも７枚、少なくとも８枚、少なくとも９枚、または少なくとも１０枚の結合レンズ、もしくは前述の値のうちのいずれか２つによって定義される範囲内である結合レンズの数を備えてもよい。光学系は、少なくとも２本、少なくとも３本、少なくとも４本、少なくとも５本、少なくとも６本、少なくとも７本、少なくとも８本、少なくとも９本、または少なくとも１０本の入力光ファイバ、もしくは前述の値のうちのいずれか２つによって定義される範囲内である入力光ファイバの数を備えてもよい。光学系は、少なくとも２個、少なくとも３個、少なくとも４個、少なくとも５個、少なくとも６個、少なくとも７個、少なくとも８個、少なくとも９個、または少なくとも１０個のマルチプレクサ、もしくは前述の値のうちのいずれか２つによって定義される範囲内であるマルチプレクサの数を備えてもよい。光学系は、少なくとも２本、少なくとも３本、少なくとも４本、少なくとも５本、少なくとも６本、少なくとも７本、少なくとも８本、少なくとも９本、または少なくとも１０本の多重化光ファイバ、もしくは前述の値のうちのいずれか２つによって定義される範囲内である多重化光ファイバの数を備えてもよい。
【０２４８】
図４７Ｅは、いくつかの実施形態による、複数のＯＣＴ光源の物理的場所の変動と関連付けられる光学ビームを補正するための第１の網膜走査パターンを示す。図４７Ｅに示されるように、ＯＣＴ信号は、第１、第２、第３、および第４のＯＣＴ信号の間に減少した時間的分離を伴って、第１、第２、第３、および第４のＯＣＴ信号を入手することによって、それぞれ、第１、第２、第３、および第４の光源と関連付けられる第１、第２、第３、および第４のＯＣＴ信号を組み合わせることによって、組み合わせられてもよい。例えば、第１の光源と関連付けられる第１のＯＣＴ信号４７８０ａが、第１の時間に取得されてもよい。第２の光源と関連付けられる第２のＯＣＴ信号４７８０ｂが、第２の時間に取得されてもよく、第２の時間は、第１の時間後に非常に接近して続く。例えば、第２の時間は、第１の時間から少なくとも０．００１ミリ秒、少なくとも０．００２ミリ秒、少なくとも０．００５ミリ秒、少なくとも０．０１ミリ秒、少なくとも０．０２ミリ秒、少なくとも０．０５ミリ秒、少なくとも０．１ミリ秒、少なくとも０．２ミリ秒、少なくとも０．５ミリ秒、または少なくとも１ミリ秒後に続いてもよい。第２の時間は、第１の時間から最大で１ミリ秒、最大で０．５ミリ秒、最大で０．２ミリ秒、最大で０．１ミリ秒、最大で０．０５ミリ秒、最大で０．０２ミリ秒、最大で０．０１ミリ秒、最大で０．００５ミリ秒、最大で０．００２ミリ秒、または最大で０．００１ミリ秒後に続いてもよい。第２の時間は、前述の値のうちのいずれか２つによって定義される範囲内である時間周期だけ第１の時間に続いてもよい。第３の光源と関連付けられる第３のＯＣＴ信号４７８０ｃが、第３の時間に取得されてもよく、第３の時間は、第２の時間後に非常に接近して続く。例えば、第３の時間は、第２の時間から少なくとも０．００１ミリ秒、少なくとも０．００２ミリ秒、少なくとも０．００５ミリ秒、少なくとも０．０１ミリ秒、少なくとも０．０２ミリ秒、少なくとも０．０５ミリ秒、少なくとも０．１ミリ秒、少なくとも０．２ミリ秒、少なくとも０．５ミリ秒、または少なくとも１ミリ秒後に続いてもよい。第３の時間は、第２の時間から最大で１ミリ秒、最大で０．５ミリ秒、最大で０．２ミリ秒、最大で０．１ミリ秒、最大で０．０５ミリ秒、最大で０．０２ミリ秒、最大で０．０１ミリ秒、最大で０．００５ミリ秒、最大で０．００２ミリ秒、または最大で０．００１ミリ秒後に続いてもよい。第３の時間は、前述の値のうちのいずれか２つによって定義される範囲内である時間周期だけ第２の時間に続いてもよい。第４の光源と関連付けられる第４のＯＣＴ信号４７８０ｄが、第４の時間に取得されてもよく、第４の時間は、第３の時間後に非常に接近して続く。例えば、第４の時間は、第３の時間から少なくとも０．００１ミリ秒、少なくとも０．００２ミリ秒、少なくとも０．００５ミリ秒、少なくとも０．０１ミリ秒、少なくとも０．０２ミリ秒、少なくとも０．０５ミリ秒、少なくとも０．１ミリ秒、少なくとも０．２ミリ秒、少なくとも０．５ミリ秒、または少なくとも１ミリ秒後に続いてもよい。第４の時間は、第３の時間から最大で１ミリ秒、最大で０．５ミリ秒、最大で０．２ミリ秒、最大で０．１ミリ秒、最大で０．０５ミリ秒、最大で０．０２ミリ秒、最大で０．０１ミリ秒、最大で０．００５ミリ秒、最大で０．００２ミリ秒、または最大で０．００１ミリ秒後に続いてもよい。第４の時間は、前述の値のうちのいずれか２つによって定義される範囲内である時間周期だけ第３の時間に続いてもよい。
【０２４９】
図４７Ｆは、いくつかの実施形態による、複数のＯＣＴ光源の物理的場所の変動と関連付けられる光学ビームを補正するための第２の網膜走査パターンを示す。図４７Ｆに示されるように、ＯＣＴ信号は、それぞれ、第１、第２、第３、および第４の光源からの第１、第２、第３、および第４の光が、サンプル（眼または眼の網膜）上のほぼ同一の場所に指向される時点で、第１、第２、第３、および第４のＯＣＴ信号を入手することによって、それぞれ、第１、第２、第３、および第４の光源と関連付けられる第１、第２、第３、および第４のＯＣＴ信号を組み合わせることによって、組み合わせられてもよい。例えば、第１の光源と関連付けられる第１のＯＣＴ信号４７９０ａが、第１の時間に取得されてもよい。第１の時間に、第１の光源からの第１の光が、サンプル（眼または眼の網膜）上の特定の場所に指向されてもよい。第２の光源と関連付けられる第２のＯＣＴ信号４７９０ｂが、第２の時間に取得されてもよい。第２の時間に、第２の光源からの第２の光が、サンプル上の同一の特定の場所に指向されてもよい。第３の光源と関連付けられる第３のＯＣＴ信号４７９０ｃが、第３の時間に取得されてもよい。第２の時間に、第３の光源からの第３の光が、サンプル上の同一の特定の場所に指向されてもよい。第４の光源と関連付けられる第４のＯＣＴ信号４７９０ｄが、第４の時間に取得されてもよい。第４の時間に、第４の光源からの第４の光が、サンプル上の同一の特定の場所に指向されてもよい。
【０２５０】
図４７Ｇは、いくつかの実施形態による、走査の間の第１の時間において網膜上で複数のＯＣＴ光源によって発生される光の照明領域所を示す。走査の第１の点において、第１の光源と関連付けられる第１の光が、網膜上の照明領域４７９５ａにある。第２の光源と関連付けられる第２の光が、網膜上の照明領域４７９５ｂにある。第３の光源と関連付けられる第３の光が、網膜上の照明領域４７９５ｃにある。第４の光源と関連付けられる第４の光が、網膜上の照明領域４７９５ｄにある。
【０２５１】
図４７Ｈは、いくつかの実施形態による、走査の間の第２の時間において網膜上で複数のＯＣＴ光源によって発生される光の照明領域を示す。走査の第２の点において、第１の光源と関連付けられる第１の光ビームが、網膜上の照明領域４７９６ａにある。第２の光源と関連付けられる第２の光ビームが、網膜上の照明領域４７９６ｂにある。第３の光源と関連付けられる第３の光ビームが、網膜上の照明領域４７９６ｃにある。第４の光源と関連付けられる第４の光ビームが、網膜上の照明領域４７９６ｄにある。
【０２５２】
図４７Ｉは、いくつかの実施形態による、走査の間の第２の時間において網膜上で複数のＯＣＴ光源によって発生される光の照明領域を示す。走査の第３の点において、第１の光源と関連付けられる第１の光ビームが、網膜上の照明領域４７９７ａにある。第２の光源と関連付けられる第２の光ビームが、網膜上の照明領域４７９７ｂにある。第３の光源と関連付けられる第３の光ビームが、網膜上の照明領域４７９７ｃにある。第４の光源と関連付けられる第４の光ビームが、網膜上の照明領域４７９７ｄにある。
【０２５３】
図４７Ｊは、いくつかの実施形態による、走査の間の第４の時間において網膜上で複数のＯＣＴ光源によって発生される光の照明領域を示す。走査の第４の点において、第１の光源と関連付けられる第１の光が、網膜上の照明領域４７９８ａにある。第２の光源と関連付けられる第２の光が、網膜上の照明領域４７９８ｂにある。第３の光源と関連付けられる第３の光が、網膜上の照明領域４７９８ｃにある。第４の光源と関連付けられる第４の光が、網膜上の照明領域４７９８ｄにある。
【０２５４】
図４７Ｇ−４７Ｊを参照すると、連続光源アクティブ化および走査パターンのタイミングは、測定正確度を改良するように、各ビームからの照明された面積が眼の上で重複するように配列され得ることに留意されたい。例えば、それぞれ、第３、第２、第２、および第３の光源と関連付けられる、照明領域４７９５ｃ、４７９６ｂ、４７９７ｂ、および４７９８ｃが、実質的または部分的に重複するように、本明細書に説明されるような命令を用いてコンピュータ制御下で、光源が、連続的にアクティブ化され、スキャナが、移動されることができる。いくつかの実施形態では、スキャナおよびタイミングは、網膜上の複数の領域のそれぞれにおける光源のそれぞれからの光に実質的に重複するように構成されてもよい。
【０２５５】
ある場合には、限定された入手可能な軸方向分解能はまた、定格であるものを上回る最大電流をＶＣＳＥＬまたは他の光源に提供することによって改良される。ＶＣＳＥＬは、典型的には、高いデューティサイクルを受けるであろうという仮定の下で最大電流に関して定格される。しかしながら、ＶＣＳＥＬは、短い時間周期にわたって定格電流を上回る電流に耐えることが可能であり得る。手持ち式ＳＳ−ＯＣＴデバイスでは、ＶＣＳＥＬは、ＯＣＴ測定を取得するために要求される周期にわたってその定格範囲外の動作電流のみにおいて駆動されてもよい。ある場合には、ＶＣＳＥＬは、一度に１分未満にわたってその定格範囲外の動作電流において駆動される。ある事例では、ＶＣＳＥＬは、低頻度で、その定格範囲外の動作電流において駆動される。例えば、ある場合には、ＶＣＳＥＬは、数時間毎に１回、その定格範囲外の動作電流において駆動される。ある場合には、ＶＣＳＥＬは、数日毎に１回、その定格範囲外の動作電流において駆動される。いくつかの実施形態では、ＶＣＳＥＬは、その定格範囲外の動作電流において駆動されない周期にわたってオフにされる。他の実施形態では、ＶＣＳＥＬは、そのような周期にわたって、その定格範囲内である、より低い動作電流において駆動される。したがって、ある事例では、ＶＣＳＥＬは、手持ち式ＳＳ−ＯＣＴデバイスに予期される動作条件下で、定格であるよりも高い電流において駆動されることに耐えることができる。
【０２５６】
図９は、その最大電流定格を超えたＶＣＳＥＬの動作を示す。ある場合には、ＶＣＳＥＬに供給される電流は、ある波形９００に従って経時的に変動される。波形は、三角、正弦、または当業者に公知である任意の他の波形であってもよい。いくつかの実施形態では、ＶＣＳＥＬは、上限電流閾値９１０および／または下限電流閾値９２０によって規定される推奨連続電流範囲を有する。波形の異なる時点で、ＶＣＳＥＬは、上限電流閾値を超える、または下限電流閾値を下回る電流を供給される。ある場合には、最大電流は、１０％を上回って、２０％を上回って、５０％を上回って、１００％を上回って、２００％を上回って、３００％を上回って、４００％を上回って、または５００％を上回って、上限電流閾値を超える。いくつかの実施形態では、ＶＣＳＥＬは、約５０Ｈｚ〜約１０ｋＨｚの率で掃引される。ある事例では、ＶＣＳＥＬは、約１ｋＨｚ〜約５ｋＨｚの率で掃引される。
【０２５７】
ある場合には、最大電流を超えることは、ＶＣＳＥＬが、連続使用のためのその最大推奨電流に直接関連する規定最大波長範囲を超えて駆動されることを可能にする。ある場合には、ＶＣＳＥＬは、その規定波長範囲を少なくとも約１ｎｍだけ超えて駆動される。ある場合には、ＶＣＳＥＬは、その規定波長範囲を１ｎｍ〜５ｎｍの範囲内の量だけ超えて駆動される。いくつかの実施形態では、その規定波長範囲を超えてＶＣＳＥＬを駆動することは、５ｎｍ〜１０ｎｍの範囲内の波長範囲を可能にする。ある事例では、ＶＣＳＥＬは、複数の測定毎にその最大波長範囲を超えて駆動される。ＶＣＳＥＬの過熱を回避するために、連続測定の間に実装される遅延が存在し得る。ある場合には、遅延は、約１ミリ秒〜約１００ミリ秒に及ぶ。ある場合には、遅延は、約５ミリ秒〜約２０ミリ秒に及ぶ。
【０２５８】
ある場合には、限定された動作範囲を伴う単一のＶＣＳＥＬによって得られる、限定された入手可能な軸方向分解能は、具体的構造の厚さを測定するが、構造内の部分構造を測定しようとしないことを含む、技法の問題を提起しない。例えば、網膜内の部分構造を撮像することについて配慮することなく、ＲＴまたはＲＬＴの測定を入手することが着目され得る。さらに、主に、ＲＴまたはＲＬＴの測定された変化に関心を持つことが着目され得る。ある場合には、入手可能な軸方向分解能から予期され得るよりも高い精度でＲＴまたはＲＬＴの測定を取得することが可能である。
【０２５９】
図１０Ａは、軸方向分解能のグラフ表現を示す。ＲＴまたはＲＬＴを測定するために使用されるＳＳ−ＯＣＴデバイスは、組織の層の第１の境界から反射される光と関連付けられる第１の干渉信号１０００および組織の層の第２の境界から反射される光と関連付けられる第２の干渉信号１００２を生成する。干渉信号１０００および１００２は、周波数ドメイン内で表される。第１の信号は、光路差Δｚ１における最大値を有する。第２の信号は、光路差Δｚ２における最大値を有する。信号ピークはそれぞれ、関連付けられる幅を有する。第１および第２の干渉信号は、２つの信号が完全に重複せず、識別できるピークを提供する場合に、分解されると言われ得る。最大重複は、それらがさらに重複した場合に２つの信号がもはや区別可能ではなくなるであろうときに起こる。最大重複点における第１のピークと第２のピークとの間の距離は、軸方向分解能である。幅は、ＳＳ−ＯＣＴ光源が掃引される波長の範囲に逆相関する。したがって、比較的に狭い範囲の波長を利用するＳＳ−ＯＣＴデバイスに関して、軸方向分解能は、準理想的であり得る。
【０２６０】
ＲＴの測定に関して、軸方向分解能は、組織の層の第１の境界面と関連付けられる第１の干渉信号および組織の層の第２の境界面と関連付けられる第２の干渉信号を区別するために十分となるはずである。網膜が、典型的には、１５０μｍを上回るＲＴを有するため、ＲＴを測定することが可能なＳＳ−ＯＣＴデバイスは、約１５０μｍ未満の軸方向分解能値を達成することができる。
【０２６１】
図１０Ｂは、反復性および再現性のグラフ表現を示す。反復性は、類似条件下で、短い時間周期内に（例えば、１分以内、１時間以内、または１日以内に）同一のアイテムで単一の器具によって得られる測定の変動を指す。再現性は、類似条件下であるが、より長い時間周期にわたって（例えば、１日を上回る、１週間を上回る、１ヶ月を上回る、３ヶ月を上回る、または６ヶ月を上回る後に）、同一のサンプルで単一の器具によって得られる測定の変動を指す。反復性は、類似条件下で、比較的に短い時間周期内に、単一の器具によって反復測定の間に取得される値の分布の半値全幅（ＦＷＨＭ）値として、定量的に表され得る。再現性は、第１の短い時間周期内に行われる、条件の第１のセットの下で、単一の器具によって取得される第１の値の分布の中心値と、第２の短い時間周期内に行われる、条件の第２のセットの下で、単一の器具によって取得される第２の値の分布の中心値との間の差として、定量的に表され得る。ＲＴの測定に関して、反復性および再現性の組み合わせは、ＲＴまたはＲＬＴの測定値の変化が、雑音に起因するか、または網膜の厚さの実際の変化に起因するかどうかを決定するための公差を設定するために使用されることができる。
【０２６２】
図１０Ｃは、ＲＴまたはＲＬＴの変化を呈していない網膜のＲＴまたはＲＬＴの測定と関連付けられる反復性および再現性のグラフ表現を示す。第１の時点で、ＲＴの測定値は、反復性によって決定される分布１０２０に従う。以降の時点で、ＲＴまたはＲＬＴの測定値は、反復性および再現性によって決定されるような分布１０２２から取得される。ＲＴまたはＲＬＴの変化を呈していない網膜に関して、２つの分布１０２０および１０２２は、Δｘが複合反復性および再現性内であるように、相互の近接近内にある。しかしながら、Δｘが複合反復性および再現性を上回る場合、網膜の厚さの増加は、図１０Ｄでより完全に解説されるように、識別され、例えば、アラートを用いて、患者および医療提供者に報告される。多くの実施形態では、小型ＯＣＴデバイスは、約３５μｍ未満の複合反復性および再現性を有する。いくつかの実施形態では、ＳＳ−ＯＣＴデバイスは、９５％信頼レベルを伴って２５μｍ未満の複合反復性および再現性を有する。
【０２６３】
図１０Ｄは、ＲＴまたはＲＬＴの変化を呈した網膜のＲＴまたはＲＬＴの測定と関連付けられる反復性および再現性のグラフ表現を示す。第１の時点で、ＲＴまたはＲＬＴは、反復性によって決定される第１の分布１０３０内で取得される。以降の時点で、ＲＴまたはＲＬＴは、同様に反復性によって決定される第２の分布１０３２内で取得される。ＲＴまたはＲＬＴの変化を呈した網膜に関して、２つの分布１０３０および１０３２は、もはや相互の近接近内ではなくなる。２つの分布１０３０と１０３２との間の距離が反復性および再現性の組み合わせを超えるとき、ＲＴまたはＲＬＴが変化したことが決定され得る。
２つの分布の間の距離は、２つの分布の個別の手段の間の差を決定することによって決定されることができる。本システムは、測定値が反復性および再現性の組み合わせを上回るものによって分離されるときに、ＲＴまたはＲＬＴの変化が起こったことを決定することができる。例えば、これは、２５μｍの再現性および２５μｍの反復性に関して約３５μｍであろう。代替として、系統的誤差または長期ドリフトがあると、複合誤差は、２５μｍの再現性および２５μｍの反復性に関して３５μｍより大きくあり得る。したがって、１５０μｍの第１のＲＴ測定および２００μｍの第２のＲＴ測定に関する分布のピークは、５０μｍ離れるであろう。第１の測定および第２の測定は、非重複分布を有することが示されているが、本明細書に説明される方法および装置は、測定の部分的に重複する分布に関してＲＴまたはＲＬＴを決定することが可能である。
【０２６４】
ある場合には、手持ち式ＯＣＴデバイスによって取得されるＲＴまたはＲＬＴの測定値は、参照測定と比較される。いくつかの実施形態では、参照測定は、臨床ＯＣＴデバイスによって行われる測定から取得される。ある事例では、参照測定は、患者の医療提供者による受診の間に取得される。ある場合には、参照測定は、手持ち式ＯＣＴデバイス、患者デバイス（スマートフォンもしくは他のポータブル電子デバイス等）、またはクラウドベースの記憶および通信システム上に記憶される。いくつかの実施形態では、参照測定は、小型ＯＣＴデバイスからの測定値を調節し、例えば、測定値の任意の系統的誤差を考慮するために使用される。
【０２６５】
したがって、ＲＴまたはＲＬＴの測定された変化を入手することが所望されるとき、方程式１によって設定されるＯＣＴ撮像のための入手可能な軸方向分解能よりも実質的に良好である、検出の限界を取得することが可能であり得る。ある場合には、本明細書に説明される手持ち式ＯＣＴデバイスは、約２５μｍの反復性を入手する。いくつかの実施形態では、本明細書に説明される手持ち式ＯＣＴデバイスは、約２５μｍのＲＴまたはＲＬＴの変化を検出することが可能である。ある場合には、本明細書に説明される手持ち式ＯＣＴデバイスは、９５％よりも良好な信頼度を伴って１０μｍ〜４０μｍの範囲内のＲＴまたはＲＬＴの変化を検出することが可能である。ある場合には、本明細書に説明される手持ち式ＯＣＴデバイスは、９５％よりも良好な信頼度を伴って２０μｍ〜３０μｍの範囲内のＲＴまたはＲＬＴの変化を検出することが可能である。
【０２６６】
多くの実施形態では、小型ＯＣＴシステムは、小型ＯＣＴシステム未満の分解能値を有する高分解能臨床ＯＣＴ参照システムを用いて、具体的患者に合わせて較正される。例えば、患者は、眼科医を受診することができ、網膜の厚さは、診療所において高分解能超音波システムを用いて測定されることができる。小型ＯＣＴシステムは、臨床参照システムを用いて測定される網膜の厚さに基づいて、具体的患者に合わせて較正されることができる。高分解能ＯＣＴシステムに基づく小型ＯＣＴシステムの本較正は、高分解能超音波システム測定の１日以内に、好ましくは、臨床高分解能超音波測定の約２時間以内に、多くの事例では、患者が診療所にいる間に、実施されることができる。
【０２６７】
いくつかの実施形態では、本明細書に説明されるデバイスは、落下後に継続的動作が可能である。ある事例では、本明細書に説明されるデバイスは、落下試験の間に９５％存続率を伴って落下に耐えることが可能である。ある場合には、落下試験は、１フィート（０．３０５ｍ）、２フィート（０．６１０ｍ）、３フィート（０．９１４ｍ）、および４フィート（１．２１９ｍ）からデバイスを落下させることから成る。いくつかの実施形態では、本明細書に説明されるデバイスは、落下試験後に３０μｍ以下の反復性の変化を伴って継続的動作が可能である。いくつかの実施形態では、本デバイスは、落下試験後に２０μｍ以下の反復性の変化を伴って継続的動作が可能である。いくつかの実施形態では、本デバイスは、落下試験後に１５μｍ以下の反復性の変化を伴って継続的動作が可能である。いくつかの実施形態では、本デバイスは、落下試験後に１０μｍ以下の反復性の変化を伴って継続的動作が可能である。いくつかの実施形態では、本デバイスは、落下試験後に５μｍ以下の反復性の変化を伴って継続的動作が可能である。
【０２６８】
図１１は、経時的に患者の網膜の厚さ（ＲＴ）の反復測定を行い、望ましくない転帰に対応し得る変化に留意するための方法のフローチャートである。方法１１００は、患者データを入力するステップと、手持ち式ＯＣＴデバイスを握持するステップと、光のビームを患者の眼の中へ指向するステップと、患者の網膜から反射光を受光するステップと、網膜の厚さを決定するステップと、少なくとも数時間によって分離される複数の測定に関して測定を繰り返すステップと、ＲＴの変化を決定するステップと、アラートを発生させるステップとから成る。
【０２６９】
ステップ１１０２では、患者データが、本明細書に説明される手持ち式ＯＣＴデバイスの中へ入力される。ある場合には、患者データは、患者の氏名、年齢、性別、身長、体重、現在の眼科問題、および現在の医療問題のいずれかを含む。
【０２７０】
ステップ１１０４では、患者が、本明細書に説明される手持ち式ＯＣＴデバイスを握持する。患者は、手持ち式ＯＣＴデバイスを覗き込む。
【０２７１】
ステップ１１０６では、手持ち式ＯＣＴデバイスが、光のビームを患者の眼の中へ指向する。光は、患者の網膜の種々の層の境界から反射される。
【０２７２】
ステップ１１０８では、手持ち式ＯＣＴが、患者の網膜の種々の層から反射される光を受光する。反射光は、光検出器によって検出される干渉信号を形成する。ある場合には、干渉信号は、手持ち式ＯＣＴデバイスの参照アームを横断した光による反射光の干渉によって発生される。ある場合には、干渉信号は、網膜の種々の層の２つまたはそれを上回る境界から反射される光の間の干渉によって発生される。手持ち式ＯＣＴデバイスは、眼に指向される光の波長を変動させ、波長毎に干渉信号を記録する。
【０２７３】
ステップ１１１０では、患者のＲＴまたはＲＬＴが、決定される。ある場合には、ＲＴまたはＲＬＴは、ＯＣＴ信号の数学的分析によって決定される。例えば、ＲＴまたはＲＬＴは、ＯＣＴ信号の高速フーリエ変換から決定されてもよい。ＲＴまたはＲＬＴは、ＯＣＴ信号の任意の他の周波数分析から決定されてもよい。ＲＴまたはＲＬＴは、ＯＣＴ信号の周波数成分を、ＲＴまたはＲＬＴを周波数にマップする較正曲線と比較することによって、決定されてもよい。いくつかの実施形態では、較正曲線は、全ての患者に一般的である。ある事例では、較正曲線は、個々の患者に特有である。
【０２７４】
ステップ１１１２では、測定が、少なくとも数時間によって分離される複数の測定に関して繰り返される。測定毎に、ステップ１１０２、１１０４、１１０６、１１０８、および１１１０が、繰り返される。
【０２７５】
ステップ１１１４では、ＲＴまたはＲＬＴの変化が、決定される。ある場合には、直近の測定で決定されるＲＴまたはＲＬＴの値は、任意の前の測定と比較される。いくつかの実施形態では、ＲＴまたはＲＬＴの値の変化は、記録され、多くの測定の経過にわたって追跡される。
【０２７６】
ステップ１１１６では、ＲＴまたはＲＬＴが有意に変化した場合、もしくはＲＴまたはＲＬＴが正常もしくは健康範囲外である場合に、アラートが発生される。ある場合には、アラートは、本明細書に説明されるモバイル患者デバイス上に表示される通知を備える。いくつかの実施形態では、アラートは、本明細書に説明されるように、患者の医師または他の医療提供者に送信される通知を備えてもよい。
【０２７７】
ある場合には、第１のＲＴまたはＲＬＴが、眼科医の受診の２４時間以内に手持ち式ＯＣＴデバイスを用いて測定される。いくつかの実施形態では、第２のＲＴまたはＲＬＴが、第１の測定後の１日〜２０日の範囲内で測定される。ある事例では、ＲＴまたはＲＬＴは、約５日〜約２０日の範囲内の複数の日にわたって毎日測定される。ある場合には、ＲＴまたはＲＬＴは、１日１回よりも頻繁に測定される。いくつかの実施形態では、ＲＴまたはＲＬＴは、２０日よりも長い周期にわたって測定される。ＲＴまたはＲＬＴの変化が、基準厚さおよび複数の以降の厚さに応答して、決定される。ある場合には、ＲＴまたはＲＬＴの変化は、少なくとも９０％、少なくとも９５％、または少なくとも９９％の信頼区画を伴って測定される。
【０２７８】
図１２は、手持ち式ＯＣＴデバイスを使用する測定からＲＴを決定するための方法のフローチャートを示す。方法１２００は、光ビームを網膜に指向するステップと、干渉信号を発生させるステップと、検出器を用いて干渉パターンを捕捉するステップと、網膜に指向される光の波長を変動させるステップと、干渉信号を処理し、ピークを決定するステップと、結果として生じたピークを正弦波に適合させるステップと、ＲＴまたはＲＬＴを決定するステップとを含む。
【０２７９】
ステップ１２０２では、手持ち式ＯＣＴデバイスが、光のビームを患者の眼の中へ指向する。光は、患者の網膜の種々の層の境界から反射される。
【０２８０】
ステップ１２０４では、手持ち式ＯＣＴが、患者の網膜の種々の層の境界から反射される光を受光する。反射光は、干渉信号を形成する。ある場合には、干渉信号は、手持ち式ＯＣＴデバイスの参照アームを横断した光による反射光の干渉によって発生される。ある場合には、干渉信号は、網膜の種々の層の２つまたはそれを上回る境界から反射される光の間の干渉によって発生される。
【０２８１】
ステップ１２０６では、干渉信号が、光検出器によって検出される。
【０２８２】
ステップ１２０８では、手持ち式ＯＣＴデバイスが、網膜に指向される光の波長を変動させる。波長毎に、ステップ１２０２、１２０４、および１２０６が、繰り返される。干渉信号が、波長毎に記録される。
【０２８３】
ステップ１２１０では、干渉信号が、ピークを決定するように処理される。ある場合には、ピークは、網膜の種々の層から反射される光と、手持ち式ＯＣＴデバイスの参照アームを横断した光との間の干渉最大値に対応する。ある場合には、ピークは、網膜の種々の層の境界から反射される光と、手持ち式ＯＣＴデバイスの参照アームを横断した光との間の干渉最大値に対応する。ある場合には、ピークは、網膜の種々の層の２つまたはそれを上回る境界から反射される光の間の干渉最大値に対応する。
【０２８４】
ステップ１２１２では、結果として生じたピークが、正弦波に適合される。ある場合には、適合は、非線形最小二乗適合を介する。いくつかの実施形態では、適合は、当業者に公知である任意の他の適合方法を介する。
【０２８５】
ステップ１２１４では、ＲＴまたはＲＬＴが、決定される。ある場合には、ＲＴまたはＲＬＴは、適合正弦波の周波数を抽出することによって決定される。いくつかの実施形態では、ＲＴまたはＲＬＴは、ＯＣＴ信号の周波数成分を、ＲＴを周波数にマップする較正曲線と比較することによって、決定される。ある事例では、較正曲線は、全ての患者に一般的である。ある場合には、較正曲線は、個々の患者に特有である。
【０２８６】
当業者は、本明細書で提供される開示に基づいて、多くの変形例、改変、および適合を認識するであろう。例えば、方法１１００および／または１２００のステップの順序は、変更されることができ、ステップのうちのいくつかは、除去されることができ、ステップのうちのいくつかは、重複されることができ、付加的ステップが、適宜、追加されることができる。１１００および１２００の方法は、組み合わせられてもよい。ステップのうちのいくつかは、サブステップを含んでもよい。ステップのうちのいくつかは、自動であり得、ステップのうちのいくつかは、手動であり得る。本明細書に説明されるようなプロセッサは、方法１１００および／または１２００の１つまたはそれを上回るステップの少なくとも一部を実施するための１つまたはそれを上回る命令を備えてもよい。
デジタル処理デバイス
【０２８７】
いくつかの実施形態では、本明細書に説明されるプラットフォーム、システム、媒体、および方法は、デジタル処理デバイスまたは同一物の使用を含む。さらなる実施形態では、デジタル処理デバイスは、デバイスの機能を実施する、１つまたはそれを上回るハードウェア中央処理装置（ＣＰＵ）もしくは汎用処理装置（ＧＰＧＰＵ）を含む。なおもさらなる実施形態では、デジタル処理デバイスはさらに、実行可能命令を実施するように構成されるオペレーティングシステムを備える。いくつかの実施形態では、デジタル処理デバイスは、随意に、コンピュータネットワークに接続される。さらなる実施形態では、デジタル処理デバイスは、随意に、ワールドワイドウェブにアクセスするように、インターネットに接続される。なおもさらなる実施形態では、デジタル処理デバイスは、随意に、クラウドコンピューティングインフラストラクチャに接続される。他の実施形態では、デジタル処理デバイスは、随意に、イントラネットに接続される。他の実施形態では、デジタル処理デバイスは、随意に、データ記憶デバイスに接続される。
【０２８８】
本明細書の説明によると、好適なデジタル処理デバイスは、非限定的実施例として、サーバコンピュータ、デスクトップコンピュータ、ラップトップコンピュータ、ノートブックコンピュータ、サブノートブックコンピュータ、ネットブックコンピュータ、ネットパッドコンピュータ、セットトップコンピュータ、メディアストリーミングデバイス、ハンドヘルドコンピュータ、インターネットアプライアンス、モバイルスマートフォン、タブレットコンピュータ、携帯情報端末、ビデオゲーム機、および車両を含む。当業者は、多くのスマートフォンが本明細書に説明されるシステムで使用するために好適であることを認識するであろう。当業者はまた、随意のコンピュータネットワークコネクティビティを伴う厳選したテレビ、ビデオプレーヤ、およびデジタル音楽プレーヤが、本明細書に説明されるシステムで使用するために好適であることも認識するであろう。好適なタブレットコンピュータは、当業者に公知である、ブックレット、スレート、および転換構成を伴うものを含む。
【０２８９】
いくつかの実施形態では、デジタル処理デバイスは、実行可能命令を実施するように構成されるオペレーティングシステムを含む。オペレーティングシステムは、例えば、デバイスのハードウェアを管理し、アプリケーションの実行のためのサービスを提供する、プログラムおよびデータを含む、ソフトウェアである。当業者は、好適なサーバオペレーティングシステムが、非限定的実施例として、ＦｒｅｅＢＳＤ、ＯｐｅｎＢＳＤ、ＮｅｔＢＳＤ（登録商標）、Ｌｉｎｕｘ（登録商標）、Ａｐｐｌｅ（登録商標）  Ｍａｃ  ＯＳ  Ｘ  Ｓｅｒｖｅｒ（登録商標）、Ｏｒａｃｌｅ（登録商標）  Ｓｏｌａｒｉｓ（登録商標）、Ｗｉｎｄｏｗｓ（登録商標）  Ｓｅｒｖｅｒ、およびＮｏｖｅｌｌ（登録商標）ＮｅｔＷａｒｅ（登録商標）を含むことを認識するであろう。当業者は、好適なパーソナルコンピュータオペレーティングシステムが、非限定的実施例として、Ｍｉｃｒｏｓｏｆｔ（登録商標）  Ｗｉｎｄｏｗｓ（登録商標）、Ａｐｐｌｅ（登録商標）  Ｍａｃ  ＯＳ  Ｘ（登録商標）、ＵＮＩＸ（登録商標）、およびＧＮＵ／Ｌｉｎｕｘ（登録商標）等のＵＮＩＸ（登録商標）様オペレーティングシステムを含むことを認識するであろう。いくつかの実施形態では、オペレーティングシステムは、クラウドコンピューティングによって提供される。当業者はまた、好適なモバイルスマートフォンオペレーティングシステムが、非限定的実施例として、Ｎｏｋｉａ（登録商標）  Ｓｙｍｂｉａｎ（登録商標）  ＯＳ、Ａｐｐｌｅ（登録商標）  ｉＯＳ（登録商標）、Ｒｅｓｅａｒｃｈ  Ｉｎ  Ｍｏｔｉｏｎ（登録商標）  ＢｌａｃｋＢｅｒｒｙ  ＯＳ（登録商標）、Ｇｏｏｇｌｅ（登録商標）  Ａｎｄｒｏｉｄ（登録商標）、Ｍｉｃｒｏｓｏｆｔ（登録商標）  Ｗｉｎｄｏｗｓ（登録商標）  Ｐｈｏｎｅ  ＯＳ、Ｍｉｃｒｏｓｏｆｔ（登録商標）  Ｗｉｎｄｏｗｓ（登録商標）  Ｍｏｂｉｌｅ  ＯＳ、Ｌｉｎｕｘ（登録商標）、およびＰａｌｍ（登録商標）  ＷｅｂＯＳ（登録商標）を含むことも認識するであろう。当業者はまた、好適なメディアストリーミングデバイスオペレーティングシステムが、非限定的実施例として、Ａｐｐｌｅ  ＴＶ（登録商標）、Ｒｏｋｕ（登録商標）、Ｂｏｘｅｅ（登録商標）、Ｇｏｏｇｌｅ  ＴＶ（登録商標）、Ｇｏｏｇｌｅ  Ｃｈｒｏｍｅｃａｓｔ（登録商標）、Ａｍａｚｏｎ  Ｆｉｒｅ（登録商標）、およびＳａｍｓｕｎｇ（登録商標）  ＨｏｍｅＳｙｎｃ（登録商標）を含むことも認識するであろう。当業者はまた、好適なビデオゲーム機オペレーティングシステムが、非限定的実施例として、Ｓｏｎｙ（登録商標）  ＰＳ３（登録商標）、Ｓｏｎｙ（登録商標）  ＰＳ４（登録商標）、Ｍｉｃｒｏｓｏｆｔ（登録商標）  Ｘｂｏｘ  ３６０（登録商標）、Ｍｉｃｒｏｓｏｆｔ  Ｘｂｏｘ  Ｏｎｅ、Ｎｉｎｔｅｎｄｏ（登録商標）  Ｗｉｉ（登録商標）、Ｎｉｎｔｅｎｄｏ（登録商標）  Ｗｉｉ  Ｕ（登録商標）、およびＯｕｙａ（登録商標）を含むことも認識するであろう。
【０２９０】
いくつかの実施形態では、本デバイスは、記憶および／またはメモリデバイスを含む。記憶および／またはメモリデバイスは、一時的または恒久的にデータもしくはプログラムを記憶するために使用される、１つまたはそれを上回る物理的装置である。いくつかの実施形態では、本デバイスは、揮発性メモリであり、記憶された情報を維持するためにパワーを要求する。いくつかの実施形態では、本デバイスは、不揮発性メモリであり、デジタル処理デバイスが給電されていないときに記憶された情報を留保する。さらなる実施形態では、不揮発性メモリは、フラッシュメモリを備える。いくつかの実施形態では、不揮発性メモリは、ダイナミックランダムアクセスメモリ（ＤＲＡＭ）を備える。いくつかの実施形態では、不揮発性メモリは、強誘電体ランダムアクセスメモリ（ＦＲＡＭ（登録商標））を備える。いくつかの実施形態では、不揮発性メモリは、相変化ランダムアクセスメモリ（ＰＲＡＭ）を備える。他の実施形態では、本デバイスは、非限定的実施例として、ＣＤ−ＲＯＭ、ＤＶＤ、フラッシュメモリデバイス、磁気ディスクドライブ、磁気テープドライブ、光ディスクドライブ、およびクラウドコンピューティングベースの記憶装置を含む、記憶デバイスである。さらなる実施形態では、記憶および／またはメモリデバイスは、本明細書に開示されるもの等のデバイスの組み合わせである。
【０２９１】
いくつかの実施形態では、デジタル処理デバイスは、視覚情報をユーザに送信するためのディスプレイを含む。いくつかの実施形態では、ディスプレイは、陰極線管（ＣＲＴ）である。いくつかの実施形態では、ディスプレイは、液晶ディスプレイ（ＬＣＤ）である。さらなる実施形態では、ディスプレイは、薄膜トランジスタ液晶ディスプレイ（ＴＦＴ−ＬＣＤ）である。いくつかの実施形態では、ディスプレイは、有機発光ダイオード（ＯＬＥＤ）ディスプレイである。種々のさらなる実施形態では、ＯＬＥＤディスプレイは、パッシブマトリクスＯＬＥＤ（ＰＭＯＬＥＤ）またはアクティブマトリクスＯＬＥＤ（ＡＭＯＬＥＤ）ディスプレイである。いくつかの実施形態では、ディスプレイは、プラズマディスプレイである。他の実施形態では、ディスプレイは、ビデオプロジェクタである。なおもさらなる実施形態では、ディスプレイは、本明細書に開示されるもの等のデバイスの組み合わせである。
【０２９２】
いくつかの実施形態では、デジタル処理デバイスは、ユーザから情報を受信するための入力デバイスを含む。いくつかの実施形態では、入力デバイスは、キーボードである。いくつかの実施形態では、入力デバイスは、非限定的実施例として、マウス、トラックボール、トラックパッド、ジョイスティック、ゲームコントローラ、またはスタイラスを含む、ポインティングデバイスである。いくつかの実施形態では、入力デバイスは、タッチスクリーンまたはマルチタッチスクリーンである。他の実施形態では、入力デバイスは、音声または他の音入力を捕捉するためのマイクロホンである。他の実施形態では、入力デバイスは、運動または視覚入力を捕捉するためのビデオカメラまたは他のセンサである。さらなる実施形態では、入力デバイスは、Ｋｉｎｅｃｔ、Ｌｅａｐ  Ｍｏｔｉｏｎ、または同等物である。なおもさらなる実施形態では、入力デバイスは、本明細書に開示されるもの等のデバイスの組み合わせである。
【０２９３】
図１３を参照すると、特定の実施形態では、例示的デジタル処理デバイス１３０１は、ＲＴまたはＲＬＴを決定するようにプログラムまたは別様に構成される。デバイス１３０１は、例えば、処理ステップを実施すること等の本開示のＲＴまたはＲＬＴ決定の種々の側面を調整することができる。本実施形態では、デジタル処理デバイス１３０１は、単一コアまたはマルチコアプロセッサ、もしくは並列処理のための複数のプロセッサであり得る、中央処理装置（ＣＰＵ、また、本明細書では「プロセッサ」および「コンピュータプロセッサ」）１３０５を含む。デジタル処理デバイス１３０１はまた、メモリまたはメモリ場所１３１０（例えば、ランダムアクセスメモリ、読取専用メモリ、フラッシュメモリ）、電子記憶ユニット１３１５（例えば、ハードディスク）、１つまたはそれを上回る他のシステムと通信するための通信インターフェース１３２０（例えば、ネットワークアダプタ）、ならびにキャッシュ、他のメモリ、データ記憶および／または電子ディスプレイアダプタ等の周辺デバイス１３２５も含む。メモリ１３１０、記憶ユニット１３１５、インターフェース１３２０、および周辺デバイス１３２５は、マザーボード等の通信バス（実線）を通してＣＰＵ１３０５と通信する。記憶ユニット１３１５は、データを記憶するためのデータ記憶ユニット（またはデータリポジトリ）であることができる。デジタル処理デバイス１３０１は、通信インターフェース１３２０の助けを借りて、コンピュータネットワーク（「ネットワーク」）１３３０に動作可能に結合されることができる。ネットワーク１３３０は、インターネット、インターネットおよび／またはエクストラネット、もしくはインターネットと通信するイントラネットおよび／またはエクストラネットであることができる。ネットワーク１３３０は、ある場合には、電気通信および／またはデータネットワークである。ネットワーク１３３０は、クラウドコンピューティング等の分散コンピューティングを可能にし得る、１つまたはそれを上回るコンピュータサーバを含むことができる。ネットワーク１３３０は、ある場合には、デバイス１３０１の助けを借りて、デバイス１３０１に結合されるデバイスがクライアントまたはサーバとして挙動することを可能にし得る、ピアツーピアネットワークを実装することができる。
【０２９４】
図１３を参照し続けると、ＣＰＵ１３０５は、プログラムまたはソフトウェアで具現化され得る、一連の機械可読命令を実行することができる。命令は、メモリ１３１０等のメモリ場所に記憶されてもよい。命令は、ＣＰＵ１３０５に指向されることができ、これは、続いて、本開示の方法を実装するようにＣＰＵ１３０５をプログラムまたは別様に構成されることができる。ＣＰＵ１３０５によって実施される動作の実施例は、フェッチ、復号、実行、およびライトバックを含むことができる。ＣＰＵ１３０５は、集積回路等の回路の一部であることができる。デバイス１３０１の１つまたはそれを上回る他のコンポーネントが、回路の中に含まれることができる。ある場合には、回路は、特定用途向け集積回路（ＡＳＩＣ）またはフィールドプログラマブルゲートアレイ（ＦＰＧＡ）である。
【０２９５】
図１３を参照し続けると、記憶ユニット１３１５は、ドライバ、ライブラリ、および保存されたプログラム等のファイルを記憶することができる。記憶ユニット１３１５は、ユーザデータ、例えば、ユーザ選好およびユーザプログラムを記憶することができる。デジタル処理デバイス１３０１は、ある場合には、イントラネットまたはインターネットを通して通信する遠隔サーバ上に位置する等の外部にある１つまたはそれを上回る付加的データ記憶ユニットを含むことができる。
【０２９６】
図１３を参照し続けると、デジタル処理デバイス１３０１は、ネットワーク１３３０を通して１つまたはそれを上回る遠隔コンピュータシステムと通信することができる。例えば、デバイス１３０１は、ユーザの遠隔コンピュータシステムと通信することができる。遠隔コンピュータシステムの実施例は、パーソナルコンピュータ（例えば、ポータブルＰＣ）、スレートもしくはタブレットＰＣ（例えば、Ａｐｐｌｅ（登録商標）  ｉＰａｄ（登録商標）、Ｓａｍｓｕｎｇ（登録商標）  Ｇａｌａｘｙ  Ｔａｂ）、電話、スマートフォン（例えば、Ａｐｐｌｅ（登録商標）  ｉＰｈｏｎｅ（登録商標）、Ａｎｄｒｏｉｄ対応デバイス、Ｂｌａｃｋｂｅｒｒｙ（登録商標））、または携帯情報端末を含む。
【０２９７】
本明細書に説明されるような方法は、例えば、メモリ１３１０または電子記憶ユニット１３１５上等のデジタル処理デバイス１３０１の電子記憶場所上に記憶された機械（例えば、コンピュータプロセッサ）実行可能コードを介して、実装されることができる。機械実行可能または機械可読コードは、ソフトウェアの形態で提供されることができる。使用の間に、コードは、プロセッサ１３０５によって実行されることができる。ある場合には、コードは、記憶ユニット１３１５から読み出され、プロセッサ１０５による容易なアクセスのためにメモリ１３１０上に記憶されることができる。いくつかの状況では、電子記憶ユニット１３１５は、除外されることができ、機械実行可能命令は、メモリ１３１０上に記憶される。
（非一過性のコンピュータ可読記憶媒体）
【０２９８】
いくつかの実施形態では、本明細書に開示されるプラットフォーム、システム、媒体、および方法は、随意にネットワーク化されたデジタル処理デバイスのオペレーティングシステムによって実行可能な命令を含む、プログラムで符号化される１つまたはそれを上回る非一過性のコンピュータ可読記憶媒体を含む。さらなる実施形態では、コンピュータ可読記憶媒体は、デジタル処理デバイスの有形コンポーネントである。なおもさらなる実施形態では、コンピュータ可読記憶媒体は、随意に、デジタル処理デバイスから除去可能である。いくつかの実施形態では、コンピュータ可読記憶媒体は、非限定的実施例として、ＣＤ−ＲＯＭ、ＤＶＤ、フラッシュメモリデバイス、ソリッドステートメモリ、磁気ディスクドライブ、磁気テープドライブ、光ディスクドライブ、クラウドコンピューティングシステムおよびサービス、ならびに同等物を含む。ある場合には、プログラムおよび命令は、媒体上に恒久的に、実質的に恒久的に、半恒久的に、または非一過性に符号化される。
（コンピュータプログラム）
【０２９９】
いくつかの実施形態では、本明細書に開示されるプラットフォーム、システム、媒体、および方法は、少なくとも１つのコンピュータプログラムまたは同一物の使用を含む。コンピュータプログラムは、規定タスクを実施するように書き込まれる、デジタル処理デバイスのＣＰＵにおいて実行可能な一連の命令を含む。コンピュータ可読命令は、特定のタスクを実施する、または特定の抽象データタイプを実装する、機能、オブジェクト、アプリケーションプログラミングインターフェース（ＡＰＩ）、データ構造、および同等物等のプログラムモジュールとして実装されてもよい。本明細書で提供される開示を踏まえて、当業者は、コンピュータプログラムが種々の言語の種々のバージョンで記述され得ることを認識するであろう。
【０３００】
コンピュータ可読命令の機能性は、種々の環境内で所望に応じて組み合わせられる、または分散されてもよい。いくつかの実施形態では、コンピュータプログラムは、命令の１つのシーケンスを備える。いくつかの実施形態では、コンピュータプログラムは、命令の複数のシーケンスを備える。いくつかの実施形態では、コンピュータプログラムは、１つの場所から提供される。他の実施形態では、コンピュータプログラムは、複数の場所から提供される。種々の実施形態では、コンピュータプログラムは、１つまたはそれを上回るソフトウェアモジュールを含む。種々の実施形態では、コンピュータプログラムは、部分的に、もしくは全体的に、１つまたはそれを上回るウェブアプリケーション、１つまたはそれを上回るモバイルアプリケーション、１つまたはそれを上回る独立型アプリケーション、１つまたはそれを上回るウェブブラウザプラグイン、拡張、アドイン、もしくはアドオン、またはそれらの組み合わせを含む。
（ウェブアプリケーション）
【０３０１】
いくつかの実施形態では、コンピュータプログラムは、ウェブアプリケーションを含む。本明細書で提供される開示を踏まえて、当業者は、ウェブアプリケーションが、種々の実施形態では、１つまたはそれを上回るソフトウェアフレームワークおよび１つまたはそれを上回るデータベースシステムを利用することを認識するであろう。いくつかの実施形態では、ウェブアプリケーションは、Ｍｉｃｒｏｓｏｆｔ（登録商標）．ＮＥＴまたはＲｕｂｙ  ｏｎ  Ｒａｉｌｓ（ＲｏＲ）等のソフトウェアフレームワーク上に作成される。いくつかの実施形態では、ウェブアプリケーションは、非限定的実施例として、関係、非関係、オブジェクト指向、連想、およびＸＭＬデータベースシステムを含む、１つまたはそれを上回るデータベースシステムを利用する。さらなる実施形態では、好適な関係データベースシステムは、非限定的実施例として、Ｍｉｃｒｏｓｏｆｔ（登録商標）  ＳＱＬ  Ｓｅｒｖｅｒ、ｍｙＳＱＬＴＭ、およびＯｒａｃｌｅ（登録商標）を含む。当業者はまた、ウェブアプリケーションが、種々の実施形態では、１つまたはそれを上回る言語の１つまたはそれを上回るバージョンで記述されることも認識するであろう。ウェブアプリケーションは、１つまたはそれを上回るマークアップ言語、提示定義言語、クライアント側スクリプト言語、サーバ側コーディング言語、データベースクエリ言語、もしくはそれらの組み合わせで記述されてもよい。いくつかの実施形態では、ウェブアプリケーションは、ある程度、ハイパーテキストマークアップ言語（ＨＴＭＬ）、拡張可能ハイパーテキストマークアップ言語（ＸＨＴＭＬ）、または拡張可能マークアップ言語（ＸＭＬ）等のマークアップ言語で記述される。いくつかの実施形態では、ウェブアプリケーションは、ある程度、カスケーディングスタイルシート（ＣＳＳ）等の提示定義言語で記述される。いくつかの実施形態では、ウェブアプリケーションは、ある程度、Ａｓｙｎｃｈｒｏｎｏｕｓ  Ｊａｖａｓｃｒｉｐｔ（登録商標）  ａｎｄ  ＸＭＬ（ＡＪＡＸ）、Ｆｌａｓｈ（登録商標）  Ａｃｔｉｏｎｓｃｒｉｐｔ、Ｊａｖａｓｃｒｉｐｔ（登録商標）、またはＳｉｌｖｅｒｌｉｇｈｔ（登録商標）等のクライアント側スクリプト言語で記述される。いくつかの実施形態では、ウェブアプリケーションは、ある程度、Ａｃｔｉｖｅ  Ｓｅｒｖｅｒ  Ｐａｇｅｓ（ＡＳＰ）、ＣｏｌｄＦｕｓｉｏｎ（登録商標）、Ｐｅｒｌ、Ｊａｖａ（登録商標）、ＪａｖａＳｅｒｖｅｒ（登録商標）  Ｐａｇｅｓ（ＪＳＰ）、Ｈｙｐｅｒｔｅｘｔ  Ｐｒｅｐｒｏｃｅｓｓｏｒ（ＰＨＰ）、ＰｙｔｈｏｎＴＭ、Ｒｕｂｙ、Ｔｃｌ、Ｓｍａｌｌｔａｌｋ、ＷｅｂＤＮＡ（登録商標）、またはＧｒｏｏｖｙ等のサーバ側コーディング言語で記述される。いくつかの実施形態では、ウェブアプリケーションは、ある程度、構造化クエリ言語（ＳＱＬ）等のデータベースクエリ言語で記述される。いくつかの実施形態では、ウェブアプリケーションは、ＩＢＭ（登録商標）  Ｌｏｔｕｓ  Ｄｏｍｉｎｏ（登録商標）等の企業サーバ製品を統合する。いくつかの実施形態では、ウェブアプリケーションは、メディアプレーヤ要素を含む。種々のさらなる実施形態では、メディアプレーヤ要素は、非��定的実施例として、Ａｄｏｂｅ（登録商標）  Ｆｌａｓｈ（登録商標）、ＨＴＭＬ  ５、Ａｐｐｌｅ（登録商標）  ＱｕｉｃｋＴｉｍｅ（登録商標）、Ｍｉｃｒｏｓｏｆｔ（登録商標）  Ｓｉｌｖｅｒｌｉｇｈｔ（登録商標）、Ｊａｖａ（登録商標）、およびＵｎｉｔｙ（登録商標）を含む、多くの好適なマルチメディア技術のうちの１つまたはそれを上回るものを利用する。
（モバイルアプリケーション）
【０３０２】
いくつかの実施形態では、コンピュータプログラムは、モバイルデジタル処理デバイスに提供されるモバイルアプリケーションを含む。いくつかの実施形態では、モバイルアプリケーションは、それが製造される時間にモバイルデジタル処理デバイスに提供される。他の実施形態では、モバイルアプリケーションは、本明細書に説明されるコンピュータネットワークを介して、モバイルデジタル処理デバイスに提供される。
【０３０３】
本明細書で提供される開示に照らして、モバイルアプリケーションは、当技術分野で公知であるハードウェア、言語、および開発環境を使用して、当業者に公知である技法によって作成される。当業者は、モバイルアプリケーションがいくつかの言語で記述されることを認識するであろう。好適なプログラミング言語は、非限定的実施例として、Ｃ、Ｃ＋＋、Ｃ＃、Ｏｂｊｅｃｔｉｖｅ−Ｃ、Ｊａｖａ（登録商標）、Ｊａｖａｓｃｒｉｐｔ（登録商標）、Ｐａｓｃａｌ、Ｏｂｊｅｃｔ  Ｐａｓｃａｌ、ＰｙｔｈｏｎＴＭ、Ｒｕｂｙ、ＶＢ．ＮＥＴ、ＷＭＬ、およびＣＳＳの有無別のＸＨＴＭＬ／ＨＴＭＬ、またはそれらの組み合わせを含む。
【０３０４】
好適なモバイルアプリケーション開発環境は、いくつかのソースから入手可能である。市販の開発環境は、非限定的実施例として、ＡｉｒｐｌａｙＳＤＫ、ａｌｃｈｅＭｏ、Ａｐｐｃｅｌｅｒａｔｏｒ（登録商標）、Ｃｅｌｓｉｕｓ、Ｂｅｄｒｏｃｋ、Ｆｌａｓｈ  Ｌｉｔｅ、．ＮＥＴ  Ｃｏｍｐａｃｔ  Ｆｒａｍｅｗｏｒｋ、Ｒｈｏｍｏｂｉｌｅ、およびＷｏｒｋＬｉｇｈｔ  Ｍｏｂｉｌｅ  Ｐｌａｔｆｏｒｍを含む。非限定的実施例として、Ｌａｚａｒｕｓ、ＭｏｂｉＦｌｅｘ、ＭｏＳｙｎｃ、およびＰｈｏｎｅｇａｐを含む、他の開発環境が、無償で入手可能である。また、モバイルデバイス製造業者は、非限定的実施例として、ｉＰｈｏｎｅ（登録商標）およびｉＰａｄ（登録商標）（ｉＯＳ）ＳＤＫ、ＡｎｄｒｏｉｄＴＭ  ＳＤＫ、ＢｌａｃｋＢｅｒｒｙ（登録商標）  ＳＤＫ、ＢＲＥＷ  ＳＤＫ、Ｐａｌｍ（登録商標）  ＯＳ  ＳＤＫ、Ｓｙｍｂｉａｎ  ＳＤＫ、ｗｅｂＯＳ  ＳＤＫ、およびＷｉｎｄｏｗｓ（登録商標）  Ｍｏｂｉｌｅ  ＳＤＫを含む、ソフトウェア開発者キットを配布する。
【０３０５】
当業者は、非限定的実施例として、Ａｐｐｌｅ（登録商標）  Ａｐｐ  Ｓｔｏｒｅ、Ｇｏｏｇｌｅ（登録商標）  Ｐｌａｙ、Ｃｈｒｏｍｅ  ＷｅｂＳｔｏｒｅ、ＢｌａｃｋＢｅｒｒｙ（登録商標）  Ａｐｐ  Ｗｏｒｌｄ、Ｐａｌｍデバイス用Ａｐｐ  Ｓｔｏｒｅ、ｗｅｂＯＳ用Ａｐｐ  Ｃａｔａｌｏｇ、モバイル用Ｗｉｎｄｏｗｓ（登録商標）  Ｍａｒｋｅｔｐｌａｃｅ、Ｎｏｋｉａ（登録商標）デバイス用Ｏｖｉ  Ｓｔｏｒｅ、Ｓａｍｓｕｎｇ（登録商標）  Ａｐｐｓ、およびＮｉｎｔｅｎｄｏ（登録商標）  ＤＳｉ  Ｓｈｏｐを含む、いくつかの市販フォーラムがモバイルアプリケーションの配布のために利用可能であることを認識するであろう。
（独立型アプリケーション）
【０３０６】
いくつかの実施形態では、コンピュータプログラムは、既存のプロセスへのアドオンではない、例えば、プラグインではない、独立したコンピュータプロセスとして起動されるプログラムである、独立型アプリケーションを含む。当業者は、独立型アプリケーションが、多くの場合、コンパイルされることを認識するであろう。コンパイラは、プログラミング言語で記述されるソースコードを、アセンブリ言語または機械コード等のバイナリオブジェクトコードに変換する、コンピュータプログラムである。好適なコンパイラ型プログラミング言語は、非限定的実施例として、Ｃ、Ｃ＋＋、Ｏｂｊｅｃｔｉｖｅ−Ｃ、ＣＯＢＯＬ、Ｄｅｌｐｈｉ、Ｅｉｆｆｅｌ、Ｊａｖａ（登録商標）、Ｌｉｓｐ、Ｐｙｔｈｏｎ（登録商標）、Ｖｉｓｕａｌ  Ｂａｓｉｃ、およびＶＢ．ＮＥＴ、またはそれらの組み合わせを含む。コンパイルは、多くの場合、少なくとも部分的に実行可能プログラムを作成するように実施される。いくつかの実施形態では、コンピュータプログラムは、１つまたはそれを上回る実行可能なコンパイルされたアプリケーションを含む。
（ウェブブラウザプラグイン）
【０３０７】
いくつかの実施形態では、コンピュータプログラムは、ウェブブラウザプラグイン（例えば、拡張等）を含む。コンピューティングでは、プラグインは、具体的機能性をより大きいソフトウェアアプリケーションに追加する、１つまたはそれを上回るソフトウェアコンポーネントである。ソフトウェアアプリケーションのメーカは、第三者開発者が、アプリケーションを拡張する能力を作成すること、新しい特徴を容易に追加することをサポートすること、およびアプリケーションのサイズを縮小することを可能にするためのプラグインをサポートする。サポートされたとき、プラグインは、ソフトウェアアプリケーションの機能性をカスタマイズすることを可能にする。例えば、プラグインは、ビデオを再生し、双方向性を生成し、ウイルススキャンし、特定のファイルタイプを表示するために、ウェブブラウザで一般的に使用される。当業者は、Ａｄｏｂｅ（登録商標）  Ｆｌａｓｈ（登録商標）  Ｐｌａｙｅｒ、Ｍｉｃｒｏｓｏｆｔ（登録商標）  Ｓｉｌｖｅｒｌｉｇｈｔ（登録商標）、およびＡｐｐｌｅ（登録商標）  ＱｕｉｃｋＴｉｍｅ（登録商標）を含む、いくつかのウェブブラウザプラグインに精通するであろう。いくつかの実施形態では、ツールバーは、１つまたはそれを上回るウェブブラウザ拡張、アドイン、もしくはアドオンを備える。いくつかの実施形態では、ツールバーは、１つまたはそれを上回るエクスプローラバー、ツールバンド、もしくはデスクバンドを備える。
【０３０８】
本明細書で提供される開示に照らして、当業者は、非限定的実施例として、Ｃ＋＋、Ｄｅｌｐｈｉ、Ｊａｖａ（登録商標）、ＰＨＰ、Ｐｙｔｈｏｎ（登録商標）、およびＶＢ．ＮＥＴ、またはそれらの組み合わせを含む、種々のプログラミング言語でのプラグインの開発を可能にする、いくつかのプラグインフレームワークが、利用可能であることを認識するであろう。
【０３０９】
ウェブブラウザ（インターネットブラウザとも呼ばれる）は、ワールドワイドウェブ上で情報リソースを読み取り、提示し、トラバースするためのネットワーク接続型デジタル処理デバイスと併用するために設計される、ソフトウェアアプリケーションである。好適なウェブブラウザは、非限定的実施例として、Ｍｉｃｒｏｓｏｆｔ（登録商標）  Ｉｎｔｅｒｎｅｔ  Ｅｘｐｌｏｒｅｒ（登録商標）、Ｍｏｚｉｌｌａ（登録商標）  Ｆｉｒｅｆｏｘ（登録商標）、Ｇｏｏｇｌｅ（登録商標）  Ｃｈｒｏｍｅ、Ａｐｐｌｅ（登録商標）  Ｓａｆａｒｉ（登録商標）、Ｏｐｅｒａ  Ｓｏｆｔｗａｒｅ（登録商標）  Ｏｐｅｒａ（登録商標）、およびＫＤＥ  Ｋｏｎｑｕｅｒｏｒを含む。いくつかの実施形態では、ウェブブラウザは、モバイルウェブブラウザである。モバイルウェブブラウザ（マイクロブラウザ、ミニブラウザ、および無線ブラウザとも呼ばれる）は、非限定的実施例として、ハンドヘルドコンピュータ、タブレットコンピュータ、ネットブックコンピュータ、サブノートブックコンピュータ、スマートフォン、音楽プレーヤ、携帯情報端末（ＰＤＡ）、およびハンドヘルドビデオゲームシステムを含む、モバイルデジタル処理デバイス上で使用するために設計される。好適なモバイルウェブブラウザは、非限定的実施例として、Ｇｏｏｇｌｅ（登録商標）  Ａｎｄｒｏｉｄ（登録商標）ブラウザ、ＲＩＭ  ＢｌａｃｋＢｅｒｒｙ（登録商標）ブラウザ、Ａｐｐｌｅ（登録商標）  Ｓａｆａｒｉ（登録商標）、Ｐａｌｍ（登録商標）  Ｂｌａｚｅｒ、Ｐａｌｍ（登録商標）  ＷｅｂＯＳ（登録商標）ブラウザ、モバイル用Ｍｏｚｉｌｌａ（登録商標）  Ｆｉｒｅｆｏｘ（登録商標）、Ｍｉｃｒｏｓｏｆｔ（登録商標）  Ｉｎｔｅｒｎｅｔ  Ｅｘｐｌｏｒｅｒ（登録商標）  Ｍｏｂｉｌｅ、Ａｍａｚｏｎ（登録商標）  Ｋｉｎｄｌｅ（登録商標）  Ｂａｓｉｃ  Ｗｅｂ、Ｎｏｋｉａ（登録商標）ブラウザ、Ｏｐｅｒａ  Ｓｏｆｔｗａｒｅ（登録商標）  Ｏｐｅｒａ（登録商標）  Ｍｏｂｉｌｅ、およびＳｏｎｙ（登録商標）  ＰＳＰＴＭブラウザを含む。
（ソフトウェアモジュール）
【０３１０】
いくつかの実施形態では、本明細書に開示されるプラットフォーム、システム、メディア、および方法は、ソフトウェア、サーバ、および／またはデータベースモジュール、もしくは同一物の使用を含む。本明細書で提供される開示に照らして、ソフトウェアモジュールは、当業者に公知である機械、ソフトウェア、および言語を使用して、当業者に公知である技法によって作成される。本明細書に開示されるソフトウェアモジュールは、多数の方法で実装される。種々の実施形態では、ソフトウェアモジュールは、ファイル、コードのセクション、プログラミングオブジェクト、プログラミング構造、またはそれらの組み合わせを備える。さらなる種々の実施形態では、ソフトウェアモジュールは、複数のファイル、コードの複数のセクション、複数のプログラミングオブジェクト、複数のプログラミング構造、またはそれらの組み合わせを備える。種々の実施形態では、１つまたはそれを上回るソフトウェアモジュールは、非限定的実施例として、ウェブアプリケーション、モバイルアプリケーション、および独立型アプリケーションを備える。いくつかの実施形態では、ソフトウェアモジュールは、１つのコンピュータプログラムまたはアプリケーションの中にある。他の実施形態では、ソフトウェアモジュールは、１つを上回るコンピュータプログラムもしくはアプリケーションの中にある。いくつかの実施形態では、ソフトウェアモジュールは、１つの機械上でホストされる。他の実施形態では、ソフトウェアモジュールは、１つを上回る機械上でホストされる。さらなる実施形態では、ソフトウェアモジュールは、クラウドコンピューティングプラットフォーム上でホストされる。いくつかの実施形態では、ソフトウェアモジュールは、１つの場所において１つまたはそれを上回る機械上でホストされる。他の実施形態では、ソフトウェアモジュールは、１つを上回る場所において１つまたはそれを上回る機械上でホストされる。
（データベース）
【０３１１】
いくつかの実施形態では、本明細書に開示されるプラットフォーム、システム、媒体、および方法は、１つまたはそれを上回るデータベースもしくは同一物の使用を含む。本明細書で提供される開示に照らして、当業者は、多くのデータベースが情報の記憶および読み出しのために好適であることを認識するであろう。種々の実施形態では、好適なデータベースは、非限定的実施例として、関係データベース、非関係データベース、オブジェクト指向データベース、オブジェクトデータベース、エンティティ関係モデルデータベース、連想データベース、およびＸＭＬデータベースを含む。さらなる非限定的実施例は、ＳＱＬ、ＰｏｓｔｇｒｅＳＱＬ、ＭｙＳＱＬ、Ｏｒａｃｌｅ、ＤＢ２、およびＳｙｂａｓｅを含む。いくつかの実施形態では、データベースは、インターネットベースである。さらなる実施形態では、データベースは、ウェブベースである。なおもさらなる実施形態では、データベースは、クラウドコンピューティングベースである。他の実施形態では、データベースは、１つまたはそれを上回るローカルコンピュータ記憶デバイスに基づく。
【０３１２】
図２０Ａは、眼アダプタを伴う手持ち式ＯＣＴシステムの略図を示す。ある場合には、本システムは、本体２０００を備える。いくつかの実施形態では、本体は、システムの人間工学的グリップを提供するように適合される表面を特徴とする。ある事例では、人間工学的グリップを提供するように適合される表面は、１つまたはそれを上回る指保持部２００５を備える。ある場合には、本システムはさらに、ユーザの眼窩に界面接触するように構成されるアダプタ２０１０を伴う測定端を備える。いくつかの実施形態では、本システムはさらに、システムの配向を検出し、ユーザの左眼または右眼が測定されているかどうかを決定する、検出器を備える。ある事例では、本システムは、キャップ２０２０を備える。ある場合には、キャップは、測定されていない眼を被覆するために利用される。例えば、左眼が測定されているとき、キャップは、右眼を被覆する。右眼が測定されているとき、キャップは、左眼を被覆する。いくつかの実施形態では、いずれの眼も測定されていないとき、キャップは、システムコンポーネントを損傷から保護するために、システムの測定端にわたって設置される。
【０３１３】
ある場合には、本体内で、本システムは、光学系１０４を備える。いくつかの実施形態では、本システムは、レーザ源５００を備える。ある事例では、レーザ源は、レーザ光をコリメートレンズ５０５に指向する。ある場合には、コリメートレンズは、レーザ源をコリメートされた光のビームに成形する。いくつかの実施形態では、レーザ光は、ビームスプリッタ２０３０に指向される。ある事例では、ビームスプリッタ２０３０は、レーザ光の一部を光強度測定器２０３５に指向する。ある場合には、光強度測定器は、放射レーザ強度の連続測定を行い、測定された強度に基づくＯＣＴ信号の補正、または光学フィードバック技法の実装を可能にする。いくつかの実施形態では、光強度測定器に指向されることなくビームスプリッタ２０３０を通過する光の一部は、１つまたはそれを上回るビームスプリッタ５１０に衝突する。ある事例では、１つまたはそれを上回るビームスプリッタ５１０は、光の一部をユーザの眼に、光の別の部分を参照ミラー５３０に指向する。ある場合には、参照ミラーは、システムの本体に内蔵される参照表面を備える。いくつかの実施形態では、本システムはさらに、ＯＣＴ信号を検出するための検出器５４２を備える。
【０３１４】
いくつかの実施形態では、本システムは、バッテリ１０６を備える。ある事例では、バッテリは、再充電可能バッテリである。ある場合には、バッテリは、リチウムイオンバッテリである。いくつかの実施形態では、バッテリは、ニッケル水素バッテリである。ある事例では、バッテリは、ニッケルカドミウムバッテリである。ある事例では、バッテリは、充電デバイス２０４０に動作可能に結合される。ある場合には、充電デバイスは、接続充電デバイスである。充電デバイスは、当業者に公知であるような任意の接続充電デバイスであってもよい。ある場合には、充電デバイスは、誘導結合充電デバイスである。充電デバイスは、当業者に公知であるような任意の誘導結合充電デバイスであってもよい。
【０３１５】
ある事例では、本明細書に説明されるような無線通信回路およびプロセッサは、小型ＯＣＴシステムに給電するようにバッテリに結合され、ＯＣＴデータを入手し、データを無線で伝送する。
【０３１６】
ある場合には、本システムは、ユーザによるシステムの適切な動作を可能にするための付加的コンポーネントを備える。いくつかの実施形態では、本システムは、配向または運動センサ２０５０を備える。ある事例では、配向または運動センサは、デバイスの配向を測定し、測定される眼を決定するためのジャイロスコープを備える。ある場合には、配向または運動センサは、デバイスの移動を測定するための加速度計を備える。いくつかの実施形態では、配向または運動センサは、当業者に公知であるような任意の配向または運動センサを備える。ある事例では、本システムは、小型ＯＣＴシステムが網膜を測定するときに視認される、固視標的２０６０を備える。ある場合には、本システムは、電気安全性を提供するための機械的特徴２０７０を備える。いくつかの実施形態では、本システムは、１つまたはそれを上回るステータスインジケータ２０８０を備える。
【０３１７】
図２０Ｂは、右眼または左眼を測定するように適合される手持ち式ＯＣＴシステムを示す。右眼測定を提供するように動作されるとき、手持ち式ＯＣＴシステム１００は、手持ち式ＯＣＴシステムの測定端の左側に位置付けられた眼用キャップ２０２０を有する、構成２０２０ａで動作される。左眼測定を提供するように動作されるとき、手持ち式ＯＣＴシステムは、手持ち式ＯＣＴシステムの測定端の右側に眼用キャップを有する、構成２０２０ｂで動作される。いずれの眼も測定されていないとき、手持ち式ＯＣＴシステムは、手持ち式ＯＣＴシステムの測定端を被覆するように位置付けられた眼用キャップを有する、構成２０２０ｃで動作される。本構成では、眼用キャップは、システムが使用中ではないときに、手持ち式ＯＣＴシステムの内部コンポーネントの保護を提供する。眼用キャップは、眼用キャップの１８０度回転によって、構成２０２０ａから構成２０２０ｂに遷移される。ある場合には、手持ち式ＯＣＴシステムは、ＯＣＴシステムを使用して検査される眼を検出する、スイッチを備える。
【０３１８】
図２０Ｃは、インジケータライトおよび電源アダプタを伴う手持ち式ＯＣＴシステムを示す。ある場合には、測定端の反対側の手持ち式ＯＣＴデバイスの端部は、１つまたはそれを上回る視覚インジケータ２０８０を備える。いくつかの実施形態では、視覚インジケータは、光源を備える。ある事例では、光源は、発光ダイオード（ＬＥＤ）である。ある場合には、視覚インジケータは、手持ち式ＯＣＴデバイスが動作中であるかどうかを示すための第１の視覚インジケータ２０８２を備える。いくつかの実施形態では、視覚インジケータは、手持ち式ＯＣＴデバイスがバッテリパワーを利用しているかどうかを示すための第２の視覚インジケータ２０８４を備える。ある事例では、視覚インジケータは、手持ち式ＯＣＴデバイスが外部電源を利用しているかどうかを示すための第３の視覚インジケータ２０８６を備える。ある場合には、視覚インジケータは、手持ち式ＯＣＴデバイスが使用に好適ではないかどうかを示すための第４の視覚インジケータ２０８８を備える。いくつかの実施形態では、測定端の反対側の手持ち式ＯＣＴデバイスの端部は、パワーを受電するためのアダプタ２０４０を備える。
【０３１９】
図２０Ｄは、ＯＣＴ測定を提供するように眼に近接して設置された手持ち式ＯＣＴを示す。ある場合には、手持ち式ＯＣＴシステムの測定端は、眼窩に共形化するように成形される。いくつかの実施形態では、眼用キャップは、測定されていない眼を被覆するように位置付けられる。ある事例では、手持ち式ＯＣＴシステムは、ＯＣＴ測定を取得するために光を眼の中へ指向する。
【０３２０】
ある場合には、手持ち式ＯＣＴデバイスは、デバイスに対する眼の運動と関連付けられるものにすぎない時間周期内でＲＴまたはＲＬＴの単一の測定を決定するために十分な情報を取得するように構成される。いくつかの実施形態では、デバイスに対する眼の運動は、デバイスを保持している間のユーザの手の運動に起因する。ある場合には、デバイスに対する眼の運動は、眼の運動に起因する。ある事例では、手持ち式ＯＣＴデバイスは、１００ミリ秒、５０ミリ秒、または１０ミリ秒以下の時間周期内でＲＴまたはＲＬＴの測定を取得するように構成される。ある場合には、手持ち式ＯＣＴデバイスは、前述の値のうちのいずれか２つによって定義される範囲内にある、時間周期内でＲＴまたはＲＬＴの測定を取得するように構成される。
【０３２１】
図２１は、手持ち式ＯＣＴデバイス用の較正キットを示す。ある場合には、手持ち式ＯＣＴデバイス１００は、較正装置２１００を備える。いくつかの実施形態では、較正装置は、図２０のキャップ２０２０の内面上に位置する。
【０３２２】
図２２は、いくつかの実施形態による、走査機構を利用する掃引源光干渉断層撮影（ＳＳ−ＯＣＴ）デバイスの光学系の概略図を示す。光学系１０２は、本明細書に説明されるような光源７００と、第１のビームスプリッタ７１０と、参照ミラー７３０とを備える。第１の処理ユニット７４０は、掃引源干渉信号を検出するように検出器７４２に結合される。第１の処理ユニットは、本明細書に説明されるような第１の光検出器７４２と、本明細書に説明されるような第１の信号処理ユニット７４２とを備えてもよい。
【０３２３】
光学系はさらに、コリメート光学要素２２１０を備えてもよい。コリメート光学要素は、例えば、コリメートレンズを備えてもよい。コリメート光学要素は、他の光学要素との光の相互作用に先立って、光源から放射される光をコリメートしてもよい。光学系はさらに、光検出器７４２上に干渉信号を集束させるレンズ２２２０を備えてもよい。光学系はさらに、第１の処理ユニットによる検出に先立って、第１のレンズによって集束される光が通過される、ピンホール２２３０を備えてもよい。光学系はさらに、参照ミラーに入射する光の強度を低減させる、減光フィルタ２２４０を備えてもよい。
【０３２４】
光学系はさらに、ビームスプリッタ２２５０を備えてもよい。ビームスプリッタは、本明細書に説明されるような任意のビームスプリッタを備えてもよい。第２のビームスプリッタは、光源によって放射される光の一部を、第１の処理ユニット７４０に類似し得る第２の光検出器２２６０、またはＶＣＳＥＬによって放射されるエネルギーの量を制御するように構成される他の回路に指向してもよい。第２の処理ユニットは、第１の光検出器および第１の信号処理ユニットに類似し得る、第２の光検出器（図示せず）および第２の信号処理ユニット（図示せず）を備えてもよい。第２の処理ユニットは、光源によって放射される光の強度の変動を検出してもよい。光源によって放射される光の強度の検出された変動は、光源によって放射される光の強度の変動と関連付けられる誤差に関して、第１の処理ユニットによって検出されるＳＳ−ＯＣＴ信号を補正するために利用されてもよい。光学系はさらに、第２の光検出器２２６０上に光源によって放射される光の一部を集束させる、レンズ２２７０を備えてもよい。
【０３２５】
光源７００は、多くの方法で構成されてもよい。例えば、光源７００は、本明細書に説明されるように駆動される掃引源ＶＣＳＥＬを備えてもよい。代替として、または組み合わせて、ＶＣＳＥＬは、掃引範囲を増加させるために冷却されてもよい。例えば、ＶＣＳＥＬは、ＶＣＳＥＬがより広い掃引範囲にわたって駆動されることを可能にするために、熱電冷却器等の冷却器を用いて冷却されてもよい。ＶＣＳＥＬは、掃引波長の範囲を約２０ｎｍまたはそれを上回るまで増加させるために、ミラーに結合されるＭＥＭＳアクチュエータを備えてもよい。ＶＣＳＥＬはまた、例えば、掃引波長の範囲を増加させるために、外部ミラーおよびミラーの位置を変更するためのアクチュエータに結合されてもよい。可動ミラーに結合されるＶＣＳＥＬは、約１０〜３０ｎｍまたはそれを上回る範囲内の波長の範囲にわたって掃引されてもよい。
【０３２６】
表２は、本明細書に説明されるような小型ＳＳ−ＯＣＴシステムのＶＣＳＥＬの１０〜３０ｎｍの掃引のために取得され得る、掃引範囲および分解能を示す。
【表２】
2021527552.tif 000007
【０３２７】
光源７００は、対応する分解能、例えば、３５．４μｍ〜１５．９μｍの範囲内の対応する分解能を提供するように、例えば、９ｎｍ〜２０ｎｍの範囲にわたって、表１および表２の中のいずれか２つの値によって定義される範囲内の量だけ掃引されてもよい。
【０３２８】
いくつかの実施形態では、小型ＳＳ−ＯＣＴシステムはさらに、走査機構２３００を備えてもよい。走査機構２３００は、アクチュエータ２３０５と、眼の上で光ビームを走査するためにアクチュエータによって偏向されるミラー２３１０とを備えてもよい。アクチュエータ２３０５は、例えば、微小電気機械システム（ＭＥＭＳ）アクチュエータ、検流計、または圧電結晶等の当業者に公知である任意のアクチュエータを備えてもよい。走査機構２３００は、本明細書に説明されるような制御ユニットに結合されてもよい。
【０３２９】
図２３Ａは、いくつかの実施形態による、小型ＳＳ−ＯＣＴシステムを伴って眼に光学的に結合された走査機構２３００を示す。走査機構２３００は、ミラー２３１０等の第１の走査光学要素と、第１の望遠鏡レンズ２３２０および第２の望遠鏡レンズ２３３０を備える、望遠鏡システムとを備えてもよい。望遠鏡システムは、例えば、４−ｆ望遠鏡システムを備えてもよい。望遠鏡システムはさらに、眼に向かって走査された光ビームを偏向させるためのミラー２３２５を備えてもよい。第２の望遠鏡レンズ２３３０は、非球面レンズを備えてもよい。
【０３３０】
いくつかの実施形態では、ミラー２３２５は、患者可視化システムの光路を走査された光ビームの光路と結合する。ある場合には、ミラー２３２５は、ショートパスミラーを備える。患者可視化システムは、図２４でさらに説明されるように、レンズ２４４０と、開口２４６０と、レンズ２４５０とを備えてもよい。
【０３３１】
走査光学要素は、例えば、ミラー、プリズム、多角形ミラー、またはレンズ等の当業者に公知である任意のタイプの走査光学要素を備えてもよい。走査要素は、検流計であってもよい。走査要素は、網膜上の複数の場所を横断して測定ビームを走査することによって、網膜上の１つを上回る場所においてＲＴまたはＲＬＴの測定を可能にし得る。
【０３３２】
図２３Ｂは、いくつかの実施形態による、網膜の厚さ（ＲＴ）または網膜層の厚さ（ＲＬＴ）測定部位のアレイを示す。本明細書に説明される走査機構は、測定光を網膜２３４０上の複数の測定場所２３５０ａ、２３５０ｂ、２３５０ｃ、２３５０ｄ、２３５０ｅ、２３５０ｆ、２３５０ｇ、２３５０ｈ、２３５０ｉ、２３５０ｊ、２３５０ｋ、２３５０ｌ、２３５０ｍ、２３５０ｎ、２３５０ｏ、２３５０ｐ、２３５０ｑ、２３５０ｒ、２３５０ｓ、２３５０ｔ、２３５０ｕ、２３５０ｖ、２３５０ｗ、２３５０ｘ、および２３５０ｙに指向してもよい。２５の測定場所が描写されるが、走査機構は、測定光を、２つまたはそれを上回る測定場所、５つまたはそれを上回る測定場所、１０またはそれを上回る測定場所、２０またはそれを上回る測定場所、５０またはそれを上回る測定場所、１００またはそれを上回る測定場所、２００またはそれを上回る測定場所、５００またはそれを上回る測定場所、もしくは１，０００またはそれを上回る測定場所に指向してもよい。ＲＴまたはＲＬＴの測定は、複数のＲＴまたはＲＬＴ測定を取得するように測定場所のそれぞれにおいて取得されてもよい。複数のＲＴまたはＲＬＴ測定は、ＲＴまたはＲＬＴ測定の空間マップの構築を可能にし得る。複数のＲＴまたはＲＬＴ測定は、第１の方向への網膜上の第１の距離および第１の方向を横断する第２の方向への網膜上の第２の距離に跨架してもよい。第１の距離は、０．５ｍｍ未満、１．０ｍｍ未満、１．５ｍｍ未満、２．０ｍｍ未満、２．５ｍｍ未満、３．０ｍｍ未満、３．５ｍｍ未満、４．０ｍｍ未満、４．５ｍｍ未満、または５．０ｍｍ未満の長さを備えてもよい。第２の距離は、０．５ｍｍ未満、１．０ｍｍ未満、１．５ｍｍ未満、２．０ｍｍ未満、２．５ｍｍ未満、３．０ｍｍ未満、３．５ｍｍ未満、４．０ｍｍ未満、４．５ｍｍ未満、または５．０ｍｍ未満の長さを備えてもよい。
【０３３３】
図２４は、患者可視化システム２４００を備える、小型掃引源光干渉断層撮影（ＳＳ−ＯＣＴ）デバイスの光学系の概略図を示す。患者可視化システム２４００は、眼底を視認するためのカメラと、患者視力を測定するためのディスプレイとを備えてもよい。患者視力を測定するためのディスプレイは、例えば、患者に可視である小さい物体を表示することによって、患者が視認標的を凝視するために構成されてもよい。光学系１０２は、本明細書に説明されるような光源７００と、コリメート光学要素２２１０と、第１のビームスプリッタ７１０と、参照ミラー７３０と、光検出器７４２に結合される第１のレンズ２２００とを備えてもよい。
【０３３４】
光学系はさらに、本明細書に説明されるような走査機構を備えてもよい。走査機構は、走査光学要素２３１０と、第１の望遠鏡レンズ２３２０および第２の望遠鏡レンズ２３３０を備える、望遠鏡システムとを備えてもよい。光学系はさらに、ホットミラー等のミラー２４３５を備えてもよい。ホットミラーは、赤外光を反射するように構成されてもよい。ホットミラーは、可視光を透過させるように構成されてもよい。ホットミラーは、ディスプレイ上に示される画像を対象に表示し、検出器を用いて眼底を撮像するために、ＯＣＴ測定光を眼に反射させ、可視光を患者に透過させるように構成されてもよい。
【０３３５】
小型ＳＳ−ＯＣＴシステムの視覚機能測定装置は、患者の屈折を補償するためのＢａｄａｌレンズおよび撮像システムを備えてもよい。レンズ２４５０は、検出器アレイ上で眼底の画像の焦点を合わせ、対象によって見られるようなディスプレイ上で画像の焦点を合わせるために、光軸に沿ってレンズを移動させて対象の屈折誤差を補正するようにアクチュエータに結合されてもよい。Ｂａｄａｌレンズは、一定の視認角で患者によって見られる仮想画像を提供するように構成されてもよく、レンズは、マイクロディスプレイ変位（例えば、±５ジオプタ）を伴って線形である屈折誤差補償を提供してもよい。
【０３３６】
視覚機能測定装置は、１つまたはそれを上回る視覚合図を患者に提示する。
【０３３７】
小型ＳＳ−ＯＣＴシステムはさらに、眼底カメラ等の１つまたはそれを上回るカメラ装置を備えてもよい。小型ＳＳ−ＯＣＴシステムは、例えば、眼の前部分を測定するように構成される視覚カメラ装置を備えてもよい。眼底カメラおよび視覚ディスプレイに結合される光学系は、第１の望遠鏡レンズ２４４０と、第２の望遠鏡レンズ２４５０とを備える、望遠鏡を備えてもよい。光学系はさらに、停止部を備える、開口２４６０を備えてもよい。停止部は、例えば、リング停止部を備えてもよい。光学系はさらに、第２のビームスプリッタ２４７０を備えてもよい。第２のビームスプリッタは、患者可視化のために、眼から入射する光の一部を検出器アレイ２４８０に向かって、マイクロディスプレイ２４９０からの入射光の一部を眼に向かって指向してもよい。検出器アレイは、電荷結合素子（ＣＣＤ）であってもよい。検出器アレイは、例えば、相補型金属酸化膜半導体（ＣＭＯＳ）検出器アレイであってもよい。
【０３３８】
視覚カメラ装置が、眼の画像を取得してもよい一方で、ＯＣＴシステムは、眼のＲＴまたはＲＬＴ測定を取得する。視覚カメラ装置は、ＯＣＴシステムが本明細書に説明されるような眼のＲＴまたはＲＬＴ測定を取得する前、間、または後に、眼の画像を取得してもよい。眼底カメラ装置が、眼底の画像を取得してもよい一方で、ＯＣＴシステムは、眼のＲＴまたはＲＬＴ測定を取得する。眼底カメラ装置は、ＯＣＴシステムが眼のＲＴまたはＲＬＴ測定を取得する前、間、または後に、眼の画像を取得してもよい。眼底カメラ装置によって取得される眼底の画像は、画像処理を受け、（眼の随意もしくは不随意運動に起因して、または手持ち式ＯＣＴシステムの随意もしくは不随意運動に起因して）ＯＣＴ測定場所が２つの連続測定の間で移動したかどうか、および移動した量を決定してもよい。ＯＣＴビームの走査は、眼球運動を補償するために、眼球運動に応答して調節されてもよい。
【０３３９】
図２５は、いくつかの実施形態による、ＯＣＴ測定から網膜の厚さ（ＲＴ）または網膜層の厚さ（ＲＬＴ）の測定を抽出するための方法２５００を示す。方法２５００は、データを読み取るステップと、読み取られたデータに雑音低減を実施するステップと、読み取られたデータにチャープ補正を実施するステップと、読み取られたデータに周波数分析を実施し、推定周波数を取得するステップと、推定周波数を網膜の厚さに変換するステップと、複数の推定器からの情報を処理するステップと、複数の測定点を処理するステップとを含む。
【０３４０】
ステップ２５０２では、ＯＣＴ測定システムによって取得されるＯＣＴデータが、読み取られたデータを形成するように読み取られる。ある場合には、読み取られたデータは、ＯＣＴ干渉強度を備える。
【０３４１】
ステップ２５０４では、雑音低減が、読み取られたデータに実施される。
【０３４２】
ステップ２５０６では、チャープ補正が、読み取られたデータに実施される。チャープ補正は、時間ドメイン内でＯＣＴ信号を再サンプリングするステップを含んでもよい。ＯＣＴ信号を再サンプリングするステップは、線形時間信号を線形波ベクトル信号に変換してもよい。再サンプリングするステップは、ＶＣＳＥＬまたは他の光源によって放射される光の波長と、ＶＣＳＥＬまたは他の光源の駆動電流との間の関係の非線形性、温度の変動、光学コンポーネントの経年劣化、振動、もしくは他の環境条件に起因して生じる、位相不安定性を補償してもよい。再サンプリングするステップは、本明細書に説明されるような位相測定方法等の光源の位相測定に基づいてもよい。再サンプリングするステップは、本明細書に説明されるＳＳ−ＯＣＴ信号の後処理の間に実施されてもよい。
【０３４３】
再サンプリングするステップは、第１および第２の補正動作を含んでもよい。第１の補正動作では、再サンプリングするステップは、ある時間周期にわたって光源によって放射される光の平均挙動に基づいて、ＶＣＳＥＬまたは他の光源によって放射される光の位相の平均非線形性を補正してもよい。第２の補正動作では、再サンプリングするステップは、光源の平均挙動からの偏差を補正してもよい。第２の補正動作は、位相信号およびＳＳ−ＯＣＴ信号の同時入手に基づいてもよく、したがって、温度、湿度、光学または電子コンポーネントの劣化、およびＳＳ−ＯＣＴ信号の他のドリフト源の変化と関連付けられる変形例を補正してもよい。
【０３４４】
ステップ２５０８では、周波数分析が、推定周波数を取得するように、読み取られたデータに実施される。周波数分析は、１つまたはそれを上回る推定器を使用して実施されてもよい。周波数は、１つ、２つ、３つ、４つ、５つ、または５つを上回る推定器を使用して実施されてもよい。推定器は、固有空間技法を利用してもよい。推定器は、固有分解技法を利用してもよい。推定器は、ピサレンコ分解技法を利用してもよい。推定器は、多重信号分類（ＭＵＳＩＣ）技法を利用してもよい。１つまたはそれを上回る推定器のうちの各推定器は、一意のフィルタとともにＭＵＳＩＣ技法を利用してもよい。各推定器は、読み取られたＯＣＴデータから推定周波数を取得してもよい。
【０３４５】
ステップ２５１０では、１つまたはそれを上回る推定周波数が、推定ＲＴまたはＲＬＴを決定するために使用される。ＲＴまたはＲＬＴが、干渉信号の項の分析から取得されてもよい。ＲＴまたはＲＬＴを決定するために使用される項は、干渉信号の自動項または交差項、およびそれらの組み合わせを備えてもよい。自動項は、ＳＳ−ＯＣＴシステムの参照項から独立して、サンプル（例えば、網膜または網膜層）からの後方反射信号によって生成されてもよい。自動項は、比較的に低い周波数における単一の周波数に対応してもよい。自動項と関連付けられる周波数は、ＲＴまたはＲＬＴに直接関係してもよい。ＲＴまたはＲＬＴは、干渉信号の交差項の分析から取得されてもよい。交差項は、サンプルおよび参照ミラーからの後方反射信号によって生成されてもよい。交差項は、比較的に高い周波数における一対の周波数に対応してもよい。一対の周波数の２つの周波数の間の差は、ＲＴまたはＲＬＴに直接関係してもよい。項は、網膜の厚さ、複数の層の厚さ、および網膜の複数の層のそれぞれの相対的場所を決定するように組み合わせられることができる。
【０３４６】
代替として、または組み合わせて、ＲＴまたはＲＬＴは、時間ドメイン内のＯＣＴ信号の包絡線の分析から取得されてもよい。ＯＣＴ信号の包絡線は、ＯＣＴ信号にヒルベルト変換等の数学的変換を実施することによって、計算されてもよい。包絡線は、フィルタ処理された包絡線を取得するように、フィルタリング動作を受けてもよい。ＲＴまたはＲＬＴは、フィルタ処理された包絡線のビート周波数に関係してもよい。ＯＣＴ信号の包絡線を使用するＲＴまたはＲＬＴの推定は、（ＳＳ−ＯＣＴデバイスまたはＳＳ−ＯＣＴデバイスのユーザの）運動と関連付けられるもの等の雑音の影響を受けにくくあり得る。
【０３４７】
ステップ２５１２では、複数の推定器からの情報が、処理される。複数の推定器の処理は、統計的分析手順を利用してもよい。複数の推定器の処理は、例えば、人工知能または機械学習手順を利用してもよい。
【０３４８】
ステップ２５１４では、複数の測定点が、処理される。複数の測定点は、網膜上の単一の点において行われる複数の測定から処理されてもよい。複数の測定点は、網膜上の複数の場所において行われる測定から処理されてもよい。
【０３４９】
図２５は、いくつかの実施形態による、ＯＣＴ測定から網膜の厚さ（ＲＴ）または網膜層の厚さ（ＲＬＴ）の測定を抽出するための方法２５００を示すが、当業者は、多くの変形例および適合を認識するであろう。例えば、ステップのうちのいくつかが、削除されてもよく、ステップのうちのいくつかが、繰り返されてもよく、ステップのうちのいくつかは、サブステップを含んでもよい。ステップは、例えば、異なる順序で実施されてもよい。
【０３５０】
図２６は、いくつかの実施形態による、視覚機能測定装置を組み込むＳＳ−ＯＣＴの概略図を示す。本システムは、患者がシステムを持ち上げるために定寸されてもよく、例えば、患者が測定のためにシステムを持ち上げることを可能にするために十分な重量を備えてもよい。本システムは、患者可視化システム２４００を備えてもよく、光学コンポーネントは、例えば、測定中に患者によって保持され得る小型システムを提供するように配列されてもよい。本システムは、ディスプレイ２４９０を備えてもよく、本明細書に説明されるような眼底カメラを備えてもよい。光源７００からの光は、光を眼７５０に向かって指向される測定区間および参照ミラー７３０に向かって指向される参照区間に分割する、ミラー７１０に向かって指向されてもよい。参照ミラー７３０は、参照ミラーによって透過される光の一部を検出し得る、光学検出器２６６０に結合されてもよい。光学検出器２６６０は、光源から出力される光の変動を測定してもよい。参照ミラー７３０は、参照ミラーの距離を調節し、構造に接触する患者から対象の網膜までの変動する距離を補償するために、参照ミラーの距離を調節するためのアクチュエータ（図示せず）に結合されてもよい。参照区間は、ビームを偏向させるためのミラーを備えてもよい。参照ミラーは、ミラー対２６５０等の複数のミラーを備えてもよい。ミラー対２６５０の場所は、参照区間の光路長を調節するように調節されてもよい。例えば、アクチュエータは、参照区間の光路長を調節するように、トロンボーン構成におけるミラーを調節するようにミラー対２６５０に結合されてもよい。
【０３５１】
走査機構２３００は、測定ビームを走査し、網膜から光を受光し、本明細書に説明されるような共焦点構成で光を網膜に指向してもよい。
【０３５２】
図３４は、いくつかの実施形態による、固視標的装置および眼底撮像装置を組み込むＳＳ−ＯＣＴデバイスの光学系の概略図３４００を示す。
【０３５３】
光学系は、本明細書に説明されるような干渉計を備える、ＲＴまたはＲＬＴ経路を備えてもよい。干渉計は、本明細書に説明されるような光源７００を備えてもよい。光源は、本明細書に説明されるように、光を随意のコリメートレンズ２２１０およびビームスプリッタ７１０に指向してもよい。ビームスプリッタは、本明細書に説明されるように、参照ミラー７３０の参照アームに沿ってビームスプリッタに入射する光の第１の部分と、干渉計の参照アームに沿ってビームスプリッタに入射する光の第２の部分とを指向してもよい。光の第２の部分は、本明細書に説明されるように、随意のフィルタ（帯域通過フィルタ等）３４７０および走査ミラー２３１０または他の走査機構に指向されてもよい。走査ミラーは、本明細書に説明されるように、光の第２の部分を、第１の望遠鏡レンズ２３２０と、第２の望遠鏡レンズ２３３０とを備える、望遠鏡システムに指向してもよい。望遠鏡システムはさらに、本明細書に説明されるように、眼７５０に向かって走査ミラーによって偏向される走査光を偏向させるためのミラー２３２５を備えてもよい。走査光は、本明細書に説明されるように、眼、網膜、もしくは網膜の１つまたはそれを上回る層から反射され、要素２３３０、２３２５、２３２０、２３１０、３４７０、および７１０を備える経路に沿って、後方に指向されてもよい。走査光は、次いで、本明細書に説明されるように、ビームスプリッタ７１０によって、随意の焦点レンズ２２２０および検出器７４０まで通過されてもよい。検出器は、本明細書に説明されるように、干渉計の測定アームを通過した走査光と干渉計の参照アームを通過した参照光との間の干渉を検出してもよい。
【０３５４】
光学系は、視覚標的経路を備えてもよい。視覚標的経路は、視覚標的光源３４５０を備えてもよい。視覚標的光源は、発光ダイオード（ＬＥＤ）を備えてもよい。ＬＥＤは、電磁スペクトルの可視部分内である波長を有する光を放射してもよい。例えば、ＬＥＤは、４００ｎｍ〜７００ｎｍの範囲内である波長を有する光を放射してもよい。ＬＥＤは、近似的に緑色の光を放射してもよい。例えば、ＬＥＤは、約５２５ｎｍの波長を有する光を放射してもよい。ＬＥＤは、電磁スペクトルの可視部分内である複数の波長を有する光を放射してもよい。視覚標的光源は、停止部を備える開口３４５５に向かって光を指向してもよい。停止部は、例えば、リング停止部を備えてもよい。光は、次いで、拡散器３４６０まで通過してもよい。光は、次いで、本明細書に説明されるように、コリメートレンズ２４５０および停止部２４６０まで通過してもよい。光は、ホットミラー３４３５に指向されてもよい。ホットミラーは、本明細書に説明されるように、視覚標的経路からレンズ２４４０まで光を通過させるように構成されてもよい。光は、次いで、本明細書に説明されるように、ビームスプリッタ２４７０まで通過してもよい。ビームスプリッタは、視覚標的光を眼７５０まで通過させてもよい。光は、眼によって検出され、ユーザが焦点を合わせるための標的を提供してもよい。標的に焦点を合わせることは、ユーザが、眼底、ＲＴ、またはＲＬＴ測定中にユーザの眼の運動を低減させることを可能にし得る。ある場合には、ビームスプリッタは、本明細書に説明されるように、視覚標的光を、ミラー２３２５および第２の望遠鏡レンズ２３３０を通して眼まで通過させてもよい。ビームスプリッタ２４７０は、視覚標的光の一部を検出器２４８０に指向するように構成されてもよい。検出器に指向される視覚標的光の一部は、眼に送達される光強度が経時的に監視されることを可能にし得る。
【０３５５】
光学系はさらに、眼底照明路を備えてもよい。眼底照明路は、眼底照明光源を備えてもよい。眼底照明光源は、ＬＥＤを備えてもよい。ＬＥＤは、電磁スペクトルの近赤外線部分内である波長を有する光を放射してもよい。例えば、ＬＥＤは、７００ｎｍ〜２，５００ｎｍの範囲内である波長を有する光を放射してもよい。例えば、ＬＥＤは、約７８０ｎｍの波長を有する光を放射してもよい。ＬＥＤは、電磁スペクトルの近赤外線部分内である複数の波長における光を放射してもよい。眼底照明光源は、停止部を備える開口３４１５に向かって光を指向してもよい。停止部は、例えば、リング停止部を備えてもよい。光は、次いで、コリメートレンズ３４２５まで通過してもよい。光は、次いで、第１の偏光子３４３０まで通過してもよい。第１の偏光子は、直線偏光子であってもよい。第１の偏光子は、直線偏光を光に付与してもよい。第１の偏光子は、ｓ−偏光子であってもよい。第１の偏光子は、ｓ−偏光を光に付与してもよい。第１の偏光子は、ｐ−偏光子であってもよい。第１の偏光子は、ｐ−偏光を光に付与してもよい。光は、次いで、本明細書に説明されるように、ビームスプリッタ２４７０まで通過してもよい。ビームスプリッタは、眼底照明光を眼７５０に通過させてもよい。ある場合には、ビームスプリッタは、本明細書に説明されるように、眼底照明光を、ミラー２３２５および第２の望遠鏡レンズ２３３０を通して眼に通過させてもよい。ビームスプリッタ２４７０は、眼底照明光の一部を検出器２４８０に指向するように構成されてもよい。検出器に指向される眼底照明光の一部は、眼に送達される光強度が経時的に監視されることを可能にし得る。
【０３５６】
光学系はさらに、眼底撮像標的経路を備えてもよい。眼底撮像標的経路は、眼から反射される眼底照明光を受光してもよい。光は、要素２３３０、２３２５、２４７０、２４４０、および３４３５を通して指向されてもよい。ホットミラー３４３５は、光を第２の偏光子３４４０に指向するように構成されてもよい。第２の偏光子は、第１の偏光子によって付与される偏光に類似する偏光を有する光を通過させるように構成されてもよい。光は、本明細書に説明されるように、撮像レンズ３４４５およびカメラ２４９０に指向されてもよい。
【０３５７】
撮像レンズおよびカメラは、ユーザの眼の眼底の１つまたはそれを上回る画像を記録してもよい。撮像レンズおよびカメラは、ユーザの眼の眼底の一連の画像を記録するように構成されてもよい。カメラは、画像プロセッサに結合されてもよい。画像プロセッサは、眼底を認識するように構成されてもよい。例えば、画像プロセッサは、眼底の静脈を検出するように構成されてもよい。画像プロセッサは、眼底の画像をテンプレートと比較することによって、眼底の静脈を検出するように構成されてもよい。テンプレートは、静脈を含有する眼の画像の小さい領域を備えてもよい。画像プロセッサは、静脈の直径の管状構造を検出するように構成されてもよい。例えば、画像プロセッサは、へシアンマルチスケールフィルタ等のフィルタを実装し、静脈を検出するように構成されてもよい。フィルタは、静脈を含有する眼底画像の領域の明確性および静脈を含有するテンプレートの領域の明確性を増進してもよい。画像プロセッサは、眼底画像の増進された領域をテンプレートの増進された領域と相互相関させてもよい。このようにして、静脈の場所が、決定されてもよい。
静脈の場所は、一連の眼底画像の中の眼底画像毎に決定されてもよい。このようにして、眼の相対運動が、経時的に測定されてもよい。
【０３５８】
図４８は、いくつかの実施形態による、走査レーザ検眼鏡（ＳＬＯ）を組み込むＳＳ−ＯＣＴデバイスの光学系の概略図を示す。光学系は、光源７００、停止部２４６０、コリメートレンズ２２１０、ビームスプリッタ７１０、集束レンズ２２４０、参照ミラー７３０、走査ミラー２３１０、それぞれ、第１および第２の望遠鏡レンズ２３２０ならびに２３３０、および本明細書に説明されるように眼７５０からのＯＣＴ信号を検出するように構成される検出器７４０等の本明細書に説明されるような任意のＯＣＴコンポーネントを備えてもよい。光学系はさらに、本明細書に説明されるように、光源によって放射される光の一部を、第１および第２のファブリ・ペローミラー４４２０ならびに４４２５を備える、ファブリ・ペロー干渉計を通して、光源によって放射される光の光学位相を特性評価するように構成される検出器４４３０に指向するように構成される、ビームスプリッタ２２５０を備えてもよい。
【０３５９】
光学系はさらに、ＳＬＯ光源４８００を備えてもよい。ＳＬＯ光源は、当業者に公知であるような任意のＳＬＯ光源を備えてもよく、光源７００等の本明細書に説明される任意の光源を備えてもよい。ＳＬＯ光源は、光をコリメートレンズ４８２０およびビームスプリッタ４８１０に指向してもよい。ビームスプリッタ４８１０は、本明細書に説明されるビームスプリッタ７１０に類似し得る。ビームスプリッタ４８１０は、ＳＬＯ光源によって放射される光を、ダイクロイックミラー２３２５と、走査ミラー２３１０と、それぞれ、第１および第２の望遠鏡レンズ２３２０ならびに２３３０とを備える、第１の光路に沿って、眼７５０に向かって指向するように構成されてもよい。光は、ダイクロイックミラー２３２５と、走査ミラー２３１０と、それぞれ、第１および第２の望遠鏡レンズ２３２０ならびに２３３０とを備える、ビーム経路に沿って、反対方向に眼から反射されてもよい。眼から反射される光は、集束レンズ４８３０に、共焦点ピンホール４８５０を通して、検出器４８４０に指向されてもよく、そこで、眼、網膜、または網膜層から反射される光は、ＳＬＯ信号を形成し得る。ＳＬＯ検出器は、例えば、光電子増倍管またはアバランシェフォトダイオードを備えてもよい。ＳＬＯ信号は、眼の複合ＳＬＯおよびＯＣＴマップを提供するように、ＯＣＴ測定と組み合わせられ得る、眼の眼底の画像を発生させるように組み合わせられてもよい。
【０３６０】
光学系はさらに、本明細書に説明されるように、視覚標的光学システムから眼に向かって光を指向するように構成される、ダイクロイックミラー４８９０を備えてもよい。
【０３６１】
図３５は、本明細書に説明される小型ＳＳ−ＯＣＴシステムの光学系を制御するための電子回路の概略図３５００を示す。本明細書に説明される光学系は、光学系の種々の要素の動作を制御するように構成される電子回路に結合されてもよい。例えば、本明細書に説明される光検出器７４０は、低域通過フィルタ等の第１のフィルタ３５１０に電子的に結合されてもよい。第１のフィルタは、光検出器から本明細書に説明される干渉信号を受信し、干渉信号をフィルタ処理し、フィルタ処理された干渉信号をデータ入手モジュール３５８０にパスするように構成されてもよい。データ入手モジュールは、Ｎａｔｉｏｎａｌ  Ｉｎｓｔｒｕｍｅｎｔｓによって提供されるデータ入手カード等のデータ入手カードを備えてもよい。データ入手モジュールは、１つまたはそれを上回るアナログ／デジタル変換器（ＡＤＣ）もしくは１つまたはそれを上回るデジタル／アナログ変換器（ＤＡＣ）を備えてもよい。データ入手モジュールは、毎秒少なくとも１キロサンプル（ｋＳ／秒）、少なくとも２ｋＳ／秒、少なくとも５ｋＳ／秒、少なくとも１０ｋＳ／秒、少なくとも２０ｋＳ／秒、少なくとも５０ｋＳ／秒、少なくとも１００ｋＳ／秒、少なくとも２００ｋＳ／秒、少なくとも５００ｋＳ／秒、少なくとも１，０００ｋＳ／秒、少なくとも２，０００ｋＳ／秒、少なくとも５，０００ｋＳ／秒、または少なくとも１０，０００ｋＳ／秒のサンプリングレートにおいて、ＡＤＣをサンプリングするように構成されてもよい。データ入手モジュールは、前述の値のうちのいずれか２つによって定義される範囲内にあるサンプリングレートにおいてＡＤＣをサンプリングするように構成されてもよい。データ入手モジュールは、毎秒少なくとも１キロサンプル、少なくとも２ｋＳ／秒、少なくとも５ｋＳ／秒、少なくとも１０ｋＳ／秒、少なくとも２０ｋＳ／秒、少なくとも５０ｋＳ／秒、少なくとも１００ｋＳ／秒、少なくとも２００ｋＳ／秒、少なくとも５００ｋＳ／秒、少なくとも１，０００ｋＳ／秒、少なくとも２，０００ｋＳ／秒、少なくとも５，０００ｋＳ／秒、または少なくとも１０，０００ｋＳ／秒のサンプリングレートにおいて、ＤＡＣをサンプリングするように構成されてもよい。データ入手モジュールは、前述の値のうちのいずれか２つによって定義される範囲内にあるサンプリングレートにおいてＤＡＣをサンプリングするように構成されてもよい。
【０３６２】
（例えば、図３６に関して）本明細書に説明される相安定性を増進するための干渉計装置３６４０は、低域通過フィルタ等の第２のフィルタ３５２０に電子的に結合されてもよい。第２のフィルタは、本明細書に説明されるように、干渉計装置３６４０から位相測定を受信し、位相測定をフィルタ処理し、フィルタ処理された位相測定をデータ入手モジュールにパスするように構成されてもよい。
【０３６３】
電子回路は、安全回路を備えてもよい。電子回路は、データ入手モジュールに電子的に結合される第１の安全回路３５３０を備えてもよい。第１の安全回路は、データ入手モジュールから第１のステータス信号を受信するように構成されてもよい。第１の安全回路は、干渉計装置３６４０からの信号を監視するように構成されてもよい。干渉計装置３６４０からの信号が安全レベルを超える場合、第１の安全回路は、シャッタ等の第１の安全デバイス３５７０をアクティブ化するための信号を送信してもよい。第１の安全デバイスのアクティブ化は、干渉計装置３６４０または対象の眼によって受光される光強度の量を安全なレベルまで低減させてもよい。第１の安全デバイスがアクティブ化される場合において、第１の安全回路は、ステータス信号をデータ入手モジュールに送信してもよい。本ステータス信号は、オペレータが安全ステータスについて知らされることを確実にするように、ＳＳ−ＯＣＴデバイスのオペレータにパスされてもよい。
【０３６４】
電子回路は、データ入手モジュールに電子的に結合される第２の安全回路３５４０を備えてもよい。第２の安全回路は、データ入手モジュールから第２のステータス信号を受信するように構成されてもよい。第２の安全回路は、ＶＣＳＥＬドライバ等の光源ドライバ３５５０からの信号を監視するように構成されてもよい。光源ドライバからの出力強度が安全なレベルを超える場合、第２の安全回路は、光源ドライバを動作停止させる、または別様に光源ドライバによって供給されるパワーを低減させるための信号を送信してもよい。光源ドライバからのパワーを動作停止または低減させることは、光源によって供給される光強度の量を安全なレベルまで低減させてもよい。データ入手モジュール３５８０は、変調信号を光源ドライバに送信し、本明細書に説明されるような光源の動作電流を変調させるように構成されてもよい。
【０３６５】
データ入手モジュール３５８０は、本明細書に説明される眼底カメラ２４９０に電子的に結合されてもよい。データ入手モジュールは、眼底カメラから測定をトリガするように構成されてもよい。眼底カメラからの信号は、算出モジュール３５８５に指向されてもよい。算出モジュールは、外部コンピュータを備えてもよい。算出モジュールは、パーソナルコンピュータまたはワークステーションを備えてもよい。算出モジュールは、タブレットまたはスマートフォン等のモバイルデバイスを備えてもよい。算出モジュールは、グラフィカルユーザデバイス（ＧＵＩ）等の可視化プログラムを動作させるように構成されてもよい。算出モジュールは、眼底カメラから１つまたはそれを上回る眼底画像を受信するように構成されてもよい。算出モジュールは、ディスプレイ３５９５上に１つまたはそれを上回る眼底画像を表示するように構成されてもよい。ディスプレイは、算出モジュールに電子的に結合される外部モニタ等の算出モジュールの外部にあり得る。ディスプレイは、モバイルデバイスとして構成される算出モジュールの場合にあり得るように、算出モジュールに統合されてもよい。
【０３６６】
算出モジュールは、制御バスモジュール３５９０に電子的に結合されてもよい。制御バスモジュールは、ユニバーサルシリアルバス（ＵＳＢ）ハブを備えてもよい。算出モジュールは、信号を制御バスモジュール３５９０に指向し、小型ＳＳ−ＯＣＴシステムの１つまたはそれを上回る光学コンポーネントの動作を制御してもよい。例えば、制御バスモジュールは、信号を、本明細書に説明される走査要素２３１０の動作を制御するスキャナインターフェースモジュール３５６０に指向してもよい。スキャナインターフェースモジュールは、最大２００Ｖの電圧等の高い電圧において走査要素に給電する高電圧ドライバを備えてもよい。制御バスモジュールは、信号を本明細書に説明されるレンズ２３２０、３６５０、または３６５５のうちのいずれか等の第１のＯＣＴ集束要素に指向し、本明細書に説明されるＳＳ−ＯＣＴシステムの焦点を調節してもよい。制御バスモジュールは、信号を本明細書に説明されるレンズ２３２０、３６５０、または３６５５のうちのいずれか等の第２のＯＣＴ集束要素に指向し、本明細書に説明されるＳＳ−ＯＣＴシステムの焦点を調節してもよい。第１または第２の集束要素は、同調可能レンズを備えてもよい。代替として、または組み合わせて、第１または第２の集束要素は、可動レンズを備えてもよい。制御バスモジュールは、信号をライブビューカメラに指向してもよい。ライブビューカメラは、眼の１つまたはそれを上回る画像を提供してもよい。ライブビューカメラは、眼の側面図の１つまたはそれを上回る画像を提供してもよい。ライブビューカメラによって入手される画像は、デバイスを対象の眼と正しく整合させる際に、本明細書に説明されるＳＳ−ＯＣＴデバイスのオペレータを支援してもよい。例えば、ライブビューカメラによって入手される画像は、オペレータが眼とＳＳ−ＯＣＴデバイスとの間の適切な距離を選択することを可能にし得る。
【０３６７】
図３５に示されていないが、電子回路は、本明細書に説明される小型ＳＳ−ＯＣＴシステムの他の要素を制御するように構成されてもよい。例えば、電子回路は、図５、６Ａ、７Ａ、８Ａ、８Ｂ、２２、２３Ａ、２４、２６、３４、または３６のうちのいずれかに関して本明細書に説明される、いずれかまたは全ての光学要素を制御するように構成されてもよい。算出モジュール３５８５は、方法１１００、１２００、または２５００等の本明細書に説明される任意の方法の任意のステップを実装するように構成されてもよい。
【０３６８】
図３６は、相安定性を増進するための干渉計を組み込むＳＳ−ＯＣＴデバイスの光学系の概略図３６００を示す。光学系は、本明細書に説明されるような光源７００と、コリメートレンズ２２１０と、ビームスプリッタ７１０と、参照ミラー７３０と、走査ミラー２３１０と、望遠鏡レンズ２３２０および２３３０と、ミラー２３２５と、集束レンズ２２２０と、検出器７４０とを備えてもよい。要素７００、２２１０、７１０、７３０、２３１０、２３２０、２３３０、２３２５、２２２０、および検出器７４０は、本明細書に説明されるように、眼７５０からＯＣＴ信号を生成するように配列されてもよい。
【０３６９】
光学系はさらに、停止部を備える、開口２４６０を備えてもよい。停止部は、例えば、リング停止部を備えてもよい。停止部は、コリメートレンズ２２１０と第１の結合レンズ３６２０との間に位置してもよい。第１の結合レンズは、ファイバ結合レンズであってもよい。第１の結合レンズは、光源によって光ファイバの中へ放射されるコリメートされた光を指向するために十分な開口数を有してもよい。第１の結合レンズは、光を干渉計装置３６４０に指向するように構成されてもよい。
【０３７０】
干渉計装置は、ファイバベースの干渉計装置であってもよい。代替として、干渉計装置は、バルク干渉計装置であってもよい。干渉計装置は、光の第１の部分（光の９５％等）を第２の結合レンズ３６３０に、光の第２の部分（光の５％等）を干渉計装置内の光分析ユニットに指向するように構成されてもよい。光分析ユニットは、光の第３の部分（光の第２の部分の５０％等）を干渉計装置内の強度監視装置に、光の第４の部分（光の第２の部分の５０％等）をマッハ・ツェンダー干渉計に指向してもよい。強度監視装置は、干渉計装置に入射する光の光強度を測定し、測定を強度測定出力３６４２に出力してもよい。そのような測定は、監視を可能にし、光強度が安全なレベルを超えないことを確実にし得る。マッハ・ツェンダー干渉計は、干渉計装置の中へ結合される光の位相を測定し、測定を位相測定出力３６４４に出力してもよい。位相が、監視されてもよく、位相ドリフト（周囲温度変動、光学コンポーネントの経年劣化、光学もしくは電子コンポーネントの一過性の応答、または他の要因と関連付けられる位相ドリフト等）が、補正されてもよい。位相ドリフトの補正は、周波数ドメイン内のピークを狭くしてもよい。これは、ＲＴまたはＲＬＴ推定の正確度を増加させ得る。
【０３７１】
位相測定が、本明細書に説明されるように、マッハ・ツェンダー干渉計によって取得されてもよい。代替として、または組み合わせて、位相測定は、本明細書に説明されるようなファブリ・ペロー干渉計等の別の光学位相測定装置を使用して取得されてもよい。光源の位相は、ＯＣＴ信号と同時に入手されてもよい。
【０３７２】
第２の結合レンズは、ファイバ結合レンズであってもよい。第２の結合レンズは、干渉計装置によって放射される光を受け入れ、光を第１および第２の同調可能レンズ３６５０ならびに３６５５および集束レンズ３６６０に指向するために十分な開口数を有してもよい。第１および第２の同調可能レンズは、網膜上にＳＳ−ＯＣＴシステムによって放射される光のスポットサイズを変動させるように構成されてもよい。
【０３７３】
光学系はさらに、第１および第２のビーム拡大器レンズ３６６５ならびに３６７０を備える、ビーム拡大器を備えてもよい。
【０３７４】
図４４Ａは、いくつかの実施形態による、光学位相測定のためのファブリ・ペロー干渉計を組み込むＳＳ−ＯＣＴの光学系の概略図を示す。光学系は、本明細書に説明されるように、光源７００と、ビームスプリッタ７１０と、フロントエンド光学系７２０と、参照ミラー７３０と、検出器７４０とを備えてもよい。要素７００、７１０、７２０、７３０、および７４０は、本明細書に説明されるように、眼７５０からＯＣＴ信号を生成するように配列されてもよい。光学系はさらに、コリメートレンズ２２１０（図４４Ａに示されていない）、望遠鏡レンズ２３２０および２３３０（図４４Ａに示されていない）、ミラー２３２５（図４４Ａに示されていない）、または集束レンズ２２２０（図４４Ａに示されていない）のうちのいずれか１つまたはそれを上回るもの等の本明細書に説明される任意の付加的光学要素を備えてもよい。
【０３７５】
光学系はさらに、ビームスプリッタ４４１０を備えてもよい。ビームスプリッタは、光源によって放射される光の一部（光源によって放射される光の少なくとも１％、少なくとも２％、少なくとも５％、または少なくとも１０％、もしくは前述の値のうちのいずれか２つによって定義される範囲内である光源によって放射される光の量等）を、それぞれ、第１および第２のファブリ・ペローミラー４４２０ならびに４４２５に指向するように構成されてもよい。第１および第２のファブリ・ペローミラーは、ファブリ・ペロー干渉計を形成するように構成されてもよい。第１および第２のファブリ・ペローミラーの一方または両方は、傾転されてもよい。第１および第２のファブリ・ペローミラーは、ガラス等の基板の対向する表面上に反射コーティングを備えてもよい。第１および第２のファブリ・ペローミラーの一方または両方は、光が、第１または第２のファブリ・ペローミラーに対して法線とわずかに異なる角度で第１および第２のファブリ・ペローミラーの一方または両方に衝打するように、それらに向かって指向される光に対するある角度で配向されてもよい。角度が法線とわずかに異なる量は、傾転角と称され得る。傾転角は、光学基板の対向する反射表面の間の角度に対応し得る。第１および第２のファブリ・ペローミラーの一方または両方は、少なくとも１秒角、少なくとも２秒角、少なくとも５秒角、少なくとも１０秒角、少なくとも２０秒角、少なくとも５０秒角、または少なくとも１００秒角、もしくは前述の値のうちのいずれか２つによって定義される範囲内である傾転角の傾転角を有してもよい。傾転角は、光の波長の範囲（本明細書に説明される同調可能光源によって掃引される波長の範囲等）が、ファブリ・ペロー干渉計のフィネスを改変することによってファブリ・ペロー干渉計によって透過される、効率を改変し得る。傾転角は、（略正弦波形状等の）位相評価のために有利である波形形状を伴うファブリ・ペロー透過スペクトルを生成し得る。略正弦波形状は、そのような形状と関連付けられ得る周波数ドメイン内の１つのみまたはいくつかのピークの発生に起因して、位相評価のために有利であり得る。ファブリ・ペロー干渉計によって通過される光は、検出器４４３０によって検出されてもよい。検出器は、本明細書に説明されるような任意の検出器を備えてもよい。
【０３７６】
図４４Ｂは、いくつかの実施形態による、光学位相測定のためのファブリ・ペロー干渉計を備える、手持ち式両眼ＯＣＴシステムを示す。図４４Ｂに示されるように、手持ち式ＯＣＴシステムは、本明細書に説明されるような両眼システム４４００の形状因子を有してもよい。両眼システムは、ユーザの第１の眼７５０ａからＯＣＴ信号を生成するように構成される、ＯＣＴ光学系を備えてもよい。ＯＣＴ光学系は、本明細書に説明されるように、光源７００と、ビームスプリッタ７１０と、フロントエンド光学系７２０と、参照ミラー７３０と、検出器７４０とを備えてもよい。要素７００、７１０、７２０、７３０、および７４０は、本明細書に説明されるように、ユーザの第１の眼７５０ａからＯＣＴ信号を生成するように配列されてもよい。ＯＣＴ光学系はさらに、本明細書に説明されるように、ビームスプリッタ４４１０と、第１および第２のファブリ・ペローミラー４４２０ならびに４４２５と、光源によって放射される光の位相を測定するための検出器４４３０とを備えてもよい。ＯＣＴ光学系はさらに、本明細書に説明されるように、コリメートレンズ２２１０と、走査ミラー２３１０と、望遠鏡レンズ２３２０および２３３０ａ（本明細書に説明されるレンズ２３３０に類似し得る）と、ミラー２３２５と、集束レンズ２２２０と、集束レンズ３６６０とを備えてもよい。ＯＣＴ光学系はさらに、プリズム４４４０を備えてもよい。プリズムは、色分散を補償するように、またはＯＣＴ光路を折畳および小型化するように構成されてもよい。
【０３７７】
両眼システムはさらに、視覚標的を第１の眼に指向するように構成される、第１の視覚標的光学系を備えてもよい。第１の視覚標的光学系は、第１の視覚標的光源３４５０ａを備えてもよい。第１の視覚標的光源は、本明細書に説明される視覚標的光源３４５０に類似し得る。第１の視覚標的光学系はさらに、本明細書に説明されるような第１および第２のレンズ２４５０ならびに２４４０を備えてもよい。第１の視覚標的光学系は、本明細書に説明される任意の視覚標的光学系と同様に構成されてもよい。
【０３７８】
両眼システムはさらに、視覚標的をユーザの第２の眼７５０ｂに指向するように構成される、第２の視覚標的光学系を備えてもよい。第２の視覚標的光学系は、第２の視覚標的光源３４５０ｂを備えてもよい。第２の視覚標的光源は、本明細書に説明される視覚標的光源３４５０に類似し得る。第２の視覚標的光学系はさらに、本明細書に説明されるようなレンズ２３３０ｂ（本明細書に説明されるレンズ２３３０に類似し得る）を備えてもよい。
【０３７９】
図４４Ｃは、いくつかの実施形態による、傾転角を伴わずにファブリ・ペロー干渉計によって通過される、例示的なシミュレートされた透過スペクトルを示す。図４４Ｃに示されるように、傾転されていないファブリ・ペロー干渉計からの透過スペクトルは、高透過率を伴う一連の最大値および低透過率を伴う最小値を備える。透過スペクトルは、各表面上で５０％の透過率を達成するようにコーティングされた厚さ２ｍｍのＢＫ７−Ｎガラスを使用して、シミュレートされた。図４４Ｃに示されるように、傾転されていないファブリ・ペロー干渉計は、位相測定のために不利であり得る透過スペクトルを生成する。
【０３８０】
図４４Ｄは、いくつかの実施形態による、傾転角を伴わずにファブリ・ペロー干渉計によって通過される、例示的最大透過率を示す。
【０３８１】
図４４Ｅは、いくつかの実施形態による、傾転角を伴わずにファブリ・ペロー干渉計によって通過される、例示的最小透過率を示す。
【０３８２】
図４４Ｆは、いくつかの実施形態による、２０秒角の傾転角を伴ってファブリ・ペロー干渉計によって通過される、例示的なシミュレートされた透過スペクトルを示す。図４４Ｆに示されるように、傾転されたファブリ・ペロー干渉計からの透過スペクトルは、（傾転されていない場合と比較して）低減した透過率を伴う一連の最大値および（傾転されていない場合と比較して）高透過率を伴う最小値を備える。透過スペクトルは、各表面上で５０％の透過率を達成するようにコーティングされた厚さ２ｍｍのＢＫ７−Ｎガラスを使用して、シミュレートされた。図４４Ｆに示されるように、傾転されたファブリ・ペロー干渉計は、位相測定のためにより有利であり得る、略正弦波透過スペクトルを生成する。
【０３８３】
図４４Ｇは、いくつかの実施形態による、２０秒角の傾転角を伴ってファブリ・ペロー干渉計によって通過される、例示的最大透過率を示す。
【０３８４】
図４４Ｈは、いくつかの実施形態による、２０秒角の傾転角を伴ってファブリ・ペロー干渉計によって通過される、例示的最小透過率を示す。
【０３８５】
図４４Ｉは、いくつかの実施形態による、２０秒角の傾転角および各プレート上に５０％透過率を伴うコーティングを伴ってファブリ・ペロー干渉計によって通過される、例示的なシミュレートされた透過スペクトルを示す。図４４Ｉに示されるように、光が、低効率でファブリ・ペロー干渉計を通して通過される。
【０３８６】
図４４Ｊは、いくつかの実施形態による、２０秒角の傾転角および各プレート上に１０％透過率を伴うコーティングを伴ってファブリ・ペロー干渉計によって通過される、例示的なシミュレートされた透過スペクトルを示す。図４４Ｊに示されるように、光が、図４４Ｉに描写される場合に対してより高い効率でファブリ・ペロー干渉計を通して通過される。
【０３８７】
図２７Ａは、明るい背景上の暗い視覚合図を示す。視覚合図は、単独で、または組み合わせて提示されてもよい。視覚合図は、例えば、回転するＥ等の配向における文字を備えてもよい。対象は、対象の視力を決定するために、文字の配向を入力してもよい。視覚合図は、明るい背景２７００上の文字「Ｅ」等の複数の暗い文字２７１０ａ、２７１０ｂ、２７１０ｃ、および２７１０ｄを備えてもよい。４つの文字が示されているが、視覚合図は、１、２、３、４、５、６、７、８、９、１０個、または１０個を上回る文字を備えてもよい。文字は、背景に沿って下向き等に背景に沿って移動してもよい。患者が文字の配向を示す、矢印等の他の視覚刺激が、提示されてもよい。
【０３８８】
図２７Ｂは、暗い背景上の暗い視覚合図を示す。視覚合図は、暗い背景２７２０上の文字「Ｅ」等の複数の暗い文字２７１０ａ、２７１０ｂ、２７１０ｃ、および２７１０ｄを備えてもよい。４つの文字が示されているが、視覚合図は、１、２、３、４、５、６、７、８、９、１０個、または１０個を上回る文字を備えてもよい。文字は、背景に沿って下向き等に背景に沿って移動してもよい。文字は、左、右、上、または下に向く等の異なる配向で提示されてもよい。
【０３８９】
多くの実施形態では、視覚合図は、本明細書に説明されるようなディスプレイ上に示され、レンズは、対象の視覚を検査するために、対象の屈折誤差を補償してもよい。小型ＳＳ−ＯＣＴシステムは、患者の視覚が決定され得るように、患者が提示される文字の配向を入力するための入力を備えてもよい。入力は、例えば、ボタンまたは複数のボタン等の文字の配向を受信するように構成される入力を備えてもよい。
【０３９０】
図２８Ａは、いくつかの実施形態による、例示的手持ち式単眼ＯＣＴシステムのための筐体の概略図を示す。図の左側は、筐体の側面図２８００を示す。筐体は、本体２８１０を備えてもよい。筐体の本体は、患者がシステムを握持するためのハンドル２８５０を備えてもよい。本体２８１０は、接眼レンズ２８０５、または発泡体、もしくは他の構造等の患者に接触するための構造に結合されてもよい。筐体は、本明細書に説明される手持ち式ＯＣＴシステムおよびデバイスのコンポーネントのうちのいずれかを含有する内側容積を有してもよい。干渉計の参照区間は、例えば、少なくとも部分的にハンドル２８５０の中へ延在してもよい。
【０３９１】
接眼レンズは、対象の眼を囲繞する皮膚等の対象の眼を囲繞する面積に筐体をドッキングするように構成されてもよい。本体は、対象の手の中に保持されるように構成されてもよい。
【０３９２】
図の右側は、筐体の正面図２８２０を示す。接眼レンズは、対象の眼を囲繞する面積とドッキングするように構成される面積２８２５と、ＯＣＴ測定光がＯＣＴシステムから眼まで、かつ戻って進行することを可能にするように構成される開口部２８３０とを備えてもよい。開口部はさらに、本明細書に説明されるように、視覚合図（文字「Ｅ」のうちの１つまたはそれを上回るもの等）を対象に提示するように構成されてもよい。筐体は、対象が自分に提示される各文字の配向（左、右、上、または下を向く等）を示すことを可能にする機構２８３５を備えてもよい。
【０３９３】
図２８Ａは、いくつかの実施形態による、例示的手持ち式単眼ＯＣＴシステムのための筐体を示す。
【０３９４】
図２９Ａおよび２９Ｂは、いくつかの実施形態による、手持ち式両眼ＯＣＴシステムの構成を示す。代替として、本システムは、測定されていない眼が測定システムで閉塞される、単眼システムを備えてもよい。図の左側は、筐体の側面図２９００を示す。筐体は、接眼レンズ２９０５ａおよび２９０５ｂと、本体２９１０とを備えてもよい。筐体は、本明細書に説明される手持ち式ＯＣＴシステムおよびデバイスのコンポーネントのうちのいずれかを含有する内側容積を有してもよい。接眼レンズは、対象の眼を囲繞する皮膚等の対象の眼を囲繞する面積に筐体をドッキングするように構成されてもよい。本体は、対象の両手の中に保持されるように構成されてもよい。
【０３９５】
図の右側は、筐体の正面図２９２０を示す。接眼レンズは、対象の眼を囲繞する面積とドッキングするように構成される面積２９２５ａおよび２９２５ｂと、ＯＣＴ測定光がＯＣＴシステムから眼の一方または両方まで、かつ戻って進行することを可能にするように構成される開口部２９３０とを備えてもよい。開口部はさらに、本明細書に説明されるように、視覚合図（文字「Ｅ」のうちの１つまたはそれを上回るもの等）を対象に提示するように構成されてもよい。筐体は、対象が自分に提示される各文字の配向（左、右、上、または下を向く等）を示すことを可能にする機構２９３５を備えてもよい。
【０３９６】
図２９Ｃは、いくつかの実施形態による、例示的手持ち式両眼ＯＣＴシステムのための筐体を示す。
【０３９７】
図３０は、いくつかの実施形態による、例示的手持ち式両眼ＯＣＴシステムの構成を示す。筐体３０００は、接眼レンズ３００５ａおよび３００５ｂと、本体３０２０とを備えてもよい。筐体は、本明細書に説明される手持ち式ＯＣＴシステムおよびデバイスのコンポーネントのうちのいずれかを含有する内側容積を有してもよい。接眼レンズは、対象の眼を囲繞する皮膚等の対象の眼を囲繞する面積に筐体をドッキングするように構成されてもよい。本体は、対象の両手の中に保持されるように構成されてもよい。接眼レンズのうちの１つは、ＯＣＴ測定光がＯＣＴシステムから眼の一方まで、かつ戻って進行することを可能にするように構成される開口部３０１０を備えてもよい。開口部はさらに、本明細書に説明されるように、視覚合図（文字「Ｅ」のうちの１つまたはそれを上回るもの等）を対象に提示するように構成されてもよい。筐体は、対象が自分に提示される各文字の配向（左、右、上、または下を向く等）を示すことを可能にする機構３０１５を備えてもよい。筐体の本体は、カットアウト面積を備えてもよい。カットアウト面積の配向は、ＯＣＴシステムを使用して測定される眼を示してもよい。カットアウト面積は、測定される眼から筐体の反対側に位置してもよい。
【０３９８】
加速度計等の配向センサが、配向センサの配向に応答して測定される眼を測定するために、本明細書に説明されるように、光学系に機械的に結合され、制御ユニットに電子的に結合されてもよい。
【０３９９】
図３１Ａは、対象の左眼を測定するように配向された手持ち式両眼ＯＣＴシステムを示す。
【０４００】
図３１Ｂは、対象の右眼を測定するように配向された例示的手持ち式両眼ＯＣＴシステム用の筐体を示す。
【０４０１】
図３２Ａは、いくつかの実施形態による、ＶＣＳＥＬを用いて掃引される波長の範囲を増加させるように冷却器に結合されたＶＣＳＥＬを示す。本明細書に説明されるＳＳ−ＯＣＴシステムのＶＣＳＥＬは、ＶＣＳＥＬによって掃引される波長の範囲を増加させるために、ＶＣＳＥＬの動作温度を、約３７℃の周囲温度を下回る温度まで低減させるように、冷却手順を受けてもよい。冷却は、ＶＣＳＥＬによって掃引される波長の範囲をさらに増加させるために、本明細書に説明されるようなＶＣＳＥＬの過駆動と組み合わせられることができる。ＳＳ−ＯＣＴシステムのＶＣＳＥＬは、１０℃、２０℃、３０℃、４０℃、５０℃、７０℃、８０℃、９０℃、またはそれを上回るだけ周囲温度を下回って冷却されてもよい。ＳＳ−ＯＣＴシステムのＶＣＳＥＬは、前述の値のうちのいずれか２つによって定義される範囲内の量だけ冷却される、例えば、２０℃〜７０℃の範囲内の量だけ冷却されてもよい。掃引される波長の範囲は、１ｎｍ、２ｎｍ、３ｎｍ、４ｎｍ、５ｎｍだけ増加される、または前述の値のうちのいずれか２つによって定義される範囲内の量だけ増加されることができる。例えば、５ｎｍの規定波長掃引範囲を伴うＶＣＳＥＬは、約３ｎｍだけ掃引範囲を増加させるように過駆動され、約２ｎｍだけ掃引範囲を増加させ、約１０ｎｍの全掃引範囲を提供するように冷却されることができる。冷却器は、多くの方法で構成されることができ、ペルチェ冷却器、ガスベースの冷却器、膨張してＶＣＳＥＬを冷却する窒素等のガスまたは冷却された循環流体を備えるチャンバ、およびそれらの組み合わせを備えてもよい。冷却器は、例えば、ＶＳＣＥＬに結合されるヒートシンクを備えてもよい。
【０４０２】
図３２Ｂは、熱電冷却器に結合されたＶＣＳＥＬの概略図３２００を示す。ＶＣＳＥＬ７００は、ＶＣＳＥＬドライバ３２１０に搭載されてもよい。ＶＣＳＥＬドライバは、プリント回路基板（ＰＣＢ）を備えてもよい。ＶＣＳＥＬは、電気コネクタ３２６０ａおよび３２６０ｂ等の１つまたはそれを上回る電気コネクタを通してＶＣＳＥＬドライバに搭載されてもよい。ＶＣＳＥＬまたはＶＣＳＥＬドライバは、ＶＣＳＥＬまたはＶＣＳＥＬドライバから熱を引き出すように構成されるヒートシンク３２２０に結合されてもよい。ＶＣＳＥＬはさらに、熱電冷却器（ＴＥＣ）３２３０に結合されてもよい。ＴＥＣは、ペルチェ冷却器を備えてもよい。ＴＥＣは、１０℃、２０℃、３０℃、４０℃、５０℃、７０℃、８０℃、９０℃、またはそれを上回るだけＶＣＳＥＬを冷却するように構成されてもよい。ＴＥＣは、前述の値のうちのいずれか２つによって定義される範囲内の量だけＶＣＳＥＬを冷却するように構成されてもよい。ＶＣＳＥＬはさらに、温度センサ３２４０に結合されてもよい。温度センサは、サーミスタを備えてもよい。温度センサは、ＶＣＳＥＬの動作温度を測定するように構成されてもよい。温度センサおよびＴＥＣは、ＴＥＣコントローラ３２５０に結合されてもよい。ＴＥＣコントローラは、温度センサによるＶＣＳＥＬの測定温度に基づいて、ＴＥＣの冷却力を制御してもよい。このようにして、ＴＥＣ、サーミスタ、およびＴＥＣコントローラは、本明細書に説明される動作温度等の安定した動作温度でＶＣＳＥＬを維持するように設計されるネガティブフィードバックシステムを形成してもよい。
【０４０３】
図３３Ａは、卓上搭載型支持体等の支持体上に設置された本明細書に説明されるような小型ＳＳ−ＯＣＴシステムを示す。小型ＳＳ−ＯＣＴシステム１００は、本明細書に説明される任意の小型ＳＳ−ＯＣＴシステムであってもよい。小型ＳＳ−ＯＣＴシステムは、本明細書に説明される任意の能力を備えてもよい。例えば、小型ＳＳ−ＯＣＴシステムは、本明細書に説明されるように、ＯＣＴ撮像システム、視線追跡システム、固視標的、またはＢａｄａｌレンズを備えてもよい。小型ＳＳ−ＯＣＴシステムは、１つまたは２つの接眼レンズを備えてもよい。
【０４０４】
小型ＳＳ−ＯＣＴシステムは、支持システム３３００に設置される、例えば、支持体に解放可能に搭載される、または取り付けられてもよい。小型ＳＳ−ＯＣＴシステムは、支持システムに固定して取り付けられてもよい。小型ＳＳ−ＯＣＴシステムは、支持システムに除去可能に取り付けられてもよい。支持システムは、卓上または他の表面に搭載されてもよい。支持システム３３００は、基部３３１０を備えてもよい。基部は、卓上または他の表面に取り付けられる、もしくはその上に設置されてもよい。基部は、卓上または他の表面に固定して取り付けられてもよい。基部は、卓上または他の表面に除去可能に取り付けられてもよい。
【０４０５】
支持システムはさらに、小型ＳＳ−ＯＣＴシステムを受容するための搭載表面３３２０を備えてもよい。搭載表面は、搭載プレートであってもよい。搭載表面は、小型ＳＳ−ＯＣＴが搭載され得る場所を提供してもよい。搭載表面は、第１の結合器３３３０によって基部に結合されてもよい。第１の結合器は、図３３Ａで「１」と標識される矢印によって示されるように、ユーザが搭載表面と基部との間の距離を変化させることを可能にするように構成されてもよい。搭載表面と基部との間の距離は、１ｃｍ、２ｃｍ、５ｃｍ、１０ｃｍ、２０ｃｍ、または５０ｃｍだけ調節可能であり得る。搭載表面と基部との間の距離は、前述の値のうちのいずれか２つによって定義される範囲内である値だけ調節可能であり得る。搭載表面と基部との間の距離は、小型ＳＳ−ＯＣＴシステムを使用している間に、ユーザの快適性を増加させるように調節されてもよい。
【０４０６】
支持システムは、図３３Ａで「２」と標識される矢印によって示されるように、ユーザが搭載表面と基部との間の角度を変化させることを可能にするように構成される第２の結合器を備えてもよい。搭載表面と基部との間の角度は、１度、２度、５度、１０度、２０度、５０度、または１００度だけ調節可能であり得る。搭載表面と基部との間の角度は、前述の値のうちのいずれか２つによって定義される範囲内である値だけ調節可能であり得る。搭載表面と基部との間の角度は、小型ＳＳ−ＯＣＴシステムを使用している間に、ユーザの快適性を増加させるように調節されてもよい。
【０４０７】
支持システムはさらに、顎当て３３４０を備えてもよい。顎当ては、小型ＳＳ−ＯＣＴシステムを動作させながら、ユーザが自分の顎を静置するための場所を提供してもよい。顎当ては、延在部３３５０によって搭載プレートに結合されてもよい。支持システムは、図３３Ａで「３」と標識される矢印によって示されるように、ユーザが顎当てと接眼レンズとの間の距離を変化させることを可能にするように構成される第３の結合器を備えてもよい。顎当てと接眼レンズとの間の距離は、１ｃｍ、２ｃｍ、５ｃｍ、または１０ｃｍの距離だけ調節可能であり得る。顎当てと接眼レンズとの間の距離は、前述の値のうちのいずれか２つによって定義される範囲内である値だけ調節可能であり得る。顎当てと搭載表面との間の距離は、小型ＳＳ−ＯＣＴシステムを使用している間に、ユーザの快適性を増加させるように調節されてもよい。顎当てと搭載表面との間の距離は、ユーザの眼を小型ＳＳ−ＯＣＴシステムの接眼レンズと整合させるように調節されてもよい。例えば、顎当てと接眼レンズと搭載表面との間の距離は、ユーザの眼を小型ＳＳ−ＯＣＴシステムの光軸と整合させるように調節されてもよい。
【０４０８】
支持体上に設置される小型ＳＳ−ＯＣＴシステムは、長さ、幅、および高さを有してもよい。長さは、システムを横断する最長寸法を備えてもよく、幅は、システムを横断する次の最長寸法を備えてもよく、幅は、システムを横断する最短寸法を備えてもよい。長さ、幅、および高さは、相互に横断して、例えば、相互と垂直に延在してもよい。小型ＳＳ−ＯＣＴシステムは、１０ｃｍ、２０ｃｍ、または５０ｃｍの長さを有してもよい。小型ＳＳ−ＯＣＴシステムは、前述の値のうちのいずれか２つによって定義される範囲内である長さを有してもよい。小型ＳＳ−ＯＣＴシステムは、５ｃｍ、１０ｃｍ、または２５ｃｍの幅を有してもよい。小型ＳＳ−ＯＣＴシステムは、前述の値のうちのいずれか２つによって定義される範囲内である幅を有してもよい。小型ＳＳ−ＯＣＴシステムは、２．５ｃｍ、５ｃｍ、または１０ｃｍの高さを有してもよい。小型ＳＳ−ＯＣＴシステムは、前述の値のうちのいずれか２つによって定義される範囲内である高さを有してもよい。
【０４０９】
支持体上に設置される小型ＳＳ−ＯＣＴシステムは、０．１ｋｇ、０．２ｋｇ、０．５ｋｇ、１ｋｇ、または２ｋｇの質量を備えてもよい。支持システムは、前述の値のうちのいずれか２つによって定義される範囲内である質量を備えてもよい。
【０４１０】
図３３Ｂは、卓上搭載型ＳＳ−ＯＣＴデバイスを使用するユーザを示す。
【０４１１】
スタンドまたは他の支持構造が、例えば、ユーザがＯＣＴ測定システムと自己整合するときに、ＯＣＴデバイスとユーザとの間の整合を促進するために役立ち得る。いくつかの実施形態では、ＯＣＴシステムは、ユーザが双眼鏡に類似するシステムを保持する、または三脚等のスタンド上にＯＣＴシステムを設置し、整合を促進し得る、両眼デバイスを備えてもよい。いくつかの実施形態では、ＯＣＴシステムは、第１の眼、例えば、右眼を測定し、ユーザは、システムをひっくり返すことによって、ＯＣＴシステムを反転させ、第２の眼、例えば、左眼を測定する。
【０４１２】
本明細書に説明される両眼ＯＣＴシステムは、掃引源ＯＣＴシステムを備えてもよいが、コンポーネント、構造、方法、および回路は、例えば、スペクトルドメインＯＣＴ撮像、時間ドメインＯＣＴ撮像、または多重参照ＯＣＴ撮像等の他のタイプのＯＣＴシステムと併用されることができる。これらの代替的ＯＣＴ測定システムは、本明細書に説明されるような両眼ＯＣＴシステムに組み込むために非常に適している。
【０４１３】
図４９は、いくつかの実施形態による、ユーザの眼を測定するための両眼ＯＣＴデバイス４９００の斜視図を示す。両眼ＯＣＴデバイス４９００は、両方とも本図では視界から隠されている、ＯＣＴ測定システムに光学的に結合される第１の調節可能レンズ４９１６−１と、手持ち式ユニット本体４９０３（例えば、筐体）内に構成される第１の固定標的とを備える。同様に、第２の調節可能レンズ４９１６−２は、ＯＣＴ測定システムおよび第２の固定標的（隠されている）に光学的に結合されてもよい。第１の調節可能レンズ４９１６−１が、固定標的を提供し、ユーザの眼の網膜の厚さを測定するように構成される、第１の自由空間光学系の一部であってもよい一方で、第２の調節可能レンズ４９１６−２は、両眼ＯＣＴデバイス４９００内のコンポーネントの数を削減するように、固定標的のみを提供するように構成される、第２の自由空間光学系の一部であってもよい。例えば、両方の自由空間光学系が、ユーザに固定標的を提供する一方で、自由空間光学系のうちの一方のみは、ユーザが他方の眼を測定し得るように、ユーザが第１の眼を測定した後に、両眼ＯＣＴデバイス４９００が上下逆さまにされる、すなわち、反転され得ると、網膜の厚さを測定するために使用される。
【０４１４】
両眼ＯＣＴデバイス４９００は、本実施形態では、手持ち式ユニット本体４９０３の外部上でアクセス可能である瞳孔間距離（ＩＰＤ）調節機構４９０５を備える。本実施形態では、ＩＰＤ調節機構４９０５は、２つのコンポーネント、すなわち、アイカップ４９０１−１および４９０１−２がユーザの顔の上に静置すると、ユーザがユーザの眼の前に両眼ＯＣＴデバイス４９００を設置するときに、ユーザの瞳孔のＩＰＤに合致するようにレンズ４９１６−１と４９１６−２との間の距離を調節する、第１のコンポーネント４９０５−１を備える。
【０４１５】
本ＩＰＤは、医療従事者によって設定され、ユーザが自宅で網膜の厚さを測定するための位置に係止されることができる。代替として、ＩＰＤは、ユーザ調節可能であり得る。スイッチ４９０４が、ユーザの屈折、すなわち、眼鏡処方に合致するように、レンズ４９１６−１および４９１６−２を調節するために使用されてもよい。代替として、タブレット等のモバイルデバイスが、患者の各眼の屈折をプログラムするために使用されることができる。例えば、ユーザは、一方の眼で第１の固定標的を、別の眼で第２の固定標的を固視してもよく、可動レンズは、ユーザの屈折に調節されてもよい。スイッチ４９０４は、手持ち式ユニット本体４９０３内のレンズ４９１６−１および４９１６−２のアセンブリを選択的に調節し、レンズ４９１６−１および４９１６−２の位置付けを変化させてもよい。これらの位置は、医療従事者によってデバイスに入力され、本明細書に説明されるような配向センサからの配向とともにプロセッサ内に記憶されることができる。デバイスは、反転されることができ、プロセスは、繰り返されることができる。代替として、または加えて、眼毎の処方は、プロセッサ内に記憶されることができ、レンズは、配向センサの配向に応答して、眼毎に適切な屈折に調節されることができる。
【０４１６】
コンポーネント４９０５−１および４９０５−５の両方は、医療従事者が手動で回転させる１つまたはそれを上回る車輪として実装されてもよい。代替として、ＩＰＤ調節機構４９０５は、電動式であり得る。この点に関して、コンポーネント４９０５−１および４９０５−５は、手持ち式ユニット本体４９０３内のモータを作動させ、ユーザがスイッチを指向する方向に基づいて、手持ち式ユニット本体４９０３内の歯車を回転させる、方向スイッチとして構成されてもよい。
【０４１７】
スイッチ４９０４は、両眼ＯＣＴデバイス４９００の集束を調節するために使用されることができる。例えば、レンズ４９１６−１および４９１６−２の調節によって達成される焦点変化が、レンズ４９１６−１および４９１６−２の調節によって屈折力の慣用単位（例えば、ジオプタ）で測定されることができるためである。ジオプタスイッチ４９０６はまた、手持ち式ユニット本体４９０３内のモータを作動させ、医療従事者がスイッチを指向する方向に基づいて、手持ち式ユニット本体４９０３内の歯車を回転させ、両眼ＯＣＴデバイス４９００の屈折力を調節する、方向スイッチを備えてもよい。両眼ＯＣＴデバイス４９００が、電子デバイスを備えてもよいため、両眼ＯＣＴデバイス４９００は、両眼ＯＣＴデバイス４９００の給電を制御するための電源スイッチ４９０６を備えてもよい。
【０４１８】
アイカップ４９０１−１および４９０１−２はそれぞれ、測定の間に眼の位置の調節を可能にするように、筐体に螺合して搭載および結合されることができる。本開示に関する研究は、アイカップが医療従事者によって調節され、本明細書に説明されるような網膜の厚さ測定のための眼の十分に再現可能な位置付けを可能にするように定位置に係止され得ることを提案する。代替として、または組み合わせて、プルキニェ画像センサ等の眼球位置センサが、眼からＯＣＴ測定システムまでの距離を決定するために使用されることができる。
【０４１９】
両眼ＯＣＴデバイス４９００は、家庭内測定のため、かつユーザが両眼ＯＣＴシステムを旅行に持って行くための適切な寸法および重量を備えてもよい。例えば、両眼ＯＣＴシステムは、好適な長さと、好適な幅と、好適な高さとを備えてもよい。長さは、ユーザ視認方向に対応する軸に沿って延在することができる。長さは、約９０ｍｍ〜約１５０ｍｍの範囲内、例えば、約１３０ｍｍであり得る。幅は、長さと側方に延在することができ、約９０ｍｍ〜約１５０ｍｍの範囲内、例えば、約１３０ｍｍであり得る。高さは、例えば、約２０ｍｍ〜約５０ｍｍの範囲内であり得る。両眼ＯＣＴシステムの重量は、約１ポンド〜２ポンド、例えば、０．５ｋｇ〜約１ｋｇの範囲内であり得る。
【０４２０】
両眼ＯＣＴデバイス４９００は、落下されるように構成されることができる。例えば、両眼ＯＣＴデバイスは、約３０ｃｍの高さから落下され、例えば、測定の反復性以下の測定された網膜の厚さの変化を伴って、正確に網膜の厚さ測定を実施するように、依然として機能するように構成されることができる。両眼ＯＣＴシステムは、例えば、ガラス破損からの安全上の危険をもたらすことなく、約１メートルの高さから落下されるように構成されることができる。
【０４２１】
図５０は、いくつかの実施形態による、手持ち式ユニット本体４９０３内の種々のコンポーネントを図示する、両眼ＯＣＴデバイス４９００のブロック図を示す。例えば、両眼ＯＣＴデバイス４９００は、自由空間光学系４９１０−１および４９１０−２を備える。自由空間光学系４９１０−１および４９１０−２はそれぞれ、ユーザの網膜の厚さが測定されている間に、ユーザが標的を固視／凝視することを可能にする、かつ両眼固視を提供するように、他の眼で固視を可能にする、その個別の眼のための固定標的４９１２を備える。固定標的は、ＬＥＤ等の光源を用いて後方照明される開口（例えば、円盤形の照明標的を形成するための円形開口）を備えてもよいが、十字形または他の好適な固視刺激も、使用されてもよい。自由空間光学系４９１０−１および４９１０−２はまた、それぞれ、レンズ４９１６−１および４９１６−２を備える、それぞれ、屈折誤差（ＲＥ）補正モジュール４９１１−１および４９１１−２を備えてもよい。これらのレンズは、適切な眼の屈折誤差に対応する事前プログラムされた位置まで移動されることができる。自由空間光学系モジュール４９１０−１および４９１０−２内の周辺基板４９１５−１および４９１５−２は、それぞれ、電動式ステージ４９１４−１および４９１４−２に対する電子制御を提供し、両眼ＯＣＴデバイス４９００の固定標的を視認する個別の眼の屈折誤差を補正する。
【０４２２】
本明細書に議論されるように、両眼ＯＣＴデバイス４９００は、ユーザの顔の上に両眼ＯＣＴデバイス４９００を快適に静置するために使用され得る、アイカップ４９０１−１および４９０１−２を備えてもよい。それらはまた、ユーザが両眼ＯＣＴデバイス４９００の中を凝視するにつれて、外部光を遮断するように構成されてもよい。アイカップ４９０１はまた、医療従事者、随意に、ユーザが、手持ち式ユニット本体４９０３に対してアイカップ４９０１−１および４９０１−２を前後に移動させることを可能にし、ユーザの顔の上にアイカップを快適に位置付け、測定のために各眼を適切に位置付ける、アイカップ調節機構４９８０−１および４９８０−２を備えてもよい。
【０４２３】
いくつかの実施形態では、両眼ＯＣＴデバイス４９００は、単一のＶＣＳＥＬまたは複数のＶＣＳＥＬ４９５２を備える、ファイバ干渉計モジュール４９５０を備える。１つまたはそれを上回るＶＣＳＥＬ４９５２は、ファイバマッハ・ツェンダー干渉計４９５１に光学的に結合される、ファイバ分布モジュール４９５３に光学的に結合される。複数のＶＣＳＥＬ４９５２を備える実施形態では、ＶＣＳＥＬＳはそれぞれ、光のスペクトル範囲を延在させるために、複数の中の他のＶＣＳＥＬ４９５２と異なる波長の範囲を備えてもよい。例えば、各ＶＣＳＥＬ４９５２は、ある持続時間にわたって波長の範囲にわたって掃引される、レーザ光をパルスにしてもよい。各ＶＣＳＥＬ４９５２の掃引範囲は、本明細書に説明されるような複数の中の別のＶＣＳＥＬ４９５２の隣接掃引範囲に部分的に重複し得る。したがって、複数のＶＣＳＥＬ４９５２の波長の全体的掃引範囲が、より大きい波長掃引範囲まで延在されてもよい。加えて、複数のＶＣＳＥＬ４９５２からのレーザ光の発射は、連続的であり得る。例えば、複数のＶＣＳＥＬ４９５２のうちの第１のＶＣＳＥＬが、ある持続時間にわたって第１の波長にわたってレーザパルスを掃引してもよい。次いで、複数のＶＣＳＥＬ４９５２のうちの第２のＶＣＳＥＬが、ある類似持続時間にわたって第２の波長にわたってレーザパルスを掃引し、次いで、第３のＶＣＳＥＬが掃引する等であってもよい。
【０４２４】
ＶＣＳＥＬ４９５２からのレーザ光は、ファイバ分布モジュール４９５３に光学的に伝達され、そこで、レーザ光の一部は、主要電子基板４９７０内の分析のためにファイバコネクタ４９６０に光学的に伝達される。ファイバコネクタ４９６０は、ファイバ分布モジュール４９５３からファイバコネクタモジュール４９６０まで複数の光ファイバを接続してもよい。レーザ光の別の部分は、光路距離補正（ＯＰＤ）モジュール４９４０に光学的に伝達され、最終的に、ユーザの眼への送達およびマッハ・ツェンダー干渉計の測定アームの一部を用いたユーザの眼の測定のために自由空間網膜厚さ光学系４９１０−１に伝達される。例えば、ＯＰＤ補正モジュール４９４０は、電動式ステージ４９４２を作動させ、ユーザの眼、マッハ・ツェンダー干渉計の結合器、および１つまたはそれを上回るＶＣＳＥＬ４９５２の間の光路距離を変化させるように、主要電子基板４９７０によって制御される、周辺基板４９４３を備えてもよい。ＯＰＤ補正モジュール４９４０はまた、ユーザの眼への送達の前にＶＣＳＥＬ４９５２からのレーザ光をコリメートする、ファイバコリメータ４９４１を備えてもよく、ファイバコリメータは、ＯＰＤ補正モジュール４９４０を用いて平行移動されることができる。
【０４２５】
コントローラインターフェース４９３０が、ユーザ入力を受信し、両眼ＯＣＴ測定システムを制御するために使用されてもよい。コントローラインターフェースは、第１のコントローラインターフェース４９３０−１と、第２のコントローラインターフェース４９３０−２とを備えてもよい。コントローラインターフェース４９３０は、本明細書に説明されるように、ユーザが一連のステップを開始し、眼を整合させ、網膜を測定することを可能にする、トリガボタン機構を備えてもよい。
【０４２６】
加えて、両眼ＯＣＴデバイス４９００は、あるパターン（例えば、それぞれ、下記でさらに詳細に解説される、停止および進行軌道、星形軌道、連続軌道、および／またはリサジュー軌道）で１つまたはそれを上回るＶＣＳＥＬ４９５２からのレーザ光を走査する、スキャナモジュール４９９０を備えてもよい。例えば、スキャナモジュール４９９０の周辺基板４９９１は、ユーザの眼に光干渉断層撮影（ＯＣＴ）を実施するためのパターンでＶＣＳＥＬ４９５２からのパルスレーザ光を走査するようにスキャナモジュール４９９２に指示する制御信号を受信するように、主要電子基板４９７０に通信可能に結合されてもよい。走査モジュール４９９０は、ファイバコリメータ４９４１からレーザ光を受光し、レーザ光の走査パターンを提供する自由空間２次元スキャナ４９９３にレーザ光を光学的に伝達する、シーリング窓４９９２を備えてもよい。２次元スキャナは、例えば、２軸検流計または２軸静電スキャナ等の本明細書に説明されるようなスキャナを備えてもよい。存在するとき、シーリング窓４９９２は、埃および／または湿気がない状態で両眼ＯＣＴデバイス４９００の内部コンポーネントを保つために使用されてもよい。レーザ光は、次いで、走査レーザ光が、自由空間ＲＴ光学系４９１０−１を介してユーザの眼に入力され得るように、光学系４９９４を中継するように光学的に伝達される。この点に関して、走査レーザ光は、赤外光が、ホットミラー、走査ミラーに向かって後方反射され、コリメーションレンズに結合される光ファイバ先端の中に集束され得るように、ホットミラー４９１３に伝達されてもよい。ホットミラー４９１３は、概して、可視光を透過させ、赤外光を反射し、例えば、ダイクロイックショートパスミラーを備えてもよい。
【０４２７】
スキャナおよび関連付けられる光学系は、網膜の任意の好適に定寸された領域を走査するように構成されることができる。例えば、スキャナは、例えば、約１．５〜３ｍｍの範囲内を横断する最大距離を備える面積にわたって網膜を走査するように構成されることができる。網膜の走査領域は、例えば、眼の測定された位置に基づいてマップを整合させることによって、例えば、整合誤差を補償するために、例えば、ＯＣＴシステムに関する眼の側方位置付けにおいて最大０．５ｍｍの整合のわずかな誤差を考慮するために、網膜の厚さのマップよりも大きい面積を備えてもよい。網膜上のＯＣＴ測定ビームのサイズは、約２５ミクロン〜約７５ミクロンの範囲内であり得る。いくつかの実施形態では、ミラーは、約５０ｍｍ／秒〜約２００ｍｍ／秒の範囲内の網膜上の走査率で連続軌道を用いて走査される。Ａ走査の間のビームの変位は、例えば、約２〜１０ミクロンの範囲内であり得る。複数のＡ走査毎のビームは、重複することができる。１つまたはそれを上回るＶＣＳＥＬが複数のＶＣＳＥＬを備える、実施形態では、複数のＶＣＳＥＬは、複数のＶＣＳＥＬのそれぞれからの測定ビームが、以前の走査と網膜上で重複するように、Ａ走査毎に連続的に走査されることができる。例えば、第１のＡ走査からの複数のＶＣＳＥＬのそれぞれからの連続的に発生されたビームはそれぞれ、軌道に沿った第２のＡ走査からの複数のＶＣＳＥＬのそれぞれからの連続的に発生されたビームのそれぞれと重複することができる。
【０４２８】
本明細書に説明されるように、両眼ＯＣＴデバイス４９００は、コンポーネント４９０５−１および／または４９０５−２を介したＩＰＤ調節を備えてもよい。これらのコンポーネントは、自由空間光学系モジュールの間の分離距離を変化させ、ＩＰＤを調節するように、自由空間光学系モジュール４９１０−１および４９１０−２の作動を実施する、手動平行移動ステージＩＰ調節モジュール４９８２に通信可能に結合されてもよい。
【０４２９】
主要電子基板４９７０は、種々のコンポーネントを備えてもよい。例えば、光検出器４９７２は、ファイバコネクタ４９６０を通してＶＣＳＥＬ４９５２から指向されるレーザ光、ならびにユーザの眼から反射される干渉光を受光するために使用されてもよい。ファイバコネクタ４９６０は、複数の光ファイバ、例えば、４本の光ファイバを、複数の検出器、例えば、５つの検出器に結合する、モジュール４９６１を備えてもよい。ファイバコネクタ４９６０はまた、本明細書に示され、説明されるように、ユーザの眼から後方反射される光を位相ラップする際に使用され得る、干渉計クロックボックス４９６２（例えば、エタロン）を備えてもよい。いったん光検出器４９７２によって受光されると、光検出器４９７２は、光を、主要電子基板４９７０および／または別の処理デバイス上で処理されるべき電子信号に変換してもよい。複数の光検出器は、例えば、ファイバマッハ・ツェンダー干渉計に結合される平衡検出器対、クロックボックス検出器、および一対のパワー測定検出器のうちの２つの検出器を備えてもよい。
【０４３０】
主要電子基板４９７０は、両眼ＯＣＴデバイス４９００を別の処理システムに通信可能に結合する、パワーを両眼ＯＣＴデバイス４９００に提供する、および／または両眼ＯＣＴデバイス４９００のバッテリを充電し得る、通信パワーモジュール４９７３（例えば、ユニバーサルシリアルバス、すなわち、「ＵＳＢ」）を備えてもよい。当然ながら、両眼ＯＣＴデバイス４９００は、例えば、Ｗｉ−Ｆｉ、Ｂｌｕｅｔｏｏｔｈ（登録商標）、イーサネット（登録商標）、ＦｉｒｅＷｉｒｅ等を含む、両眼ＯＣＴデバイス４９００から別のデバイスに情報を通信するために使用され得る他のモジュールを備えてもよい。
【０４３１】
主要電子基板４９７０はまた、ＶＣＳＥＬ４９５２がユーザの眼に向かって発射される方法および時間を指示する、ＶＣＳＥＬ駆動電子機器４９７１を備えてもよい。主要電子基板４９７０上の他のコンポーネントは、（例えば、外部処理システムから）両眼ＯＣＴデバイス４９００に伝送されている、両眼ＯＣＴデバイス４９００内の種々のコンポーネントから受信されている、および／または両眼ＯＣＴデバイス４９００内の種々のコンポーネントから受信されている、それぞれ、アナログおよびデジタル信号を処理する、ならびに／もしくは発生させるために使用され得る、アナログブロック４９７４およびデジタルブロック４９７５を備える。例えば、周辺フィードバックボタン４９３２は、アナログブロック４９７４および／またはデジタルクロック４９７５によって処理されるアナログ信号を発生させてもよく、これは、ひいては、周辺基板４９４３を介して電動式ステージモジュール４９４２を刺激するために使用される、制御信号を発生させてもよい。代替として、または加えて、アナログブロック４９７４は、後続のデジタル信号処理（例えば、ＦＦＴ、位相ラッピング分析等）のためにデジタルブロック４９７５によってデジタル信号に変換され得るように、光検出器４９７２からのアナログ信号を処理してもよい。
【０４３２】
図５１は、いくつかの実施形態による、両眼のＯＣＴ４９００を伴って実装され得る、光学構成５１００の概略図を示す。光学構成５１００は、光学結合器５１２６を介して結合されるファイバである、１つまたはそれを上回るＶＣＳＥＬ４９５２を備える。上記に議論されるように、１つまたはそれを上回るＶＣＳＥＬ４９５２は、発射されたときに波長の範囲にわたって掃引されてもよい。複数のＶＣＳＥＬ４９５２を用いた実施形態に関して、波長は、ＶＣＳＥＬ４９５２の全体的掃引範囲内で増加するように、複数の中の別のＶＣＳＥＬ４９５２の波長掃引範囲に部分的に重複し得る。ある事例では、本全体的掃引範囲は、約８５０ｎｍを中心とする。１つまたはそれを上回るＶＣＳＥＬ４９５２からのレーザ光は、ファイバ結合器５１２６を通して光ファイバライン５１２７に伝搬され、そこで、別の光学結合器５１１８が、２つの異なる経路に沿って１つまたはそれを上回るＶＣＳＥＬ４９５２からの光学エネルギーの一部を分割する。
【０４３３】
第１の経路では、光学エネルギーの約９５％が、別の光学結合器５１１９に光学的に伝達され、光学エネルギーの約５％が、光学結合器５１２０に光学的に伝達される。第２の経路では、光学エネルギーは、光学結合器５１２０を介して、さらにもう一度分割される。この点に関して、光学結合器５１２０からの光学エネルギーの約７５％が、エタロンを備えるファブリ・ペロー干渉計等の干渉計を通して位相補正検出器５１０１−１に伝達される。エタロンおよび検出器は、光学クロック５１２５のコンポーネントを備えてもよい。光学クロック５１２５は、例えば、単一のエタロンを備えてもよい。エタロンは、略平行平面を備え、レーザビームの伝搬方向に対して傾転されてもよい。表面は、コーティングされた、またはコーティングされていない表面を備えてもよい。材料は、好適な厚さを伴う任意の好適な光透過性材料から成ってもよい。例えば、エタロンは、約０．２５ｍｍ〜約５ｍｍ、例えば、約０．５ｍｍ〜約４ｍｍの範囲内の厚さを備えてもよい。エタロン表面の反射率は、約３％〜約１０％の範囲内であり得る。エタロンは、レーザビーム伝搬方向に対して傾転される、例えば、約５度〜約１２度の範囲内の角度で傾転されることができる。エタロンのフィネスは、例えば、約０．５〜約２．０の範囲内、例えば、約０．５〜１．０の範囲内であり得る。エタロンは、光学ガラス等の任意の好適な材料から成ってもよい。エタロンの厚さ、屈折率、反射率、および傾転角は、クロックボックス検出器において略正弦波光学信号を提供するように構成されることができる。約０．５〜２．０の範囲内のフィネスは、本明細書に説明されるような位相補償に非常に適している略正弦波検出器信号を提供することができるが、より高いフィネス値を伴う実施形態が、効果的に利用されることができる。
【０４３４】
いくつかの実施形態では、クロックボックスは、複数のエタロンを備えてもよい。本アプローチは、１つまたはそれを上回るＶＣＳＥＬが、複数のＶＣＳＥＬを備え、複数のエタロンが、付加的位相およびクロック信号情報を提供する、実施形態において役立ち得る。例えば、クロックボックスは、光が、第１のエタロン、次いで、第２のエタロンを通して、連続的に伝送されるように配列される、第１のエタロンおよび第２のエタロン、例えば、クロックボックス信号の周波数混合を提供し、掃引源の位相を測定するために使用される検出器および関連付けられる回路の数を減少させ得る、直列構成を備えてもよい。代替として、複数のエタロンは、複数の検出器に結合される複数のエタロンを伴う平行構成で配列されることができる。
【０４３５】
位相補正検出器５１０１−１は、光学クロック５１２５からの光信号を使用し、本明細書に説明されるような１つまたはそれを上回るＶＣＳＥＬ４９５２からの光の位相ラッピングを介して、１つまたはそれを上回るＶＣＳＥＬ４９５２の位相を合致させることによって、ユーザの眼５１０９−１から反射される光の位相を補正してもよい。光学結合器５１２０からの光学エネルギーの残りの２５％が、光学的安全性のために検出器５１０１−２に光学的に伝達されてもよい。例えば、検出器５１０１−２は、デバイスの配向に応じて、ユーザの眼５１０９−１または５１０９−２に伝達されている光学エネルギーの量を決定するために使用されてもよい。両眼ＯＣＴデバイス４９００が、検出器５１０１−２がユーザの眼を損傷させ得る過剰に多くの光学エネルギーを受光していることを決定する場合には、両眼ＯＣＴデバイス４９００は、ＶＣＳＥＬ４９５２を動作停止させる「強制停止スイッチ」として動作してもよい。代替として、または加えて、両眼ＯＣＴデバイス４９００は、検出器５１０１−２を監視し、レーザ安全性および／または信号処理のために必要と見なされるようなＶＣＳＥＬ４９５２からの光学エネルギーを増加または減少させてもよい。ＯＣＴデバイスは、改良された眼の安全性のために冗長測定を提供するための第２の安全検出器５１０１−３を備えてもよい。
【０４３６】
光学結合器５１１９に伝達される光学エネルギー（例えば、１つまたはそれを上回るＶＣＳＥＬ４９５２からの光学エネルギーの約９５％）はまた、２つの経路に沿って分割され、残りの光学エネルギーの約９９％が、ファイバに沿って光学結合要素５１２２に光学的に伝達され、残りの光学エネルギーの約１％もまた、両眼ＯＣＴデバイス４９００のレーザ安全性のために検出器５１０１−３に光学的に伝達される。光学結合器５１２２に伝達される光学エネルギーの一部は、光学結合器５１２２によって、マッハ・ツェンダー干渉計の２つの光路ループ５１１０と５１１１との間で、例えば、それぞれ約５０％に分割されてもよい。光路ループ５１１０は、ユーザの眼５１０９−１の網膜の厚さ測定のための参照光学信号（例えば、光路ループ５１１１を通してユーザの網膜から反射される測定信号）を提供するための干渉計の参照アームを備えてもよい。
【０４３７】
光学ループ５１１１を通して伝達される光学エネルギーの一部は、マッハ・ツェンダー干渉計の測定アームに沿ってユーザの左眼５１０９−１に伝達される。例えば、ユーザの眼５１０９−１に伝達されている光学エネルギーは、ＯＰＤ補正モジュール４９４０を通して通過し、両眼ＯＣＴデバイス４９００の適切な干渉計に任意の光路距離補正を実施してもよい。本光は、次いで、ユーザの眼５１０９−１が（例えば、固視経路５１０６−１に沿って）固定標的４９１２−１を固視している間に、ユーザの眼５１０９−１の網膜の厚さを測定するように、スキャナモジュール４９９０の走査ミラー５１１３を介してユーザの眼５１０９−１を横断して走査されてもよい。
【０４３８】
固定標的４９１２−１は、ＬＥＤ５１０２−１を用いて後方照明されることができ、光は、光学要素５１０３−１ならびに５１０５−１およびホットミラーを備えるダイクロイックミラー５１１５を通して、光路５１０６−１に沿って伝搬されてもよい。ある事例では、固視の標的はまた、標的を固視している間に軽減をユーザの眼５１０９−１に提供するように、照明停止部５１０４を含んでもよい。
【０４３９】
眼５１０９−１のユーザの網膜に衝突する光は、ＯＰＤ補正モジュール４９４０、走査ミラー５１１３、集束要素５１１４、ダイクロイックミラー５１１５、および光学要素４９１６−１によって確立される経路に沿って、光学ループ５１１１を通して、光学結合器５１２２に戻るように、後方反射されてもよい。本事例では、光学結合器５１２２は、反射された光学エネルギーを光学ループ５１１０に分割された光学エネルギーと結合し得る、光学結合器５１２１に反射された光学エネルギーを光学的に伝達してもよい。光学結合器５１２１は、次いで、網膜の厚さ測定が実施され得るように、その光学エネルギーを平衡検出器の５１０１−４および５１０１−５に光学的に伝達してもよい。そうすることで、光学結合器５１２１は、干渉信号が平衡検出器上で位相がずれて到着するように、その光学エネルギーを検出器５１０１−１および５１０１−４のそれぞれに対する約５０％に分割してもよい。
【０４４０】
光は、ダイクロイックミラー５１１５を介してユーザの眼５１０９−１に指向されている複数の光学要素５１１２および５１１４を通して集束され、光学要素４９１６−１を介してユーザの網膜上に集束されてもよい。走査ミラー５１１３からの光およびユーザの眼５１０９から反射される光は両方とも、概して、赤外光を反射し、可視光を透過させるように構成されるホットミラー４９１３を備え得る、ダイクロイックミラー５１１５から反射するものとして示される。
【０４４１】
本実施例から分かり得るように、ユーザの右眼５１０９−２は、示される配向を用いて１つまたはそれを上回るＶＣＳＥＬ４９５２からいずれの光学エネルギーも受光しない。むしろ、ユーザの右眼５１０９−２は、別のＬＥＤ５１０２−２を用いて後方照明され得る、標的４９１２−２を用いた両眼固視のために使用される。標的４９１２−２は、標的４９１２−１とサイズおよび形状が類似し、両眼固視を提供するように、類似光学系を用いて眼に提示されることができる。この点に関して、ユーザの右眼５１０９−２はまた、類似光学強度と、分離距離と、光路５１０６−１に沿った光学系までの寸法とを備える、光学要素４９１６−２、５１０５−２、５１０３−２、および照明停止部５１０４−２を通した光路５１０６−２に沿って、標的４９１２−２を固視してもよい。
【０４４２】
両眼ＯＣＴシステム４９００は、光学コンポーネントを測定されているユーザのためのカスタマイズされた構成まで移動させるように構成されることができる。レンズ４９１６−１は、屈折、例えば、測定されている眼の眼鏡処方に従って、光路５１０６−１に沿って調節されることができる。レンズ４９１６−１は、レンズ４９１６−１を調節し、固定標的４９１２−１を合焦させるように、かつＯＣＴ干渉計の測定ビームをユーザの網膜上に集束させるように、コンピュータ、ユーザ、または他の制御下で移動されることができる。例えば、レンズは、矢印５１４４で示されるように平行移動されることができる。レンズ４９１６−２は、レンズ４９１６−１を調節し、固定標的４９１２−２をユーザの網膜上に合焦させるように、コンピュータ、ユーザ、または他の制御下で移動されることができる。例えば、レンズは、矢印５１４８で示されるように平行移動されることができる。ＯＰＤ補正モジュール４９５０は、矢印５１４６で示されるように、ミラー５１１３に向かって、かつそこから離れるように、軸方向に平行移動されることができる。ＯＰＤ補正モジュール５１４６は、測定されているユーザの眼のために測定アームと参照アームとの間の光路差を適切に位置付けるように、コンピュータ制御下で移動されることができる。瞳孔間距離は、光路５１０６−１に向かって、かつそこから離れるように、光路５１０６−２を平行移動させることによって、調節されることができる。
【０４４３】
自由空間光学系モジュール４９１０−２は、ＬＥＤ５１０１−２、固定標的４９１２−２、レンズ５１０３−２、開口５１０４−２、レンズ５１０５−２、またはレンズ４９１６−２等の１つまたはそれを上回るコンポーネントを光路５１０６−２に沿って備えてもよい。自由空間光学系モジュール４９１０−２は、矢印５１４２で示されるように、瞳孔間距離を調節するように、光路５１０６−１に沿って位置する光学コンポーネントに向かって、かつそこから離れるように側方に平行移動されることができる。自由空間網膜の厚さ光学系モジュール４９１０−１は、ＬＥＤ５１０２−１、固定標的５１０３−１、開口５１０４−１、ミラー５１１６、レンズ５１０５−１、ミラー５１１５、またはレンズ４９１６−１等の光路５１０６−１に沿って位置する１つまたはそれを上回るコンポーネントを備えてもよい。ＯＰＤ補正モジュール５１４６は、干渉計の測定アームの光ファイバと、光ファイバから光を実質的にコリメートするため、かつ網膜から光ファイバの中に光を集束させるためのレンズ５１１２とを備えてもよい。
【０４４４】
図５２は、いくつかの実施形態による、光学レイアウト基板５１５０上に構成される光学構成５１００のブロック図を示す。例えば、両眼ＯＣＴデバイス４９００は、ほぼ平面に沿って延在する複数の層を伴って構成されてもよく、その層はそれぞれ、特定の機能を実施するように構成されてもよい。本事例では、光学レイアウト基板５１５０は、光学コンポーネントの振動を減少させるために使用され得る、光学構成５１００のための支持体を提供する。光学基板５１５０は、本明細書に説明されるように、光ファイバモジュールの筐体内に封入される複数のコンポーネントを備えてもよい。筐体５１５３内に封入され、基板上に支持される複数のコンポーネントは、結合器５１１８、結合器５１１９、結合器５１２０、結合器５１２１、結合器５１２２、光ファイバ５１１０を備える参照アーム、およびそれらの任意の組み合わせのうちの１つまたはそれを上回るものを備えてもよい。１つまたはそれを上回るＶＣＳＥＬ４９５２は、筐体内に封入されてもよい。結合器５１２０から延在する複数の光ファイバは、筐体を通して適切な検出器まで延在し、例えば、クロックボックス検出器５１０１−１および安全検出器５１０１−２に結合することができる。結合器５１１９から延在する光ファイバは、第２の安全検出器５１０１−３に結合され、筐体５１５３を通して延在することができる。結合器５１１９から延在する第２の光ファイバは、光学結合器５１２２を用いてサンプルを測定するように、干渉計に結合されることができる。サンプル測定アームの光ファイバ部分は、結合器５１２２から延在し、例えば、筐体５１５３を通して光路差補正モジュール４９４０まで延在する。
【０４４５】
プリント回路基板は、いくつかの処理デバイス（例えば、図５０の駆動電子機器４９７１を含む、主要電子基板４９７００）が、１つまたはそれを上回るＶＣＳＥＬ４９５２を駆動するために、光学レイアウト基板５１５０を伴って構成されるコネクタ５１５２に接続するケーブル５１５１を通して、光学レイアウト基板５１５０に結合し得る、電子機器面に沿って延在する支持層を提供し得る。
【０４４６】
図５３は、いくつかの実施形態による、両眼ＯＣＴ４９００のモジュール式実施形態の斜視図を示す。例えば、両眼ＯＣＴ４９００の主要電子基板４９７０は、光学レイアウト基板５１５０上の光学コンポーネントを封入する筐体４９５３に搭載される、プリント回路基板（ＰＣＢ）５１６０として実装されてもよい。ＰＣＢ５１６０は、パワーおよび電子機器を提供し、光学レイアウト基板５１５０の光学構成５１００を制御してもよい。ＰＣＢ５１６０はまた、周辺基板４９３２−１、４９３２−２、４９４３、４９１４−１、および４９１４−２を含む、またはそれに通信可能に結合されてもよい。両眼ＯＣＴデバイス４９００はまた、光学レイアウト基板５１５０上に搭載され、主要電子基板４９７０に通信可能に結合する、自由空間光学系モジュールを備えてもよい。光学系基板上に搭載される自由空間光学系モジュールは、本明細書に説明されるようなモジュール４９１０−１、モジュール４９１０−２、またはＯＰＤ補正モジュール４９４０のうちの１つまたはそれを上回るものを備えてもよい。自由空間モジュール４９１０−２は、光学レイアウト基板５１５０に関して移動し、瞳孔間距離を調節するように構成されることができる。ＯＰＤ補正モジュールは、光学レイアウト基板５１５０に対して移動するように構成されることができる。
【０４４７】
干渉計モジュール４９５０は、本明細書に説明されるような光ファイバの結合器と、１つまたはそれを上回るＶＣＳＥＬ４９５２とを備えてもよい。主要電子基板４９７０または周辺基板のうちの１つは、ＶＣＳＥＬ４９５２を駆動する電子機器を備えてもよい。光学レイアウト基板５１５０上の光ファイバに光学的に結合されている、１つまたはそれを上回るＶＣＳＥＬ４９５２は、レーザ光を光学レイアウト基板５１５０上の光ファイバに伝搬する。ユーザの眼４９１０−１から反射されるレーザ光は、ＰＣＢ５１６０に伝搬されることができ、そこで、光検出器４９７２は、反射レーザ光を検出し、アナログブロック４９７４による処理のために光を電子アナログ信号に変換する。
【０４４８】
いくつかの実施形態では、光学レイアウト基板５１５０は、減衰を両眼ＯＣＴ４９００に提供する。例えば、両眼ＯＣＴ４９００が落下された場合、光学レイアウト基板５１５０を伴って構成される減衰機構が、両眼ＯＣＴ４９００の衝撃への任意の振動効果を補償し、そのコンポーネント（例えば、光学レイアウト基板５１５０、ＰＣＢ５１６０、干渉計モジュール４９５０、およびそれぞれのコンポーネント）を保護し得る。搭載プレート５１５０は、類似減衰機構を備えてもよい。
【０４４９】
図５４は、いくつかの実施形態による、両眼ＯＣＴ４９００の斜視／切断図を示す。本図では、光学レイアウト基板５１５０、ＰＣＢ５１６０、および干渉計モジュール４９５０は、両眼ＯＣＴ４９００の筐体４９０３内に構成される小型形態で機械的にともに結合される。本図から分かり得るように、固定標的４９１２−１および４９１２−２（例えば、ＬＥＤ光）は、ユーザがユーザの眼に近接して両眼ＯＣＴ４９００を設置するときに、それぞれ、レンズ４９１６−１および４９１６−２を通してユーザに可視である。ＶＣＳＥＬ４９５２からのレーザ光は、固定標的４９１２−１と同一の光路の一部に沿って伝搬する。したがって、ユーザが固定標的４９１２−１および４９１２−２を凝視するとき、１つまたはそれを上回るＶＣＳＥＬ４９５２からのレーザ光は、ユーザの眼を通して伝搬し、ユーザの網膜の厚さを決定するための後続の処理のために光学レイアウト基板５１５０に後方反射するように動作可能である。
【０４５０】
図５５は、いくつかの実施形態による、両眼ＯＣＴ４９００の別の斜視／切断図を示す。本図では、光学レイアウト基板５１５０のみが、ＶＣＳＥＬ４９５２、ファイバ結合器５１２６、検出器５１０５−１−５１０５−５、ファブリ・ペロー光学クロック５１２５、および光学結合器５１１８−５１２２の構成を示すように図示される。光学レイアウト基板５１５０はまた、スプライサ５１７０を備えてもよい。
【０４５１】
図５６および５７は、いくつかの実施形態による、眼球位置センサを備える、両眼ＯＣＴシステム４９００を示す。図５６は、いくつかの実施形態による、眼球位置センサ５６１０を備える、両眼ＯＣＴ４９００の俯瞰／切断図を示す。図５７は、眼のプルキニェ画像を発生させるために使用される複数の光源５６１５および位置センサの斜視／切断図を示す。眼球位置センサ５６１０は、アレイセンサ、線形アレイセンサ、１次元アレイセンサ、２次元アレイセンサ、相補型金属酸化膜（ＣＭＯＳ）２次元アレイセンサ、象限検出器、または位置感受性検出器のうちの１つまたはそれを上回るものを備えてもよい。眼球位置センサ５６１０は、眼の角膜からの光の反射からのプルキニェ画像等の眼の画像をセンサ上に形成するように、レンズと組み合わせられることができる。眼球位置センサは、図４９−５５を参照して説明される両眼ＯＣＴシステム等の本明細書に開示される実施形態のうちのいずれかに組み込まれることができる。
【０４５２】
示される図では、光学構成５１００は、光ファイバ結合部（例えば、図５１のファイバループ５１１０および５１１１）ならびに光学結合器５１１８−５１２２、および本明細書に説明されるような他のファイバコンポーネントの上方の光学レイアウト基板５１５０上に搭載される。したがって、本明細書に説明されるような１つまたはそれを上回る自由空間光学コンポーネントは、その下のファイバコンポーネントに光学的に結合されてもよい。
【０４５３】
示されるように、自由空間光学系モジュール４９１０−１および４９１０−２は、概して、それぞれ、ユーザの眼５１０９−１および５１０９−２と整合される。自由空間光学系モジュール４９１０−１と４９１０−２との間の距離は、ユーザのＩＰＤに従って調節されてもよい。いくつかの実施形態では、本調節は、両眼ＯＣＴ４９００がユーザに保有されている間に、ユーザのために維持される。例えば、ユーザは、ある時間周期にわたる自宅使用のために両眼ＯＣＴ４９００を使用する患者であってもよい。ユーザに保有されている間に正しい網膜の厚さが測定されることを確実にするために、両眼ＯＣＴ４９００は、ユーザがＩＰＤを調節しないように防止し得る。同様に、両眼ＯＣＴ４９００はまた、ユーザがＯＰＤ補正モジュール４９４０を介してＯＰＤを調節しないように防止し得る。
【０４５４】
本図から分かり得るように、固定標的４９１２−１および４９１２−２（例えば、ＬＥＤ光標的）は、それらの個別の自由空間光学系モジュール４９１０−１および４９１０−２の種々の光学要素を通して通過する。ＯＰＤ補正モジュール４９４０は、本明細書に説明されるように、１つまたはそれを上回るＶＣＳＥＬ４９５２からレーザ光を受光し、走査ミラー４９９０に向かって光を指向する。走査ミラー４９９０からの光は、レンズを通して通過し、ダイクロイックミラー５１１５によってレンズ４９１６−１を通してユーザの眼５１０９−１に反射される。
【０４５５】
図５７に示されるように、第１の光源と、第２の光源とを備える、複数の光源５６１５が、プルキニェ画像を発生させるために使用される。付加的光源は、プルキニェ画像を発生させるために使用されてもよく、例えば、４つの光源が、略直交軸に沿って位置することができる。複数の光源は、多くの方法で構成されることができ、ＬＥＤ、導波管、開口、または光ファイバのうちの１つまたはそれを上回るものを備えてもよく、眼の角膜から反射されたときにパターンの仮想画像を形成するように、三角形、長方形、プラチドディスク、または同等物等のパターンで配列されることができる。複数の光源からの光は、眼に向かって指向され、レンズ４９１６−１に向かって角膜の前面上の涙液膜から反射される。角膜から反射される光線は、眼球位置センサ５６１０上に眼の画像を形成するように、ビームスプリッタ５１１５およびレンズ５１０５−１を通して透過される。ミラー５１１６が、眼球位置センサ５６１０に向かって複数の光源から光を反射するように、光路５１０６−１に沿って位置することができ、ミラー５１１６は、固定標的からの緑色光等の可視光を透過させるように構成されることができる。
【０４５６】
位置センサ５６１０に結合される光学要素は、測定干渉計の光路の１つまたはそれを上回るコンポーネントと、固定標的とを備えてもよい。１つまたはそれを上回るＶＣＳＥＬからの光は、本明細書に説明されるように、走査ミラー５１１３から反射され、レンズ５１１４を通して透過され、ダイクロイックミラー５１１５からレンズ４９１６−１に向かって反射され、眼に向かって指向されることができる。固視標的４９１２−１からの光は、固視のために患者の網膜上に画像を提供するように、レンズ５１０５−１を通して指向され、ミラー５１１５およびレンズ４９１６−１を通して眼に向かって透過されることができる。ダイクロイックビームスプリッタ等のビームスプリッタ５１１６が、複数の光源５６１５から眼球位置センサ５６１０に向かって光を反射し、固定標的から可視光を透過させるために、レンズ５１０５−１と固定標的４９１２−１との間に位置することができる。
【０４５７】
光源の波長は、多くの方法で構成されることができるが、いくつかの実施形態では、プルキニェ画像を発生させるための複数の光源は、約７００〜８００ｎｍの範囲内の波長を備え、固定標的は、約５００〜７００ｎｍの範囲内の波長を備え、ＯＣＴ測定ビームは、約８００〜９００ｎｍの範囲内の複数の波長を備える。ミラー５１１５は、８００ｎｍを上回る光を反射し、８００ｎｍを下回る光を透過させるように構成される、ホットミラーまたはダイクロイックビームスプリッタを備えてもよい。ビームスプリッタ５１１６は、７００ｎｍを上回る光を反射し、７００ｎｍを下回る光を透過させるように構成される、ダイクロイックミラーを備えてもよい。いくつかの実施形態では、１つまたはそれを上回るＶＣＳＥＬからの光は、８００ｎｍ〜９００ｎｍの範囲内の波長を備え、プルキニェ画像を発生させるための複数の光源５６１５は、約７００ｎｍ〜８００ｎｍの範囲内の波長を備え、固視標的は、約４００ｎｍ〜約７００ｎｍの範囲内、例えば、約５００ｎｍ〜７００ｎｍの範囲内の波長を備える。
【０４５８】
図５８は、いくつかの実施形態による、自由空間光学系４９１０−１の俯瞰図を示す。レーザ光が、自由空間光学系４９１０−１に入射するにつれて、ダイクロイックミラー５１１５からユーザの眼５１０９−１（図示せず）に向かって光学要素４９１６−１を通して反射される。光は、ユーザの眼５１０９−１に衝突し、光学要素４９１６−１に向かって戻るようにその網膜から反射する。反射レーザ光は、ダイクロイックミラー５１１５からＯＰＤ補正モジュールに向かって反射される。複数の光源からの光は、ダイクロイックミラー５１１６から眼球位置センサ４６１０に向かって反射される。眼球位置センサ５６１０は、本明細書に説明されるような眼の位置まで、本明細書に説明されるようなプロセッサに動作可能に結合される。代替実施形態では、眼球位置センサ５６１０は、位置５２０１に位置することができ、光は、本明細書に説明されるようなプルキニェ画像等の眼の画像を眼球位置センサ上に形成するように、レンズ５２０２を通して透過されることができる。
【０４５９】
図４９−５８を参照して説明される両眼ＯＣＴデバイス４９００のコンポーネントは、当業者に明白であろうように、小型ＯＣＴデバイスを提供するように組み合わせられることができる。
【０４６０】
両眼ＯＣＴデバイス４９００は、図２、３、および３Ｂの手持ち式ＯＣＴデバイス１００を備えてもよく、通信回路を備え、本明細書に説明されるようなモバイル患者デバイス１２０等の１つまたはそれを上回る外部デバイスに動作可能に結合するように構成されてもよい。本接続は、本明細書に説明されるように、例えば、ＵＳＢコネクタを用いた有線、または、例えば、Ｂｌｕｅｔｏｏｔｈ（登録商標）を用いた無線であり得る。モバイル患者デバイス１２０は、検出器５１０１−１−５１０１−５からの信号のうちの１つまたはそれを上回るものを処理し、例えば、本明細書に説明されるようなＡ走査および網膜マップを発生させるように構成されることができる。
【０４６１】
図４９−５８は、両眼ＯＣＴデバイス４９００を参照するが、両眼ＯＣＴデバイス４９００の１つまたはそれを上回るコンポーネントが、本明細書に説明されるような単眼ＯＣＴデバイスを構築するために使用されることができる。例えば、瞳孔間距離（「ＩＰＤ」）を調節するように除去され得る、自由空間光学系モジュール４９１０−２および関連付けられる平行移動ステージは、含まれなくてもよく、アイカップは、眼を被覆し、周囲光を遮断するように構成されてもよい。そのような実施形態では、ユーザは、本明細書に説明されるように、デバイスを反転させ、第２の眼を測定することができる。代替として、または組み合わせて、遮眼子が、不透明な材料で測定されていない眼を被覆し、測定されていない眼への注意散漫を回避するように、提供されることができる。スイッチが、信号をプロセッサに提供し、測定されている眼、および本明細書に説明されるように測定されている眼を参照して記録されるデータを決定するように、遮眼子に結合されることができる。
【０４６２】
図５９Ａ−５９Ｄは、いくつかの実施形態による、光軸５１０６−１に関して眼の位置を決定するように眼球位置センサ５６１０を用いて捕捉され得る、画像を示す。画像のそれぞれでは、角膜から反射される複数の光源の画像が、示される。角膜から反射される光の画像が示されるが、眼球位置センサは、例えば、瞳孔位置撮像構成等の他の構成も備えてもよい。４つの光源のそれぞれの位置が、示される。例えば、図５９Ａは、ユーザが固定標的を固視するときに、眼が由空間光学系４９１０−１と整合されるように、瞳孔不一致が０ｍｍであり、軸状にある画像を示す。眼の位置は、眼球位置検出器５６１０上に結像される複数の光源の場所に応答して、決定されることができる。一般に、場所のオフセットは、ＯＣＴシステムの光軸に関する眼の平行移動に対応する。図５９Ｂ、５９Ｃ、および５９Ｄは、両眼ＯＣＴデバイス４９００の測定側の光軸が眼と完全には整合されない、事例を図示する。より具体的には、図５９Ｂは、Ｘ軸に沿った約０．５ミリメートルの眼の角膜の整合誤差を示す。図５９Ｃは、Ｘ軸に沿った約１．０ｍｍの整合誤差を示し、図５９Ｄは、Ｘ軸に沿った１．５の整合誤差を示す。類似変位誤差が、Ｙ軸に沿って計算されることができる。これらの変位誤差は、Ｘ軸およびＹ軸、例えば、これらの軸が、両眼ＯＣＴ測定システム等のＯＣＴ測定システムの光軸を横断する平面に沿って延在する、Ｘ、Ｙ座標参照を用いた眼の位置に沿って、眼球位置センサ５６１０を用いて決定されることができる。
【０４６３】
図６０Ａ−６０Ｃは、いくつかの実施形態による、眼に最も近いレンズとユーザの眼５１０９−１との間の種々のアイレリーフ距離において眼球位置センサ５６１０を用いて捕捉される複数の光源の位置を示す。一般に、複数の光源の画像の間隔は、増加するレリーフ距離とともに減少する。より具体的には、図６０Ａは、ユーザの眼５１０９とＯＣＴ測定システムとの間の約１６ｍｍの距離における複数の源から反射される光のプルキニェ画像を示す。図６０Ｂは、約２１ｍｍの距離における位置センサ５６１０からの画像を示す。図６０Ｃは、ユーザの眼５１０９とＯＣＴ測定システムとの間の約２６ｍｍの距離における位置センサからの複数の光源の画像を示す。複数の光源の間の間隔は、増加するレリーフ距離とともに減少する。
【０４６４】
本明細書に説明されるようなプロセッサは、Ｘ、Ｙ、およびＺ軸におけるアイレリーフ距離を決定するように、眼球位置センサ５６１０に結合されることができる。プロセッサは、測定される眼を決定し、位置センサデータを眼の座標参照システムに適切にマップするように、配向センサに結合されることができる。例えば、センサ５６１０からの眼のＸおよびＹ位置は、ＯＣＴシステムが反転構成を備えるときに反転されることができ、眼の測定された位置は、ユーザの参照フレームに適切に変換されることができる。センサを用いて捕捉される画像は、意図された位置からのＸ、Ｙ、およびＺオフセットの組み合わせ、例えば、Ｘ、Ｙ、およびＺ軸に沿った０整合誤差を備えてもよい。
【０４６５】
測定された眼球位置のうちの１つまたはそれを上回るものは、命令をユーザに提供するために使用されることができる。例えば、ユーザは、ＯＣＴ測定システムに動作可能に結合されるモバイルデバイスから聴覚命令を受信し、眼が本明細書に説明されるようなＯＣＴ網膜厚さ測定のための好適な窓内に位置するまで、眼を左、右、上、または上に移動させてもよい。例えば、本システムは、いったん眼がＯＣＴ測定システムの光軸の約０．５以内まで移動すると、ＯＣＴ測定を入手するように構成されることができる。固定標的のうちの１つまたはそれを上回るものは、視覚合図をユーザに提供するように構成されることができる。例えば、固定標的のうちの１つまたはそれを上回るものは、測定された眼が十分に整合されるときに、色を変化させるように構成されることができる。例えば、固定標的は、十分に整合されていないときの黄色から十分に整合されたときの緑色に色を変化させることができる。いくつかの実施形態では、両方の固定標的は、ＯＣＴシステムが眼と十分に整合するときに、色を変化させることができる。本明細書に説明されるような固定標的を照明するＬＥＤはそれぞれ、２つまたはそれを上回る発光波長、例えば、黄色および緑色波長を備えてもよい。
【０４６６】
図６１Ａ−６１Ｄは、いくつかの実施形態による、スキャナモジュール４９９０によって実装され得る、種々の走査パターンを示す。より具体的には、図６１Ａは、スキャナモジュール４９９０が、次のスポット上に移動する前に、ＶＣＳＥＬ４９５２からのレーザ光をユーザの眼５１０９の上の特定のスポット上に留める、「停止および進行」走査軌道を示す。例えば、スキャナモジュール４９９０は、トリガ信号に応答して、スポット６１０２上に移動する前に、レーザ光をスポット上６１０１上に留めてもよい。代替として、スキャナモジュールは、測定ビームが、本明細書に説明されるように、Ａ走査の間に眼に沿って連続的に移動するように、１つまたはそれを上回るＶＣＳＥＬ光源が掃引されている間に、ＯＣＴ測定ビームを連続的に走査してもよい。図６１Ｂは、スキャナモジュール４９９０が、ＶＣＳＥＬ４９５２からのレーザ光をユーザの眼５１０９の上で線形に走査する、「星形」走査軌道を示す。例えば、スキャナモジュール４９９０は、線６１０４に沿って移動する前に、線６１０３に沿って線形様式でレーザ光測定ビームを走査してもよい。図６１Ｃは、スキャナモジュール４９９０が、次のスポット上に移動する前に、ＶＣＳＥＬ４９５２からのレーザ光をユーザの眼５１０９の上で線形に走査する、「連続」走査軌道を示す。例えば、スキャナモジュール４９９０は、線６１０６に沿って移動する前に、線６１０５に沿って線形様式でレーザ光を走査してもよい。図６１Ｄは、スキャナモジュール４９９０が、リサジューパターン６１０７でＶＣＳＥＬ４９５２からのレーザ光をユーザの眼５１０９の上で連続的に走査する、リサジュー走査軌道を示す。
【０４６７】
図６２は、いくつかの実施形態による、両眼ＯＣＴ等の本明細書に説明されるようなＯＣＴシステムによって実装され得る、前処理等の処理のフロー図６２００を示す。未加工クロック信号６２０１が、本明細書に説明されるような掃引源のＡ走査掃引の間に位相補償モジュールの検出器から受信される。未加工クロック信号は、掃引源光ビームのサンプリングされた部分が、本明細書に説明されるようなエタロン等の干渉計を通して通過された後に、検出器からのアナログ値を備えてもよい。未加工Ａ走査サンプル６２０２が、本明細書に説明されるようなＯＣＴ測定システムの平衡検出器から受信される。いくつかの実施形態では、クロック信号は、Ａ走査を正確にサンプリングし、本明細書に説明されるような掃引源の波長掃引率の変動を補正するために、Ａ走査信号と同期して捕捉される。未加工クロック信号は、ヒルベルト変換を用いて変換されることができ、結果として生じる位相情報は、線形化され、再サンプリングベクトル６２０４を発生させるために使用されることができる。再サンプリングベクトルを発生させるための再サンプリングは、チャープ補正もしくは位相補正のうちの１つまたはそれを上回るものを含んでもよい。
【０４６８】
短時間フーリエ変換（ＳＴＦＴ）が、未加工クロック信号に適用され、時間周波数図で可視化されることができる。画像６２０５は、未加工クロック信号上のチャープの非線形位相を図示する。画像６２０６は、再サンプリングベクトルで未加工クロック信号を再サンプリングした後の類似情報を示す。画像６２０５および画像６２０６に関して提供される本動作は、チャープ補正の有効性を示すために例証的である。画像６２０７は、未加工クロック信号に適用されるＦＦＴの結果を示し、ピークの広がりを図示する。ピークの広がりは、光学クロックからのチャープ信号の非線形位相に起因し得る。画像６２０８は、画像６２０６と同様に、クロック信号の位相変動を減少させるために類似するクロック信号を再サプリングした後のＦＦＴの結果を示し、ピークの広がりは、有意に低減される。いくつかの実施形態では、再サプリングは、未加工Ａ走査６２０２に適用され、画像６５０２、６２０６、６２０７、および６２０８を参照して説明される付加的ステップは、実施されず、これらの画像は、再サンプリングの有用性を図示するように提供される。
【０４６９】
再サンプリングベクトルは、再サンプリングされたＡ走査６２０３を発生させるように、Ａ走査データに適用される。再サンプリングされたＡ走査は、個々のＡ走査６２０９の強度値を発生させるように、高速フーリエ変換等の変換を受ける。上記のプロセスは、複数のＡ走査を発生させるように繰り返されることができる。複数のＡ走査は、複数のＡ走査を含む、再サンプリングされたＡ走査出力６２１０を発生させるように、再サンプリングされることができる。再サンプリングされた出力は、本明細書に説明されるような網膜の厚さを決定するために使用されることができる。
【０４７０】
図６３は、いくつかの実施形態による、図６２のフロー図６２００の前処理によって取得される種々のプロットを示す。単一のＡ走査６３０１は、Ａ走査信号６３０１によって示されるような網膜６３０２の層に対応する反射を備える。網膜６３０２は、内境界膜（「ＩＬＭ」）、神経線維層、神経節細胞層、内網状層、外網状層、外境界膜、ヘンレ線維、外側区画、楕円体ゾーン、相互嵌合ゾーン、網膜色素上皮（「ＲＰＥ」）、ブルッフ複合体、後皮質硝子体、内顆粒層、外顆粒層、および筋様体ゾーンを含む、いくつかの層および構造から成る。単一のＡ走査６３０１を参照して分かり得るように、網膜からの反射信号は、ＩＬＭに対応する第１のピークと、ＲＰＥに対応する第２のピークとを備える。網膜の厚さは、ＩＬＭとＲＰＥとの間の分離距離に基づいて決定されることができる。いくつかのＡ走査６３０３は、深度における網膜の反射率を備える、組み合わせられた、および／またはオーバーサンプリングされた波形データ６３０４を発生させるように、サンプリングされる、ならびに／もしくは組み合わせられることができる。例えば、１００〜１，０００回のＡ走査が、取得され、Ａ走査の間に測定ビームの場所に対応する網膜の領域において網膜の厚さを発生させるように、例えば、７００のサンプルが、再サンプリングおよび／またはオーバーサンプリングされることができる。再サンプリングされた、および／または組み合わせられたデータ６３０４は、対応するピークに基づくＲＰＥおよびＩＬＭの場所、ならびに網膜の厚さを決定するために使用される２つの反射率ピークの間の距離を決定するために、使用されることができる。
【０４７１】
図６４は、いくつかの実施形態による、１つまたはそれを上回るＶＣＥＬ４９５２が複数のＶＣＳＥＬを備える、ＯＣＴデバイス６４００を示す。ＯＣＴシステム６４００のコンポーネントは、本明細書に説明されるような両眼ＯＣＴシステム４９００との組み合わせに非常に適しており、掃引源の範囲を延在させるために使用されることができる。複数のＶＣＳＥＬは、第１のＶＣＳＥＬ４９５２−１と、第２のＶＣＳＥＬ４９５２−２と、第３のＶＣＳＥＬ４９５２−３と、第４のＶＣＳＥＬ４９５２−４とを備えてもよい。４つのＶＣＳＥＬが示されるが、複数のＶＣＳＥＬは、２〜６つのＶＣＳＥＬ、例えば、３〜５つのＶＣＳＥＬ等の好適な掃引範囲を提供するための任意の好適な数のＶＣＳＥＬを備えてもよい。複数のＶＣＳＥＬは、例えば、６つを上回るＶＣＳＥＬを備えてもよい。複数のＶＣＳＥＬは、複数のＶＣＳＥＬから光学スイッチまで延在する複数の光ファイバを用いて光学スイッチ５１２６に結合される。光学スイッチ５２１６は、ＶＣＳＥＬから単一モード光ファイバに複数の光ファイバを結合するために使用されることができる。光学スイッチ５２１６は、非常に速い応答時間と、速い切替反復率とを有する、ソリッドステートスイッチを備えてもよい。光学スイッチ５２０６は、例えば、機械的コンポーネントを移動させることなく、電気光学スイッチを備えてもよい。光学スイッチ５２１６は、約３０ナノ秒（「ｎｓ」）〜約３００ナノ秒の範囲内の応答時間を備えてもよい。いくつかの実施形態では、光学スイッチの速度は、ドライバの電子機器に関連し、より遅く、例えば、約２５０ｋＨｚ〜約７５０ｋＨｚの範囲内、例えば、約５００ｋＨｚであり得る。光学スイッチは、Ｎ掛ける１（「Ｎ×１」）スイッチ、例えば、４×１スイッチを備えてもよい。いくつかの実施形態では、Ｎの値は、約２〜６の範囲内である。Ｎ×１スイッチは、複数のカスケード式スイッチを備えてもよい。いくつかの実施形態では、４×１スイッチは、スイッチ１が、ＶＣＳＥＬ１とＶＣＳＥＬ２との間で選択し、スイッチ２が、ＶＣＳＥＬ３とＶＣＳＥＬ４との間で選択し、スイッチ３が、スイッチ１とスイッチ２との間で選択する、３つのカスケード式２×１スイッチを備える。ソリッドステート光学スイッチが示されるが、光学スイッチは、複数のＶＣＳＥＬからの光を１本のファイバに組み合わせるために、一連のカスケード式２×１光ファイバスプリッタ、光学格子、または一連のダイクロイックビームスプリッタを備えてもよい。例えば、４×１光学スプリッタは、一連のカスケード式２×１ファイバスプリッタを備えてもよい。
【０４７２】
光学スイッチは、複数のＶＣＳＥＬからの複数の光ファイバのうちの１つに選択的に結合し、スイッチから出力光ファイバに透過されるＶＣＳＥＬを選択的に制御することができる。光学スイッチは、プロセッサ５１６０に動作可能に結合される。プロセッサ５１６０は、複数のＶＣＳＥＬの照明を制御するためのマルチプレクサを備えてもよい。光学スイッチの切替およびＶＣＳＥＬの照明は、複数のＶＣＳＥＬの連続走査を可能にするように、プロセッサを用いて制御されることができる。光学スイッチ５１２６は、第１の結合器５１１８に結合される。第１の結合器５１１８は、本明細書に説明されるような１つまたはそれを上回る安全検出器を備え得る、パワー検出器に指向される第１の出力ファイバを備えてもよい。結合器５１１８からの第２の出力ファイバが、第２の結合器５１１９に結合される。第２の結合器５１１９は、光ファイバを用いて第１のクロックボックス６４０３に結合されることができる。第１のクロックボックス６４０３は、本明細書に説明されるようなクロック信号を発生させるための第１の干渉計を備えてもよい。第２の結合器５１１９は、第３の結合器５１２０に結合されることができる。第３の結合器５１２０は、第２のクロックボックス６４０４に結合されることができる。第２のクロックボックスは、本明細書に説明されるようなクロック信号を発生させるための第２の干渉計を備えてもよい。第３の結合器５１２０の出力は、両眼ＯＣＴ測定システム４９００のコンポーネント等のＯＣＴ測定システム６４０１の付加的コンポーネントに結合されることができる。ＯＣＴシステム６４００は、ＶＣＳＥＬドライバ４９７１および関数発生器６４０６等のＯＣＴシステム４９００の１つまたはそれを上回るコンポーネントを備えてもよい。ＯＣＴシステムは、ラップトップを備えるモバイルデバイス６４１０等の本明細書に説明されるようなモバイルデバイスに結合されることができる。ＯＣＴシステムは、ＶＣＳＥＬ掃引シーケンス、光学スイッチ５１２６の切替、および同期して検出器信号を記録するように本明細書に説明されるような検出器に結合されるアナログ／デジタルコンバータのデータ入手を同期して制御するための同期データ入手および制御システム６４０５を備えてもよい。
【０４７３】
図６５は、調節可能な光路差を伴う干渉計６５００を備える、クロックボックスを示し、図６６は、いくつかの実施形態による、両眼ＯＣＴ４９００等の本明細書に説明されるようなＯＣＴシステムを伴って実装され得る、光ファイバ測定干渉計６６００を示す。クロックボックス干渉計６５００は、本明細書に説明されるような掃引光源に結合される入力光ファイバを備える。入力光ファイバは、参照ミラーに結合される光ファイバおよび可動ミラー６５０６に結合される別の光ファイバに結合される、結合器６５０１に結合される。一対のレンズが、光を可動ミラー６５０６上に集束させるために使用されることができる。一対のレンズは、光ファイバからの光をコリメートするように光ファイバに結合される第１のレンズ６５０３と、光を光ファイバのなかに集束させるための第２のレンズ６５０６とを備えてもよい。第２のレンズ６５０６およびミラー６５０６は、光路差を調節するようにともに移動してもよい。検出器６５０２が、光ファイバを用いて結合器６５０１に結合され、結合器６５０１から干渉信号を受信する。クロック信号の周波数は、可動ミラー６５０６を用いて光路長差を調節することによって、調節されることができる。クロックボックス干渉計６５００は、例えば、本明細書に説明されるようなマッハ・ツェンダー干渉計またはファブリ・ペロー干渉計を備えてもよい。ＯＣＴシステムは、クロックボックスの光路長の適切な差異を決定し、本明細書に説明されるような各複数のＶＣＳＥＬからの光の位相を正確に決定するために、調節可能な光路長をそれぞれ備える、複数のクロックボックスを備えてもよい。
【０４７４】
光ファイバ測定干渉計６６００は、本明細書に説明されるような光ファイバを用いて複数のＶＣＳＥＬ光源に結合されることができ、複数のクロックボックス干渉計が、本明細書に説明されるようなＶＣＳＥＬからの光の位相を測定するために使用されることができる。結合器６６０１が、光源から光を受光するように光ファイバに結合され、干渉計の測定アームおよび干渉計の参照アームに結合される。参照アームは、光路差を調節するためのコイル状の光ファイバ６６０５を備えてもよく、測定アームは、光をサンプル６６０８に指向するためのレンズ６６０６を備えてもよい。実験的構成では、サンプル６６０８は、ミラー６６０８または他の試験物体を備えてもよい。第２のレンズ６６０７が、光をサンプル６６０８に集束させるために使用されることができる。両眼ＯＣＴ測定システムでは、サンプルは、眼の網膜から成り、測定アームは、本明細書に説明されるような可動ＯＰＤモジュールを備えてもよい。測定アームからの光学信号は、光ファイバを用いて結合器６６０１に結合されることができる。結合器６６０２が、測定アームからの信号を参照アームからの信号と組み合わせるために使用されることができ、出力が、本明細書に説明されるような一対の光ファイバを用いて平衡検出器に指向されることができる。平衡検出器は、第１の検出器６６０３および第２の検出器６６０４等の一対の検出器を備えてもよい。平衡検出器は、本明細書に説明されるような回路に結合されることができ、プロセッサが、本明細書に説明されるように、第１のＶＣＳＥＬの位相を第２のＶＣＳＥＬと整合させるために使用されることができる。
【０４７５】
図６７は、いくつかの実施形態による、それぞれが波長の範囲にわたって掃引されている、４つのＶＣＳＥＬからのレーザ光強度および波長のプロット６７００を示す。例えば、両眼ＯＣＴ４９００が動作しており、図５０のＶＣＳＥＬ駆動電子機器４９７１が複数のＶＣＳＥＬ４９５２を発射し始めるとき、ＶＣＳＥＬ駆動電子機器４９７１は、ＶＣＳＥＬ４９５２の連続発射を開始してもよい。ＶＣＳＥＬ４９５２はそれぞれ、約１０ｎｍの波長にわたって掃引されてもよく、約７ｎｍの波長が、「有効掃引範囲」である。有効掃引範囲は、例えば、約５ｎｍ〜約１０ｎｍであり得る。全体的掃引範囲は、約２２ｎｍ〜２３ｎｍであり、例えば、約８５５ｎｍを中心とし得る。複数のＶＣＳＥＬは、例えば、約１５〜約３０ｎｍの全体的掃引範囲を提供するために使用されることができる。１つまたはそれを上回るＶＣＳＥＬは、本明細書に説明されるような多くの製造業者から入手可能な市販のＶＣＳＥＬを備えてもよく、複数のＶＣＳＥＬは、概して、約８００〜８９５ｎｍの波長において光を放射してもよい。ＶＣＳＥＬのＶＣＳＥＬ出力波長は、本明細書に説明されるように、加熱に応答して変化することができる。加熱は、加熱を伴って波長を変化させるために、キャビティ長の変化もしくは利得媒質における屈折率の変化のうちの１つまたはそれを上回るものを誘発することができる。例えば、掃引源の電流変化によって引き起こされる、温度変化は、屈折率の変化、ならびにキャビティの物理的長さの変化、例えば、熱膨張を提供することができる。これらの２つの効果は、ＧａＡｓにおいて１ケルビン度あたり約０．０４ｎｍ（「ｎｍ／Ｋ」）〜約０．１ｎｍ／Ｋの範囲内、例えば、約０．０７ｎｍ／Ｋのレーザモードの波長変化を提供することができる。いくつかの実施形態では、利得スペクトルは、ＧａＡｓにおいて約０．１〜約０．５ｎｍの範囲内、例えば、約０．３ｎｍ／Ｋの量だけ、温度変化を伴って波長を偏移させ、これは、１つのＶＣＳＥＬのための達成可能な波長同調の量を限定し得る。
【０４７６】
１つまたはそれを上回るＶＣＳＥＬは、Ａ走査のための約１マイクロ秒〜約１００マイクロ秒の掃引時間で駆動されることができ、例えば、掃引時間は、約４マイクロ秒〜約６０マイクロ秒の範囲内であり得る。いくつかの実施形態では、掃引時間は、ＶＣＳＥＬ毎に約５マイクロ秒〜約５０マイクロ秒の範囲内である。１つまたはそれを上回るＶＣＳＥＬが複数のＶＣＳＥＬを備える、実施形態では、Ａ走査のための合計掃引時間は、複数のＶＣＳＥＬのそれぞれを走査するための合計時間を備える、掃引時間を備えてもよく、Ａ走査のための掃引時間は、対応してより長くなるであろう。複数のＶＣＳＥＬはそれぞれ、掃引のための波長の適切な範囲を備えてもよい。
【０４７７】
このように、ＶＣＳＥＬ駆動電子機器４９７１は、約８５６ｎｍ〜８６６ｎｍの掃引される波長の範囲にわたってレーザ光６７０４を生成するように、第１のＶＣＳＥＬを発射および掃引してもよい。ＶＣＳＥＬ駆動電子機器４９７１は、次いで、次のＶＣＳＥＬを発射および掃引し、約８５２ｎｍ〜８６２ｎｍの掃引される波長の範囲にわたってレーザ光６７０３を生成してもよい。ＶＣＳＥＬ駆動電子機器４９７１は、次いで、次のＶＣＳＥＬを発射および掃引し、約８４８ｎｍ〜８５８ｎｍの掃引される波長の範囲にわたってレーザ光６７０２を生成してもよい。ＶＣＳＥＬ駆動電子機器４９７１は、次いで、次のＶＣＳＥＬを発射および掃引し、約８４５ｎｍ〜８５５ｎｍの掃引される波長の範囲にわたってレーザ光６７０１を生成してもよい。
【０４７８】
概して、１つのＶＣＳＥＬ４９５２の掃引範囲は、他のＶＣＳＥＬの１つまたはそれを上回る掃引範囲の一部に重複し得る。例えば、プロット６７００から分かり得るように、１つのＶＣＳＥＬ４９５２の掃引範囲６７０１は、複数の中の２つの他のＶＣＳＥＬ４９５２によって生成される掃引範囲６７０２および６７０３の一部に重複する。波長は、重複するものとして示されるが、いくつかの実施形態では、ＶＣＳＥＬ掃引は、時間が重複せず、本明細書に説明されるような光学スイッチを用いて干渉計に選択的に結合されることができる。
【０４７９】
図６８は、いくつかの実施形態による、ＶＣＳＥＬ４９５２によって提供される掃引範囲と対比した軸方向分解能６８０１のプロット６８００を示す。プロット６８００から分かり得るように、軸方向分解能の値は、ＶＣＳＥＬの掃引範囲に対して減少する。単一のＶＣＳＥＬ４９５２が、約７ｎｍの波長にわたって掃引されたときに、約５０μｍの分解能を提供し得る。しかしながら、複数のＶＣＳＥＬ４９５２等の複数のＶＣＳＥＬ（例えば、それぞれは、約５〜１０ｎｍの波長にわたって掃引される）を使用することによって、両眼ＯＣＴ４９００は、分解能値を約１０μｍ（マイクロメートルまたはミクロン）、ある事例では、７μｍまで減少させ得る。軸方向分解能は、約１０μｍ〜約３０μｍのサンプルに関して、約７μｍ〜約３０μｍの範囲内であり得る。
【０４８０】
しかしながら、ＶＣＳＥＬ４９５２がそれぞれ、いくつかの異なる重複波長範囲にわたって掃引されるにつれて、それらの波形は、概して、異なり、異なる位相を備える。ＶＣＳＥＬ４９５２毎の情報を単一の使用可能な信号に組み合わせるために、ＶＣＳＥＬ４９５２の波形は、位相整合され、ともにスティッチされてもよい。図６９は、いくつかの実施形態による、位相がずれており、単一の信号にともにスティッチされるために好適である、２つのＶＣＳＥＬ４９５２の波形を示す。例えば、第１のＶＣＳＥＬ４９５２の波形６９０１は、それらの掃引範囲が重複する面積内の別のＶＣＳＥＬ４９５２からの隣接する掃引波形の波形６９０２とともにスティッチされてもよい。例証すると、ＶＣＳＥＬ駆動電子機器４９７１が、複数のＶＣＳＥＬ４９５２のうちの第１のもののレーザ光を発射および掃引するとき、測定データが、光検出器４９７２を介して取得されてもよい。次いで、ＶＣＳＥＬ駆動電子機器４９７１は、本明細書に説明されるように、第１のＶＣＳＥＬ４９５２の掃引範囲に少なくとも部分的に重複する範囲にわたって複数のＶＣＳＥＬ４９５２のうちの第２のもののレーザ光を発射および掃引してもよい。
【０４８１】
いったんクロックボックス位相およびＯＣＴ測定アームデータが、光検出器４９７２を介して取得されると、第１および第２のＶＣＳＥＬ４９５２の掃引範囲のそれぞれの上の処理が、位相が合致する場所を識別するために使用されてもよい。本実施例では、第１のＶＣＳＥＬ４９５２のレーザ光は、第２のＶＣＳＥＬ４９５２のレーザ光からの掃引波形６９０２よりも遅い掃引波形６９０１を有し、２つの波形はまた、位相がずれている。掃引波形は、例えば、図６７の掃引範囲６７０４および６７０３に対応し得る。ＶＣＳＥＬは、本明細書に説明されるように、任意の順序および任意の好適な掃引率ならびに範囲で掃引されることができる。
【０４８２】
図７０Ａ−７０Ｄは、いくつかの実施形態による、図６９に図示される第１および第２のＶＣＳＥＬ４９５２から取得される未加工クロック信号のプロットを示し、非線形クロック信号および波長掃引の位相抽出を図示する。第１のＶＣＳＥＬ（ＶＣＳＥＬ１）に関して、それぞれ、図７０Ａおよび７０Ｂに示されるように、第１のクロックボックス信号７００１が、第１の光路差を伴う第１の干渉計（ｚ１）から取得され、第２のクロックボックス信号７００２が、第２の光路差を伴う第２の干渉計（ｚ２）から取得される。第２のＶＣＳＥＬ（ＶＣＳＥＬ２）に関して、それぞれ、図７０Ｃおよび７０Ｄに示されるように、第１のクロックボックス信号７００３が、第１の光路差を伴う第１の干渉計（ｚ１）から取得され、第２のクロックボックス信号７００４が、第２の光路差を伴う第２の干渉計（ｚ２）から取得される。いくつかの実施形態では、クロックボックス信号は、本明細書に説明されるような測定アーム干渉信号と同期して記録される。
【０４８３】
図７１Ａ−７１Ｄは、いくつかの実施形態による、図７０Ａ−７０Ｄの未加工クロック信号の位相ラッピングのプロットを示す。図７１Ａは、第１のクロックボックスからの第１のＶＣＳＥＬからの掃引の位相７１０１を示し、図７１Ｂは、第２のクロックボックスからの第１のＶＣＳＥＬからの掃引の位相７１０２を示す。図７１Ｃは、第１のクロックボックスからの第２のＶＣＳＥＬからの掃引の位相７１０３を示し、図７１Ｄは、第２のクロックボックスからの第２のＶＣＳＥＬからの掃引の位相７１０４を示す。
【０４８４】
図７２Ａおよび図７２Ｂは、いくつかの実施形態による、２つのクロック信号走査のラップされた位相が、概して、合致され（図７２Ａ）、次いで、単一の位相ラップ信号に組み合わせられ得る（図７２Ｂ）、プロットを示す。第１のクロックボックスおよび第１のＶＣＳＥＬからの位相ラップされた信号７２０１は、第１のクロックボックスおよび第２のＶＣＳＥＬからの位相ラップされた信号７２０２と整合されることができる。第２のクロックボックスおよび第１のＶＣＳＥＬからの位相ラップされた信号７２０３は、第２のクロックボックスおよび第２のＶＣＳＥＬからの位相ラップされた信号７２０４と整合されることができる。第１のクロック信号は、粗い整合を提供するために使用されることができ、第２のクロックボックス信号は、より精密な整合を提供するために使用されることができる。例えば、第１のクロックボックス信号は、第２のクロックボックス信号の適切な部分が整合のために使用されることを確実にするために使用されることができる。一般に、２つのクロックボックスの干渉計の光路差は、掃引源からの位相の整合を可能にするために十分に異なる。例えば、第１のクロックボックスは、整合を促進するように、第２のクロックボックスによって提供される周波数および位相の第２の範囲よりも遅い、周波数および位相の第１の範囲を備えてもよい。周波数の第１の範囲は、約２〜２０の範囲内の倍数だけ周波数の第２の範囲と異なる、例えば、約５〜約１０の範囲内で異なり得る。光路差は、類似量だけ異なり得る。例えば、第１のクロックボックスの干渉計は、第１の光路差を備えてもよく、第２の干渉計の光路差は、約２〜２０の範囲内の比だけ第１の光路差と異なる第２の光路差を備えてもよく、例えば、約５〜約１０の範囲内の比だけ異なる。
【０４８５】
図７３Ａおよび図７３Ｂは、いくつかの実施形態による、振幅復調を伴わずにマージされている第１および第２のＶＣＳＥＬ４９５２によって発生されるクロックボックス波形信号のプロットを示す。第１のＶＣＳＥＬからの第１のクロックボックス信号７３０１が、図７２Ａおよび７２Ｂに示されるように、位相を整合させることに応答して、第２のＶＣＳＥＬからの第１のクロックボックス信号７３０２と整合されて示される。第１のＶＣＳＥＬからの第２のクロックボックス信号７３０３が、図７２Ａおよび７２Ｂに示されるように、位相を整合させることに応答して、第２のＶＣＳＥＬからの第２のクロックボックス信号７３０４と整合されて示される。ＯＣＴ干渉計の測定および参照アームからの干渉計信号は、同様に整合されることができる。
【０４８６】
図７４Ａおよび図７４Ｂは、いくつかの実施形態による、振幅復調を伴ってマージされている第１および第２のＶＣＳＥＬ４９５２によって発生される波形のプロットを示す。第１のＶＣＳＥＬからの第１の振幅復調クロックボックス信号７４０１が、第２のＶＣＳＥＬからの第１のクロックボックス振幅復調信号７４０２と整合されて示される。第１のＶＣＳＥＬからの第２の振幅復調クロックボックス信号７４０３が、第２のＶＣＳＥＬからの第２の振幅復調クロックボックス信号７４０４と整合されて示される。ＯＣＴ干渉計の測定および参照アームからの干渉計信号は、クロックボックス信号の復調に基づいて、同様に復調されることができる。
【０４８７】
図７５は、いくつかの実施形態による、複数の掃引ＶＣＳＥＬからの信号をともにスティッチするためのプロセスを図示する、フロー図７５００を示す。
【０４８８】
ステップ７５０２では、クロック信号が、本明細書に説明されるようにＶＣＳＥＬ１を用いて発生される。クロック信号は、本明細書に説明されるような単一の干渉計または複数の干渉計からのクロック信号を備えてもよい。ステップ７５０３では、ＶＣＳＥＬ１のためのクロック信号の位相が、本明細書に説明されるように評価される。ステップ７５０４では、ＶＣＳＥＬ１からのクロック信号が、本明細書に説明されるように振幅復調される。
【０４８９】
これらのステップは、付加的ＶＣＳＥＬに関して繰り返されることができる。例えば、ステップ７５０６では、クロック信号が、本明細書に説明されるようにＶＣＳＥＬ２を用いて発生される。ステップ７５０７では、ＶＣＳＥＬ２のためのクロック信号の位相が、本明細書に説明されるように評価される。ステップ７５０８では、ＶＣＳＥＬ２からのクロック信号が、振幅復調される。ステップ７５０９では、クロック信号が、本明細書に説明されるようにＶＣＳＥＬ３を用いて発生される。ステップ７５１０では、ＶＣＳＥＬ３のためのクロック信号の位相が、本明細書に説明されるように評価される。ステップ７５１１では、ＶＣＳＥＬ３からのクロック信号が、振幅復調される。ステップ７５１２では、クロック信号が、本明細書に説明されるようにＶＣＳＥＬ４を用いて発生される。ステップ７５１３では、ＶＣＳＥＬ４のためのクロック信号の位相が、本明細書に説明されるように評価される。ステップ７５１４では、ＶＣＳＥＬ４からのクロック信号が、振幅復調される。
【０４９０】
ステップ７５１５では、グローバルデルタ（Δ）ｋが、ＶＣＳＥＬ１に関するデルタｋ１、ＶＣＳＥＬ２に関するデルタｋ２、ＶＣＳＥＬ３に関するデルタｋ３、およびＶＣＳＥＬ４に関するデルタｋ４に基づいて、定義される。ステップ７５１６では、ＶＣＳＥＬ１のためのクロック信号が、グローバルデルタｋ値に基づいて再サンプリングされる。ステップ７５１７では、ＶＣＳＥＬ２のためのクロック信号が、グローバルデルタｋ値に基づいて再サンプリングされる。ステップ７５１８では、ＶＣＳＥＬ３のためのクロック信号が、グローバルデルタｋ値に基づいて再サンプリングされる。ステップ７５１９では、ＶＣＳＥＬ４のためのクロック信号が、グローバルデルタｋ値に基づいて再サンプリングされる。
【０４９１】
ステップ７５０１では、ステップ７５０２−７５１９が、本明細書に説明されるように、付加的クロックボックスからの付加的光路差に関して繰り返される。
【０４９２】
ステップ７５２０では、クロック信号が、光路差毎にともにスティッチされる。例えば、信号は、好適な合致、例えば、最小平均二乗適合によって定量化される最良合致を提供するように、グローバルｋ軸に沿って移動されることができる。
【０４９３】
ステップ７５２１では、クロックボックスおよび光路長毎の振幅復調データが、ＶＣＳＥＬ毎の網膜サンプルインターフェログラムのそれぞれを復調するために使用されることができる。ステップ７５２４では、ＯＣＴ測定および参照アームからの干渉信号を備える、インターフェログラムが、ＶＣＳＥＬ１を用いて発生される。ステップ７５２５では、ＶＣＳＥＬ１のためのインターフェログラム信号が、ステップ７５０４におけるクロックボックス信号振幅復調からの振幅復調に基づいて振幅復調される。
【０４９４】
類似ステップが、付加的ＶＣＳＥＬに関して実施されることができる。例えば、ステップ７５２７では、ＯＣＴ測定および参照アームからの干渉信号を備える、インターフェログラムが、ＶＣＳＥＬ２を用いて発生される。ステップ７５２８では、ＶＣＳＥＬ２のためのインターフェログラム信号が、ステップ７５０８におけるクロックボックス信号振幅復調からの振幅復調に基づいて振幅復調される。ステップ７５３０では、ＯＣＴ測定および参照アームからの干渉信号を備える、インターフェログラムが、ＶＣＳＥＬ３を用いて発生される。ステップ７５３１では、ＶＣＳＥＬ３のためのインターフェログラム信号が、ステップ７５１１におけるクロックボックス信号振幅復調からの振幅復調に基づいて振幅復調される。ステップ７５３３では、ＯＣＴ測定および参照アームからの干渉信号を備える、インターフェログラムが、ＶＣＳＥＬ４を用いて発生される。ステップ７５３４では、ＶＣＳＥＬ４のためのインターフェログラム信号が、ステップ７５１４におけるクロックボックス信号振幅復調からの振幅復調に基づいて振幅復調される。
【０４９５】
ＶＣＳＥＬ毎の網膜サンプルインターフェログラムが、ステップ７５１５で決定されるグローバルデルタｋ値に基づいて再サンプリングされることができる。ステップ７５２６では、ＶＣＳＥＬ１のための網膜サンプルインターフェログラムが、グローバルデルタｋ値に従って再サンプリングされる。ステップ７５２９では、ＶＣＳＥＬ２のための網膜サンプルインターフェログラムが、グローバルデルタｋ値に従って再サンプリングされる。ステップ７５３２では、ＶＣＳＥＬ３のための網膜サンプルインターフェログラムが、グローバルデルタｋ値に従って再サンプリングされる。ステップ７５３５では、ＶＣＳＥＬ４のための網膜サンプルインターフェログラムが、グローバルデルタｋ値に従って再サンプリングされる。ステップ７５２３では、全てのＯＰＤに関するスティッチされたクロック値の整合に対応するスティッチング情報が、ＶＣＳＥＬ１−ＶＣＳＥＬ４のための網膜サンプルインターフェログラムをともにスティッチするために使用されることができる。スティッチされた網膜サンプルインターフェログラムは、次いで、本明細書に説明されるように、測定ビームに沿って強度反射のプロファイルを発生させるように、変換される、例えば、フーリエ変換されることができる。
【０４９６】
フロー図７５００は、いくつかの実施形態による、複数の光源から掃引源ＯＣＴ  Ａ走査を発生させる方法を図示するが、いくつかの修正が、行われることができる。例えば、ステップのうちのいくつかが、除去されることができる。付加的ステップが、提供され、ステップは、本明細書に提供される教示に従って、任意の順序で実施されることができる。
【０４９７】
本明細書に説明されるようなプロセッサが、干渉計に結合され、フロー図７５００で図示されるプロセスの１つまたはそれを上回るステップを実施するための命令を伴って構成されることができる。
【０４９８】
図７６は、ワークフロープロセス７５００と組み合わせられ得る、干渉信号を組み合わせ、複数のＶＣＳＥＬからのＡ走査反射信号を発生させるためのプロセスのワークフロー図７６００を示す。サンプルデータ７６０２が、複数の検出器から受信される。サンプルデータは、本明細書に説明されるように、患者安全検出器からのレーザ強度信号の振幅、第１の光学クロックからの第１の未加工クロック信号、第２の光学クロックからの第２の未加工クロック信号、および網膜からの干渉計測定信号のうちの１つまたはそれを上回るものを備える。これらの検出器信号のうちの１つまたはそれを上回るものは、対応する検出器上で光るいずれの光さえも伴わずに、信号がゼロではない、オフセットを備えてもよい。オフセット分位ステップでは、ゼロオフセットが、１つまたはそれを上回る信号７６０４のエッジにおいてゼロオフセットを提供するように、検出器信号のうちの１つまたはそれを上回るものから減算されることができる。オフセット減算信号は、次いで、振幅復調信号７６０６を提供するように振幅復調されることができる。例えば、復調クロックボックス信号およびＯＣＴ眼測定信号は、次いで、対応するＶＣＳＥＬの出力パワーに対してこれらの値を正規化し、正規化された振幅復調信号７６０６をもたらすように、振幅信号によって除算されることができる。正規化された信号のオフセットは、次いで、ゼロになったデータ７６０８を提供するように、信号がゼロの値の周囲で発振するように減算されることができる。次のステップでは、検出器への光放射がないことに対応する信号の区分は、これらの区分内の信号のゼロではない値が雑音に対応するため、ゼロに設定されることができる。次のステップでは、信号の位相が、本明細書に説明されるように、位相データ信号７６１２を提供するようにクロックボックス信号から決定される。位相データ信号７６１２は、検出器からのデータを再サンプリングし、再サンプリングされたデータ７６１４を提供するために、使用されることができる。再サンプリングされたデータ７６１４の位相は、位相整合される再サンプリングされた信号７６１６を提供するように、位相調節されることができる。位相整合される再サンプリングされた信号は、統一デルタｋ値７６１８を提供するように、デルタｋ値に対して統一されることができる。統一デルタｋ値は、複数のＶＳＣＳＥＬのそれぞれからのＯＣＴ測定干渉計信号をともにスティッチするために使用されることができる。本データは、本明細書に説明されるように、Ａ走査信号の強度反射率値を決定するように変換されることができる。上記のステップは、付加的Ａ走査測定に関して繰り返されることができる。
【０４９９】
ワーフクロー図７６００は、いくつかの実施形態によるプロセスを示すが、プロセスは、修正されることができる。例えば、ステップのうちのいくつかは、繰り返されることができ、ステップのうちのいくつかは、削除されることができ、ステップは、任意の好適な順序で実施されることができる。本プロセスは、本明細書に開示されるような他のプロセスおよび方法のステップと組み合わせられることができる。
【０５００】
本明細書に説明されるようなプロセッサが、干渉計に結合され、フロー図７６００で図示されるプロセスの１つまたはそれを上回るステップを実施するための命令を伴って構成されることができる。
【０５０１】
図７７は、いくつかの実施形態による、網膜の厚さの複数の出力マップ７７００を示す。複数の画像は、本明細書に説明されるようにディスプレイ上に示されてもよい。複数の出力マップは、第１日の第１のＯＣＴ測定からの第１の出力マップ７７１０と、第２日の第２のＯＣＴ測定からの第２の出力マップ７７１２と、第３日の第３のＯＣＴ測定からの第３の出力マップ７７１４と、第４日の第４のＯＣＴ測定からの第４の出力マップ７７１６と、第５日の第５のＯＣＴ測定からの第５の出力マップ７７１８とを備えてもよい。
【０５０２】
差異マップ７７５０が、以前の測定と選択された測定との間の差異を示す。ユーザインターフェースは、ユーザがマップを選択するためのユーザ入力を受信するための命令を備えてもよい。例えば、カーソルを用いた、具体的な日からのマップのユーザ選択に応答して、プロセッサは、基準マップと選択されたマップとの間の差異マップを発生させるための命令を伴って構成される。
【０５０３】
複数の出力マップおよび差異マップはそれぞれ、複数のセクタを備える。複数のセクタは、複数の環状セクタで境界される中心セクタを備えてもよい。複数の環状セクタは、内側環状セクタと、外側環状セクタとを備えてもよい。環状セクタはそれぞれ、左象限、右象限、上象限、および下象限等の４つの象限を備えてもよい。網膜の厚さは、各セクタに示される数値を伴って複数のセクタのそれぞれに表示され、セクタ毎に網膜の厚さに従って着色されることができる。色分けは、各セクタ内で連続的である、または実際の網膜の厚さ測定に応答してグラデーションを付けられることができる。
【０５０４】
差異マップ７７５０は、多くの方法で構成されることができ、複数の区画毎に数値を伴って示される厚さの変化を示す、マップ７７５２を備えてもよい。厚さの変化は、厚さの変化に従って、差異マップのセクタ毎に色分けされることができる。差異マップは、セクタの断面積および厚さの変化に基づいて計算され得る、特定のセクタに関する網膜の体積の変化を示す、差異マップを備えてもよい。
【０５０５】
患者識別子等の付加的データが、差異マップのそれぞれとともに提供されることができる。また、本明細書に説明されるような網膜のＯＣＴ走査の間に、ＯＣＴ測定システムに対する眼の整合もある。例えば、平均整合、および本明細書に説明されるようなＸ、Ｙ、ならびにＺ座標参照のうちの１つまたはそれを上回るものが、マップとともに示され、マップの座標への適切な変換が、ディスプレイ上に示される。代替として、または組み合わせて、マップは、例えば、ゼロ整合誤差に対応する場所を中心としてマップを中心に置くように、本明細書に説明されるように眼の測定された位置に応答して調節されることができる。
【０５０６】
図７８は、いくつかの実施形態による、両眼ＯＣＴ測定システム等の本明細書に説明されるようなＯＣＴデバイスを用いて眼を測定するためのプロセス７８００を示す。
【０５０７】
ステップ７８１０では、ユーザ入力が、測定シーケンスをアクティブ化する。ユーザ入力は、ユーザが測定を行う準備ができていることを示す、ボタン、スイッチ、表示、または音声コマンドを備えてもよい。
【０５０８】
ステップ７８１１では、ＯＣＴ測定システムが、本明細書に説明されるように、配向センサに応答して、ＯＣＴ測定の配向をチェックする。
【０５０９】
ステップ７８１２では、ユーザが、ＯＣＴシステムを用いて測定する眼に関して命令される。命令は、音声コマンド、ディスプレイ上の命令、または固定標的の点滅光もしくは色等の固定標的の近傍の命令を備えてもよい。
【０５１０】
ステップ７８１３では、ＯＣＴ測定される眼のためのレンズが、ＯＣＴ測定される眼の屈折誤差に基づいて調節される。各眼の屈折誤差は、プロセッサメモリ内に記憶されることができ、レンズは、ＯＣＴシステムの配向に応答して調節されることができる。本調節は、固定標的を合焦させ、ＯＣＴ測定ビームを網膜上に集束させることができる。
【０５１１】
ステップ７８１４では、他方の眼のためのレンズが、他方の眼の屈折誤差に基づいて調節される。本調節は、他方の眼のための固定標的を合焦させることができる。
【０５１２】
ステップ７８１５では、第１の固定標的が、アクティブ化される。例えば、ＬＥＤが、固定標的を後方照明するようにオンにされることができる。
【０５１３】
ステップ７８１６では、第２の固定標的が、アクティブ化される。例えば、第２のＬＥＤが、固定標的を後方照明するようにオンにされることができる。
【０５１４】
ステップ７８１７では、眼が、眼の位置を測定するように照明される。眼は、例えば、角膜からプルキニェ画像を発生させるように、本明細書に説明されるように照明されることができる。
【０５１５】
ステップ７８１８では、眼球位置センサが、眼球位置データを捕捉するようにアクティブ化される。眼球位置センサは、本明細書に開示されるような任意の眼球位置センサを備えてもよい。例えば、眼球位置センサは、プルキニェ画像を発生させるためのＣＭＯＳ画像センサを備えてもよい。
【０５１６】
ステップ７８１９では、測定された眼に関する眼球位置が、ＯＣＴシステム座標参照において画像センサから決定される。眼球位置は、本明細書に説明されるように、眼のＸ、Ｙ位置、随意に、Ｚ位置を備えてもよい。
【０５１７】
ステップ７８２０では、眼球位置データが、配向センサに応答して、患者座標参照に変換される。眼球位置のＸおよびＹ値は、出力位置値が、患者座標参照からの眼の位置に対応するように、本明細書に説明されるように、位置センサの配向に応答して変換されることができる。
【０５１８】
ステップ７８２１では、眼の位置が、許容整合公差と比較される。
【０５１９】
ステップ７８２２では、ユーザが、ＯＣＴ測定デバイスに対して移動する方法についてフィードバックを受信する。例えば、眼の位置が、公差窓外である場合、ユーザは、ＯＣＴシステムに対して眼を移動させるように、または眼に対してＯＣＴシステムを移動させるように命令される。
【０５２０】
ステップ７８２３では、ＯＣＴ走査シーケンスが、開始される。例えば、眼球位置が、許容公差窓内である場合、ＯＣＴ走査シーケンスが、開始されることができる。
【０５２１】
ステップ７８２４では、１つまたはそれを上回るＯＣＴ測定光源が、アクティブ化される。光源は、掃引源または本明細書に開示されるような他の光源を備えてもよい。
【０５２２】
ステップ７８２５では、走査ミラーが、網膜にわたって測定ビームを走査し、複数のＡ走査を発生させる。走査ミラーは、本明細書に説明されるように、事前プログラムされたシーケンスで走査されることができる。
【０５２３】
ステップ７８２６では、走査ミラーの位置が、眼の位置に応答して調節される。いくつかの実施形態では、走査ビームの位置および／または走査パターンが、眼の測定されたＸおよびＹ位置に応答して調節され、ミラーのこれらの位置は、配向センサに応答して調節されることができる。これは、例えば、異なる日に、網膜の厚さ測定データを反復走査とより良好に整合させることに役立ち得る。
【０５２４】
ステップ７８２７では、複数の波長からの走査が、眼からの干渉計信号に基づいて組み合わせられる。使用されるＯＣＴシステムのタイプに応じて、複数のＶＣＳＥＬ等の複数の光源からの走査が、本明細書に説明されるように、Ａ走査を発生させるように組み合わせられることができる。
【０５２５】
ステップ７８２８では、Ａ走査が、網膜の厚さのマップを発生させるように組み合わせられる。複数のＡ走査が、ＯＣＴシステムミラーが網膜を走査するにつれて、発生されることができる。上記のステップは、繰り返されることができる。
【０５２６】
ステップ７８２９では、網膜の厚さのマップが、データベース内に記憶される。記憶されたデータは、ＯＣＴ走査が取得されるときに、患者識別子および眼の位置等の付加的データを備えてもよい。
【０５２７】
ステップ７８３０では、ユーザが、ＯＣＴシステムを反転させるように命令される。ユーザは、ＯＣＴシステムを反転させ、ＯＣＴ測定システムを用いて他方の眼を測定するように命令されることができる。
【０５２８】
ステップ７８３１では、ステップ７８１１−７８２９が、他方の眼に関して繰り返される。
【０５２９】
ステップ７８３１では、医療従事者が、マップを精査する。マップは、本明細書に説明されるように、ユーザインターフェースを用いて網膜の厚さの変化を決定するように精査されることができる。説明されるような通知等の適切なステップが、網膜の厚さの変化に応答してとられることができる。
【０５３０】
網膜の厚さを測定するためのプロセス７８００が、実施形態に従って説明されるが、本プロセスは、多くの方法で修正されることができる。例えば、ステップのうちのいくつかは、繰り返されることができ、ステップのうちのいくつかは、省略されることができ、ステップは、任意の好適な順序で実施されることができる。本明細書に説明されるようなプロセッサは、プロセス７８００の１つまたはそれを上回るステップを実施するように構成されることができる。
（実施例）
[実施例１]ＲＴまたはＲＬＴ測定のための検出の限界
【０５３１】
図１４は、単一のＶＣＳＥＬを利用し、参照アームを利用しない、ＳＳ−ＯＣＴシステムを使用して、ＲＴまたはＲＬＴの変化を測定するための検出の限界を決定するための光学設定を示す。設定は、ＶＣＳＥＬ（Ｖ）と、光検出器（Ｐ）と、コリメートレンズ（Ｌ１）と、ビームスプリッタ（ＢＳ）と、光検出器上に光を集束させるためのレンズ（Ｌ２）と、サンプル上に光を集束させるためのレンズ（Ｌ３）と、ポリメチルメタクリレート（ＰＭＭＡ）から作製される長さ２２ｍｍの円筒と、１．５１２０の屈折率を伴う屈折率整合油と、それらの間に調節可能な空隙を伴う２枚の厚さ１５０μｍのガラスカバースリップと、１．５１２０の屈折率を伴う屈折率整合油の第２の層と、第１のガラスカバースリップと第２のガラスカバースリップとの間の距離の変化を生じるように平行移動ステージに接続される金属プレートとを備える。２枚のカバースリップの間の距離は、旋回あたり２５μｍの分解能でマイクロスクリューを旋回させることによって変動される。ＳＳ−ＯＣＴ信号は、第１のガラス・空気界面および第２のガラス・気界面から反射される光の間の干渉によって発生される。
[実施例２]その定格動作範囲外に駆動されたＶＣＳＥＬの性能
【０５３２】
図１５は、その定格動作範囲外に駆動されたＶＣＳＥＬの２つの異なる時点におけるオシロスコープ信号を示す。ＶＣＳＥＬは、約８５０ｎｍの中心波長と、約１．８ｎｍの発光波長の定格範囲とを有した。ＶＣＳＥＬ電流は、１５ｍＡの最大電流を伴う三角形パターンで連続的に掃引された。電流は、１２５Ｈｚの周波数において掃引された。実験は、それぞれ約７．２５時間の連続掃引の４つの間隔から成った。各間隔の間で、ＶＣＳＥＬは、数時間にわたって動作停止された。ＶＣＳＥＬ電流（緑）、ＶＣＳＥＬパワー（赤）、および干渉信号（紫）は、少なくとも２時間毎に記録された。３つ全てのパラメータの測定値は、０時間の動作における第１の測定とＶＣＳＥＬが２９時間にわたって動作中であった後の後続の測定との間で殆ど変動しなかった。したがって、その定格動作範囲外に駆動されたＶＣＳＥＬは、少なくとも２９時間の使用後に有用なＳＳ−ＯＣＴ測定を生成し続け得ることが、断定され得る。これは、手持ち式ＳＳ−ＯＣＴデバイスで実装されるＶＣＳＥＬの使用要件と有利に匹敵する。本デバイスが、５年にわたって１日２回、測定あたり２０秒間使用されると仮定して、ＶＣＳＥＬは、約２０時間のアクティブな使用を蓄積するであろう。したがって、その定格動作範囲外に駆動されたＶＣＳＥＬに基づく手持ち式ＳＳ−ＯＣＴデバイスは、その意図された動作寿命全体にわたって有用な結果を生成し続け得る。
[実施例３]変動する厚さのためのＯＣＴ信号
【０５３３】
図１６は、図１４の光学設定の２つの異なる構成のためのオシロスコープ信号を示す。ＶＣＳＥＬは、約８５０ｎｍの中心波長と、約１．８ｎｍの発光波長の定格範囲とを有した。ＶＣＳＥＬ電流は、１５ｍＡの最大電流を伴う三角形パターンで連続的に掃引された。電流は、１２５Ｈｚの周波数において掃引された。ＶＣＳＥＬ駆動電流（緑）および干渉信号（紫）は、オシロスコープを使用して記録された。厚さ１５０μｍの２枚のガラスカバースライドが、ゼロ位置と称される恣意的な距離を離して設置された。ゼロ位置は、２〜３周期が、第１のガラスカバースライドから反射する光および第２のガラスカバースライドから反射する光に起因する干渉信号から記録されるように、選定された。２枚のガラスカバースリップの間の距離の変化は、干渉信号の発振の周波数の変化を生じた。例えば、ゼロ位置において、干渉信号は、約９５０Ｈｚの周波数とともに変動した。ゼロ位置からの２５．０μｍ変位を２枚のカバースリップの間の距離に追加した後、干渉信号は、約１，０５０Ｈｚの周波数とともに変動した。
[実施例４]干渉信号からの周波数の抽出
【０５３４】
図１７は、単一のＶＣＳＥＬを利用し、参照アームを利用しない、ＳＳ−ＯＣＴシステムを使用して発生される干渉信号の発振の周波数を抽出するための信号処理の方法を示す。オシロスコープ上で記録される干渉信号は、干渉信号をＶＣＳＥＬ光強度で除算することによって補正される。これは、ゆっくりと減衰する正弦波を生成する。補正されたデータは、次いで、非線形最小二乗適合手段を使用して、正弦波に適合される。補正された干渉信号の発振の周波数は、非線形最小二乗適合から抽出される。
[実施例５]反復性測定
【０５３５】
図１８は、単一のＶＣＳＥＬを利用し、参照アームを利用しない、ＳＳ−ＯＣＴシステムを使用して発生される干渉信号の発振の周波数を抽出することの反復性を決定するための研究の結果を示す。２枚のガラスカバースリップの間の距離は、１２．５μｍの増分で変動された。正弦波適合の周波数は、２枚のガラスカバースリップの間の距離の各値において干渉信号から入手された。実験は、２枚のガラスカバースリップの間の距離の値毎に５〜１０回複製された。
【０５３６】
図１９は、単一のＶＣＳＥＬを利用し、参照アームを利用しない、ＳＳ−ＯＣＴシステムを使用して発生される干渉信号の発振の周波数を抽出することの再現性を決定するための研究中に取得された周波数の平均および９５％信頼区画を示す。２５μｍおよび３７．５μｍデータ点を除外して、検査された距離はそれぞれ、それ自体を１２．５μｍ下回る、およびそれ自体を１２．５μｍ上回る距離からの２つを上回る標準偏差によって、他の検査された距離から分離される。全てのデータ点に関して、検査された距離はそれぞれ、それ自体を２５．０μｍ下回る、およびそれ自体を２５．０μｍ上回る距離からの２つを上回る標準偏差によって、他の検査された距離から分離される。したがって、層の厚さ（ここでは、２枚のガラスカバースリップの間の空隙）の変化を決定するための本方法は、１２．５μｍ〜２５．０μｍである層の厚さの変化の検出の限界を有することが推測され得る。これは、ＲＴの変化を測定するための手持ち式ＳＳ−ＯＣＴシステムの動作要件に有利に匹敵する。
[実施例６]眼底撮像
【０５３７】
図３７Ａ−Ｃは、本明細書に説明されるシステムおよび方法を使用して取得された例示的眼底画像を示す。図３７Ａは、比較的に高いコントラストおよび比較的に高い量の観察可能な構造を伴う眼底画像を示す。図３７Ｂは、比較的に低いコントラストおよび比較的に低い量の観察可能な構造を伴う眼底画像を示す。図３７Ｃは、本明細書に説明される眼底認識方法を受けた補正処理眼底画像を示す。図３７Ｃの眼底画像は、本明細書に説明される眼底認識方法を図３７Ｂの画像（比較的に低いコントラストおよび比較的に低い量の観察可能な構造を伴う眼底画像）に適用することによって取得された。図３７Ｃに示されるように、眼底の静脈は、本明細書に説明される眼底認識方法を使用して、明確に識別される。したがって、眼底認識方法は、眼底画像が比較的に低品質であるときでさえも眼底画像内の眼底の部分構造を検出することが可能である。眼底の部分構造は、画像登録に使用されてもよい。
[実施例７]チャープ補正の再サンプリング
【０５３８】
図３８Ａ−Ｂは、時間ドメイン内のＳＳ−ＯＣＴ信号のチャープ補正のための再サンプリングの効果を示す。図３８Ａは、比較的に低い周波数を有するＳＳ−ＯＣＴ信号のチャープ補正のための再サンプリングの効果を示す。図３８Ｂは、比較的に高い周波数を有するＳＳ−ＯＣＴ信号のチャープ補正のための再サンプリングの効果を示す。再サンプリング手順の結果は、図３９Ａ−Ｃの周波数ドメインに示される。
[実施例８]未補正およびチャープ補正されたＳＳ−ＯＣＴ信号の周波数ドリフト
【０５３９】
図３９Ａ−Ｃは、周波数ドメイン内の未補正およびチャープ補正されたＳＳ−ＯＣＴ信号の周波数ドリフトを示す。図３９Ａは、本明細書に説明されるチャープ補正のための再サンプリング方法によって補正されていないＳＳ−ＯＣＴ信号の周波数ドリフトを示す。未補正ＳＳ−ＯＣＴ信号は、約２秒の周期にわたって５０ｋＨｚを上回るドリフトを受ける。図３９Ｂは、チャープ補正のための事前サンプリングを受けたＳＳ−ＯＣＴ信号の周波数ドリフトを示す。信号は、約２秒の周期にわたって数Ｈｚだけ変動する、有意により小さい周波数ドリフトを示す。図３９Ｃは、チャープ補正のための最終再サンプリングを受けたＳＳ−ＯＣＴ信号の周波数ドリフトを示す。信号は、約１．６秒の周期にわたってわずかな量だけ変動する、なおもより小さい周波数ドリフトを示す。したがって、周波数ドリフトは、本明細書に説明されるように、チャープ補正または再サンプリング方法を使用して補正されてもよい。本明細書に説明される再サンプリング方法を使用する、周波数ドリフトの低減は、より狭い測定された周波数分布をもたらし、より高い信号対雑音比を伴ってより精密なＲＴまたはＲＬＴ測定を生じさせる。
[実施例９]種々の雑音源に起因する位相ドリフト
【０５４０】
図４０Ａ−Ｃは、種々の雑音源と関連付けられる未補正ＳＳ−ＯＣＴ信号の例示的位相ドリフトを示す。図４０Ａは、振動に起因する雑音と関連付けられるＳＳ−ＯＣＴ信号の位相ドリフトを示す。ＳＳ−ＯＣＴ信号の帯域幅の大きな急上昇は、意図的に床にぶつかることに起因する。図４０Ｂは、光源の変動する空間フィルタリングに起因する雑音と関連付けられるＳＳ−ＯＣＴ信号の位相ドリフトを示す。ＳＳ−ＯＣＴ信号の帯域幅は、経時的に最大２ｋＨｚだけ変動する。図４０Ｃは、最適な条件に起因する雑音レベルと関連付けられるＳＳ−ＯＣＴ信号の位相ドリフトを示す。過渡的挙動後、ＳＳ−ＯＣＴ信号は、動作条件が可能な限り一定に保たれるときに、比較的に一定の帯域幅に落ち着く。本理想的状況でさえも、ＳＳ−ＯＣＴ信号の帯域幅は、依然として、経時的に最大５００Ｈｚだけ変動する。したがって、未補正ＳＳ−ＯＣＴ信号は、理想的条件において動作するときでさえも、帯域幅の有意な変化を受け得ることが分かり得る。ＳＳ−ＯＣＴ信号は、本明細書に説明されるように、再サンプリング方法を使用して、経時的に帯域幅の変動を有意に低減させるように補正されてもよい。
[実施例１０]患者移動と関連付けられる位相偏移の補正
【０５４１】
図４１Ａ−Ｄは、患者移動と関連付けられる位相偏移のシミュレーションを示す。図４１Ａは、信号の長さの半分の持続時間にわたってπラジアンの位相偏移を受けた、シミュレートされた信号を示す。図４１Ｂは、信号の長さの半分の持続時間にわたってπラジアンの位相偏移を受けた、シミュレートされた信号の周波数スペクトルを示す。πラジアンの位相偏移は、８５０ｎｍの波長を有する光に関して約２２５ｎｍの患者移動に対応する。位相偏移は、周波数スペクトルの有意な誤差を付与する。図４１Ｃは、信号の単一のサイクルの持続時間にわたってπラジアンの位相偏移を受けた、シミュレートされた信号を示す。図４１Ｄは、信号の単一のサイクルの持続時間にわたってπラジアンの位相偏移を受けた、シミュレートされた信号の周波数スペクトルを示す。短い時間量のみに存在するが、位相偏移は、依然として、周波数スペクトルの有意な誤差を付与する。これらの位相偏移は、本明細書に説明されるように、高速Ａ走査またはチャープ補正方法を利用することによって補正されてもよい。
【０５４２】
図４２Ａ−Ｄは、患者移動と関連付けられる位相偏移から生じる誤差へのＡ走査時間の影響のシミュレーションを示す。図４２Ａは、２ミリ秒のＡ走査持続時間を伴う信号の単一のサイクルの持続時間にわたってπラジアンの位相偏移を受けた、シミュレートされた信号を示す。図４２Ｂは、２ミリ秒のＡ走査持続時間を伴う信号の単一のサイクルの持続時間にわたってπラジアンの位相偏移を受けた、シミュレートされた信号の周波数スペクトルを示す。位相偏移は、この比較的に長いＡ走査持続時間にわたって周波数スペクトルの有意な誤差を付与する。図４２Ｃは、０．４ミリ秒のＡ走査持続時間を伴う信号の単一のサイクルの持続時間にわたってπラジアンの位相偏移を受けた、シミュレートされた信号を示す。図４２Ｄは、０．４ミリ秒のＡ走査持続時間を伴う信号の単一のサイクルの持続時間にわたってπラジアンの位相偏移を受けた、シミュレートされた信号の周波数スペクトルを示す。位相偏移は、この比較的に短いＡ走査持続時間にわたって周波数スペクトルの有意に小さい誤差を付与する。したがって、患者移動と関連付けられる雑音は、本明細書に説明されるような高速Ａ走査を利用することによって減少され得る。
[実施例１１]典型的患者移動の測定
【０５４３】
図４３Ａ−Ｂは、典型的患者移動の振幅を示す。図４３Ａは、可能な限り自分を固定して維持する患者の光軸に沿った移動を示す。位置の間の大きな急上昇は、患者の瞬目に起因して生じる。瞬目を無視して、典型的患者移動は、２１０ｎｍ／ミリ秒の典型的移動速度に関して、約０．２５ｍｍの振幅と、約１．２秒の持続時間とを有する。そのような移動速度は、本明細書に説明される高速Ａ走査を使用することによって、補正されることができる。最大患者移動は、１，５６０ｎｍ／ミリ秒の最大移動速度に関して、約０．２５ｍｍの振幅と、約０．１６秒の持続時間とを有する。図４３Ｂは、意図的に移動している患者の光軸に沿った移動を示す。瞬目を無視して、典型的な意図的患者移動は、２，９００ｎｍ／ミリ秒の典型的移動速度に関して、約２．１９ｍｍの振幅と、約０．７６秒の持続時間とを有する。
【０５４４】
（付記１）眼の網膜の厚さを測定するための小型光干渉断層撮影（ＯＣＴ）システムであって、
検出器と、
複数の光ビームを発生させるように構成される複数の光源を備える、光源であって、複数の光ビームはそれぞれ、光源のスペクトル範囲を延在させるために、複数のうちの他の光ビームと異なる波長の範囲を備える、光源と、
複数の光ビームを網膜の中に指向し、検出器において複数の干渉信号を発生させるように光源に結合される、複数の光学要素と、
複数の干渉信号に応答して、厚さを決定するように検出器および複数の光源に結合される、回路と、
を備える、小型ＯＣＴシステム。
【０５４５】
（付記２）複数の光ビームのそれぞれの波長の範囲は、複数のうちの他の光ビームのうちの少なくとも１つと部分的に重複する、付記１に記載の小型ＯＣＴシステム。
【０５４６】
（付記３）複数の光源は、複数のＶＣＳＥＬを備え、回路は、スペクトル範囲を延在させるために、複数のＶＣＳＥＬのそれぞれを連続的にアクティブ化するように構成される、付記１に記載の小型ＯＣＴシステム。
【０５４７】
（付記４）光源は、第１のＶＣＳＥＬと、第２のＶＣＳＥＬとを備え、光ビームは、第１のＶＳＣＥＬおよび第２のＶＳＣＥＬからの光を備える、付記１に記載の小型ＯＣＴシステム。
【０５４８】
（付記５）回路は、類似率で第１のＶＳＣＥＬからの光の第１の波長および第２のＶＳＣＥＬからの光の第２の波長を掃引するために、類似掃引周波数を用いて順に第１のＶＣＳＥＬおよび第２のＶＣＳＥＬを駆動するように構成され、随意に、第１のＶＳＣＥＬおよび第２のＶＳＣＥＬの類似掃引周波数および類似率は、相互の５％以内、随意に、相互の１％以内である、付記４に記載の小型ＯＣＴシステム。
【０５４９】
（付記６）回路は、第２のＶＳＣＥＬがオフであるときに第１のＶＳＣＥＬをオンにし、第１のＶＳＣＥＬがオフであるときに第２のＶＳＣＥＬをオンにするように、かつ第１のＶＳＣＥＬおよび第２のＶＣＥＬからの光の時間的重複を阻止するように構成され、第２のＶＳＣＥＬは、第１のＶＳＣＥＬがオフにされたときに、オンになり、第１のＶＳＣＥＬからの光の約０．１ｎｍ以内の波長を有する光を放射するように構成される、付記４に記載の小型ＯＣＴシステム。
【０５５０】
（付記７）第１のＶＳＣＥＬからの光を結合するためのビームスプリッタもしくは光ファイバのうちの１つまたはそれを上回るものをさらに備える、付記４に記載の小型ＯＣＴシステム。
【０５５１】
（付記８）光源に光学的に結合され、複数の光ビームの位相を特性評価するように回路に電気的に結合される、複数の位相補償モジュールをさらに備え、回路は、複数の干渉信号を組み合わせ、複数の光ビームの位相に応答して、網膜の厚さを決定するように構成される、付記１に記載の小型ＯＣＴシステム。
【０５５２】
（付記９）複数の位相補償モジュールはそれぞれ、波長に応答して、強度の変化を伴って複数の光ビームを検出器に透過させるように構成される、干渉計を備え、随意に、干渉計は、ファブリ・ペロー干渉計またはマイケルソン干渉計を備え、随意に、干渉計は、複数の位相補償モジュールの他の干渉計と異なる参照光路長を備える、付記８に記載の小型ＯＣＴシステム。
【０５５３】
（付記１０）干渉計は、ファブリ・ペローエタロンを備え、参照光路は、ファブリ・ペローエタロンの対向する反射表面の間の距離および間に配置される材料の屈折率に対応する、付記９に記載の小型ＯＣＴシステム。
【０５５４】
（付記１１）干渉計は、マイケルソン干渉計を備え、参照光路は、マイケルソン干渉計の区間に沿った光路を備える、付記９に記載の小型ＯＣＴシステム。
【０５５５】
（付記１２）複数の位相補償モジュールは、第１のモジュールと、第２のモジュールとを備え、第１のモジュールは、光源の波長の変化に応答して、第１の周波数を備える第１の補償信号を発生させるように構成され、第２のモジュールは、光源の波長の変化に応答して、第２の周波数を備える第２の補償信号を発生させるように構成され、第１の周波数は、第２の周波数未満であり、随意に、第１および第２の補償信号は、同時に発生される、付記８に記載の小型ＯＣＴシステム。
【０５５６】
（付記１３）回路は、網膜の厚さを決定するために、第１の補償信号および第２の補償信号に応答して、網膜からの複数の信号のうちの第１の信号および複数の信号のうちの第２の信号を組み合わせるための命令を伴って構成される、付記１２に記載の小型ＯＣＴシステム。
【０５５７】
（付記１４）第１の補償信号および第２の補償信号は、網膜からの複数の信号のうちの第１の信号に応答して発生される信号を備え、第３の補償信号および第４の補償信号は、複数の信号のうちの第２の信号が網膜から発生されるときに、それぞれ、第１および第２の補償モジュールから発生され、網膜からの複数の信号のうちの第１および第２の信号は、第１の補償信号、第２の補償信号、第３の補償信号、および第４の補償信号に応答して組み合わせられる、付記１３に記載の小型ＯＣＴシステム。
【０５５８】
（付記１５）複数の位相補償信号および網膜からの複数の信号はそれぞれ、共通クロック信号を伴って発生され、複数の補償信号に応答して、サンプル構造からの複数の信号を組み合わせるために、該クロック信号に応答してインデックス化される、付記８に記載の小型ＯＣＴシステム。
【０５５９】
（付記１６）
測定されている対象の眼を決定するための配向センサをさらに備え、
ＯＣＴ測定システムは、第１の配向で対象の第１の眼を測定するように、かつ反転され、第２の配向で対象の第２の眼を測定するように構成される、
付記１に記載の小型ＯＣＴシステム。
【０５６０】
（付記１７）小型ＯＣＴシステムは、小型ＯＣＴシステムの軸方向分解能未満の精度（または反復性）において網膜の厚さの変化を測定し、網膜の厚さの変化は、第１の時間における第１の厚さと、第２の時間における第２の厚さとを備える、付記１に記載の小型ＯＣＴシステム。
【０５６１】
（付記１８）小型ＯＣＴシステムを用いて測定される網膜の厚さの変化は、小型ＯＣＴシステムの軸方向分解能未満である、付記１に記載の小型ＯＣＴシステム。
【０５６２】
（付記１９）光ビームは、可変波長を備え、回路は、回路からの駆動電流を用いて波長を変動させるように構成される、付記１に記載の小型ＯＣＴシステム。
【０５６３】
（付記２０）厚さは、眼に関する小型ＯＣＴシステムの移動の特性周波数よりも速く測定され、移動は、その手にＯＣＴシステムを保持する患者に関連する移動、眼球運動、および振戦から成る群から選択される、付記１に記載の小型ＯＣＴシステム。
【０５６４】
（付記２１）光源、複数の光学要素、検出器、および回路は、眼から約２００ｍｍ以下に検出器を伴って眼の前で保持されるように構成される、付記１に記載の小型ＯＣＴシステム。
【０５６５】
（付記２２）患者が光ビームを眼窩と整合させるための視認標的をさらに備え、視認標的は、光ビームもしくは発光ダイオードからの光のうちの１つまたはそれを上回るものを備える、付記１に記載の小型ＯＣＴシステム。
【０５６６】
（付記２３）光源は、約５〜１０ｎｍの範囲にわたる光ビームの発光波長を変動させるように構成される、垂直キャビティ面発光レーザ（ＶＣＳＥＬ）を備える、付記１に記載の小型ＯＣＴシステム。
【０５６７】
（付記２４）ＶＣＳＥＬは、波長変動の規定最大定格範囲を有する、付記２３に記載の小型ＯＣＴシステム。
【０５６８】
（付記２５）回路は、少なくとも約１ｎｍだけ波長変動の規定最大範囲を超えて、随意に、波長変動の規定最大範囲を超えて約１ｎｍ〜５ｎｍの範囲内で、ＶＣＳＥＬを駆動するように構成される、付記２４に記載の小型ＯＣＴシステム。
【０５６９】
（付記２６）回路は、複数の測定毎に定格波長範囲の最大値を上回ってＶＳＣＥＬを駆動するように、かつＶＳＣＥＬの過熱を阻止するために約１ミリ秒（「ｍｓ」）〜約１００ミリ秒の範囲内、随意に、約５ミリ秒〜約２０ミリ秒の範囲内の量だけ第２の測定から第１の測定を遅延させるように構成される、付記２４に記載の小型ＯＣＴシステム。
【０５７０】
（付記２７）回路は、波形を有する駆動電流を用いて、定格波長範囲の最大値を上回ってＶＳＣＥＬを駆動するように構成され、波形は、ＶＳＣＥＬの最大定格電流を上回る第１の部分と、ＶＳＣＥＬの最大定格電流を下回る第２の部分とを有し、第１の部分は、ＶＳＣＥＬの過熱を阻止するために波形の持続時間の約５０パーセント以下を備える、付記２６に記載の小型ＯＣＴシステム。
【０５７１】
（付記２８）回路は、掃引周波数を伴う波長の範囲にわたって放射波長を掃引させるように構成され、回路は、干渉信号の周波数に応答して、厚さを決定するように構成される、付記１に記載の小型ＯＣＴシステム。
【０５７２】
（付記２９）掃引周波数は、約５０Ｈｚ〜約１０ＫＨｚの範囲内、随意に、約１００Ｈｚ〜約５ｋＨｚまたは約１ｋＨｚ〜約５ＫＨｚの範囲内である、付記２８に記載の小型ＯＣＴシステム。
【０５７３】
（付記３０）掃引周波数は、ユーザの眼の振戦またはユーザの手の振戦よりも速く、随意に、掃引周波数は、ユーザの眼の振戦の周波数またはユーザの手の振戦の周波数よりも速い、付記２８に記載の小型ＯＣＴシステム。
【０５７４】
（付記３１）回路は、光源を加熱して波長を変化させるように構成される、付記１に記載の小型ＯＣＴシステム。
【０５７５】
（付記３２）複数の光学要素は、参照光路および測定光路を提供するように配列され、干渉信号は、参照光路および測定光路に沿った光の干渉に起因する、付記１に記載の小型ＯＣＴシステム。
【０５７６】
（付記３３）複数の光学要素は、参照光路および測定光路を提供するように配列され、干渉信号は、参照光路からの光および測定光路からの光の干渉に起因する、付記１に記載の小型ＯＣＴシステム。
【０５７７】
（付記３４）複数の光学要素は、測定光路を提供するように配列され、干渉信号は、随意に、参照光路を伴わずに、測定光路に沿った網膜の層からの光の干渉に起因する、付記１に記載の小型ＯＣＴシステム。
【０５７８】
（付記３５）回路は、干渉信号を、眼の中へ指向されるビームの光路に沿って反射される光の強度プロファイルに変換するように、かつ強度プロファイルに応答して網膜の厚さを決定するように構成される、プロセッサを備える、付記１に記載の小型ＯＣＴシステム。
【０５７９】
（付記３６）強度プロファイルは、複数の反射ピークを備え、プロセッサは、複数の反射ピークに応答して、厚さを決定するための命令を伴って構成される、付記３５に記載の小型ＯＣＴシステム。
【０５８０】
（付記３７）プロセッサは、干渉信号の周波数に応答して、強度プロファイルを決定するための命令を伴って構成され、随意に、強度プロファイルは、検出器を用いて測定される干渉信号の高速フーリエ変換を用いて決定される、付記３５に記載の小型ＯＣＴシステム。
【０５８１】
（付記３８）干渉信号の周波数は、網膜の層の分離距離および光源の波長の変化率に対応する、付記３５に記載の小型ＯＣＴシステム。
【０５８２】
（付記３９）干渉信号の周波数は、網膜の層の分離距離および光源から放射されるビームの波長の変化率に対応する、付記３５に記載の小型ＯＣＴシステム。
【０５８３】
（付記４０）断層撮影システムを眼窩と整合させるための視認標的をさらに備え、視認標的は、光ビーム、発光ダイオードを用いて画定される標的、もしくはＶＣＳＥＬのうちの１つまたはそれを上回るものを備える、付記１に記載の小型ＯＣＴシステム。
【０５８４】
（付記４１）光源、光学要素、検出器、および回路を支持するための筐体をさらに備え、筐体は、光ビームを眼の中に指向するために、眼の前でユーザの手の中に保持されるように構成される、付記１に記載の小型ＯＣＴシステム。
【０５８５】
（付記４２）筐体は、握持を容易にするために曲面上に複数のくぼみを伴う円筒形を有する、付記４１に記載の小型ＯＣＴシステム。
【０５８６】
（付記４３）筐体の配向に応答して測定される眼を測定するためのセンサをさらに備える、付記４１に記載の小型ＯＣＴシステム。
【０５８７】
（付記４４）他方の眼が測定されている間に一方の眼を閉塞するための閉塞構造をさらに備え、閉塞構造は、測定される眼を決定するように筐体およびセンサに結合される、付記４１に記載の小型ＯＣＴシステム。
【０５８８】
（付記４５）筐体は、本体と、本体に回転可能に取り付けられる蓋とを備え、開放位置にあるとき、蓋は、本体の周囲で回転するように構成される、付記４１に記載の小型ＯＣＴシステム。
【０５８９】
（付記４６）バッテリをさらに備え、バッテリは、光源よりも検出器から遠く離れて位置する、付記４１に記載の小型ＯＣＴシステム。
【０５９０】
（付記４７）筐体を受容し、筐体内に含有されるバッテリを充電して光源および回路に給電するためのドッキングステーションをさらに備え、ドッキングステーションは、厚さを遠隔サーバに伝送するための無線通信回路を備え、随意に、無線通信回路は、グローバルシステムフォーモバイルコミュニケーションズ（ＧＳＭ（登録商標））、第３世代（３Ｇ）、または第４世代（４Ｇ）モジュールを備える、付記４６に記載の小型ＯＣＴシステム。
【０５９１】
（付記４８）回路は、通信ネットワークを通してデータを受信または伝送するように構成される、付記１に記載の小型ＯＣＴシステム。
【０５９２】
（付記４９）通信ネットワークは、インターネット、セルラーネットワーク、または短距離通信ネットワークを含む、付記１に記載の小型ＯＣＴシステム。
【０５９３】
（付記５０）小型ＯＣＴシステムは、約５０グラム〜約５００グラムの範囲内、随意に、約１００グラム〜約４００グラムの範囲内の質量を有する、前記付記のいずれか１つに記載の小型ＯＣＴシステム。
【０５９４】
（付記５１）小型ＯＣＴシステムは、約１０ｍｍ〜約１００ｍｍの範囲内、随意に、約２５ｍｍ〜約７０ｍｍの範囲内で横断する最大距離を有する、前記付記のいずれか１つに記載の小型ＯＣＴシステム。
【０５９５】
（付記５２）
筐体であって、光源、検出器、回路、および光学要素は、筐体内に含有される、筐体と、
光源および検出器に結合される、光ファイバであって、小型ＯＣＴシステムから延在する、光ファイバと、
光ビームを眼と整合させ、光ビームを眼に指向するように光ファイバの遠位端に結合される、整合構造と、
をさらに備える、前記付記のいずれか１つに記載の小型ＯＣＴシステム。
【０５９６】
（付記５３）ユーザの左眼および右眼を測定するための両眼ＯＣＴシステムであって、
ＯＣＴ測定システムおよび第１の固定標的に光学的に結合される、第１の調節可能レンズであって、左眼または右眼の屈折誤差を補償するように構成される、第１の調節可能レンズと、
第２の固定標的に光学的に結合される、第２のレンズであって、左眼または右眼の屈折誤差を補償するように構成される、第２のレンズと、
を備え、ＯＣＴ測定システムは、反転され、左眼または右眼を測定するように構成される、
システム。
【０５９７】
（付記５４）ユーザの左眼または右眼がＯＣＴ測定システムを用いて測定されているかどうかを決定するための配向センサと、
第１のレンズ、第２のレンズ、および配向センサに動作可能に結合される、プロセッサであって、ＯＣＴシステムが右眼を測定するための配向を備えるときに、第１のレンズを右眼の屈折誤差に対して、第２のレンズを左眼の屈折誤差に対して調節するため、かつＯＣＴシステムが左眼を測定するための配向を備えるときに、第１のレンズを左眼の屈折誤差に対して、第２のレンズを右眼の屈折誤差に対して調節するための命令を伴って構成される、プロセッサと、
をさらに備える、付記５３に記載の両眼ＯＣＴシステム。
【０５９８】
（付記５５）ＯＣＴ測定システムは、ユーザの第１の眼を測定するための第１の配向と、ユーザの第２の眼を測定するための第２の配向とを備え、第２の配向は、第１の配向に対して反転される、付記５３に記載の両眼ＯＣＴシステム。
【０５９９】
（付記５６）第１のレンズは、固定標的およびＯＣＴ測定システムに対して可動であり、左眼または右眼の屈折誤差を補償し、第２のレンズは、可動であり、左眼または右眼の屈折誤差を補償する、付記５３に記載の両眼ＯＣＴシステム。
【０６００】
（付記５７）プロセッサは、右眼の屈折誤差および左眼の屈折誤差を記憶するため、かつ右眼の記憶された屈折誤差および左眼の記憶された屈折誤差ならびに配向センサに応答して、第１のレンズおよび第２のレンズを調節するための命令を伴って構成される、非一過性のコンピュータ可読媒体を備える、付記５３に記載の両眼ＯＣＴシステム。
【０６０１】
（付記５８）第１のレンズ、ＯＣＴシステム、および第１の固定標的は、第１の光路を共有し、第２のレンズおよび第２の固定標的は、第２の光路を共有し、第１の光路と第２の光路との間の分離距離は、ユーザの右眼と左眼との間の瞳孔間距離に調節可能であり、随意に、手動で調節可能である、付記５３に記載の両眼ＯＣＴシステム。
【０６０２】
（付記５９）第１のレンズおよび第２のレンズは、それぞれ、第１の光路および第２の光路上で平行移動するように構成され、プロセッサは、右眼の屈折誤差を補正するための右眼球位置まで、および第２の眼の屈折誤差を補正するための左眼球位置まで、第１のレンズを平行移動させるため、かつ右眼の屈折誤差を補正するための右眼球位置まで、および左眼の屈折誤差を補正するための左眼球位置まで、第２のレンズを平行移動させるための命令を伴って構成される、付記５８に記載の両眼ＯＣＴシステム。
【０６０３】
（付記６０）ＯＣＴシステムは、参照アームと、測定アームとを備え、測定アームは、測定アームの光路に沿ってレンズに向かって配向される端部を備える、光ファイバを備え、端部およびレンズは、光路に沿って平行移動し、参照アームの間の光路差を減少させるように構成される、付記５３に記載の両眼ＯＣＴシステム。
【０６０４】
（付記６１）端部およびレンズは、光路差に応答して、端部およびレンズを移動させるように、プロセッサに動作可能に結合され、随意に、光路差は、第１の眼および第２の眼の測定の合間に実質的に固定されたままである、付記６０に記載の両眼ＯＣＴシステム。
【０６０５】
（付記６２）端部およびレンズは、光路差補償軸に沿って平行移動するように構成され、第１のレンズは、第１の軸に沿って平行移動するように構成され、第２のレンズは、第２の軸に沿って平行移動するように構成され、光路差補償軸、第１の軸、および第２の軸は、約５度以内まで相互と略平行である、付記６０に記載の両眼ＯＣＴシステム。
【０６０６】
（付記６３）光路差補償軸は、第１の軸と第２の軸との間に位置する、付記６２に記載の両眼ＯＣＴシステム。
【０６０７】
（付記６４）眼の前部分を撮像し、第１の調節可能レンズと第１の固定標的との間に延在する軸に関して眼の位置を決定するためのカメラをさらに備え、プロセッサは、配向センサからの信号および画像に応答して、眼の位置を決定するように、カメラに動作可能に結合され、随意に、画像は、眼の瞳孔の画像もしくは眼の角膜から反射される光のプルキニェ画像のうちの１つまたはそれを上回るものを備える、付記５３に記載の両眼ＯＣＴシステム。
【０６０８】
（付記６５）プロセッサは、配向センサからの信号に応答して、眼の網膜上の測定領域を調節するための命令を伴って構成される、付記６４に記載の両眼ＯＣＴシステム。
【０６０９】
（付記６６）プロセッサは、配向センサに応答して、網膜の厚さの出力マップを調節するように構成される、付記６４に記載の両眼ＯＣＴシステム。
【０６１０】
（付記６７）配向センサは、加速度計またはジャイロスコープを備える、付記６４に記載の両眼ＯＣＴシステム。
【０６１１】
（付記６８）ＯＣＴ測定システムは、時間ドメインＯＣＴ測定システム、掃引源ＯＣＴ測定システム、スペクトルドメインＯＣＴ測定システム、もしくは多重反射率ＯＣＴ測定システムのうちの１つまたはそれを上回るものを備える、付記５３に記載の両眼ＯＣＴシステム。
【０６１２】
（付記６９）両眼ＯＣＴシステムであって、
プロセッサと、プロセッサに結合される複数の電気コンポーネントとを備える、プリント回路基板と、
支持体上に搭載される複数の光学系モジュールを備える、支持体であって、複数の光学系モジュールは、スキャナと、第１の固定標的と、第２の固定標的と、スキャナ、第１の固定標的、および第２の固定標的に結合される複数のレンズとを備える、支持体と、
複数の光ファイバと、複数の光ファイバ結合器と、光ファイバ参照アームと、測定アームの光ファイバ部分とを備える、干渉計モジュールと、
プリント回路基板、支持体、および干渉計モジュールを封入する、外部筐体であって、プリント回路基板、支持体、および干渉計モジュールは、外部筐体内にスタックされた構成で配列される、外部筐体と、
を備える、両眼ＯＣＴシステム。
【０６１３】
（付記７０）スタックされた構成は、第１の眼が測定されるときの第１の配向と、第２の眼が測定されるときの第２の配向とを備え、第２の配向は、第１の配向に対して反転される、付記６９に記載の両眼ＯＣＴシステム。
【０６１４】
（付記７１）支持体は、プリント回路基板と干渉計モジュールとの間に位置する、付記６９に記載の両眼ＯＣＴシステム。
【０６１５】
（付記７２）支持体は、その上に搭載された複数の光学系モジュールを伴うプレートを備える、付記６９に記載の両眼ＯＣＴシステム。
【０６１６】
（付記７３）干渉計モジュールは、複数の光ファイバおよび複数の光ファイバ結合器、参照アームならびに測定アームの一部を封入する筐体を備える、付記６９に記載の両眼ＯＣＴシステム。
【０６１７】
（付記７４）複数の光ファイバは、掃引源レーザに結合される源光ファイバを備え、随意に、掃引源レーザは、筐体の内側に位置する、付記７３に記載の両眼ＯＣＴシステム。
【０６１８】
（付記７５）複数の光ファイバは、筐体内に位置する第１および第２のアーム結合器から、筐体の外側に位置する一対の平衡検出器まで延在する、一対の光ファイバを備え、第１および第２のアーム結合器は、参照アームを測定アームの光ファイバ部分に結合し、随意に、一対の平衡検出器は、プリント回路基板上のプロセッサに動作可能に結合される、付記７３に記載の両眼ＯＣＴシステム。
【０６１９】
（付記７６）測定アームの光ファイバ部分は、筐体内の光ファイバ参照アームに結合される光学結合器から筐体の外側の端部まで延在し、端部は、ユーザの眼に向かって測定光ビームを指向するようにレンズに結合される、付記７３に記載の両眼ＯＣＴシステム。
【０６２０】
（付記７７）複数の光ファイバは、掃引源レーザに結合される位相監視光ファイバを備え、位相監視光ファイバは、筐体内に位置する結合器から筐体の外側に位置する端部まで延在し、端部は、掃引源レーザから放射される光の位相を測定するように、エタロンおよび位相検出器に光学的に結合され、随意に、位相検出器は、プリント回路基板上のプロセッサに動作可能に結合される、付記７３に記載の両眼ＯＣＴシステム。
【０６２１】
（付記７８）複数の光ファイバは、一対の光強度監視ファイバを備え、一対の光学監視ファイバは、筐体内に位置する結合器から一対の光学監視検出器まで延在し、一対の光学監視検出器は、掃引源レーザのパワーを独立して測定するように構成され、随意に、一対の光学監視検出器は、プリント回路基板上のプロセッサに動作可能に結合される、付記７３に記載の両眼ＯＣＴシステム。
【０６２２】
（付記７９）ユーザの眼を測定するためのＯＣＴシステムであって、
眼に可視である固定標的と、
眼の網膜の厚さを測定するように構成される、ＯＣＴ干渉計と、
眼の角膜から反射し、角膜からの複数の光源の反射を備えるプルキニェ画像を発生させるように配列される、複数の光源と、
角膜から反射されるプルキニェ画像の位置を測定するためのセンサと、
プルキニェ画像に応答して、眼の位置を決定するように、センサに動作可能に結合される、プロセッサと、
を備える、ＯＣＴシステム。
【０６２３】
（付記８０）プロセッサは、聴覚または視覚合図をユーザに提供し、ＯＣＴ干渉計と整合するように眼を移動させるための命令を伴って構成される、付記７９に記載のＯＣＴシステム。
【０６２４】
（付記８１）ＯＣＴシステムの筐体に結合される配向センサをさらに備え、ユーザは、配向センサに応答して、第１の方向または第１の方向と反対の第２の方向に眼を移動させるように命令される、付記８０に記載のＯＣＴシステム。
【０６２５】
（付記８２）聴覚合図は、左、右、上、もしくは下のうちの１つまたはそれを上回るものに眼を移動させるためのユーザへの命令を備える、付記８０に記載のＯＣＴシステム。
【０６２６】
（付記８３）視覚合図は、点滅固定標的、点滅固定標的の周波数の変化、もしくは固定標的の色の変化のうちの１つまたはそれを上回るものを備える、付記８０に記載のＯＣＴシステム。
【０６２７】
（付記８４）センサは、プルキニェ画像を捕捉するためのセンサアレイを備える、カメラを備え、プロセッサは、複数の光源の反射に応答して、眼の位置を決定するための命令を伴って構成され、随意に、カメラは、ＣＭＯＳセンサアレイを備える、付記７９に記載のＯＣＴシステム。
【０６２８】
（付記８５）センサは、複数の光源の反射に応答して、眼の位置を決定するための象限検出器もしくは位置感受性検出器のうちの１つまたはそれを上回るものを備える、付記７９に記載のＯＣＴシステム。
【０６２９】
（付記８６）眼の網膜の面積にわたってＯＣＴ干渉計の測定ビームを走査し、プルキニェ画像に応答して、網膜の厚さのマップを発生させ、眼の位置を記録するように、プロセッサに結合されるスキャナをさらに備える、付記７９に記載のＯＣＴシステム。
【０６３０】
（付記８７）プロセッサは、網膜の厚さのマップおよび眼の位置を出力するように構成される、付記８６に記載のＯＣＴシステム。
【０６３１】
（付記８８）プロセッサは、眼の位置に応答して、網膜の厚さのマップの位置を調節するように構成される、付記８６に記載のＯＣＴシステム。
【０６３２】
（付記８９）配向センサをさらに備え、プロセッサは、配向センサに応答して、網膜の厚さのマップの位置を調節するように構成される、付記８８に記載のＯＣＴシステム。
【０６３３】
（付記９０）プロセッサは、第１の配向における配向センサに応答して、第１の方向に網膜に沿ってマップの位置を調節するように、かつ第１の方向と反対の第２の配向における配向センサに応答して、第１の方向と反対の第２の方向にマップを調節するように構成される、付記８９に記載のＯＣＴシステム。
【０６３４】
（付記９１）プロセッサは、眼の位置に応答して、網膜上の走査パターンの位置を調節するように構成される、付記８６に記載のＯＣＴシステム。
【０６３５】
（付記９２）配向センサをさらに備え、プロセッサは、配向センサに応答して、網膜上の走査パターンの位置を調節するように構成される、付記９１に記載のＯＣＴシステム。
【０６３６】
（付記９３）プロセッサは、第１の配向における配向センサに応答して、第１の方向に網膜上の走査パターンの位置を調節するように、かつ第１の方向と反対の第２の配向における配向センサに応答して、第１の方向と反対の第２の方向に走査パターンを調節するように構成される、付記９２に記載のＯＣＴシステム。
【０６３７】
（付記９４）複数のプロセッサ命令をトリガするようにプロセッサに動作可能に結合される、ユーザ入力をさらに備え、複数の命令は、固定標的を照明し、複数の光源を照明し、センサに応答して眼の位置を入手し、眼をＯＣＴ干渉計と整合させるための命令をユーザに提供し、ＯＣＴ測定ビームを用いて網膜を走査し、ＯＣＴ干渉計からのレーザの安全一時停止を実装するための命令を備える、付記７９に記載のＯＣＴシステム。
【０６３８】
（付記９５）プロセッサは、プルキニェ画像内の反射の場所に応答して、ＯＣＴ測定ビームに関して眼のＸＹ位置を決定するための命令を伴って構成され、眼のＸＹ位置は、ＯＣＴ測定ビームを横断する場所に対応し、随意に、ＸＹ位置はそれぞれ、プルキニェ画像の複数の光源の反射の間の中心場所に対応し、随意に、中心場所は、第１の対の反射の間の中間点およびプルキニェ画像の第２の対の反射の間の中間点に対応する、付記９４に記載のＯＣＴシステム。
【０６３９】
（付記９６）プロセッサは、プルキニェ画像内の反射の間の距離に応答して、ＯＣＴ測定ビームに沿った距離に対応する眼のＺ位置を決定するための命令を伴って構成される、付記９５に記載のＯＣＴシステム。
【０６４０】
（付記９７）プロセッサは、誤差の量であって、０．２ｍｍ〜約０．７５ｍｍの範囲内の誤差の量を伴う眼の位置に応答して、網膜を自動的に走査するための命令を伴って構成される、付記９４に記載のＯＣＴシステム。
【０６４１】
（付記９８）固定標的の照明は、重複し、複数の光源の照明は、ＯＣＴ測定ビームを用いた網膜の走査と重複する、付記９４に記載のＯＣＴシステム。
【０６４２】
（付記９９）網膜の走査領域は、約１ｍｍ〜約３ｍｍの範囲内で横断する寸法を備え、Ａ走査の数は、約０．５秒〜約３秒の範囲内の時間にわたって約５，０００回のＡ走査〜約４０，０００回のＡ走査を備え、安全一時停止は、約２〜約１０秒の範囲内である、付記９４に記載のＯＣＴシステム。
【０６４３】
（付記１００）ユーザ入力は、ボタン、近接性センサ、スイッチ、容量センサ、タッチスクリーン、もしくは音声コマンドのうちの１つまたはそれを上回るものを備える、付記９４に記載のＯＣＴシステム。
【０６４４】
（付記１０１）光路は、固定標的と眼との間に延在し、ＯＣＴ干渉計測定ビームは、光路と重複し、複数の光源は、光路の周囲に分散される、付記８６に記載のＯＣＴシステム。
【０６４５】
（付記１０２）走査ミラーから測定ビームを反射し、プルキニェ画像および固定標的から光を透過させるように構成される、第１のビームスプリッタと、プルキニェ画像からセンサに光を反射し、固定標的から光を透過させるように構成される、第２のビームスプリッタとをさらに備える、付記９４に記載のＯＣＴシステム。
【０６４６】
（付記１０３）プルキニェ画像を発生させるための複数の光源は、約７００〜８００ｎｍの範囲内の波長を備え、固定標的は、約５００〜７００ｎｍの範囲内の波長を備え、ＯＣＴ測定ビームは、約８００〜９００ｎｍの範囲内の複数の波長を備える、付記１０２に記載のＯＣＴシステム。
【０６４７】
（付記１０４）プルキニェ画像を発生させるための複数の光源は、３〜８個の光源を備え、随意に、複数の光源は、３〜８個の発光ダイオードを備える、付記１０２に記載のＯＣＴシステム。
【０６４８】
（付記１０５）眼の網膜の厚さを測定するための小型光干渉断層撮影（ＯＣＴ）システムであって、
検出器と、
波長の範囲にわたって１つまたはそれを上回る光ビームを掃引するための１つまたはそれを上回るＶＣＳＥＬを備える、光源と、
光ビームを網膜の中に指向し、検出器において複数の干渉信号を発生させるように光源に結合される、複数の光学要素と、
複数の干渉信号に応答して、厚さを決定するように検出器および複数の光源に結合される、回路と、
を備える、小型ＯＣＴシステム。
【０６４９】
（付記１０６）１つまたはそれを上回るＶＣＳＥＬに光学的に結合され、１つまたはそれを上回る光ビームの位相を特性評価するように回路に電気的に結合される、複数の位相補償モジュールをさらに備え、回路は、複数の干渉信号を組み合わせ、光ビームのうちの１つまたはそれを上回るものの位相に応答して、網膜の厚さを決定するように構成される、付記１０５に記載の小型ＯＣＴシステム。
【０６５０】
（付記１０７）複数の位相補償モジュールはそれぞれ、波長に応答して、強度の変化を伴って光ビームのうちの１つまたはそれを上回るものを検出器に透過させるるように構成される、干渉計を備え、随意に、干渉計は、ファブリ・ペロー干渉計またはマイケルソン干渉計を備え、随意に、干渉計は、複数の位相補償モジュールの他の干渉計と異なる参照光路長を備える、付記１０６に記載の小型ＯＣＴシステム。
【０６５１】
（付記１０８）干渉計は、ファブリ・ペローエタロンを備え、参照光路は、ファブリ・ペローエタロンの対向する反射表面の間の距離および間に配置される材料の屈折率に対応する、付記１０７に記載の小型ＯＣＴシステム。
【０６５２】
（付記１０９）干渉計は、マイケルソン干渉計を備え、参照光路は、マイケルソン干渉計の区間に沿った光路を備える、付記１０７に記載の小型ＯＣＴシステム。
【０６５３】
（付記１１０）複数の位相補償モジュールは、第１のモジュールと、第２のモジュールとを備え、第１のモジュールは、１つまたはそれを上回る光源の波長の変化に応答して、第１の周波数を備える第１の補償信号を発生させるように構成され、第２のモジュールは、１つまたはそれを上回る光源の波長の変化に応答して、第２の周波数を備える第２の補償信号を発生させるように構成され、第１の周波数は、第２の周波数未満であり、随意に、第１および第２の補償信号は、同時に発生される、付記１０６に記載の小型ＯＣＴシステム。
【０６５４】
（付記１１１）回路は、網膜の厚さを決定するために、第１の補償信号および第２の補償信号に応答して、網膜からの信号のうちの１つまたはそれを上回るもののうちの第１の信号および１つまたはそれを上回る信号のうちの第２の信号を組み合わせるための命令を伴って構成される、付記１１０に記載の小型ＯＣＴシステム。
【０６５５】
（付記１１２）１つまたはそれを上回るＶＣＳＥＬは、単一のＶＣＳＥＬを備える、付記１０５−１１１のいずれか１つに記載の小型ＯＣＴシステム。
【０６５６】
（付記１１３）スキャナは、軌道を用いて網膜に沿って測定ビームを走査するように構成され、随意に、軌道は、停止および進行軌道、連続軌道、星形軌道、もしくはリサジュー軌道のうちの１つまたはそれを上回るものを備える、前記付記のいずれか１つに記載の小型ＯＣＴシステム。
【０６５７】
本発明の好ましい実施形態が、本明細書に示され、説明されているが、そのような実施形態は、一例のみとして提供されることが、当業者に明白であろう。本発明が本明細書内で提供される具体的実施例によって限定されることは、意図されない。本発明は、前述の明細書を参照して説明されているが、本明細書の実施形態の説明および例証は、限定的な意味で解釈されるように意図されていない。多数の変形例、変更、および代用がここで、本発明から逸脱することなく当業者に想起されるであろう。さらに、本発明の全ての側面は、種々の条件および変数に依存する、本明細書に記載される具体的描写、構成、または相対的割合に限定されないことを理解されたい。本明細書に説明される本発明の実施形態の種々の代替物が、本発明を実践する際に採用され得ることを理解されたい。したがって、本発明は、任意のそのような代替物、修正、変形例、または均等物も網羅するはずであることが考慮される。以下の請求項は、本発明の範囲を定義し、これらの請求項およびそれらの同等物の範囲内の方法および構造は、それによって網羅されることが意図される。
【図１】
2021527552.tif 000008
【図２】
2021527552.tif 000009
【図３Ａ】
2021527552.tif 000010
【図３Ｂ】
2021527552.tif 000011
【図４】
2021527552.tif 000012
【図５】
2021527552.tif 000013
【図６Ａ】
2021527552.tif 000014
【図６Ｂ】
2021527552.tif 000015
【図７Ａ】
2021527552.tif 000016
【図７Ｂ】
2021527552.tif 000017
【図７Ｃ】
2021527552.tif 000018
【図８Ａ】
2021527552.tif 000019
【図８Ｂ】
2021527552.tif 000020
【図８Ｃ】
2021527552.tif 000021
【図９】
2021527552.tif 000022
【図１０Ａ】
2021527552.tif 000023
【図１０Ｂ】
2021527552.tif 000024
【図１０Ｃ】
2021527552.tif 000025
【図１０Ｄ】
2021527552.tif 000026
【図１１】
2021527552.tif 000027
【図１２】
2021527552.tif 000028
【図１３】
2021527552.tif 000029
【図１４】
2021527552.tif 000030
【図１５】
2021527552.tif 000031
【図１６】
2021527552.tif 000032
【図１７】
2021527552.tif 000033
【図１８】
2021527552.tif 000034
【図１９】
2021527552.tif 000035
【図２０Ａ】
2021527552.tif 000036
【図２０Ｂ】
2021527552.tif 000037
【図２０Ｃ】
2021527552.tif 000038
【図２０Ｄ】
2021527552.tif 000039
【図２１】
2021527552.tif 000040
【図２２】
2021527552.tif 000041
【図２３Ａ】
2021527552.tif 000042
【図２３Ｂ】
2021527552.tif 000043
【図２４】
2021527552.tif 000044
【図２５】
2021527552.tif 000045
【図２６】
2021527552.tif 000046
【図２７Ａ】
2021527552.tif 000047
【図２７Ｂ】
2021527552.tif 000048
【図２８Ａ】
2021527552.tif 000049
【図２８Ｂ】
2021527552.tif 000050
【図２９Ａ】
2021527552.tif 000051
【図２９Ｂ】
2021527552.tif 000052
【図２９Ｃ】
2021527552.tif 000053
【図３０】
2021527552.tif 000054
【図３１Ａ】
2021527552.tif 000055
【図３１Ｂ】
2021527552.tif 000056
【図３２Ａ】
2021527552.tif 000057
【図３２Ｂ】
2021527552.tif 000058
【図３３Ａ】
2021527552.tif 000059
【図３３Ｂ】
2021527552.tif 000060
【図３４】
2021527552.tif 000061
【図３５】
2021527552.tif 000062
【図３６】
2021527552.tif 000063
【図３７Ａ】
2021527552.tif 000064
【図３７Ｂ】
2021527552.tif 000065
【図３７Ｃ】
2021527552.tif 000066
【図３８】
2021527552.tif 000067
【図３９】
2021527552.tif 000068
【図４０Ａ】
2021527552.tif 000069
【図４０Ｂ】
2021527552.tif 000070
【図４０Ｃ】
2021527552.tif 000071
【図４１】
2021527552.tif 000072
【図４２】
2021527552.tif 000073
【図４３Ａ】
2021527552.tif 000074
【図４３Ｂ】
2021527552.tif 000075
【図４４Ａ】
2021527552.tif 000076
【図４４Ｂ】
2021527552.tif 000077
【図４４Ｃ】
2021527552.tif 000078
【図４４Ｄ】
2021527552.tif 000079
【図４４Ｅ】
2021527552.tif 000080
【図４４Ｆ】
2021527552.tif 000081
【図４４Ｇ】
2021527552.tif 000082
【図４４Ｈ】
2021527552.tif 000083
【図４４Ｉ】
2021527552.tif 000084
【図４４Ｊ】
2021527552.tif 000085
【図４５Ａ】
2021527552.tif 000086
【図４５Ｂ】
2021527552.tif 000087
【図４６Ａ】
2021527552.tif 000088
【図４６Ｂ】
2021527552.tif 000089
【図４６Ｃ】
2021527552.tif 000090
【図４６Ｄ】
2021527552.tif 000091
【図４６Ｅ】
2021527552.tif 000092
【図４６Ｆ】
2021527552.tif 000093
【図４６Ｇ】
2021527552.tif 000094
【図４７Ａ】
2021527552.tif 000095
【図４７Ｂ】
2021527552.tif 000096
【図４７Ｃ】
2021527552.tif 000097
【図４７Ｄ】
2021527552.tif 000098
【図４７Ｅ】
2021527552.tif 000099
【図４７Ｆ】
2021527552.tif 000100
【図４７Ｇ】
2021527552.tif 000101
【図４７Ｈ】
2021527552.tif 000102
【図４７Ｉ】
2021527552.tif 000103
【図４７Ｊ】
2021527552.tif 000104
【図４８】
2021527552.tif 000105
【図４９】
2021527552.tif 000106
【図５０】
2021527552.tif 000107
【図５１】
2021527552.tif 000108
【図５２】
2021527552.tif 000109
【図５３】
2021527552.tif 000110
【図５４】
2021527552.tif 000111
【図５５】
2021527552.tif 000112
【図５６】
2021527552.tif 000113
【図５７】
2021527552.tif 000114
【図５８】
2021527552.tif 000115
【図５９Ａ】
2021527552.tif 000116
【図５９Ｂ】
2021527552.tif 000117
【図５９Ｃ】
2021527552.tif 000118
【図５９Ｄ】
2021527552.tif 000119
【図６０】
2021527552.tif 000120
【図６１Ａ】
2021527552.tif 000121
【図６１Ｂ】
2021527552.tif 000122
【図６１Ｃ】
2021527552.tif 000123
【図６１Ｄ】
2021527552.tif 000124
【図６２】
2021527552.tif 000125
【図６３】
2021527552.tif 000126
【図６４】
2021527552.tif 000127
【図６５】
2021527552.tif 000128
【図６６】
2021527552.tif 000129
【図６７】
2021527552.tif 000130
【図６８】
2021527552.tif 000131
【図６９】
2021527552.tif 000132
【図７０】
2021527552.tif 000133
【図７１】
2021527552.tif 000134
【図７２】
2021527552.tif 000135
【図７３】
2021527552.tif 000136
【図７４】
2021527552.tif 000137
【図７５】
2021527552.tif 000138
【図７６】
2021527552.tif 000139
【図７６−１】
2021527552.tif 000140
【図７６−２】
2021527552.tif 000141
【図７６−３】
2021527552.tif 000142
【図７６−４】
2021527552.tif 000143
【図７６−５】
2021527552.tif 000144
【図７６−６】
2021527552.tif 000145
【図７６−７】
2021527552.tif 000146
【図７６−８】
2021527552.tif 000147
【図７６−９】
2021527552.tif 000148
【図７７】
2021527552.tif 000149
【図７８−１】
2021527552.tif 000150
【図７８−２】
2021527552.tif 000151
【国際調査報告】
2021527552.tif 000152
2021527552.tif 000153
2021527552.tif 000154
2021527552.tif 000155